(57)【要約】本発明は、標的組織に対して反応し得る少なくとも１つのアームと、リンカー部分に対して反応し得る少なくとも１つの他のアームとを有する二重特異性の抗体または抗体フラグメントに関する。リンカー部分は、抗体が調製されたハプテンを含む。そのような抗原性リンカーは１つ以上の治療剤または診断剤または酵素にコンジュゲートされる。本発明は、そのような二重特異性の抗体または抗体フラグメントを製造するための構築物および方法、ならびにそれらの使用方法を提供する。【特許請求の範囲】
【請求項１】
結腸特異的抗原−ｐムチン（ＣＳＡｐ）抗原に結合するモノクローナル（ＭＡｂ）抗体またはそのフラグメント。
【請求項２】
Ｍｕ−９エピトープと結合する、請求項１に記載のモノクローナル抗体またはそのフラグメント。
【請求項３】
ヒト化されている、請求項１に記載のモノクローナル抗体またはそのフラグメント。
【請求項４】
キメラ抗体またはそのフラグメントである、請求項１に記載のモノクローナル抗体またはそのフラグメント。
【請求項５】
キメラＭｕ−９（ｃＭｕ−９）抗体またはそのフラグメントである、請求項２に記載のモノクローナル抗体またはそのフラグメント。
【請求項６】
ヒト化されている、請求項２に記載のモノクローナル抗体またはそのフラグメント。
【請求項７】
ヒト化Ｍｕ−９抗体またはそのフラグメントである、請求項２に記載のモノクローナル抗体またはそのフラグメント。
【請求項８】
ヒト抗体またはそのフラグメントである、請求項２に記載のモノクローナル抗体またはそのフラグメント。
【請求項９】
ネズミ抗ＣＳＡｐ  ＭＡｂの相補性決定領域（ＣＤＲ）と、ヒト抗体の軽鎖可変領域および重鎖可変領域のフレームワーク（ＦＲ）領域と、ヒト抗体の軽鎖定常領域および重鎖定常領域とを含み、ヒト化抗ＣＳＡｐ  ＭＡｂの軽鎖可変領域のＣＤＲが、ＲＳＳＱＳＩＶＨＳＮＧＮＴＹＬＥのアミノ酸配列を含むＣＤＲ１と、ＫＶＳＮＲＦＳのアミノ酸配列を含むＣＤＲ２と、ＦＱＧＳＲＶＰＹＴのアミノ酸配列を含むＣＤＲ３とを含み、そしてヒト化抗ＣＳＡｐ  ＭＡｂの重鎖可変領域のＣＤＲが、ＥＹＶＩＴのアミノ酸配列を含むＣＤＲ１と、ＥＩＹＰＧＳＧＳＴＳＹＮＥＫＦＫのアミノ酸配列を含むＣＤＲ２と、ＥＤＬのアミノ酸配列を含むＣＤＲ３とを含む、請求項３に記載の抗体またはそのフラグメント。
【請求項１０】
前記抗体またはそのフラグメントの軽鎖可変領域および重鎖可変領域のＦＲが、ネズミ抗ＣＳＡｐ抗体またはそのフラグメントの対応するＦＲに由来する置換された少なくとも１つのアミノ酸を含む、請求項３に記載の抗体またはそのフラグメント。
【請求項１１】
前記ネズミＭＡｂに由来する前記アミノ酸が、図１０Ａのネズミ重鎖可変領域のアミノ酸残基５、アミノ酸残基２７、アミノ酸残基３０、アミノ酸残基３８、アミノ酸残基４０、アミノ酸残基４８、アミノ酸残基６６、アミノ酸残基６７、アミノ酸残基７４、アミノ酸残基９３、アミノ酸残基９４およびアミノ酸残基１０３からなる群から選択される少なくとも１つのアミノ酸である、請求項１０に記載の抗体またはそのフラグメント。
【請求項１２】
前記ネズミアミノ酸が、図１０Ｂのネズミ軽鎖可変領域のアミノ酸残基３７、アミノ酸残基５８およびアミノ酸残基１００からなる群から選択される少なくとも１つのアミノ酸である、請求項１０に記載の抗体またはそのフラグメント。
【請求項１３】
図４のＭｕ−９ＶKヌクレオチド配列を含む、請求項２に記載の抗体またはそのフラグメント。
【請求項１４】
図８のＭｕ−９ＶHヌクレオチド配列を含む、請求項２に記載の抗体またはそのフラグメント。
【請求項１５】
図１１ＢのｈＭｕ−９ＶKヌクレオチド配列を含む、請求項３または６に記載の抗体またはそのフラグメント。
【請求項１６】
図１１ＡのｈＭｕ−９ＶHヌクレオチド配列を含む、請求項３または６に記載の抗体またはそのフラグメント。
【請求項１７】
ネズミ抗ＣＳＡｐ  ＭＡｂの相補性決定領域（ＣＤＲ）と、ヒト抗体の重鎖可変領域のフレームワーク領域と、ヒト抗体の重鎖定常領域とを含むＣＤＲグラフトされたヒト化重鎖であって、ヒト化抗ＣＳＡｐ  ＭＡｂの重鎖定常領域のＣＤＲが、ＥＹＶＩＴのアミノ酸配列を含むＣＤＲ１と、ＥＩＹＰＧＳＧＳＴＳＹＮＥＫＦＫのアミノ酸配列を含むＣＤＲ２と、ＥＤＬのアミノ酸配列を含むＣＤＲ３とを含む、ＣＤＲグラフトされたヒト化重鎖。
【請求項１８】
前記重鎖可変領域が図１１ＡのｈＭｕ−９ＶHヌクレオチド配列を含む、請求項１７に記載の重鎖。
【請求項１９】
ネズミ抗ＣＳＡｐ  ＭＡｂの相補性決定領域（ＣＤＲ）と、ヒト抗体の軽鎖可変領域のフレームワーク領域と、ヒト抗体の軽鎖定常領域とを含むＣＤＲグラフトされたヒト化軽鎖であって、ヒト化抗ＣＳＡｐ  ＭＡｂの軽鎖可変領域のＣＤＲが、ＲＳＳＱＳＩＶＨＳＮＧＮＴＹＬＥのアミノ酸配列を含むＣＤＲ１と、ＫＶＳＮＲＦＳのアミノ酸配列を含むＣＤＲ２と、ＦＱＧＳＲＶＰＹＴのアミノ酸配列を含むＣＤＲ３とを含む、ＣＤＲグラフトされたヒト化軽鎖。
【請求項２０】
前記軽鎖可変領域が図１１ＢのｈＭｕ−９ＶHヌクレオチド配列を含む、請求項１９に記載の軽鎖。
【請求項２１】
前記フラグメントが、Ｆｖ、Ｆ（ａｂ’）2、Ｆａｂ’およびＦａｂからなる群から選択される、請求項１〜２０のいずれか一項に記載の抗ＣＳＡｐ抗体またはそのフラグメント。
【請求項２２】
請求項１〜２１のいずれか一項に記載される抗ＣＳＡｐ  ＭＡｂまたはそのフラグメントあるいはそれらの抗体融合タンパク質またはそのフラグメントを含む抗体成分を含み、前記抗体成分が少なくとも１つの診断／検出剤または少なくとも１つの治療剤に結合している、診断／検出用または治療用の免疫コンジュゲート体。
【請求項２３】
前記診断／検出剤が少なくとも１つの光活性な診断／検出剤を含む、請求項２２に記載の診断／検出用免疫コンジュゲート体。
【請求項２４】
前記光活性な診断剤が色素原または色素を含む、請求項２３に記載の診断／検出用免疫コンジュゲート体。
【請求項２５】
前記診断／検出剤が、２０ｋｅＶ〜２，０００ｋｅＶの間のエネルギーを有する放射性核種である、請求項２２に記載の診断／検出用免疫コンジュゲート体。
【請求項２６】
前記放射性核種がγ線放出同位体またはβ線放出同位体または陽電子放出同位体である、請求項２５に記載の診断／検出用免疫コンジュゲート体。
【請求項２７】
前記放射性核種が、Ｆ−１８、Ｍｎ−５１、Ｍｎ−５２ｍ、Ｆｅ−５２、Ｃｏ−５５、Ｃｕ−６２、Ｃｕ−６４、Ｇａ−６８、Ａｓ−７２、Ｂｒ−７５、Ｂｒ−７６、Ｒｂ−８２ｍ、Ｓｒ−８３、Ｙ−８６、Ｚｒ−８９、Ｔｃ−９４ｍ、Ｉｎ−１１０、Ｉ−１２０、Ｉ−１２４、Ｃｒ−５１、Ｃｏ−５７、Ｃｏ−５８、Ｆｅ−５９、Ｃｕ−６７、Ｇａ−６７、Ｓｅ−７５、Ｒｕ−９７、Ｔｃ−９９ｍ、Ｉｎ−１１１、Ｉｎ−１１４ｍ、Ｉ−１２３、Ｉ−１２５、Ｉ−１３１、Ｙｂ−１６９、Ｈｇ−１９７およびＴｌ−２０１からなる群から選択される、請求項２６に記載の診断／検出用免疫コンジュゲート体。
【請求項２８】
前記診断剤が造影剤である、請求項２２に記載の診断／検出用免疫コンジュゲート体。
【請求項２９】
前記造影剤が常磁性イオンである、請求項２８に記載の診断／検出用免疫コンジュゲート体。
【請求項３０】
前記造影剤が超音波増強剤である、請求項２８に記載の診断／検出用免疫コンジュゲート体。
【請求項３１】
前記超音波増強剤が、ヒト化Ｍｕ−９またはそのフラグメントにコンジュゲート化されたリポソームである、請求項３０に記載の診断／検出用免疫コンジュゲート体。
【請求項３２】
前記リポソームがガス充填型である、請求項３１に記載の診断／検出用免疫コンジュゲート体。
【請求項３３】
前記常磁性イオンが、クロム（ＩＩＩ）、マンガン（ＩＩ）、鉄（ＩＩＩ）、鉄（ＩＩ）、コバルト（ＩＩ）、ニッケル（ＩＩ）、銅（ＩＩ）、ネオジム（ＩＩＩ）、サマリウム（ＩＩＩ）、イッテルビウム（ＩＩＩ）、ガドリニウム（ＩＩＩ）、バナジウム（ＩＩ）、テルビウム（ＩＩＩ）、ジスプロシウム（ＩＩＩ）、ホルミウム（ＩＩＩ）およびエルビウム（ＩＩＩ）からなる群から選択される金属を含む、請求項２９に記載の診断／検出用免疫コンジュゲート体。
【請求項３４】
前記造影剤が放射線不透過性化合物である、請求項２８に記載の診断／検出用免疫コンジュゲート体。
【請求項３５】
前記放射線不透過性化合物が、ヨウ素化合物、バリウム化合物、ガリウム化合物およびタリウム化合物からなる群から選択される、請求項２３４に記載の診断／検出用免疫コンジュゲート体。
【請求項３６】
手術中または内視鏡的または血管内での腫瘍検出／診断において使用される、請求項２２〜２７に記載の診断／検出用免疫コンジュゲート体。
【請求項３７】
前記治療剤が、放射性核種、ホウ素原子、ガドリニウム原子またはウラン原子、免疫調節因子、サイトカイン、ホルモン、ホルモンアンタゴニスト、酵素、酵素阻害剤、光活性な治療剤、細胞傷害性薬物、毒素、血管形成阻害剤、異なる抗体、およびそれらの組合せからなる群から選択される、請求項２２に記載の治療用免疫コンジュゲート体。
【請求項３８】
前記細胞傷害性薬剤が薬物または毒素である、請求項３７に記載の治療用免疫コンジュゲート体。
【請求項３９】
前記薬物が、細胞分裂阻止剤、アルキル化剤、代謝拮抗剤、血管形成阻害剤、アポトーシス剤、アルカロイド剤、ＣＯＸ−２阻害剤、および抗生物剤、ならびにそれらの組合せからなる群から選択される、請求項３８に記載の治療用免疫コンジュゲート体。
【請求項４０】
前記薬物が、ナイトロジェンマスタード類、エチレンイミン誘導体、アルキルスルホナート、ニトロソウレア類、トリアゼン類、葉酸アナログ、アントラサイクリン類、タキサン類、ＣＯＸ−２阻害剤、ピリミジンアナログ、プリンアナログ、抗生物質、酵素、エピポドフィロトキシン類、白金配位錯体、ビンカアルカロイド、置換ウレア、メチルヒドラジン誘導体、副腎皮質抑制剤、ホルモンアンタゴニスト、酵素阻害剤、エンドスタチン、タキソール類、カンプトテシン類、ドキソルビシン類およびその誘導体、ならびにそれらの組合せからなる群から選択される、請求項３８に記載の治療用免疫コンジュゲート体。
【請求項４１】
前記毒素が、植物毒素および微生物毒素および動物毒素からなる群から選択される、請求項３８に記載の治療用免疫コンジュゲート体。
【請求項４２】
前記毒素が、リシン、アブリン、αトキシン、サポリン、リボヌクレアーゼ（ＲＮａｓｅ）、ＤＮａｓｅＩ、ブドウ球菌のエンドトキシンＡ、アメリカヤマゴボウの抗ウイルス性タンパク質、ゲロニン、ジフテリアトキシン、シュードモナスのエキソトキシン、およびシュードモナスのエンドトキシンからなる群から選択される、請求項４１に記載の治療用免疫コンジュゲート体。
【請求項４３】
前記免疫調節因子が、サイトカイン、幹細胞増殖因子、リンホトキシン、造血性因子、コロニー刺激因子（ＣＳＦ）、インターフェロン（ＩＦＮ）、幹細胞増殖因子、エリスロポイエチン、トロンボポイエチン、抗体、およびそれらの組合せからなる群から選択される、請求項３７に記載の治療用免疫コンジュゲート体。
【請求項４４】
前記リンホトキシが腫瘍壊死因子（ＴＮＦ）であり、前記造血性因子がインターロイキン（ＩＬ）であり、前記コロニー刺激因子が顆粒球−コロニー刺激因子（Ｇ−ＣＳＦ）または顆粒球マクロファージ−コロニー刺激因子（ＧＭ−ＣＳＦ）であり、前記インターフェロンがインターフェロン−αまたはβまたはγであり、前記幹細胞増殖因子が「Ｓ１因子」と称される、請求項４３に記載の治療用免疫コンジュゲート体。
【請求項４５】
前記サイトカインが、ＩＬ−１、ＩＬ−２、ＩＬ−３、ＩＬ−６、ＩＬ−１０、ＩＬ−１２、ＩＬ−１８、インターフェロン−γ、ＴＮＦ−α、およびそれらの組合せからなる群から選択される、請求項４３に記載の治療用免疫コンジュゲート体。
【請求項４６】
前記免疫調節因子が、免疫因子のアゴニストまたはアンタゴニストである抗体である、請求項３７および４０に記載の治療用免疫コンジュゲート体。
【請求項４７】
前記抗体がＣＤ４０に対するものである、請求項４６に記載の治療用免疫コンジュゲート体。
【請求項４８】
前記放射性核種が、オージェ放射体およびβ線放射体およびα線放射体からなる群から選択される、請求項３７に記載の治療用免疫コンジュゲート体。
【請求項４９】
前記放射性核種が、Ｐ−３２、Ｐ−３３、Ｓｃ−４７、Ｆｅ−５９、Ｃｕ−６４、Ｃｕ−６７、Ｓｅ−７５、Ａｓ−７７、Ｓｒ−８９、Ｙ−９０、Ｍｏ−９９、Ｒｈ−１０５、Ｐｄ−１０９、Ａｇ−１１１、Ｉ−１２５、Ｉ−１３１、Ｐｒ−１４２、Ｐｒ−１４３、Ｐｍ−１４９、Ｓｍ−１５３、Ｔｂ−１６１、Ｈｏ−１６６、Ｅｒ−１６９、Ｌｕ−１７７、Ｒｅ−１８６、Ｒｅ−１８８、Ｒｅ−１８９、Ｉｒ−１９４、Ａｕ−１９８、Ａｕ−１９９、Ｐｂ−２１１、Ｐｂ−２１２、およびＢｉ−２１３、Ｃｏ−５８、Ｇａ−６７、Ｂｒ−８０ｍ、Ｔｃ−９９ｍ、Ｒｈ−１０３ｍ、Ｐｔ−１０９、Ｉｎ−１１１、Ｓｂ−１１９、Ｉ−１２５、Ｈｏ−１６１、Ｏｓ−１８９ｍ、Ｉｒ−１９２、Ｄｙ−１５２、Ａｔ−２１１、Ｂｉ−２１２、Ｒａ−２２３、Ｒｎ−２１９、Ｐｏ−２１５、Ｂｉ−２１１、Ａｃ−２２５、Ｆｒ−２２１、Ａｔ−２１７、Ｂｉ−２１３、Ｆｍ−２５５、ならびにそれらの組合せからなる群から選択される、請求項３７に記載の治療用免疫コンジュゲート体。
【請求項５０】
前記ホウ素原子がＢ−１０である、請求項３７に記載の治療用免疫コンジュゲート体。
【請求項５１】
前記ガドリニウム原子がＧｄ−１５７である、請求項３７に記載の治療用免疫コンジュゲート体。
【請求項５２】
前記ウラン原子がＵ−２３５である、請求項３７に記載の治療用免疫コンジュゲート体。
【請求項５３】
前記放射性核種が２０ｋｅＶ〜１０，０００ｋｅＶの間のエネルギーを有する、請求項４８に記載の治療用免疫コンジュゲート体。
【請求項５４】
前記放射性核種がオージェ放射体であり、１０００ｋｅＶ未満のエネルギーを有する、請求項４８に記載の治療用免疫コンジュゲート体。
【請求項５５】
前記放射性核種がβ線放射体であり、２０ｋｅＶ〜５０００ｋｅＶの間のエネルギーを有する、請求項４８に記載の治療用免疫コンジュゲート体。
【請求項５６】
前記放射性核種がα線放射体であり、２０００ｋｅＶ〜１０，０００ｋｅＶの間のエネルギーを有する、請求項４８に記載の治療用免疫コンジュゲート体。
【請求項５７】
前記光活性な治療剤が色素原または色素である、請求項３７に記載の治療用免疫コンジュゲート体。
【請求項５８】
前記診断剤または治療剤が炭水化物部分によって前記ＭＡｂまたはそのフラグメントに結合している、請求項２２に記載の診断用または治療用の免疫コンジュゲート体。
【請求項５９】
ＣＳＡｐ標的抗原に対する親和性を有する１つ以上の抗原結合部位と、ハプテン分子に対する親和性を有する１つ以上のハプテン結合部位とを含む多価かつ多重特異性の抗体またはそのフラグメント。
【請求項６０】
ヒト化されている、請求項５９に記載の抗体またはそのフラグメント。
【請求項６１】
ヒト抗体である、請求項５９に記載の抗体またはそのフラグメント。
【請求項６２】
キメラ化されている、請求項５９に記載の抗体またはそのフラグメント。
【請求項６３】
診断剤または治療剤をさらに含む、請求項５９〜６２に記載の抗体またはそのフラグメント。
【請求項６４】
請求項１〜６３のいずれか一項に記載される前記ＭＡｂまたはそのフラグメントから選択される少なくとも２つの抗ＣＳＡｐ  ＭＡｂまたはそのフラグメントを含む抗体融合タンパク質またはそのフラグメント。
【請求項６５】
請求項１〜６３のいずれか一項に記載される少なくとも１つの第１の抗ＣＳＡｐ  ＭＡｂまたはそのフラグメントと、請求項１〜６３のいずれか一項に記載される該ＭＡｂまたはそのフラグメントとは異なる少なくとも１つの第２のＭＡｂまたはそのフラグメントとを含む抗体融合タンパク質またはそのフラグメント。
【請求項６６】
前記第２のＭＡｂまたはそのフラグメントがＣＤ４０抗体である、請求項６５に記載の抗体融合タンパク質またはそのフラグメント。
【請求項６７】
前記融合タンパク質またはそのフラグメントにコンジュゲート化された診断剤または治療剤をさらに含む、請求項６４または６６に記載の抗体融合タンパク質またはそのフラグメント。
【請求項６８】
前記第２のＭＡｂががん腫関連抗体である、請求項６５に記載の抗体融合タンパク質またはそのフラグメント。
【請求項６９】
前記がん腫関連抗体が、ＣＥＡ、ＥＧＰ−１、ＥＧＰ−２、ＭＵＣ１、ＭＵＣ２、ＭＵＣ３、ＭＵＣ４、ＰＡＭ−４、ＫＣ４、ＴＡＧ−７２、ＥＧＦＲ、ＨＥＲ２／ｎｅｕ、ＢｒＥ３、Ｌｅ−Ｙ、Ａ３、ＫＳ−１およびＶＥＧＦの抗体、他の血管形成抗体、抗壊死抗体、がん遺伝子産物の抗体、および抗体Ａ３３からなる群から選択される、請求項６８に記載の抗体融合タンパク質またはそのフラグメント。
【請求項７０】
前記がん腫関連抗体が、胃腸のがんおよび卵巣のがんからなる群から選択されるがんにおける抗原に結合する、請求項６８に記載の抗体融合タンパク質またはそのフラグメント。
【請求項７１】
被験体における悪性腫瘍を処置する方法であって、請求項１〜２１および５９〜６２のいずれかに記載される抗体またはフラグメントの治療有効量を、薬学的に受容可能なビヒクルに配合して前記被験体に投与する工程を含む方法。
【請求項７２】
被験体における悪性腫瘍を処置する方法であって、請求項２２、３７〜４８および６３のいずれか一項に記載される免疫コンジュゲート体またはそのフラグメントの治療有効量を、薬学的に受容可能なビヒクルに配合して前記被験体に投与する工程を含む方法。
【請求項７３】
被験体における悪性腫瘍を診断／検出する方法であって、請求項１〜２１および５９〜６２のいずれかに記載される抗体またはそのフラグメントの診断有効量を、薬学的に受容可能なビヒクルに配合して前記被験体に投与する工程を含む方法。
【請求項７４】
被験体における悪性腫瘍を診断／検出する方法であって、請求項２２〜３６および６３のいずれかに記載される免疫コンジュゲート体またはそのフラグメントの診断有効量を、薬学的に受容可能なビヒクルに配合して前記被験体に投与する工程を含む方法。
【請求項７５】
被験体における悪性腫瘍を処置または診断／検出する方法であって、請求項６４〜７０のいずれか一項に記載される融合タンパク質またはそのフラグメントの治療有効量または診断有効量を、薬学的に受容可能なビヒクルに配合して前記被験体に投与する工程を含む方法。
【請求項７６】
被験体における悪性腫瘍を処置または診断／検出する方法であって、（ｉ）処置または診断／検出を必要とする被験体に、請求項５９〜６３のいずれか一項に記載される抗体またはそのフラグメントを投与すること、（ｉｉ）結合していないタンパク質の量が被験体の血流から除かれるために十分な時間待つこと、そして（ｉｉｉ）前記抗体の結合部位に結合する、診断剤または治療剤またはその組合せを含むキャリア分子を前記被験体に投与することを含む方法。
【請求項７７】
（ａ）請求項１〜６３のいずれか一項に記載される抗ＣＳＡｐ  ＭＡｂまたはそのフラグメント；
（ｂ）前記ＭＡｂまたはそのフラグメントの少なくとも２つを含む抗体融合タンパク質またはそのフラグメント；
（ｃ）請求項１〜６３のいずれか一項に記載される前記ＭＡｂまたはそのフラグメントを含む少なくとも１つの第１の抗ＣＳＡｐ  ＭＡｂまたはそのフラグメントと、請求項１〜６３のいずれか一項に記載される該ＭＡｂまたはそのフラグメントとは異なる少なくとも１つの第２のＭＡｂまたはそのフラグメントとを含む抗体融合タンパク質またはそのフラグメント；および
（ｄ）請求項１〜６３のいずれか一項に記載される前記ＭＡｂまたはそのフラグメントを含む少なくとも１つの第１のＭＡｂまたはそのフラグメントと、請求項１〜６３のいずれか一項に記載される該ＭＡｂまたはそのフラグメントとは異なる少なくとも１つの第２のＭＡｂまたはそのフラグメントとを含む抗体融合タンパク質またはそのフラグメントで、前記第２のＭＡｂが、ＣＥＡ、ＥＧＰ−１、ＥＧＰ−２、ＭＵＣ−１、ＭＵＣ−２、ＭＵＣ−３、ＭＵＣ−４、ＰＡＭ−４、ＫＣ４、ＴＡＧ−７２、ＥＧＦＲ、ＨＥＲ２／ｎｅｕ、ＢｒＥ３、Ｌｅ−Ｙ、Ａ３、ＫＳ−１、ＣＤ４０およびＶＥＧＦの抗体、および抗体Ａ３３、ならびにそれらの組合せからなる群から選択される、抗体融合タンパク質またはそのフラグメント
からなる群から選択される抗ＣＳＡｐ  ＭＡｂまたはそのフラグメントをコードする核酸を含むＤＮＡ配列。
【請求項７８】
請求項７７に記載されるＤＮＡ配列を含む発現ベクター。
【請求項７９】
請求項７７に記載されるＤＮＡ配列を含む宿主細胞。
【請求項８０】
診断／検出剤または治療剤またはその組合せを標的に送達する方法であって、（ｉ）請求項１７に記載される免疫コンジュゲート体を含む組成物を提供すること、そして（ｉｉ）その必要性のある被験体に前記組成物を投与することを含む方法。
【請求項８１】
前記診断／検出剤が少なくとも光活性な診断剤を含む、請求項８０に記載の送達方法。
【請求項８２】
前記光活性な診断剤が色素原または色素を含む、請求項８１に記載の送達方法。
【請求項８３】
前記診断剤が、２０ｋｅＶ〜２，０００ｋｅＶの間のエネルギーを有する放射性核種である、請求項８０に記載の送達方法。
【請求項８４】
前記放射性核種がγ線放出同位体またはβ線放出同位体または陽電子放出同位体である、請求項８３に記載の送達方法。
【請求項８５】
前記放射性核種が、Ｆ−１８、Ｍｎ−５１、Ｍｎ−５２ｍ、Ｆｅ−５２、Ｃｏ−５５、Ｃｕ−６２、Ｃｕ−６４、Ｇａ−６８、Ａｓ−７２、Ｂｒ−７５、Ｂｒ−７６、Ｒｂ−８２ｍ、Ｓｒ−８３、Ｙ−８６、Ｚｒ−８９、Ｔｃ−９４ｍ、Ｉｎ−１１０、Ｉ−１２０、Ｉ−１２４、Ｃｒ−５１、Ｃｏ−５７、Ｃｏ−５８、Ｆｅ−５９、Ｃｕ−６７、Ｇａ−６７、Ｓｅ−７５、Ｒｕ−９７、Ｔｃ−９９ｍ、Ｉｎ−１１１、Ｉｎ−１１４ｍ、Ｉ−１２３、Ｉ−１２５、Ｉ−１３１、Ｙｂ−１６９、Ｈｇ−１９７およびＴｌ−２０１からなる群から選択される、請求項８３に記載の送達方法。
【請求項８６】
前記診断剤が造影剤である、請求項８０に記載の送達方法。
【請求項８７】
前記造影剤が常磁性イオンである、請求項８６に記載の送達方法。
【請求項８８】
前記造影剤が超音波増強剤である、請求項８６に記載の送達方法。
【請求項８９】
前記造影剤が、Ｘ線写真またはコンピューター断層撮影法において使用される放射線不透過性化合物である、請求項８６に記載の送達方法。
【請求項９０】
前記放射線不透過性化合物が、ヨウ素化合物、バリウム化合物、ガリウム化合物およびタリウム化合物からなる群から選択される、請求項８９に記載の方法。
【請求項９１】
前記放射線不透過性化合物が、バリウム、ジアトリゾアート、エチルヨウ化油、クエン酸ガリウム、イオカルム酸、ヨーセタム酸、ヨーダミド、ヨージパミド、ヨードキサム酸、イオグラミド、イオヘキソール、イオパミドール、イオパノ酸、イオプロセム酸、イオセファム酸、イオセル酸、イオスラミドメグルミン、イオセメト酸、イオタスル、イオテトル酸、イオタラム酸、イオトロクス酸、イオキサグル酸、イオクソトリゾ酸、イポダート、メグルミン、メトリザミド、メトリゾアート、プロピリオドンおよび塩化タリウムからなる群から選択される、請求項７８９に記載の方法。
【請求項９２】
前記超音波増強剤が、ヒト化Ｍｕ−９またはそのフラグメントを含むリポソームである、請求項８８に記載の送達方法。
【請求項９３】
前記リポソームがガス充填型である、請求項９２に記載の送達方法。
【請求項９４】
前記常磁性イオンが、マンガンまたは鉄またはガドリニウムを含む金属である、請求項８７に記載の送達方法。
【請求項９５】
前記治療剤が、放射性核種、免疫調節因子、ホルモン、ホルモンアンタゴニスト、酵素、酵素阻害剤、光活性な治療剤、細胞傷害性薬剤、およびそれらの組合せからなる群から選択される、請求項８０に記載の送達方法。
【請求項９６】
前記細胞傷害性薬剤が薬剤または毒素である、請求項９５に記載の送達方法。
【請求項９７】
前記薬物が、細胞分裂阻止剤、アルキル化剤、代謝拮抗剤、抗血管形成剤、アポトーシス剤、アントラサイクリン剤、アルカロイド剤、ＣＯＸ−２阻害剤および抗生物剤、ならびにそれらの組合せからなる群から選択される、請求項９６に記載の送達方法。
【請求項９８】
前記薬物が、ナイトロジェンマスタード類、エチレンイミン誘導体、アルキルスルホナート、ニトロソウレア類、トリアゼン類、葉酸アナログ、アントラサイクリン類、タキサン類、ＣＯＸ−２阻害剤、ピリミジンアナログ、プリンアナログ、抗生物質、酵素、酵素阻害剤、エピポドフィロトキシン類、白金配位錯体、ビンカアルカロイド、置換ウレア、メチルヒドラジン誘導体、副腎皮質抑制剤、ホルモン、ホルモンアンタゴニスト、エンドスタチン、タキソール類、カンプトテシン類、ドキソルビシン類およびその誘導体、ならびにそれらの組合せからなる群から選択される、請求項９６に記載の送達方法。
【請求項９９】
前記毒素が、植物毒素および微生物毒素および動物毒素からなる群から選択される、請求項９６に記載の方法。
【請求項１００】
前記毒素が、リシン、アブリン、αトキシン、サポリン、リボヌクレアーゼ（ＲＮａｓｅ）、ＤＮａｓｅＩ、ブドウ球菌のエンドトキシンＡ、アメリカヤマゴボウの抗ウイルス性タンパク質、ゲロニン、ジフテリアトキシン、シュードモナスのエキソトキシン、およびシュードモナスのエンドトキシンからなる群から選択される、請求項９６に記載の送達方法。
【請求項１０１】
前記免疫調節因子が、サイトカイン、幹細胞増殖因子、リンホトキシン、造血性因子、コロニー刺激因子（ＣＳＦ）、インターフェロン（ＩＦＮ）、幹細胞増殖因子、エリスロポイエチン、トロンボポイエチン、抗体、およびそれらの組合せからなる群から選択される、請求項９５に記載の送達方法。
【請求項１０２】
抗ＣＤ４０抗体またはそのフラグメントである、請求項１０１に記載の抗体。
【請求項１０３】
前記リンホトキシが腫瘍壊死因子（ＴＮＦ）であり、前記造血性因子がインターロイキン（ＩＬ）であり、前記コロニー刺激因子が顆粒球−コロニー刺激因子（Ｇ−ＣＳＦ）または顆粒球マクロファージ−コロニー刺激因子（ＧＭ−ＣＳＦ）であり、前記インターフェロンがインターフェロン−αまたはβまたはγであり、前記幹細胞増殖因子が「Ｓ１因子」と称される、請求項１０１に記載の送達方法。
【請求項１０４】
前記サイトカインが、ＩＬ−１、ＩＬ−２、ＩＬ−３、ＩＬ−６、ＩＬ−１０、ＩＬ−１２、ＩＬ−１８、インターフェロン−γ、ＴＮＦ−α、およびそれらの組合せからなる群から選択される、請求項１０１に記載の送達方法。
【請求項１０５】
前記放射性核種が、オージェ放射体およびβ線放射体およびα線放射体からなる群から選択される、請求項９５に記載の送達方法。
【請求項１０６】
前記放射性核種が、Ｐ−３２、Ｐ−３３、Ｓｃ−４７、Ｆｅ−５９、Ｃｕ−６４、Ｃｕ−６７、Ｓｅ−７５、Ａｓ−７７、Ｓｒ−８９、Ｙ−９０、Ｍｏ−９９、Ｒｈ−１０５、Ｐｄ−１０９、Ａｇ−１１１、Ｉ−１２５、Ｉ−１３１、Ｐｒ−１４２、Ｐｒ−１４３、Ｐｍ−１４９、Ｓｍ−１５３、Ｔｂ−１６１、Ｈｏ−１６６、Ｅｒ−１６９、Ｌｕ−１７７、Ｒｅ−１８６、Ｒｅ−１８８、Ｒｅ−１８９、Ｉｒ−１９４、Ａｕ−１９８、Ａｕ−１９９、Ｐｂ−２１１、Ｐｂ−２１２、およびＢｉ−２１３、Ｃｏ−５８、Ｇａ−６７、Ｂｒ−８０ｍ、Ｔｃ−９９ｍ、Ｒｈ−１０３ｍ、Ｐｔ−１０９、Ｉｎ−１１１、Ｓｂ−１１９、Ｉ−１２５、Ｈｏ−１６１、Ｏｓ−１８９ｍ、Ｉｒ−１９２、Ｄｙ−１５２、Ａｔ−２１１、Ｂｉ−２１２、Ｒａ−２２３、Ｒｎ−２１９、Ｐｏ−２１５、Ｂｉ−２１１、Ａｃ−２２５、Ｆｒ−２２１、Ａｔ−２１７、Ｂｉ−２１３、Ｆｍ−２５５、ならびにそれらの組合せからなる群から選択される、請求項９５に記載の送達方法。
【請求項１０７】
前記放射性核種が２０ｋｅＶ〜１０，０００ｋｅＶの間のエネルギーを有する、請求項１０５に記載の送達方法。
【請求項１０８】
前記放射性核種がオージェ放射体であり、１０００ｋｅＶ未満のエネルギーを有する、請求項１０５に記載の送達方法。
【請求項１０９】
前記放射性核種がβ線放射体であり、２０ｋｅＶ〜５０００ｋｅＶの間のエネルギーを有する、請求項１０５に記載の送達方法。
【請求項１１０】
前記放射性核種がα線放射体であり、２０００ｋｅＶ〜１０，０００ｋｅＶの間のエネルギーを有する、請求項１０５に記載の送達方法。
【請求項１１１】
前記光活性な治療剤が色素原または色素である、請求項９５に記載の送達方法。
【請求項１１２】
診断／治療剤または治療剤またはその組合せを標的に送達する方法であって、（ｉ）請求項５９〜６３のいずれか一項に記載される抗体またはそのフラグメントを被験体に投与すること、（ｉｉ）結合していないタンパク質の量が被験体の血流から除かれるために十分な時間待つこと、そして（ｉｉｉ）前記抗体の結合部位に結合する、診断／検出剤または治療剤またはその組合せを含むキャリア分子を前記被験体に投与することを含む方法。
【請求項１１３】
前記キャリア分子が、結合しているタンパク質の結合部位の２つ以上に結合する、請求項１１２に記載の方法。
【請求項１１４】
前記診断／検出剤または前記治療剤が、同位体、色素、色素原、造影剤、薬物、毒素、サイトカイン、酵素、酵素阻害剤、ホルモン、ホルモンアンタゴニスト、増殖因子、放射性核種および金属からなる群から選択される、請求項１１２に記載の方法。
【請求項１１５】
被験体における悪性腫瘍を処置する方法であって、抗体またはそのフラグメントの治療有効量、あるいは少なくとも２つのＭＡｂまたはそのフラグメントを含む抗体融合タンパク質またはそのフラグメントの治療有効量を、薬学的に好適な賦形剤に配合して前記被験体に投与する工程を含み、少なくとも１つの抗ＣＳＡｐ  ＭＡｂまたはそのフラグメントあるいは融合タンパク質またはそのフラグメントが請求項１〜７０のいずれか一項に記載される、方法。
【請求項１１６】
被験体における悪性腫瘍を処置する方法であって、請求項１〜７０のいずれか一項から選択される少なくとも２つのＭＡｂまたはそのフラグメントを含む抗体またはそのフラグメントの治療有効量を、薬学的に好適な賦形剤に配合して前記被験体に投与することを含む、方法。
【請求項１１７】
請求項１〜７０のいずれか一項に記載されるものとは異なる第２のＭａｂまたはそのフラグメントをさらに含む、請求項１１５に記載の方法。
【請求項１１８】
前記第２のＭａｂまたはそのフラグメントがむき出し状態の（ｎａｋｅｄ）Ｍａｂまたはそのフラグメントである、請求項１１７に記載の方法。
【請求項１１９】
前記第２のＭＡｂまたはそのフラグメントが、ＢｒＥ３、Ｌｅ−Ｙ、ＥＧＰ−１、ＥＧＰ−２、ＭＵＣ−１、ＭＵＣ−２、ＭＵＣ−３、ＭＵＣ−４、ＰＡＭ−４、ＫＣ４、ＴＡＧ−７２、ＥＧＦＲ、ＨＥＲ２／ｎｅｕ、Ａ３、ＫＳ−１、ＣＥＡ、ＶＥＧＦおよびがん遺伝子産物に対する抗体、抗体Ａ３３、およびＣＤ４０または他の免疫調節因子に対する抗体からなる群から選択される、請求項１１７に記載の方法。
【請求項１２０】
前記第２のＭａｂが治療剤または診断／検出剤に免疫コンジュゲート化されている、請求項１１９に記載の方法。
【請求項１２１】
前記抗ＣＳＡｐ抗体が非経口的に投与される、請求項１１５に記載の方法。
【請求項１２２】
前記抗ＣＳＡｐ抗体が投薬あたり２０ミリグラム〜２０００ミリグラムのタンパク質の投薬量で投与される、請求項１２１に記載の方法。
【請求項１２３】
前記投薬量が反復して投与される、請求項１２１に記載の方法。
【請求項１２４】
前記抗ＣＳＡｐ抗体が、ヒトに近い霊長類の抗ＣＳＡｐ抗体、ネズミのモノクローナル抗ＣＳＡｐ抗体、キメラ抗ＣＳＡｐ抗体、ヒト抗ＣＳＡｐ抗体、およびヒト化抗ＣＳＡｐ抗体からなる群から選択される、請求項１１５に記載の方法。
【請求項１２５】
前記キメラ抗ＣＳＡｐ抗体およびヒト抗ＣＳＡｐ抗体およびヒト化抗ＣＳＡｐ抗体の定常領域およびヒンジ領域がヒトＩｇＧ１の定常領域およびヒンジ領域を含む、請求項１２４に記載の方法。
【請求項１２６】
前記抗ＣＳＡｐ抗体またはそのフラグメントが、前記悪性腫瘍によって発現される第２の腫瘍マーカーと反応し得る第２のコンジュゲート化抗体が前記被験体に投与される前に、またはそのような投与と一緒に、またはそのような投与の後に投与される、請求項１１５に記載の方法。
【請求項１２７】
抗ＣＳＡｐ抗体またはそのフラグメントの第１の結合部位が多価かつ多重特異性の融合タンパク質または化学的なコンジュゲート体に存在し、そして第２の結合部位がＣＳＡｐ以外の腫瘍マーカー物質と反応し得る、請求項１１５に記載の方法。
【請求項１２８】
前記抗ＣＳＡｐ抗体またはそのフラグメントが、少なくとも１つの治療剤または診断／検出剤の前に、または少なくとも１つの治療剤または診断／検出剤と一緒に、または少なくとも１つの治療剤または診断／検出剤の後に投与される、請求項１１５に記載の方法。
【請求項１２９】
前記治療剤または診断／検出剤が、前記悪性腫瘍によって発現される腫瘍マーカーをターゲッティングする抗体にコンジュゲート化されている、請求項１２８に記載の方法。
【請求項１３０】
被験体における悪性腫瘍を診断または検出する方法であって、請求項１〜７０のいずれか一項に記載される抗ＣＳＡｐ  ＭＡｂまたはそのフラグメントあるいは融合タンパク質またはそのフラグメントを含む診断／検出用コンジュゲート体の診断有効量を、薬学的に好適な賦形剤に配合して前記被験体に投与することを含み、前記抗ＣＳＡｐ  ＭＡｂまたはそのフラグメントあるいは融合タンパク質またはそのフラグメントが少なくとも１つの診断／検出剤に結合している、方法。
【請求項１３１】
被験体におけるがん細胞を処置する方法であって、（ｉ）請求項１〜７０のいずれか一項に記載されるむき出し状態の抗ＣＳＡｐ  ＭＡｂまたはそのフラグメントあるいはむき出し状態の抗体融合タンパク質またはそのフラグメントを含む組成物の治療有効量を前記被験体に投与すること、（ｉｉ）前記むき出し状態の抗ＣＳＡｐ  ＭＡｂまたはそのフラグメントあるいはむき出し状態の抗体融合タンパク質またはそのフラグメントを薬学的に好適な賦形剤に配合することを含む、方法。
【請求項１３２】
前記組成物が、請求項１〜２２、５９〜６２および６４〜７０のいずれか一項に記載されるものとは異なる第２のむき出し状態の抗体またはそのフラグメントをさらに含む、請求項１３１に記載の方法。
【請求項１３３】
前記組成物が、請求項１〜２２、５９〜６２および６４〜７０のいずれか一項に記載される第２のむき出し状態の抗体またはそのフラグメントをさらに含む、請求項１３１に記載の方法。
【請求項１３４】
前記組成物が、請求項１〜７０のいずれか一項に記載されるものとは異なる第２の抗体またはそのフラグメントをさらに含む、請求項１３１に記載の方法。
【請求項１３５】
前記第２の抗体またはそのフラグメントが、ＣＥＡ、ＥＧＰ−１、ＥＧＰ−２、ＭＵＣ−１、ＭＵＣ−２、ＭＵＣ−３、ＭＵＣ−４、ＰＡＭ−４、ＫＣ４、ＴＡＧ−７２、ＥＧＦＲ、ＨＥＲ２／ｎｅｕ、ＢｒＥ３、Ｌｅ−Ｙ、Ａ３、ＫＳ−１、ＣＤ４０、ＶＥＧＦおよび他の血管形成因子ならびにがん遺伝子産物に対する抗体、そして抗体Ａ３３からなる群から選択される、請求項１３２に記載の方法。
【請求項１３６】
前記むき出し状態の抗ＣＳＡｐ抗体が非経口的に投与される、請求項１３１に記載の方法。
【請求項１３７】
前記むき出し状態の抗ＣＳＡｐ抗体が投薬あたり２０ミリグラム〜２０００ミリグラムのタンパク質の投薬量で投与される、請求項１３６に記載の方法。
【請求項１３８】
前記投薬量が反復して投与される、請求項１３７に記載の方法。
【請求項１３９】
前記むき出し状態の抗ＣＳＡｐ抗体が、ヒトに近い霊長類の抗ＣＳＡｐ抗体、ネズミのモノクローナル抗ＣＳＡｐ抗体、キメラ抗ＣＳＡｐ抗体、ヒト抗ＣＳＡｐ抗体、およびヒト化抗ＣＳＡｐ抗体からなる群から選択される、請求項１３１に記載の方法。
【請求項１４０】
前記キメラ型むき出し状態の抗ＣＳＡｐ抗体およびヒトのむき出し状態の抗ＣＳＡｐ抗体およびヒト化されたむき出し状態の抗ＣＳＡｐ抗体の定常領域およびヒンジ領域がヒトＩｇＧ１の定常領域およびヒンジ領域を含む、請求項１３９に記載の方法。
【請求項１４１】
前記むき出し状態の抗ＣＳＡｐ抗体が、前記悪性腫瘍によって発現される第２の腫瘍マーカーと反応し得る第２のむき出し状態の抗体が前記被験体に投与される前に、またはそのような投与と一緒に、またはそのような投与の後に投与される、請求項１３１に記載の方法。
【請求項１４２】
前記むき出し状態の抗ＣＳＡｐ抗体が、治療剤または診断／検出剤の前に、または治療剤または診断／検出剤と一緒に、または治療剤または診断／検出剤の後に投与される、請求項１３１に記載の方法。
【請求項１４３】
前記むき出し状態の抗ＣＳＡｐ抗体がむき出し状態のＭｕ−９抗体である、請求項１３１〜１４２のいずれかに記載の方法。
【請求項１４４】
被験体における悪性腫瘍を診断または検出する方法であって、（ｉ）請求項１〜７０のいずれか一項に記載されるむき出し状態の抗ＣＳＡｐ  ＭＡｂまたはそのフラグメントあるいはむき出し状態の抗体融合タンパク質またはそのフラグメントを含む組成物を用いて、前記被験体から得られた試料についてインビトロ診断アッセイを行うことを含む、方法。
【請求項１４５】
前記悪性腫瘍ががん腫である、請求項１４４に記載の方法。
【請求項１４６】
前記がん腫が胃腸のがんである、請求項１４５に記載の方法。
【請求項１４７】
前記がん腫が結腸直腸がんまたは膵臓がんである、請求項１４６に記載の方法。
【請求項１４８】
前記がん腫が卵巣がんである、請求項１４５に記載の方法。
【請求項１４９】
前記インビトロ診断アッセイが、免疫アッセイおよびＲＴ−ＰＣＲおよび免疫組織化学からなる群から選択される、請求項１４４に記載の方法。
【請求項１５０】
前記診断アッセイがＲＴ−ＰＣＲまたは免疫アッセイである、請求項１４９に記載の方法。
【請求項１５１】
前記試料が体液または組織または細胞集団である、請求項１５０に記載の方法。
【請求項１５２】
前記診断アッセイが免疫組織化学または免疫細胞化学である、請求項１４９に記載の方法。
【請求項１５３】
前記試料が細胞アリコートまたは組織である、請求項１５２に記載の方法。
【請求項１５４】
前記被験体が哺乳動物である、請求項７１〜７６および８０〜１５３のいずれか一項に記載の方法。
【請求項１５５】
前記被験体がヒトである、請求項１５４に記載の方法。
【請求項１５６】
前記被験体がペットである、請求項１５４に記載の方法。
【請求項１５７】
前記被験体が、ウマおよびイヌおよびネコからなる群から選択される、請求項１５４に記載の方法。
【請求項１５８】
被験体における疾患組織を処置または同定する方法であって、
（ａ）標的組織と特異的に結合する少なくとも１つのアームと、ターゲッティング可能なコンジュゲート体と特異的に結合する少なくとも１つの他のアームとを有し、標的組織と特異的に結合する前記１つのアームがＭｕ−９抗体である二重特異性の抗体または抗体フラグメントを前記被験体に投与すること；
（ｂ）任意選択的に、クリアリング用組成物を前記被験体に投与し、そして前記組成物により、局在化していない抗体または抗体フラグメントを循環からクリアリングすること；
（ｃ）前記二重特異性の抗体または抗体フラグメントの前記少なくとも１つの他のアームによって認識され得るエピトープを少なくとも１つ含むか、またはそのようなエピトープを少なくとも１つ有するキャリア部分と、１つ以上のコンジュゲート化された治療剤または診断剤とを含む第１のターゲッティング可能なコンジュゲート体を前記被験体に投与すること；そして
（ｄ）前記治療剤が酵素であるときには、前記被験体に、
（１）プロドラッグ（この場合、前記酵素は標的部位において前記プロドラッグを薬物に変換することができる）；または
（２）前記被験体において解毒されて、毒性がより低い中間体を形成し得る薬物（この場合、前記酵素は前記解毒された中間体を毒性形態に再変換することができ、従って、標的部位において前記薬物の毒性を増大させることができる）；または
（３）天然のプロセスによって前記被験体において活性化され、そして毒性がより低い中間体への変換による解毒を受けるプロドラッグ（この場合、前記酵素は前記解毒された中間体を毒性形態に再変換することができ、従って、標的部位において前記薬物の毒性を増大させることができる）；または
（４）前記二重特異性の抗体または抗体フラグメントの前記少なくとも１つの他のアームによって認識され得るエピトープを少なくとも１つ含むか、またはそのようなエピトープを少なくとも１つ有するキャリア部分と、プロドラッグとを含む第２のターゲッティング可能なコンジュゲート体（この場合、前記酵素は標的部位において前記プロドラッグを薬物に変換することができる）；
をさらに投与すること
を含む方法。
【請求項１５９】
前記ターゲッティング可能なコンジュゲート体が少なくとも２つのＨＳＧハプテンを含む、請求項１５８に記載の方法。
【請求項１６０】
前記第１のターゲッティング可能なコンジュゲート体がプロドラッグを含むときには、前記二重特異性の抗体または抗体フラグメントの前記少なくとも１つの他のアームによって認識され得るエピトープを少なくとも１つ含むか、またはそのようなエピトープを少なくとも１つ有するキャリア部分と、前記プロドラッグを薬物に変換することができる酵素、または前記薬物の解毒された中間体を毒性形態に再変換することができる酵素とを含む第２のターゲッティング可能なコンジュゲート体を投与することをさらに含む、請求項１５８に記載の方法。
【請求項１６１】
前記診断／検出剤が放射性核種である、請求項１５８に記載の方法。
【請求項１６２】
前記診断／検出剤が、２０ｋｅＶ〜２，０００ｋｅＶの間のエネルギーを有する放射性核種である、請求項１５８に記載の方法。
【請求項１６３】
前記診断／検出剤が２５ｋｅＶ〜６００ｋｅＶのγ粒子および／または陽電子を放出する、請求項１６１に記載の方法。
【請求項１６４】
前記診断／検出剤が少なくとも１つの光活性な診断剤を含む、請求項１５８に記載の方法。
【請求項１６５】
前記光活性な診断／検出剤が色素原または色素を含む、請求項１６４に記載の方法。
【請求項１６６】
前記診断／検出剤が放射線不透過性化合物である、請求項１５８に記載の方法。
【請求項１６７】
前記放射性核種がγ線放出同位体またはβ線放出同位体または陽電子放出同位体である、請求項１６１に記載の方法。
【請求項１６８】
前記放射性核種が、Ｆ−１８、Ｍｎ−５１、Ｍｎ−５２ｍ、Ｆｅ−５２、Ｃｏ−５５、Ｃｕ−６２、Ｃｕ−６４、Ｇａ−６８、Ａｓ−７２、Ｂｒ−７５、Ｂｒ−７６、Ｒｂ−８２ｍ、Ｓｒ−８３、Ｙ−８６、Ｚｒ−８９、Ｔｃ−９４ｍ、Ｉｎ−１１０、Ｉ−１２０、Ｉ−１２４、Ｃｒ−５１、Ｃｏ−５７、Ｃｏ−５８、Ｆｅ−５９、Ｃｕ−６７、Ｇａ−６７、Ｓｅ−７５、Ｒｕ−９７、Ｔｃ−９９ｍ、Ｉｎ−１１１、Ｉｎ−１１４ｍ、Ｉ−１２３、Ｉ−１２５、Ｉ−１３１、Ｙｂ−１６９、Ｈｇ−１９７およびＴｌ−２０１からなる群から選択される、請求項１６７に記載の方法。
【請求項１６９】
前記診断／検出剤が造影剤である、請求項１５８に記載の方法。
【請求項１７０】
前記造影剤が常磁性イオンである、請求項１６９に記載の方法。
【請求項１７１】
前記放射線不透過性化合物が、ヨウ素化合物、バリウム化合物、ガリウム化合物およびタリウム化合物からなる群から選択される、請求項１６６に記載の方法。
【請求項１７２】
前記放射線不透過性化合物が、バリウム、ジアトリゾアート、エチルヨウ化油、クエン酸ガリウム、イオカルム酸、ヨーセタム酸、ヨーダミド、ヨージパミド、ヨードキサム酸、イオグラミド、イオヘキソール、イオパミドール、イオパノ酸、イオプロセム酸、イオセファム酸、イオセル酸、イオスラミドメグルミン、イオセメト酸、イオタスル、イオテトル酸、イオタラム酸、イオトロクス酸、イオキサグル酸、イオクソトリゾ酸、イポダート、メグルミン、メトリザミド、メトリゾアート、プロピリオドンおよび塩化タリウムからなる群から選択される、請求項１７１に記載の方法。
【請求項１７３】
前記造影剤が超音波増強剤である、請求項１６９に記載の方法。
【請求項１７４】
前記超音波増強剤が、ヒト化Ｍｕ−９抗体またはキメラ化Ｍｕ−９抗体または完全ヒトＭｕ−９抗体またはそれらのフラグメントにコンジュゲート化されているリポソームである、請求項１７３に記載の方法。
【請求項１７５】
前記リポソームがガス充填型である、請求項１７４に記載の方法。
【請求項１７６】
前記常磁性イオンが、マンガンおよび鉄およびガドリニウムからなる群から選択される金属を含む、請求項１７０に記載の方法。
【請求項１７７】
前記治療剤が、放射性核種、ホウ素原子、ガドリニウム原子またはウラン原子、免疫調節因子、ホルモン、ホルモンアンタゴニスト、酵素および酵素阻害剤、光活性な治療剤、細胞傷害性薬剤、血管形成阻害剤、ならびにそれらの組合せからなる群から選択される、請求項１５８に記載の方法。
【請求項１７８】
前記細胞傷害性薬剤が薬剤またはプロドラッグまたは毒素である、請求項１７７に記載の方法。
【請求項１７９】
前記プロドラッグが、エピルビシングルクロニド、ＣＰＴ−１１、エトポシドグルクロニド、ダウノミシングルクロニドおよびドキソルビシングルクロニドからなる群から選択される、請求項１７８に記載の方法。
【請求項１８０】
前記毒素が、植物毒素および動物毒素および微生物毒素からなる群から選択される、請求項１７８に記載の方法。
【請求項１８１】
前記毒素が、リシン、アブリン、リボヌクレアーゼ（ＲＮａｓｅ）、ＤＮａｓｅＩ、ブドウ球菌のエンドトキシンＡ、アメリカヤマゴボウの抗ウイルス性タンパク質、ゲロニン、ジフテリアトキシン、シュードモナスのエキソトキシン、およびシュードモナスのエンドトキシンからなる群から選択される、請求項１７８に記載の方法。
【請求項１８２】
前記薬物が、細胞分裂阻止剤、アルキル化剤、代謝拮抗剤、血管形成阻害剤、アポトーシス剤、アルカロイド剤、ＣＯＸ−２阻害剤、および抗生物剤、ならびにそれらの組合せからなる群から選択される、請求項１７８に記載の方法。
【請求項１８３】
前記薬物が、ナイトロジェンマスタード類、エチレンイミン誘導体、アルキルスルホナート、ニトロソウレア類、トリアゼン類、葉酸アナログ、アントラサイクリン類、タキサン類、ＣＯＸ−２阻害剤、ピリミジンアナログ、プリンアナログ、抗生物質、酵素、エピポドフィロトキシン類、白金配位錯体、ビンカアルカロイド、置換ウレア、メチルヒドラジン誘導体、副腎皮質抑制剤、ホルモン、ホルモンアンタゴニスト、エンドスタチン、タキソール類、カンプトテシン類、ドキソルビシン類およびその誘導体、ならびにそれらの組合せからなる群から選択される、請求項１７８に記載の方法。
【請求項１８４】
前記免疫調節因子が、サイトカイン、幹細胞増殖因子、リンホトキシン、造血性因子、コロニー刺激因子（ＣＳＦ）、インターフェロン（ＩＦＮ）、幹細胞増殖因子、エリスロポイエチン、トロンボポイエチン、免疫調節因子に対する抗体アゴニストおよび抗体アンタゴニスト、ならびにそれらの組合せからなる群から選択される、請求項１７７に記載の方法。
【請求項１８５】
前記リンホトキシが腫瘍壊死因子（ＴＮＦ）であり、前記造血性因子がインターロイキン（ＩＬ）であり、前記コロニー刺激因子が顆粒球−コロニー刺激因子（Ｇ−ＣＳＦ）または顆粒球マクロファージ−コロニー刺激因子（ＧＭ−ＣＳＦ）であり、前記インターフェロンがインターフェロン−αまたはβまたはγであり、前記幹細胞増殖因子が「Ｓ１因子」と称される、請求項１８４に記載の方法。
【請求項１８６】
前記サイトカインが、ＩＬ−１、ＩＬ−２、ＩＬ−３、ＩＬ−６、ＩＬ−１０、ＩＬ−１２、ＩＬ−１８、インターフェロン−γ、ＴＮＦ−α、およびそれらの組合せからなる群から選択される、請求項１８４に記載の方法。
【請求項１８７】
前記放射性核種が、オージェ放射体およびβ線放射体およびα線放射体からなる群から選択される、請求項１７７に記載の方法。
【請求項１８８】
前記放射性核種が、Ｐ−３２、Ｐ−３３、Ｓｃ−４７、Ｆｅ−５９、Ｃｕ−６４、Ｃｕ−６７、Ｓｅ−７５、Ａｓ−７７、Ｓｒ−８９、Ｙ−９０、Ｍｏ−９９、Ｒｈ−１０５、Ｐｄ−１０９、Ａｇ−１１１、Ｉ−１２５、Ｉ−１３１、Ｐｒ−１４２、Ｐｒ−１４３、Ｐｍ−１４９、Ｓｍ−１５３、Ｔｂ−１６１、Ｈｏ−１６６、Ｅｒ−１６９、Ｌｕ−１７７、Ｒｅ−１８６、Ｒｅ−１８８、Ｒｅ−１８９、Ｉｒ−１９４、Ａｕ−１９８、Ａｕ−１９９、Ｐｂ−２１１、Ｐｂ−２１２、およびＢｉ−２１３、Ｃｏ−５８、Ｇａ−６７、Ｂｒ−８０ｍ、Ｔｃ−９９ｍ、Ｒｈ−１０３ｍ、Ｐｔ−１０９、Ｉｎ−１１１、Ｓｂ−１１９、Ｉ−１２５、Ｈｏ−１６１、Ｏｓ−１８９ｍ、Ｉｒ−１９２、Ｄｙ−１５２、Ａｔ−２１１、Ｂｉ−２１２、Ｒａ−２２３、Ｒｎ−２１９、Ｐｏ−２１５、Ｂｉ−２１１、Ａｃ−２２５、Ｆｒ−２２１、Ａｔ−２１７、Ｂｉ−２１３、Ｆｍ−２５５、ならびにそれらの組合せからなる群から選択される、請求項１７７に記載の方法。
【請求項１８９】
前記ホウ素原子がＢ−１０である、請求項１７７に記載の方法。
【請求項１９０】
前記ガドリニウム原子がＧｄ−１５７である、請求項１７７に記載の方法。
【請求項１９１】
前記ウラン原子がＵ−２３５である、請求項１７７に記載の方法。
【請求項１９２】
前記放射性核種が２０ｋｅＶ〜１０，０００ｋｅＶの間のエネルギーを有する、請求項１８７に記載の方法。
【請求項１９３】
前記放射性核種がオージェ放射体であり、１０００ｋｅＶ未満のエネルギーを有する、請求項１８７に記載の方法。
【請求項１９４】
前記放射性核種がβ線放射体であり、２０ｋｅＶ〜５０００ｋｅＶの間のエネルギーを有する、請求項１８７に記載の方法。
【請求項１９５】
前記放射性核種がα線放射体であり、２０００ｋｅＶ〜１０，０００ｋｅＶの間のエネルギーを有する、請求項１８７に記載の方法。
【請求項１９６】
前記ターゲッティング可能なコンジュゲート体が、疾患組織を殺傷するために有用な１つ以上の放射性同位体を含む、請求項１５８に記載の方法。
【請求項１９７】
前記ターゲッティング可能なコンジュゲート体が10Ｂ原子を含み、そして方法が、前記疾患組織に局在化する前記ホウ素原子に放射線照射し、それにより前記疾患組織のＢＮＣＴを行う工程をさらに含む、請求項１８９に記載の方法。
【請求項１９８】
前記ターゲッティング可能なコンジュゲート体が１つ以上の光力学的治療剤を含む、請求項１５８に記載の方法。
【請求項１９９】
前記光力学的治療剤が光増感剤である、請求項１９８に記載の方法。
【請求項２００】
前記光増感剤が、ベンゾポルフィリンモノ酸リングＡ（ＢＰＤ−ＭＡ）、スズエチオプルプリン（ＳｎＥＴ２）、スルホン化アルミニウムフタロシアニン（ＡｌＳＰｃ）およびルテチウムテキサフィリン（Ｌｕｔｅｘ）からなる群から選択される、請求項１９９に記載の方法。
【請求項２０１】
標的組織と特異的に結合する前記少なくとも１つのアームがヒトＭｕ−９抗体またはキメラＭｕ−９抗体またはヒト化Ｍｕ−９抗体あるいはヒトＭｕ−９抗体またはキメラＭｕ−９抗体またはヒト化Ｍｕ−９抗体のフラグメントである、請求項１５８に記載の方法。
【請求項２０２】
ターゲッティング可能なコンジュゲート体と特異的に結合する前記少なくとも１つの他のアームがヒトＭｕ−９抗体またはキメラＭｕ−９抗体またはヒト化Ｍｕ−９抗体あるいはヒトＭｕ−９抗体またはキメラＭｕ−９抗体またはヒト化Ｍｕ−９抗体のフラグメントである、請求項１５８に記載の方法。
【請求項２０３】
前記標的組織が腫瘍である、請求項１５８に記載の方法。
【請求項２０４】
前記腫瘍が結腸特異的抗原−ｐ（ＣＳＡｐ）を産生するか、または結腸特異的抗原−ｐ（ＣＳＡｐ）に関連する、請求項２０３に記載の方法。
【請求項２０５】
前記Ｍｕ−９抗体またはそのフラグメントがＭＡｂ  Ｍｕ−９のＦｖを含む、請求項１５８に記載の方法。
【請求項２０６】
前記二重特異性抗体が融合タンパク質である、請求項１５８に記載の方法。
【請求項２０７】
前記融合タンパク質が三価であり、ＣＳＡｐと反応し得る抗体のＦｖを含む、請求項２０６に記載の方法。
【請求項２０８】
哺乳動物においてＣＳＡｐを発現する腫瘍を検出または処置するための方法であって、
（ａ）標的組織と特異的に結合する少なくとも１つのアームと、ターゲッティング可能なコンジュゲート体と特異的に結合する少なくとも１つの他のアームとを含み、標的組織と特異的に結合する前記１つのアームがＭｕ−９抗体またはそのフラグメントである二重特異性の抗体または抗体フラグメントの有効量を投与すること；そして
（ｂ）下記のコンジュゲート体：
（ｉ）ＤＯＴＡ−Ｐｈｅ−Ｌｙｓ（ＨＳＧ）−Ｄ−Ｔｙｒ−Ｌｙｓ（ＨＳＧ）−ＮＨ2；
（ｉｉ）ＤＯＴＡ−Ｐｈｅ−Ｌｙｓ（ＨＳＧ）−Ｔｙｒ−Ｌｙｓ（ＨＳＧ）−ＮＨ2；
（ｉｉｉ）Ａｃ−Ｌｙｓ（ＨＳＧ）Ｄ−Ｔｙｒ−Ｌｙｓ（ＨＳＧ）−Ｌｙｓ（Ｔｓｃｇ−Ｃｙｓ）−ＮＨ2；
【化１】
2005503768.tif 000044
および
【化２】
2005503768.tif 000045
からなる群から選択されるターゲッティング可能なコンジュゲート体を投与すること
を含む方法。
【請求項２０９】
前記被験体にクリアリング用組成物を投与し、そして前記組成物により、局在化しなかった抗体または抗体フラグメントを循環からクリアリングすることをさらに含む、請求項２０８に記載の方法。
【請求項２１０】
被験体における疾患組織を処置または同定するために有用なキットであって、
（ａ）標的組織と特異的に結合する少なくとも１つのアームと、ターゲッティング可能なコンジュゲート体と特異的に結合する少なくとも１つの他のアームとを有し、標的組織と特異的に結合する前記１つのアームがＭｕ−９抗体またはそのフラグメントである二重特異性の抗体または抗体フラグメント；
（ｂ）前記二重特異性の抗体または抗体フラグメントの前記少なくとも１つの他のアームによって認識され得るエピトープを少なくとも１つ含むか、またはそのようなエピトープを少なくとも１つ有するキャリア部分と、１つ以上のコンジュゲート化された治療剤または診断剤とを含む第１のターゲッティング可能なコンジュゲート体；および
（ｃ）任意選択的に、局在化しなかった抗体および抗体フラグメントを循環からクリアリングするために有用なクリアリング用組成物；そして
（ｄ）任意選択的に、前記第１のターゲッティング可能なコンジュゲート体にコンジュゲート化されている前記治療剤が酵素であるときには、
（１）プロドラッグ（この場合、前記酵素は標的部位において前記プロドラッグを薬物に変換することができる）；または
（２）前記被験体において解毒されて、毒性がより低い中間体を形成し得る薬物（この場合、前記酵素は前記解毒された中間体を毒性形態に再変換することができ、従って、標的部位において前記薬物の毒性を増大させることができる）；または
（３）天然のプロセスによって前記被験体において活性化され、そして毒性がより低い中間体への変換による解毒を受けるプロドラッグ（この場合、前記酵素は前記解毒された中間体を毒性形態に再変換することができ、従って、標的部位において前記薬物の毒性を増大させることができる）；または
（４）前記二重特異性の抗体または抗体フラグメントの前記少なくとも１つの他のアームによって認識され得るエピトープを少なくとも１つ含むか、またはそのようなエピトープを少なくとも１つ有するキャリア部分と、プロドラッグとを含む第２のターゲッティング可能なコンジュゲート体（この場合、前記酵素は標的部位において前記プロドラッグを薬物に変換することができる）；
を含むキット。
【請求項２１１】
前記ターゲッティング可能なコンジュゲート体が、下記のコンジュゲート体：
（ｉ）ＤＯＴＡ−Ｐｈｅ−Ｌｙｓ（ＨＳＧ）−Ｄ−Ｔｙｒ−Ｌｙｓ（ＨＳＧ）−ＮＨ2；
（ｉｉ）ＤＯＴＡ−Ｐｈｅ−Ｌｙｓ（ＨＳＧ）−Ｔｙｒ−Ｌｙｓ（ＨＳＧ）−ＮＨ2；
（ｉｉｉ）Ａｃ−Ｌｙｓ（ＨＳＧ）Ｄ−Ｔｙｒ−Ｌｙｓ（ＨＳＧ）−Ｌｙｓ（Ｔｓｃｇ−Ｃｙｓ）−ＮＨ2；
【化３】
2005503768.tif 000046
および
【化４】
2005503768.tif 000047
からなる群から選択される、請求項２１０に記載のキット。
【請求項２１２】
ターゲッティング可能なコンジュゲート体についてスクリーニングする方法であって、
（ａ）前記ターゲッティング可能な構築物を、標的組織と特異的に結合する少なくとも１つのアーム、および前記ターゲッティング可能なコンジュゲート体と特異的に結合する少なくとも１つの他のアームを有し、標的組織と特異的に結合する前記１つのアームがＭｕ−９抗体またはそのフラグメントである二重特異性の抗体または抗体フラグメントと接触させて、混合物を得ること；
（ｂ）任意選択的に、前記混合物をインキュベーションすること；そして
（ｃ）前記混合物を分析すること
を含む方法。
【請求項２１３】
ＣＳＡｐを発現している哺乳動物内の悪性の組織または細胞を画像化するための方法であって、
（ａ）標的組織と特異的に結合する少なくとも１つのアームと、ターゲッティング可能なコンジュゲート体と特異的に結合する少なくとも１つの他のアームとを含み、標的組織と特異的に結合する前記１つのアームがＭｕ−９抗体またはそのフラグメントである二重特異性の抗体または抗体フラグメントの有効量を投与すること；そして
（ｂ）下記のコンジュゲート体：
（ｉ）ＤＯＴＡ−Ｐｈｅ−Ｌｙｓ（ＨＳＧ）−Ｄ−Ｔｙｒ−Ｌｙｓ（ＨＳＧ）−ＮＨ2；
（ｉｉ）ＤＯＴＡ−Ｐｈｅ−Ｌｙｓ（ＨＳＧ）−Ｔｙｒ−Ｌｙｓ（ＨＳＧ）−ＮＨ2；
（ｉｉｉ）Ａｃ−Ｌｙｓ（ＨＳＧ）Ｄ−Ｔｙｒ−Ｌｙｓ（ＨＳＧ）−Ｌｙｓ（Ｔｓｃｇ−Ｃｙｓ）−ＮＨ2；
【化５】
2005503768.tif 000048
および
【化６】
2005503768.tif 000049
からなる群から選択されるターゲッティング可能なコンジュゲート体を投与すること
を含む方法。
【請求項２１４】
被験体においてＣＳＡｐを発現している疾患組織を手術中に同定／明示する方法であって、
（ａ）ＣＳＡｐを発現している標的組織と特異的に結合する少なくとも１つのアームと、ターゲッティング可能なコンジュゲート体と特異的に結合する少なくとも１つの他のアームとを含み、標的組織と特異的に結合する前記１つのアームがＭｕ−９抗体またはそのフラグメントである二重特異性の抗体または抗体フラグメントの有効量を投与すること；そして
（ｂ）下記のコンジュゲート体：
（ｉ）ＤＯＴＡ−Ｐｈｅ−Ｌｙｓ（ＨＳＧ）−Ｄ−Ｔｙｒ−Ｌｙｓ（ＨＳＧ）−ＮＨ2；
（ｉｉ）ＤＯＴＡ−Ｐｈｅ−Ｌｙｓ（ＨＳＧ）−Ｔｙｒ−Ｌｙｓ（ＨＳＧ）−ＮＨ2；
（ｉｉｉ）Ａｃ−Ｌｙｓ（ＨＳＧ）Ｄ−Ｔｙｒ−Ｌｙｓ（ＨＳＧ）−Ｌｙｓ（Ｔｓｃｇ−Ｃｙｓ）−ＮＨ2；
【化７】
2005503768.tif 000050
および
【化８】
2005503768.tif 000051
からなる群から選択されるターゲッティング可能なコンジュゲート体を投与すること
を含む方法。
【請求項２１５】
被験体においてＣＳＡｐを発現している疾患組織を内視鏡により同定するための方法であって、
（ａ）ＣＳＡｐを発現している標的組織と特異的に結合する少なくとも１つのアームと、ターゲッティング可能なコンジュゲート体と特異的に結合する少なくとも１つの他のアームとを含み、標的組織と特異的に結合する前記１つのアームがＭｕ−９抗体またはそのフラグメントである二重特異性の抗体または抗体フラグメントの有効量を投与すること；そして
（ｂ）下記のコンジュゲート体：
（ｉ）ＤＯＴＡ−Ｐｈｅ−Ｌｙｓ（ＨＳＧ）−Ｄ−Ｔｙｒ−Ｌｙｓ（ＨＳＧ）−ＮＨ2；
（ｉｉ）ＤＯＴＡ−Ｐｈｅ−Ｌｙｓ（ＨＳＧ）−Ｔｙｒ−Ｌｙｓ（ＨＳＧ）−ＮＨ2；
（ｉｉｉ）Ａｃ−Ｌｙｓ（ＨＳＧ）Ｄ−Ｔｙｒ−Ｌｙｓ（ＨＳＧ）−Ｌｙｓ（Ｔｓｃｇ−Ｃｙｓ）−ＮＨ2；
【化９】
2005503768.tif 000052
および
【化１０】
2005503768.tif 000053
からなる群から選択されるターゲッティング可能なコンジュゲート体を投与すること
を含む方法。
【請求項２１６】
被験体においてＣＳＡｐを発現している疾患組織を血管内で同定するための方法であって、
（ａ）ＣＳＡｐを発現している標的組織と特異的に結合する少なくとも１つのアームと、ターゲッティング可能なコンジュゲート体と特異的に結合する少なくとも１つの他のアームとを含み、標的組織と特異的に結合する前記１つのアームがＭｕ−９抗体またはそのフラグメントである二重特異性の抗体または抗体フラグメントの有効量を投与すること；そして
（ｂ）下記のコンジュゲート体：
（ｉ）ＤＯＴＡ−Ｐｈｅ−Ｌｙｓ（ＨＳＧ）−Ｄ−Ｔｙｒ−Ｌｙｓ（ＨＳＧ）−ＮＨ2；
（ｉｉ）ＤＯＴＡ−Ｐｈｅ−Ｌｙｓ（ＨＳＧ）−Ｔｙｒ−Ｌｙｓ（ＨＳＧ）−ＮＨ2；
（ｉｉｉ）Ａｃ−Ｌｙｓ（ＨＳＧ）Ｄ−Ｔｙｒ−Ｌｙｓ（ＨＳＧ）−Ｌｙｓ（Ｔｓｃｇ−Ｃｙｓ）−ＮＨ2；
【化１１】
2005503768.tif 000054
および
【化１２】
2005503768.tif 000055
からなる群から選択されるターゲッティング可能なコンジュゲート体を投与すること
を含む方法。
【請求項２１７】
内視鏡手法、腹腔鏡手法、血管内カテーテル手法または手術手法のときに病巣部を検出する方法であって、前記方法は、
（ａ）ＣＳＡｐ抗原に特異的に結合する第１の抗体結合部位と、ハプテンに特異的に結合する第２の抗体結合部位とを有する二重特異性抗体のＦ（ａｂ）2フラグメントまたはＦ（ａｂ’）2フラグメントを、そのような手法を受けることになっている被験体に注射して、抗体フラグメントを標的部位に蓄積させること；
（ｂ）任意選択的に、二重特異性フラグメントの大部分が注射後約２４時間以内に循環からクリアリングされないならば、ガラクトシル化された抗イディオタイプクリアリング剤を使用して、ターゲッティングされなかった抗体フラグメントをクリアリングし、そして標的部位において迅速に局在化し、かつ腎臓を介してクリアリングされる二価の標識されたハプテンを注射すること；
（ｃ）最初の注射の４８時間以内に、検出手段を用いて、標的部位における蓄積した標識の上昇したレベルを近接範囲検出することによってハプテンの存在を検出し、そして前記手法を行うこと（この場合、前記検出は、造影剤または消去剤が使用されることなく行われる）
を含む方法。
【請求項２１８】
前記ハプテンが診断用放射性同位体またはＭＲＩ画像増強剤または蛍光標識で標識される、請求項２１７に記載の方法。
【請求項２１９】
手術手法、血管内手法、腹腔鏡手法または内視鏡手法のときに病巣部を近接範囲検出するための方法であって、前記方法は、
（ａ）そのような手法に対する被験体に、Ｍｕ−９免疫コンジュゲート体またはそのフラグメントの有効量を非経口的に注射すること；
（ｂ）注射の４８時間以内に手法を行うこと；
（ｃ）前記標識された抗体またはそのフラグメントの存在を検出するための検出手段を用いて近接範囲で被験体の到達内部を走査すること；および
（ｄ）該検出手段を用いて、そのような部位における前記標識された抗体またはそのフラグメントの上昇したレベルを検出することによって、前記標識された抗体またはそのフラグメントの蓄積部位を突き止めること
を含む方法。
【請求項２２０】
前記Ｍｕ−９免疫コンジュゲート体またはそのフラグメントが、２０ｋｅＶ〜１，０００ｋｅＶのエネルギーで放射線を発する放射性同位体を含む、請求項２１９に記載の方法。
【請求項２２１】
前記放射性同位体が、テクネチウム−９９ｍ、ヨウ素−１２５、ヨウ素−１３１、ヨウ素−１２３、インジウム−１１１、フッ素−１８、ガリウム−６８およびガリウム−６７からなる群から選択される、請求項２２０に記載の方法。
【請求項２２２】
Ｍｕ−９免疫コンジュゲート体またはそのフラグメントが非同位体薬剤を含む、請求項２１９に記載の方法。
【請求項２２３】
前記非同位体薬剤が光活性な薬剤である、請求項２２２に記載の方法。
【請求項２２４】
前記光活性な薬剤が蛍光性薬剤、ＩＭＭ１６０オリジナルズである、請求項２２２に記載の方法。
【請求項２２５】
被験体における疾患組織を処置または同定する方法であって、
（ａ）標的組織と特異的に結合する少なくとも１つのアームと、少なくとも２つのＨＳＧハプテンを含むターゲッティング可能なコンジュゲート体と特異的に結合する少なくとも１つの他のアームとを含む二重特異性の抗体または抗体フラグメントを前記被験体に投与すること；
（ｂ）任意選択的に、前記被験体にクリアリング用組成物を投与し、そして前記組成物により、局在化しなかった抗体または抗体フラグメントを循環からクリアリングすること；
（ｃ）少なくとも２つのＨＳＧハプテンを含むか、または少なくとも２つのＨＳＧハプテンを有するキャリア部分を含み、かつ診断剤もしくは治療剤および／または１つ以上のキレート化もしくは化学結合した治療剤もしくは診断剤もしくは酵素を含み得るターゲッティング可能なコンジュゲート体を前記被験体に投与すること；そして
（ｄ）前記ターゲッティング可能なコンジュゲート体が酵素を含むときには、前記被験体に、
（１）プロドラッグ（この場合、前記酵素は標的部位において前記プロドラッグを薬物に変換することができる）；または
（２）前記被験体において解毒されて、毒性がより低い中間体を形成し得る薬物（この場合、前記酵素は前記解毒された中間体を毒性形態に再変換することができ、従って、標的部位において前記薬物の毒性を増大させることができる）；または
（３）天然のプロセスによって前記被験体において活性化され、そして毒性がより低い中間体への変換による解毒を受けるプロドラッグ（この場合、前記酵素は前記解毒された中間体を毒性形態に再変換することができ、従って、標的部位において前記薬物の毒性を増大させることができる）
を投与すること
を含む方法。
【請求項２２６】
前記診断剤が２５ｋｅＶ〜６００ｋｅＶのγ粒子および／または陽電子を放出する、請求項２２５に記載の方法。
【請求項２２７】
前記治療剤が薬物またはプロドラッグまたは毒素である、請求項２２５に記載の方法。
【請求項２２８】
前記プロドラッグが、エピルビシングルクロニド、ＣＰＴ−１１、エトポシドグルクロニド、ダウノミシングルクロニドおよびドキソルビシングルクロニドからなる群から選択される、請求項２２７に記載の方法。
【請求項２２９】
前記毒素が、リシン、アブリン、リボヌクレアーゼ、ＤＮａｓｅＩ、ブドウ球菌のエンドトキシンＡ、アメリカヤマゴボウの抗ウイルス性タンパク質、ゲロニン、ジフテリアトキシン、シュードモナスのエキソトキシン、およびシュードモナスのエンドトキシンからなる群から選択される、請求項２２７に記載の方法。
【請求項２３０】
治療用核種をさらに含む、請求項２２５に記載の方法。
【請求項２３１】
前記治療用核種が、32Ｐ、33Ｐ、47Ｓｃ、64Ｃｕ、67Ｃｕ、67Ｇａ、90Ｙ、111Ａｇ、111Ｉｎ、125Ｉ、131Ｉ、142Ｐｒ、153Ｓｍ、161Ｔｂ、166Ｄｙ、166Ｈｏ、177Ｌｕ、186Ｒｅ、188Ｒｅ、189Ｒｅ、212Ｐｂ、212Ｂｉ、213Ｂｉ、211Ａｔ、223Ｒａおよび225Ａｃからなる群から選択される、請求項２３０に記載の方法。
【請求項２３２】
前記診断剤が、18Ｆ、52Ｆｅ、62Ｃｕ、64Ｃｕ、67Ｃｕ、67Ｇａ、68Ｇａ、86Ｙ、89Ｚｒ、94mＴｃ、94Ｔｃ、99mＴｃ、111Ｉｎ、123Ｉ、124Ｉ、125Ｉおよび131Ｉからなる群から選択される、請求項２２６に記載の方法。
【請求項２３３】
前記ターゲッティング可能なコンジュゲート体が、疾患組織を殺傷するために有用な１つ以上の放射性同位体を含む、請求項２２５に記載の方法。
【請求項２３４】
前記ターゲッティング可能なコンジュゲート体が10Ｂ原子を含み、そして方法が、前記疾患組織に局在化する前記ホウ素原子に放射線照射し、それにより前記疾患組織のＢＮＣＴを行う工程をさらに含む、請求項２２５に記載の方法。
【請求項２３５】
前記ターゲッティング可能なコンジュゲート体が１つ以上の毒素を含む、請求項２２５に記載の方法。
【請求項２３６】
前記毒素が、リシン、アブリン、リボヌクレアーゼ、ＤＮａｓｅＩ、ブドウ球菌のエンドトキシンＡ、アメリカヤマゴボウの抗ウイルス性タンパク質、ゲロニン、ジフテリアトキシン、シュードモナスのエキソトキシン、およびシュードモナスのエンドトキシンからなる群から選択される、請求項２３５に記載の方法。
【請求項２３７】
前記ターゲッティング可能なコンジュゲート体が１つ以上の薬物を含む、請求項２２５に記載の方法。
【請求項２３８】
前記ターゲッティング可能なコンジュゲート体が１つ以上のプロドラッグを含む、請求項２２５に記載の方法。
【請求項２３９】
前記プロドラッグが、エピルビシングルクロニド、ＣＰＴ−１１、エトポシドグルクロニド、ダウノミシングルクロニドおよびドキソルビシングルクロニドからなる群から選択される、請求項２３８に記載の方法。
【請求項２４０】
前記ターゲッティング可能なコンジュゲート体が、疾患組織を検出するために有用な１つ以上の診断剤を含む、請求項２２５に記載の方法。
【請求項２４１】
前記診断剤が、118Ｆ、52Ｆｅ、62Ｃｕ、64Ｃｕ、67Ｃｕ、67Ｇａ、68Ｇａ、86Ｙ、89Ｚｒ、94mＴｃ、94Ｔｃ、99mＴｃ、111Ｉｎ、123Ｉ、124Ｉ、125Ｉおよび131Ｉからなる群から選択される、請求項２４０に記載の方法。
【請求項２４２】
前記放射性同位体が、陽電子放射断層撮影法（ＰＥＴ）を行うために使用される、請求項２４０に記載の方法。
【請求項２４３】
前記ターゲッティング可能なコンジュゲート体が、磁気共鳴画像化（ＭＲＩ）において使用される１つ以上の画像増強剤を含む、請求項２２５に記載の方法。
【請求項２４４】
前記増強剤が、ＭｎおよびＦｅおよびＧｄからなる群から選択される、請求項２４３に記載の方法。
【請求項２４５】
前記ターゲッティング可能なコンジュゲート体が１つ以上の光力学的治療剤を含む、請求項２２５に記載の方法。
【請求項２４６】
前記光力学的治療剤が光増感剤である、請求項２４５に記載の方法。
【請求項２４７】
前記光増感剤が、ベンゾポルフィリンモノ酸リングＡ（ＢＰＤ−ＭＡ）、スズエチオプルプリン（ＳｎＥＴ２）、スルホン化アルミニウムフタロシアニン（ＡｌＳＰｃ）およびルテチウムテキサフィリン（Ｌｕｔｅｘ）からなる群から選択される、請求項２４６に記載の方法。
【請求項２４８】
標的組織と特異的に結合する前記少なくとも１つのアームがモノクローナル抗体またはモノクローナル抗体のフラグメントである、請求項２２５に記載の方法。
【請求項２４９】
ターゲッティング可能なコンジュゲート体と特異的に結合する前記少なくとも１つの他のアームがモノクローナル抗体またはモノクローナル抗体のフラグメントである、請求項２２５に記載の方法。
【請求項２５０】
標的組織と特異的に結合する前記少なくとも１つのアームがヒト抗体またはキメラ抗体またはヒト化抗体あるいはヒト抗体またはキメラ抗体またはヒト化抗体のフラグメントである、請求項２２５に記載の方法。
【請求項２５１】
ターゲッティング可能なコンジュゲート体と特異的に結合する前記少なくとも１つの他のアームがヒト抗体またはキメラ抗体またはヒト化抗体あるいはヒト抗体またはキメラ抗体またはヒト化抗体のフラグメントである、請求項２２５に記載の方法。
【請求項２５２】
前記二重特異性の抗体または抗体フラグメントが治療用核種をさらに含む、請求項２２５に記載の方法。
【請求項２５３】
前記治療用放射性核種が、32Ｐ、33Ｐ、47Ｓｃ、64Ｃｕ、67Ｃｕ、67Ｇａ、90Ｙ、111Ａｇ、111Ｉｎ、125Ｉ、131Ｉ、142Ｐｒ、153Ｓｍ、161Ｔｂ、166Ｄｙ、166Ｈｏ、177Ｌｕ、186Ｒｅ、188Ｒｅ、189Ｒｅ、212Ｐｂ、212Ｂｉ、213Ｂｉ、211Ａｔ、223Ｒａおよび225Ａｃからなる群から選択される、請求項２５２に記載の方法。
【請求項２５４】
前記ターゲッティング可能なコンジュゲート体が、ドキソルビシン、ＳＮ−３８、エトポシド、メトトレキサート、６−メルカプトプリンまたはリン酸エトポシドを含む、請求項２２５に記載の方法。
【請求項２５５】
前記標的組織が腫瘍である、請求項２２５に記載の方法。
【請求項２５６】
前記腫瘍が結腸特異的抗原−ｐ（ＣＳＡｐ）を産生するか、または結腸特異的抗原−ｐ（ＣＳＡｐ）に関連する、請求項２５５に記載の方法。
【請求項２５７】
前記二重特異性抗体がＭＡｂ  Ｍｕ９のＦｖおよびＭＡｂ６７９のＦｖを含む、請求項２５６に記載の方法。
【請求項２５８】
Ｍｕ９および／または６７９がキメラ化またはヒト化されている、請求項２５７に記載の方法。
【請求項２５９】
Ｍｕ９および／または６７９がヒトＭｕ９およびヒト６７９である、請求項２５７に記載の方法。
【請求項２６０】
前記二重特異性抗体がＭｕ９のＣＤＲの１つ以上を含む、請求項２５７に記載の方法。
【請求項２６１】
前記二重特異性抗体が６７９のＣＤＲの１つ以上を含む、請求項２５７に記載の方法。
【請求項２６２】
前記二重特異性抗体が融合タンパク質である、請求項２５５に記載の方法。
【請求項２６３】
前記腫瘍ががん胎児性抗原（ＣＥＡ）を産生する、請求項２５５に記載の方法。
【請求項２６４】
前記二重特異性抗体がＭＡｂ  ＭＮ１４のＦｖおよびＭＡｂ６７９のＦｖを含む、請求項２６３に記載の方法。
【請求項２６５】
ＭＮ１４および／または６７９がキメラ化またはヒト化されている、請求項２６４に記載の方法。
【請求項２６６】
ＭＮ１４および／または６７９がヒトＭＮ１４およびヒト６７９である、請求項２６４に記載の方法。
【請求項２６７】
前記二重特異性抗体がＭＮ１４のＣＤＲの１つ以上を含む、請求項２６４に記載の方法。
【請求項２６８】
前記二重特異性抗体が６７９のＣＤＲの１つ以上を含む、請求項２６４に記載の方法。
【請求項２６９】
前記二重特異性抗体が融合タンパク質である、請求項２６４に記載の方法。
【請求項２７０】
前記融合タンパク質が三価であり、ＣＳＡｐと反応し得る抗体のＦｖを含む、請求項２６９に記載の方法。
【請求項２７１】
前記二重特異性抗体がクラスＩＩＩ抗ＣＥＡ抗体と６７９のＦｖとを含む、請求項２６３に記載の方法。
【請求項２７２】
哺乳動物における標的細胞または標的組織または標的病原体を検出または処置するための方法であって、
標的組織と特異的に結合する少なくとも１つのアームと、ターゲッティング可能なコンジュゲート体と特異的に結合する少なくとも１つの他のアームとを含む二重特異性の抗体または抗体フラグメントの有効量を投与すること；
この場合、前記少なくとも１つのアームが、標的細胞または標的組織または標的病原体における相補的な結合性成分に、あるいは標的細胞または標的組織または標的病原体によって産生される分子またはそれらに関連する分子における相補的な結合性成分に結合することができる；そして
下記のコンジュゲート体：
（ａ）ＤＯＴＡ−Ｐｈｅ−Ｌｙｓ（ＨＳＧ）−Ｄ−Ｔｙｒ−Ｌｙｓ（ＨＳＧ）−ＮＨ2；
（ｂ）ＤＯＴＡ−Ｐｈｅ−Ｌｙｓ（ＨＳＧ）−Ｔｙｒ−Ｌｙｓ（ＨＳＧ）−ＮＨ2；
（ｃ）Ａｃ−Ｌｙｓ（ＨＳＧ）Ｄ−Ｔｙｒ−Ｌｙｓ（ＨＳＧ）−Ｌｙｓ（Ｔｓｃｇ−Ｃｙｓ）−ＮＨ2；
【化１３】
2005503768.tif 000056
および
【化１４】
2005503768.tif 000057
からなる群から選択されるターゲッティング可能なコンジュゲート体を投与すること
を含む方法。
【請求項２７３】
前記病原体が、菌類、ウイルス、寄生虫または細菌である、請求項２７２に記載の方法。
【請求項２７４】
前記ウイルスが、ヒト免疫不全症ウイルス（ＨＩＶ）、ヘルペスウイルス、サイトメガロウイルス、狂犬病ウイルス、インフルエンザウイルス、Ｂ型肝炎ウイルス、センダイウイルス、ネコ白血病ウイルス、レオウイルス、ポリオウイルス、ヒト血清パルボ様ウイルス、シミアンウイルス４０、呼吸器合胞体ウイルス、マウス乳腫瘍ウイルス、水痘帯状疱疹ウイルス、デングウイルス、風疹ウイルス、麻疹ウイルス、アデノウイルス、ヒトＴ細胞白血病ウイルス、エプスタイン−バールウイルス、マウス白血病ウイルス、ムンプスウイルス、水疱性口内炎ウイルス、シンドビスウイルス、リンパ球性脈絡髄膜炎ウイルス、イボウイルスおよびブルータングウイルスからなる群から選択される、請求項２７３に記載の方法。
【請求項２７５】
前記細菌が、ストレプトコッカス・アガラクチアエ、レジオネラ・ニューモフィリア、化膿連鎖球菌、大腸菌、淋菌、髄膜炎菌、肺炎球菌、Ｂ型インフルエンザ菌、梅毒トレポネーマ、ライム病スピロヘータ、緑膿菌、らい菌、ウシ流産菌、結核菌および破傷風毒素からなる群から選択される、請求項２７３に記載の方法。
【請求項２７６】
被験体における疾患組織を処置または同定する方法であって、
標的組織と特異的に結合する少なくとも１つのアームと、ターゲッティング可能なコンジュゲート体と特異的に結合する少なくとも１つの他のアームとを有する二重特異性の抗体または抗体フラグメントを前記被験体に投与すること；
任意選択的に、前記被験体にクリアリング用組成物を投与し、そして前記組成物により、局在化しなかった抗体または抗体フラグメントを循環からクリアリングすること；そして
下記のコンジュゲート体：
（ａ）ＤＯＴＡ−Ｐｈｅ−Ｌｙｓ（ＨＳＧ）−Ｄ−Ｔｙｒ−Ｌｙｓ（ＨＳＧ）−ＮＨ2；
（ｂ）ＤＯＴＡ−Ｐｈｅ−Ｌｙｓ（ＨＳＧ）−Ｔｙｒ−Ｌｙｓ（ＨＳＧ）−ＮＨ2；
（ｃ）Ａｃ−Ｌｙｓ（ＨＳＧ）Ｄ−Ｔｙｒ−Ｌｙｓ（ＨＳＧ）−Ｌｙｓ（Ｔｓｃｇ−Ｃｙｓ）−ＮＨ2；
【化１５】
2005503768.tif 000058
および
【化１６】
2005503768.tif 000059
からなる群から選択されるターゲッティング可能なコンジュゲート体を前記被験体に投与すること
を含む方法。
【請求項２７７】
被験体における疾患組織を処置または同定するために有用なキットであって、
（ａ）標的組織と特異的に結合する少なくとも１つのアームと、ターゲッティング可能なコンジュゲート体と特異的に結合する少なくとも１つの他のアームとを有する二重特異性の抗体または抗体フラグメントで、前記コンジュゲート体が、下記のコンジュゲート体：
（ａ）ＤＯＴＡ−Ｐｈｅ−Ｌｙｓ（ＨＳＧ）−Ｄ−Ｔｙｒ−Ｌｙｓ（ＨＳＧ）−ＮＨ2；
（ｂ）ＤＯＴＡ−Ｐｈｅ−Ｌｙｓ（ＨＳＧ）−Ｔｙｒ−Ｌｙｓ（ＨＳＧ）−ＮＨ2；
（ｃ）Ａｃ−Ｌｙｓ（ＨＳＧ）Ｄ−Ｔｙｒ−Ｌｙｓ（ＨＳＧ）−Ｌｙｓ（Ｔｓｃｇ−Ｃｙｓ）−ＮＨ2；
【化１７】
2005503768.tif 000060
および
【化１８】
2005503768.tif 000061
からなる群から選択される、二重特異性の抗体または抗体フラグメント；
（ｂ）前記二重特異性の抗体または抗体フラグメントの前記少なくとも１つの他のアームによって認識され得るエピトープを少なくとも１つ含むか、またはそのようなエピトープを少なくとも１つ有するキャリア部分と、１つ以上のコンジュゲート化された治療剤または診断剤または酵素とを含むターゲッティング可能なコンジュゲート体；および
（ｃ）任意選択的に、局在化しなかった抗体または抗体フラグメントを循環からクリアリングするために有用なクリアリング用組成物；そして
（ｄ）任意選択的に、前記第１のターゲッティング可能なコンジュゲート体が酵素を含むときには、
（１）プロドラッグ（この場合、前記酵素は標的部位において前記プロドラッグを薬物に変換することができる）；または
（２）前記被験体において解毒されて、毒性がより低い中間体を形成し得る薬物（この場合、前記酵素は前記解毒された中間体を毒性形態に再変換することができ、従って、標的部位において前記薬物の毒性を増大させることができる）；または
（３）天然のプロセスによって前記被験体において活性化され、そして毒性がより低い中間体への変換による解毒を受けるプロドラッグ（この場合、前記酵素は前記解毒された中間体を毒性形態に再変換することができ、従って、標的部位において前記薬物の毒性を増大させることができる）
を含むキット。
【請求項２７８】
下記のコンジュゲート体：
（ａ）ＤＯＴＡ−Ｐｈｅ−Ｌｙｓ（ＨＳＧ）−Ｄ−Ｔｙｒ−Ｌｙｓ（ＨＳＧ）−ＮＨ2；
（ｂ）ＤＯＴＡ−Ｐｈｅ−Ｌｙｓ（ＨＳＧ）−Ｔｙｒ−Ｌｙｓ（ＨＳＧ）−ＮＨ2；
（ｃ）Ａｃ−Ｌｙｓ（ＨＳＧ）Ｄ−Ｔｙｒ−Ｌｙｓ（ＨＳＧ）−Ｌｙｓ（Ｔｓｃｇ−Ｃｙｓ）−ＮＨ2；
【化１９】
2005503768.tif 000062
および
【化２０】
2005503768.tif 000063
からなる群から選択されるターゲッティング可能なコンジュゲート体。
【請求項２７９】
ターゲッティング可能なコンジュゲート体についてスクリーニングする方法であって、
前記ターゲッティング可能な構築物を、標的組織と特異的に結合する少なくとも１つのアーム、および前記ターゲッティング可能なコンジュゲート体と特異的に結合する少なくとも１つの他のアームを有する二重特異性の抗体または抗体フラグメントと接触させて、混合物を得ること；
この場合、前記少なくとも１つのアームが、標的細胞または標的組織または標的病原体における相補的な結合性成分に、あるいは標的細胞または標的組織または標的病原体によって産生される分子またはそれらに関連する分子における相補的な結合性成分に結合することができる；および
任意選択的に、前記混合物をインキュベーションすること；そして
前記混合物を分析すること
を含む方法。
【請求項２８０】
前記分析が、ＦＡＢＭＳまたは高磁場ＮＭＲまたはサイズ排除ＨＰＬＣからなる群から選択される分析方法を含む、請求項２７９に記載の方法。
【請求項２８１】
哺乳動物において正常な組織を画像化するための方法であって、
標的組織と特異的に結合する少なくとも１つのアームと、ターゲッティング可能なコンジュゲート体と特異的に結合する少なくとも１つの他のアームとを含む二重特異性の抗体または抗体フラグメントの有効量を投与すること；
この場合、前記少なくとも１つのアームが、標的細胞または標的組織または標的病原体における相補的な結合性成分に、あるいは標的細胞または標的組織または標的病原体によって産生される分子またはそれらに関連する分子における相補的な結合性成分に結合することができる；および
下記のコンジュゲート体：
（ａ）ＤＯＴＡ−Ｐｈｅ−Ｌｙｓ（ＨＳＧ）−Ｄ−Ｔｙｒ−Ｌｙｓ（ＨＳＧ）−ＮＨ2；
（ｂ）ＤＯＴＡ−Ｐｈｅ−Ｌｙｓ（ＨＳＧ）−Ｔｙｒ−Ｌｙｓ（ＨＳＧ）−ＮＨ2；
（ｃ）Ａｃ−Ｌｙｓ（ＨＳＧ）Ｄ−Ｔｙｒ−Ｌｙｓ（ＨＳＧ）−Ｌｙｓ（Ｔｓｃｇ−Ｃｙｓ）−ＮＨ2；
【化２１】
2005503768.tif 000064
および
【化２２】
2005503768.tif 000065
からなる群から選択されるターゲッティング可能なコンジュゲート体を投与すること
を含む方法。
【請求項２８２】
前記正常な組織が、卵巣、胸腺、副甲状腺または脾臓に由来する組織である、請求項２８１に記載の方法。
【請求項２８３】
前記ウイルスが、ヒト免疫不全症ウイルス（ＨＩＶ）、ヘルペスウイルス、サイトメガロウイルス、狂犬病ウイルス、インフルエンザウイルス、Ｂ型肝炎ウイルス、センダイウイルス、ネコ白血病ウイルス、レオウイルス、ポリオウイルス、ヒト血清パルボ様ウイルス、シミアンウイルス４０、呼吸器合胞体ウイルス、マウス乳腫瘍ウイルス、水痘帯状疱疹ウイルス、デングウイルス、風疹ウイルス、麻疹ウイルス、アデノウイルス、ヒトＴ細胞白血病ウイルス、エプスタイン−バールウイルス、マウス白血病ウイルス、ムンプスウイルス、水疱性口内炎ウイルス、シンドビスウイルス、リンパ球性脈絡髄膜炎ウイルス、イボウイルスおよびブルータングウイルスからなる群から選択される、請求項２８１に記載の方法。
【請求項２８４】
前記細菌が、ストレプトコッカス・アガラクチアエ、レジオネラ・ニューモフィリア、化膿連鎖球菌、大腸菌、淋菌、髄膜炎菌、肺炎球菌、Ｂ型インフルエンザ菌、梅毒トレポネーマ、ライム病スピロヘータ、緑膿菌、らい菌、ウシ流産菌、結核菌および破傷風毒素からなる群から選択される、請求項２８１に記載の方法。
【請求項２８５】
被験体における疾患組織を手術中に同定する方法であって、
標的組織と特異的に結合する少なくとも１つのアームと、ターゲッティング可能なコンジュゲート体と特異的に結合する少なくとも１つの他のアームとを含む二重特異性の抗体または抗体フラグメントの有効量を投与すること；
この場合、前記少なくとも１つのアームが、標的細胞または標的組織または標的病原体における相補的な結合性成分に、あるいは標的細胞または標的組織または標的病原体によって産生される分子またはそれらに関連する分子における相補的な結合性成分に結合することができる；および
下記のコンジュゲート体：
（ａ）ＤＯＴＡ−Ｐｈｅ−Ｌｙｓ（ＨＳＧ）−Ｄ−Ｔｙｒ−Ｌｙｓ（ＨＳＧ）−ＮＨ2；
（ｂ）ＤＯＴＡ−Ｐｈｅ−Ｌｙｓ（ＨＳＧ）−Ｔｙｒ−Ｌｙｓ（ＨＳＧ）−ＮＨ2；
（ｃ）Ａｃ−Ｌｙｓ（ＨＳＧ）Ｄ−Ｔｙｒ−Ｌｙｓ（ＨＳＧ）−Ｌｙｓ（Ｔｓｃｇ−Ｃｙｓ）−ＮＨ2；
【化２３】
2005503768.tif 000066
および
【化２４】
2005503768.tif 000067
からなる群から選択されるターゲッティング可能なコンジュゲート体を投与すること
を含む方法。
【請求項２８６】
被験体における疾患組織を内視鏡により同定する方法であって、
標的組織と特異的に結合する少なくとも１つのアームと、ターゲッティング可能なコンジュゲート体と特異的に結合する少なくとも１つの他のアームとを含む二重特異性の抗体または抗体フラグメントの有効量を投与すること；
この場合、前記少なくとも１つのアームが、標的細胞または標的組織または標的病原体における相補的な結合性成分に、あるいは標的細胞または標的組織または標的病原体によって産生される分子またはそれらに関連する分子における相補的な結合性成分に結合することができる；および
下記のコンジュゲート体：
（ａ）ＤＯＴＡ−Ｐｈｅ−Ｌｙｓ（ＨＳＧ）−Ｄ−Ｔｙｒ−Ｌｙｓ（ＨＳＧ）−ＮＨ2；
（ｂ）ＤＯＴＡ−Ｐｈｅ−Ｌｙｓ（ＨＳＧ）−Ｔｙｒ−Ｌｙｓ（ＨＳＧ）−ＮＨ2；
（ｃ）Ａｃ−Ｌｙｓ（ＨＳＧ）Ｄ−Ｔｙｒ−Ｌｙｓ（ＨＳＧ）−Ｌｙｓ（Ｔｓｃｇ−Ｃｙｓ）−ＮＨ2；
【化２５】
2005503768.tif 000068
および
【化２６】
2005503768.tif 000069
からなる群から選択されるターゲッティング可能なコンジュゲート体を投与すること
を含む方法。
【請求項２８７】
被験体における疾患組織を血管内で同定する方法であって、
標的組織と特異的に結合する少なくとも１つのアームと、ターゲッティング可能なコンジュゲート体と特異的に結合する少なくとも１つの他のアームとを含む二重特異性の抗体または抗体フラグメントの有効量を投与すること；
この場合、前記少なくとも１つのアームが、標的細胞または標的組織または標的病原体における相補的な結合性成分に、あるいは標的細胞または標的組織または標的病原体によって産生される分子またはそれらに関連する分子における相補的な結合性成分に結合することができる；および
下記のコンジュゲート体：
（ａ）ＤＯＴＡ−Ｐｈｅ−Ｌｙｓ（ＨＳＧ）−Ｄ−Ｔｙｒ−Ｌｙｓ（ＨＳＧ）−ＮＨ2；
（ｂ）ＤＯＴＡ−Ｐｈｅ−Ｌｙｓ（ＨＳＧ）−Ｔｙｒ−Ｌｙｓ（ＨＳＧ）−ＮＨ2；
（ｃ）Ａｃ−Ｌｙｓ（ＨＳＧ）Ｄ−Ｔｙｒ−Ｌｙｓ（ＨＳＧ）−Ｌｙｓ（Ｔｓｃｇ−Ｃｙｓ）−ＮＨ2；
【化２７】
2005503768.tif 000070
および
【化２８】
2005503768.tif 000071
からなる群から選択されるターゲッティング可能なコンジュゲート体を投与すること
を含む方法。
【請求項２８８】
前記ターゲッティング可能なコンジュゲート体が、18Ｆ、52Ｆｅ、62Ｃｕ、64Ｃｕ、67Ｃｕ、67Ｇａ、68Ｇａ、86Ｙ、89Ｚｒ、94mＴｃ、94Ｔｃ、99mＴｃ、111Ｉｎ、123Ｉ、124Ｉ、125Ｉ、131Ｉ、154〜158Ｇｄおよび175Ｌｕからなる群から選択される診断剤をさらに含む、請求項２７２、２７６、２７７、２７９、２８１、２８５、２８６または２８７のいずれか一項に記載の方法。
【請求項２８９】
前記ターゲッティング可能なコンジュゲート体が、32Ｐ、33Ｐ、47Ｓｃ、64Ｃｕ、67Ｃｕ、67Ｇａ、90Ｙ、111Ａｇ、111Ｉｎ、125Ｉ、131Ｉ、142Ｐｒ、153Ｓｍ、161Ｔｂ、166Ｄｙ、166Ｈｏ、177Ｌｕ、186Ｒｅ、188Ｒｅ、189Ｒｅ、212Ｐｂ、212Ｂｉ、213Ｂｉ、211Ａｔ、223Ｒａおよび225Ａｃからなる群から選択される治療用核種をさらに含む、請求項２８８に記載の方法。
【発明の詳細な説明】
【技術分野】
【０００１】
（関連特許出願のクロスリファレンス）
本出願は米国特許出願第０９／３３７，７５６号（１９９９年６月２２日出願）（参照することにより、その全体を本明細書中に組み込むものとする）の一部継続出願である。
【０００２】
（発明の分野）
本発明は、例えば、放射免疫療法（ＲＡＩＴ）および化学免疫療法において治療のために使用される免疫学的試薬、ならびに例えば、放射免疫検出（ＲＡＩＤ）、超音波検査法および磁気共鳴画像化（ＭＲＩ）において検出および／または診断のために使用される免疫学的試薬に関する。詳細には、本発明は、むき出し状態の（ｎａｋｅｄ）抗体（非コンジュゲート型）および直接的なコンジュゲート化抗体、ならびに標的組織に対して反応し得る少なくとも１つのアームと、リンカー部分に対して反応し得る少なくとも１つの他のアームとを有する二重特異性抗体（ｂｓＡｂ）および二重特異性抗体フラグメント（ｂｓＦａｂ）に関する。さらに、本発明は、特定の免疫原に対して惹起されたモノクローナル抗体（これらは、ヒトモノクローナル抗体、ヒト化モノクローナル抗体およびキメラなモノクローナル抗体である）、ならびに標的組織に対して反応し得る少なくとも１つのアームと、リンカー部分に対して反応し得る少なくとも１つの他のアームとを有するヒト二重特異性抗体およびヒト化二重特異性抗体およびキメラ二重特異性抗体およびそのような二重特異性抗体フラグメント、そしてそのような抗体および抗体フラグメントをコードするＤＮＡ、そしてそのようなＤＮＡを発現させるためのベクターに関する。
【０００３】
本発明はまた、ヒト化抗ＣＳＡｐ抗体およびキメラ抗ＣＳＡｐ抗体およびヒト抗ＣＳＡｐ抗体、特にモノクローナル抗体（ｍＡｂ）、そしてヒト化抗ＣＳＡｐ抗体およびキメラ抗ＣＳＡｐ抗体およびヒト抗ＣＳＡｐ抗体の治療用および検出／診断用のコンジュゲート体、そしてヒト化抗ＣＳＡｐ抗体およびキメラ抗ＣＳＡｐ抗体およびヒト抗ＣＳＡｐ抗体を使用して、悪性腫瘍を診断／検出または処置する方法に関する。本発明はまた、少なくとも２つの抗ＣＳＡｐ  ｍＡｂまたはそのフラグメントを含む抗体融合タンパク質またはそのフラグメント、あるいは少なくとも１つの抗ＣＳＡｐ  ｍＡｂまたはそのフラグメントと、この抗ＣＳＡｐ  ｍＡｂまたはそのフラグメントとは異なる少なくとも１つの第２のｍＡｂまたはそのフラグメントとを含む抗体融合タンパク質またはそのフラグメントに関する。ヒト化抗ＣＳＡｐ  ｍＡｂ、キメラ抗ＣＳＡｐ  ｍＡｂおよびヒト抗ＣＳＡｐ  ｍＡｂまたはそれらのフラグメントあるいはそれらの抗体融合タンパク質またはそのフラグメントは、単独で、または治療用コンジュゲート体として、または他のむき出し状態の抗体もしくは他の治療剤との治療用免疫コンジュゲート体と組み合わせて、または診断／検出用コンジュゲート体として投与することができる。本発明はまた、ヒト化抗ＣＳＡｐ抗体、キメラ抗ＣＳＡｐ抗体、ヒト抗ＣＳＡｐ抗体および抗体融合タンパク質をコードするＤＮＡ配列、ならびにそのようなＤＮＡ配列を含有するベクターおよび宿主細胞、ならびにヒト化抗ＣＳＡｐ抗体、キメラ抗ＣＳＡｐ抗体およびヒト抗ＣＳＡｐ抗体を作製する方法を提供する。
【背景技術】
【０００４】
がんの治療および検出／診断に対する方法では、検出／診断剤または治療剤を疾患部位をターゲットすることができる抗体または抗体フラグメントを疾患組織に向かわせることが伴う。現在研究中であるこの方法論に対する１つの方法では、標的疾患組織に対して反応し得る少なくとも１つのアームと、低分子量ハプテンに対して反応し得る少なくとも１つの他のアームとを有する二重特異性のモノクローナル抗体（ｂｓＡｂ）の使用が含まれる。この方法論では、ｂｓＡｂが投与され、そのｂｓＡｂは標的組織に局在化でき、そして正常な組織からはクリアリングされる。しばらくして、放射標識された低分子量ハプテンが投与されるが、これはｂｓＡｂの第２の特異性によって認識されるので、これもまた最初の標的に集まる。同じ技術を使用して、治療用同位体、薬物および毒素を、疾患組織に対して、特に、ｂｓＡｂがターゲッティングされるがんに対して選択的にターゲッティングすることができ、または標的抗原を発現している病理学的病変部の改善された診断および検出のために非放射性診断剤をターゲッティングすることができる。
【０００５】
ｂｓＡｂと組み合わせて使用される低分子量ハプテンは特異的な画像化および治療において非常に多数の用途を有しているが、それぞれの可能な適用について個々のｂｓＡｂを調製することは実際的ではない。さらに、ｂｓＡｂ／低分子量ハプテンシステムの適用では、いくつかの他の問題と取り組まなければならない。第１に、低分子量ハプテンに結合するｂｓＡｂのアームは大きい親和性で結合しなければならない。これは、低分子量ハプテンは、ｂｓＡｂが結合しないときには生体系から迅速にクリアリングされるように設計されるからである。第２に、ｂｓＡｂ以外が結合した低分子量ハプテンは、実際には、非標的組織による取り込みおよび非標的組織での保持を避けるために、生体系から迅速にクリアリングされる必要がある。第３に、検出剤および／または治療剤は、用いられたｂｓＡｂプロトコル内のその適用期間中は低分子量ハプテンとの会合状態を維持しなければならない。
【０００６】
この方法に関して注目されるのは、適切な二重の特異性を有するＡｂを使用してキレーターおよび金属キレート錯体をがんに向かわせるｂｓＡｂである。使用されるキレーターおよび金属キレート錯体は放射性であることが多く、これらには、コバルト−５７（Ｇｏｏｄｗｉｎら、米国特許第４，８６３，７１３号）、インジウム−１１１（Ｂａｒｂｅｔら、米国特許第５，２５６，３９５号および米国特許第５，２７４，０７６号；Ｇｏｏｄｗｉｎら、Ｊ．Ｎｕｃｌ．Ｍｅｄ．３３：１３６６〜１３７２（１９９２）；およびＫｒａｎｅｎｂｏｒｇら、Ｃａｎｃｅｒ  Ｒｅｓ（ｓｕｐｐｌ．）、５５：５８６４ｓ〜５８６７ｓ（１９９５）およびＣａｎｃｅｒ（ｓｕｐｐｌ．）、８０：２３９０〜２３９７（１９９７））およびガリウム−６８（Ｂｏｄｅｎら、Ｂｉｏｃｏｎｊｕｇａｔｅ  Ｃｈｅｍ．６：３７３〜３７９（１９９５）；Ｓｃｈｕｈｍａｃｈｅｒら、Ｃａｎｃｅｒ  Ｒｅｓ．５５：１１５〜１２３（１９９５））などの放射性核種が放射免疫画像化のために使用されている。Ａｂがキレーターおよび金属キレート錯体に対して生じたので、その抗体は、それに対する抗体が最初に生じた錯体に対して顕著な特異性を有している。実際、ＢｏｄｅｎらのｂｓＡｂは、キレーターおよび金属キレート錯体のエナンチオマー混合物の単一エナンチオマーに対する特異性を有している。この大きい特異性は、放射免疫療法（ＲＡＩＴ）に有用なイットリウム−９０およびビスマス−２１３、そしてＭＲＩに有用なガドリニウムなどの他の核種を、代わりに使用される利用可能な試薬に容易に置き換えることができないという点で、ある意味では不都合であることが証明されている。このため、ヨウ素−１３１（非金属）が、Ｉ−１３１標識されたインジウム−金属−キレート錯体を２番目のターゲッティングステップにおいて使用することによってＲＡＩＴ目的のために採用されている。この方法論に対する別の欠点により、診断的使用または治療的使用のために所望されるすべての薬剤に対して抗体を生じさせることが必要となっている。
【０００７】
従って、疾患組織を指向できる免疫学的薬剤で、治療用または診断／検出用の金属キレート錯体あるいは治療用または診断／検出用のキレーターに結合し、またはそれらと会合する後に投与されるリンカー部分と反応し得る免疫学的薬剤が依然として求められている。
【０００８】
本発明は、結腸直腸がん、膵臓がんおよび卵巣がんを含む様々ながんに対する組換えにより製造されたキメラモノクローナル抗体およびヒト化モノクローナル抗体およびヒトモノクローナル抗体に関する。キメラモノクローナル抗体、ヒト化モノクローナル抗体およびヒトモノクローナル抗体は、完全なネズミ抗体よりもヒト抗マウス抗体の産生が少なくなる。さらに、これらの抗体が診断試薬または治療試薬に対して共有結合的にコンジュゲート化されたとき、抗体はその結合特性を保持している。さらに、ヒト抗体、ヒト化抗体またはキメラ抗体が、ＩｇＧ1の場合と同様に、患者において免疫学的に機能的であり得るヒト定常領域を有するならば、これらはまた、むき出し状態の（すなわち、非コンジュゲート型）抗体としてそのような腫瘍に対して活性にすることができ、そのため、化学療法および放射線などの他の治療様式の抗腫瘍作用もまた強化し得る。
【０００９】
結腸直腸がん、膵臓がんおよび卵巣がんは、依然としてがんによる死亡の重要な一因である。しかしながら、従来の化学療法および放射線療法に対するそれらの応答は雑多なものである。さらに、これらの従来の治療形態には、それらの有用性を制限する様々な毒性副作用がある。
【００１０】
モノクローナル抗体の使用により、従来の化学療法および放射線療法に対する代替法が提供される。腫瘍特異的モノクローナル抗体および腫瘍関連モノクローナル抗体は、処置治療法において、単独（むき出し状態の抗体治療）で、またはコンジュゲート体として機能し得る。放射性核種または他の細胞傷害性薬剤に対してコンジュゲートされた標的化モノクローナル抗体の使用により、そのような薬剤を腫瘍部位に直接的に送達し、それにより正常な組織が毒性薬剤に曝されることを制限することができるという可能性が提供される（Ｇｏｌｄｅｎｂｅｒｇ、Ｓｅｍｉｎ．Ｎｕｃｌ．Ｍｅｄ．、１９：３３２（１９８９）；Ｇｏｌｄｅｎｂｅｒｇ，ＤＭ、放射免疫療法、Ｎｕｃｌｅａｒ  Ｍｅｄｉｃｉｎｅ  Ａｎｎｕａｌ  ２００１、Ｌ．Ｆｒｅｅｍａｎ編、Ｌｉｐｐｉｎｃｏｔｔ，Ｗｉｌｌｉａｍ＆Ｗｉｌｋｉｎｓ、Ｐｈｉｌａｄｅｌｐｈｉａ、２００１、１６７頁〜２０６頁）。近年、抗体に基づいた治療の潜在的可能性および腫瘍関連抗原の局在性におけるその正確性が研究室および臨床の両方の研究で明らかにされている（例えば、Ｔｈｏｒｐｅ、ＴＩＢＴＥＣＨ、１１：４２（１９９３）；Ｇｏｌｄｅｎｂｅｒｇ、Ｓｃｉｅｎｔｉｆｉｃ  Ａｍｅｒｉｃａｎ、Ｓｃｉｅｎｃｅ＆Ｍｅｄｉｃｉｎｅ、１：６４（１９９４）；Ｂａｌｄｗｉｎら、米国特許第４，９２３，９２２号および同第４，９１６，２１３号；Ｙｏｕｎｇ、米国特許第４，９１８，１６３号；米国特許第５，２０４，０９５号；Ｉｒｉｅら、米国特許第５，１９６，３３７号；Ｈｅｌｌｓｔｒｏｍら、米国特許第５，１３４，０７５号および同第５，１７１，６６５号；Ｔｈｏｒｐｅら、米国特許第６，３４２，２２１号；Ｅｐｓｔｅｉｎら、米国特許第５，９６５，１３２号、同第６，００４，５５４号、同第６，０７１，４９１号、同第６，０１７，５１４号、同第５，８８２，６２６号および同第５，０１９，３６８号を参照のこと）。腫瘍による抗体取り込みが、注射された総用量のわずかに０．０１％〜０．００１％の範囲と一般には低い（Ｖａｕｇｈａｎら、Ｂｒｉｔ．Ｊ．Ｒａｄｉｏｌ．、６０：５６７（１９８７））ことを理由の一部として、一般に、腫瘍の場所を突き止めるために、腫瘍関連マーカーに対する放射標識された抗体または抗体フラグメントを使用することは、治療のためよりも成功している。腫瘍に対する投薬量を増大させるために放射標識の濃度を増大させることは、健康な組織の放射能被爆をも増大させるので、一般には逆効果である。
【００１１】
Ｍｕ−９は、結腸特異的抗原−ｐムチン（ＣＳＡｐ）に対するＩｇＧ1サブタイプのネズミモノクローナル抗体である。ＣＳＡｐは、膵臓がんおよび卵巣がんだけでなく、結腸直腸がんにおいて高い割合で存在する腫瘍関連抗原である（Ｇｏｌｄら、Ｃａｎｃｅｒ  Ｒｅｓ．、５０：６４０５（１９９０）、およびそれにおける引用参考文献）。前臨床試験および臨床試験において、この抗体は優れた腫瘍ターゲッティング能を示している（Ｂｌｕｍｅｎｔｈａｌら、Ｉｎｔ．Ｊ．Ｃａｎｃｅｒ、２２：２９２（１９８９）；Ｓｈａｒｋｅｙら、Ｃａｎｃｅｒ、７３（ｓｕｐｐｌ．）：８６４（１９９４））。Ｍｕ−９は、循環に存在しないエピトープを認識するので、腫瘍抗原をターゲッティングする他の抗体を上回る利点を有している（Ｐａｎｔら、Ｃａｎｃｅｒ、５０：９１９（１９８２））。循環している抗原は、その抗体により、循環性の免疫複合体が形成され、これにより、腫瘍のターゲッティングならびに抗体の薬物動態学および生物分布が変化し得るので、抗体治療の送達を変化させることができる。
【００１２】
ほとんどの他の有望な非ヒト抗体の場合のように、ネズミＭｕ−９の臨床的使用は、抗マウス抗体（ＨＡＭＡ）応答のヒトにおける発達によって制限されることがある。これにより、診断／検出および治療における抗体の有用性が制限され得る。これは、潜在的なアナフィラキシー問題のためだけでなく、循環している抗体の大部分が、循環している抗マウス抗体によって複合体形成され、隔離され得るためでもある。ＨＡＭＡの産生はまた、ネズミ抗体に基づく免疫アッセイの正確性にも影響を及ぼし得る。従って、ＨＡＭＡ応答は、一般に、Ｍｕ−９抗体の最大限の診断的可能性および治療的可能性を実現するための潜在的な障害となっている。
【００１３】
治療または診断／検出における薬剤使用法としてＭｕ−９抗体の価値を最大限にするために、そして多回および連続的な投与における薬剤使用法および状況でのその有用性を増大させるために、本発明の目的は、Ｍｕ−９の抗原結合特異性を保持することによってＭｕ−９に関連するが、投与された被験体において低下したＨＡＭＡ応答または他の免疫応答を誘発する、マウス−ヒトのキメラｍＡｂ（ｃＭｕ−９）、完全なヒトｍＡｂ、およびヒト化ｍＡｂ（ｈＭｕ−９）を提供することである。
【００１４】
本発明の別の目的は、相補性決定領域（ＣＤＲ）を含む、ｃＭｕ−９ｍＡｂおよびヒトＭｕ−９ｍＡｂおよびｈＭｕ−９ｍＡｂの軽鎖および重鎖の可変領域のアミノ酸配列をコードするＤＮＡ配列を提供することである。
【００１５】
本発明のさらなる目的は、治療剤または診断／検出剤を含有する、ｃｈＭｕ−９ｍＡｂおよびヒトＭｕ−９ｍＡｂおよびｃＭｕ−９ｍＡｂのコンジュゲート体を提供することである。
【００１６】
本発明の別の目的は、様々な抗体とＣＳＡｐ抗体との組合せ、または様々な抗体と他のがん腫ターゲッティング抗体との組合せを提供することであり、この場合、前記抗体はむき出し状態の免疫グロブリンとして使用することができ、または薬物、毒素、同位体、サイトカイン、酵素、酵素阻害剤、ホルモン、ホルモンアンタゴニストおよび他の治療増強成分とのコンジュゲート体として使用することができる。
【００１７】
本発明のさらに別の目的は、本発明のヒト化ＭＡｂおよびキメラＭＡｂおよび完全なヒトＭＡｂを利用する治療法および診断／検出法を提供することである。
【発明の開示】
【課題を解決するための手段】
【００１８】
（発明の要約）
本発明は、結腸特異的抗原−ｐムチン（ＣＳＡｐ）抗原に結合するモノクローナル（ＭＡｂ）抗体またはそのフラグメントを提供する。好ましくは、本発明のモノクローナル抗体またはそのフラグメントはＭｕ−９エピトープに結合する。さらに好ましくは、本発明のモノクローナル抗体またはそのフラグメントはヒト化され、またはキメラであり、または完全なヒト由来である。
【００１９】
本発明はまた、ヒト化Ｍｕ−９（ｈＭｕ−９）モノクローナル抗体（ｍＡｂ）またはそのフラグメントを提供する。本発明のｈＭｕ−９抗体またはフラグメントは非ヒトＭｕ−９抗体の軽鎖可変領域および重鎖可変領域の相補性決定領域（ＣＤＲ）を含有しており、それらはヒト抗体の軽鎖可変領域および重鎖可変領域のフレームワーク（ＦＲ）領域に連結され、そしてフレームワーク（ＦＲ）領域は続けてヒト抗体の軽鎖定常領域および重鎖定常領域に連結されている。このヒト化抗体またはフラグメントは、元のＭｕ−９抗体のＣＳＡｐ抗原特異性を保持しているが、ヒト被験体における免疫原性が小さくなっている。
【００２０】
別の態様において、本発明は、キメラなＭｕ−９（ｃＭｕ−９）モノクローナル抗体またはそのフラグメントを提供する。本発明のｃＭｕ−９抗体またはフラグメントは非ヒトＭｕ−９抗体の軽鎖可変領域および重鎖可変領域を含有しており、それらはヒト抗体の軽鎖定常領域および重鎖定常領域に連結されている。このキメラ抗体は、元のＭｕ−９抗体のＣＳＡｐ抗原特異性を保持しているが、ヒト被験体における免疫原性が小さくなっている。
【００２１】
本発明ではまた、完全なヒトＭｕ−９抗体およびそのフラグメントも考えられる。
【００２２】
本発明ではまた、ネズミ抗ＣＳＡｐ  ＭＡｂの相補性決定領域（ＣＤＲ）と、ヒト抗体の軽鎖可変領域および重鎖可変領域のフレームワーク（ＦＲ）領域と、ヒト抗体の軽鎖定常領域および重鎖定常領域とを含むヒト化抗体またはそのフラグメントも考えられる。この場合、ヒト化ＣＳＡｐ  ＭＡｂの軽鎖可変領域のＣＤＲは、ＲＳＳＱＳＩＶＨＳＮＧＮＴＹＬＥのアミノ酸配列を含むＣＤＲ１と、ＫＶＳＮＲＦＳのアミノ酸配列を含むＣＤＲ２と、ＦＱＧＳＲＶＰＹＴのアミノ酸配列を含むＣＤＲ３とを含み、そしてヒト化抗ＣＳＡｐ  ＭＡｂの重鎖可変領域のＣＤＲは、ＥＹＶＩＴのアミノ酸配列を含むＣＤＲ１と、ＥＩＹＰＧＳＧＳＴＳＹＮＥＫＦＫのアミノ酸配列を含むＣＤＲ２と、ＥＤＬのアミノ酸配列を含むＣＤＲ３とを含む。
【００２３】
本発明はさらに、ネズミ抗ＣＳＡｐ  ＭＡｂの相補性決定領域（ＣＤＲ）と、ヒト抗体の重鎖可変領域のフレームワーク領域と、ヒト抗体の重鎖定常領域とを含むＣＤＲグラフトされたヒト化重鎖を提供する。この場合、ヒト化抗ＣＳＡｐ  ＭＡｂの重鎖可変領域のＣＤＲは、ＥＹＶＩＴのアミノ酸配列を含むＣＤＲ１と、ＥＩＹＰＧＳＧＳＴＳＹＮＥＫＦＫのアミノ酸配列を含むＣＤＲ２と、ＥＤＬのアミノ酸配列を含むＣＤＲ３とを含む。
【００２４】
関連において、本発明は、ネズミ抗ＣＳＡｐ  ＭＡｂの相補性決定領域（ＣＤＲ）と、ヒト抗体の軽鎖可変領域のフレームワーク領域と、ヒト抗体の軽鎖定常領域とを含むＣＤＲグラフトされたヒト化軽鎖を提供する。この場合、ヒト化抗ＣＳＡｐ  ＭＡｂの軽鎖可変領域のＣＤＲは、ＲＳＳＱＳＩＶＨＳＮＧＮＴＹＬＥのアミノ酸配列を含むＣＤＲ１と、ＫＶＳＮＲＦＳのアミノ酸配列を含むＣＤＲ２と、ＦＱＧＳＲＶＰＹＴのアミノ酸配列を含むＣＤＲ３とを含む。
【００２５】
本発明はさらに、本明細書中に記載される抗ＣＳＡｐ抗体のいずれか１つの抗ＣＳＡｐ  ＭＡｂまたはそのフラグメントあるいはそれらの抗体融合タンパク質またはそのフラグメントを含む抗体成分を含む診断／検出用免疫コンジュゲート体に関する。この場合、抗体成分は少なくとも１つの診断／検出剤に結合している。好ましくは、診断／検出用免疫コンジュゲート体は少なくとも１つの光活性な診断／検出剤を含む。より好ましくは、光活性な診断／検出剤は色素原または色素を含む。さらに好ましくは、診断／検出剤は、２０ｋｅＶ〜２，０００ｋｅＶの間のエネルギーを有する放射性核種である。
【００２６】
関連において、本発明はさらに、本明細書中に記載される抗ＣＳＡｐ抗体のいずれか１つの抗ＣＳＡｐ  ＭＡｂまたはそのフラグメントあるいはそれらの抗体融合タンパク質またはそのフラグメントを含む抗体成分を含む治療用免疫コンジュゲート体に関する。この場合、抗体成分は少なくとも１つの治療剤に結合している。好ましい実施形態において、治療剤は、放射性核種、ホウ素原子、ガドリニウム原子またはウラン原子、免疫調節因子、サイトカイン、ホルモン、ホルモンアンタゴニスト、酵素、酵素阻害剤、光活性な治療剤、細胞傷害性薬物、毒素、血管形成阻害剤、第２の異なる抗体、およびそれらの組合せである。治療用免疫コンジュゲート体が放射性核種であるとき、そのエネルギーは好ましくは２０ｋｅＶ〜１０，０００ｋｅＶの間である。
【００２７】
本発明はさらに、ＣＳＡｐ標的抗原に対する親和性を有する１つ以上の抗原結合部位と、ハプテン分子に対する親和性を有する１つ以上のハプテン結合部位とを含む多価かつ多重特異性の抗体またはそのフラグメントを提供する。
【００２８】
本発明はまた、本明細書中に記載されるように少なくとも２つの抗ＣＳＡｐ  ＭＡｂまたはそのフラグメントを含む抗体融合タンパク質またはそのフラグメントに関する。同様に、本発明では、本明細書中に記載されるように少なくとも１つの第１の抗ＣＳＡｐ  ＭＡｂまたはそのフラグメントと、本発明のそのような抗ＣＳＡｐ抗体とは異なる少なくとも１つの第２のＭＡｂまたはそのフラグメントとを含む抗体融合タンパク質またはそのフラグメントが考えられる。
【００２９】
本発明はまた、被験体における悪性腫瘍を処置する方法を提供する。この場合、この方法は、抗ＣＳＡｐ抗体またはそのフラグメントの治療有効量を、薬学的に受容可能なビヒクルに配合して前記被験体に投与する工程を含む。
【００３０】
同様に、本発明は、被験体における悪性腫瘍を処置または診断／検出する方法を提供する。この場合、この方法は、（ｉ）処置または診断／検出を必要とする被験体に本発明の抗体またはそのフラグメントを投与すること、（ｉｉ）結合していないタンパク質の量が被験体の血流から除かれるために十分な時間待つこと、そして（ｉｉｉ）抗体の結合部位に結合する、診断剤または治療剤またはその組合せを含むキャリア分子を前記被験体に投与することを含む。
【００３１】
本発明はまた、
（ａ）本明細書中に記載されるような抗ＣＳＡｐ  ＭＡｂまたはそのフラグメントと、
（ｂ）そのようなＭＡｂまたはそのフラグメントの少なくとも２つを含む抗体融合タンパク質またはそのフラグメントと、
（ｃ）本発明の抗ＣＳＡｐ抗体のいずれか１つの前記ＭＡｂまたはそのフラグメントを含む少なくとも１つの第１の抗ＣＳＡｐ  ＭＡｂまたはそのフラグメントと、本発明のそのようなＭＡｂまたはそのフラグメントとは異なる少なくとも１つの第２のＭＡｂまたはそのフラグメントとを含む抗体融合タンパク質またはそのフラグメントと、
（ｄ）請求項１〜４７のいずれか一項に記載される前記ＭＡｂまたはそのフラグメントとを含む少なくとも１つの第１のＭＡｂまたはそのフラグメントと、請求項１〜４７のいずれか一項に記載されるＭＡｂまたはそのフラグメントとは異なる少なくとも１つの第２のＭＡｂまたはそのフラグメントとを含む抗体融合タンパク質またはそのフラグメントで、前記第２のＭＡｂが、ＣＥＡ、ＥＧＰ−１、ＥＧＰ−２、ＭＵＣ−１、ＭＵＣ−２、ＭＵＣ−３、ＭＵＣ−４、ＰＡＭ−４、ＫＣ４、ＴＡＧ−７２、ＥＧＦＲ、ＨＥＲ２／ｎｅｕ、ＢｒＥ３、Ｌｅ−Ｙ、Ａ３、ＫＳ−１、ＣＤ４０およびＶＥＧＦの抗体、および抗体Ａ３３、ならびにそれらの組合せからなる群から選択される、抗体融合タンパク質またはそのフラグメントと
からなる群から選択される抗ＣＳＡｐまたはそのフラグメントをコードする核酸を含むＤＮＡ配列を提供する。
【００３２】
本発明はまた、診断／検出剤または治療剤またはそれらの組合せを標的に送達する方法に関する。この場合、この方法は、（ｉ）本発明の抗ＣＳＡｐ抗体のいずれか１つの抗体またはそのフラグメントを被験体に投与するステップと、（ｉｉ）結合していないタンパク質の量が被験体の血流から除かれるために十分な時間待つステップと、そして（ｉｉｉ）前記抗体の結合部位に結合する、診断／検出剤または治療剤またはそれらの組合せを含むキャリア分子を前記被験体に投与するステップとを含む。
【００３３】
本明細書中にはまた、被験体における悪性腫瘍を治療する方法であって、抗体またはそのフラグメントの治療有効量、あるいは少なくとも２つのＭＡｂまたはそのフラグメントを含む抗体融合タンパク質またはそのフラグメントの治療有効量を、薬学的に受容可能な賦形剤に配合して前記被験体に投与するステップを含む方法が記載される。この場合、少なくとも１つの抗ＣＳＡｐ  ＭＡｂまたはそのフラグメントあるいは融合タンパク質またはそのフラグメントは本明細書中に記載される通りである。
【００３４】
本発明はさらに、被験体におけるがん細胞を治療する方法に関する。この場合、この方法は、（ｉ）本発明の抗ＣＳＡｐ抗体のいずれか１つのむき出し状態の抗ＣＳＡｐ  ＭＡｂまたはそのフラグメントあるいはむき出し状態の抗体融合タンパク質またはそのフラグメントを含む組成物の治療有効量を前記被験体に投与すること、（ｉｉ）むき出し状態の抗ＣＳＡｐ  ＭＡｂまたはそのフラグメントあるいはむき出し状態の抗体融合タンパク質またはそのフラグメントを薬学的に好適な賦形剤に配合することを含む。
【００３５】
さらなる態様において、本発明は、ｈＭｕ−９またはヒトＭｕ−９またはｃＭｕ−９が診断／結合剤または治療剤に結合しているコンジュゲート体を提供する。
【００３６】
さらなる態様において、本発明により、非コンジュゲート型（むき出し状態）のｈＭｕ−９またはヒトＭｕ−９またはｃＭｕ−９が、放射線、化学療法および手術などの他の従来の治療様式ならびに実験的な治療様式と組み合わせて、または他の非ＣＳＡｐ抗体を伴うコンジュゲート体と一緒でさえも投与されること、そしてそのよう組合せが治療サイクルにおいて同時であってもよく、または異なるときであってもよいことが規定される。
【００３７】
さらに別の態様において、本発明は、上記に記載される抗体またはコンジュゲート体の有効量を投与することを含む、悪性腫瘍を診断／検出または処置する方法を提供する。抗体またはコンジュゲート体は薬学的に受容可能なビヒクルに配合することができる。
【００３８】
さらなる態様において、本発明は、ｈＭｕ−９ｍＡｂまたはヒトＭｕ−９ｍＡｂまたはｃＭｕ−９ｍＡｂの軽鎖可変領域および重鎖可変領域のＣＤＲのアミノ酸配列をコードするＤＮＡ配列を含む単離されたポリヌクレオチドを提供する。同様に、本発明は、ｈＭｕ−９ｍＡｂまたはヒトＭｕ−９ｍＡｂまたはｃＭｕ−９ｍＡｂの軽鎖可変領域および重鎖可変領域のアミノ酸配列をコードするＤＮＡ配列を含む単離されたポリヌクレオチドを提供する。
【００３９】
さらに別の態様において、本発明は、Ｍｕ−９抗体の軽鎖可変領域および重鎖可変領域のＣＤＲのアミノ酸配列を提供する。
【００４０】
本発明はまた、なかでも、標的組織と特異的に結合する少なくとも１つのアームと、広範囲の診断的適用および治療的適用における使用のために修飾され得るターゲッティング可能なコンジュゲート体と特異的に結合する少なくとも１つの他のアームとを有する二重特異性の抗体または抗体フラグメントを提供しようとするものである。
【００４１】
本発明者らは、１つ以上の診断／検出剤または治療剤を運ぶことができる表的なコンジュゲート体に対するｂｓＡｂを惹起させることは好都合であることを発見した。この技術を用いることによって、キレーター、金属キレート錯体、治療剤または診断／検出剤の特性を、異なる様々な適用に、それぞれの新しい適用のために新しいｂｓＡｂを惹起させることなく合わせるために変化させることができる。さらに、この方法を使用することによって、２つ以上の異なるキレーターまたは金属キレート錯体または治療剤を本発明のｂｓＡｂとともに使用することができる。
【００４２】
本発明では、被験体における疾患組織を処置または同定する方法が提供される。この場合、この方法は、
（Ａ）標的組織と特異的に結合する少なくとも１つのアームと、ターゲッティング可能なコンジュゲート体と特異的に結合する少なくとも１つの他のアームとを有し、標的組織と特異的に結合するアームがＭｕ−９抗体である二重特異性の抗体または抗体フラグメントを被験体に投与するステップと、
（Ｂ）任意選択的に、クリアリング用組成物を被験体に投与し、前記組成物により、局在化していない抗体または抗体フラグメントを循環からクリアリングするステップと
（Ｃ）前記二重特異性の抗体または抗体フラグメントの前記少なくとも１つの他のアームによって認識され得るエピトープを少なくとも１つ含むか、またはそのようなエピトープを少なくとも１つ有するキャリア部分と、１つ以上のコンジュゲート化された治療剤または診断剤とを含む第１のターゲッティング可能なコンジュゲート体を被験体に投与ステップと、
（Ｄ）前記治療剤が酵素であるときには、被験体に、
１）プロドラッグ（この場合、前記酵素は標的部位において前記プロドラッグを薬物に変換することができる）または、
２）前記被験体において解毒されて、毒性がより低い中間体を形成し得る薬物（この場合、前記酵素は前記解毒された中間体を毒性形態に再変換することができ、従って、標的部位において前記薬物の毒性を増大させることができる）、
３）天然のプロセスによって前記被験体において活性化され、そして毒性がより低い中間体への変換による解毒を受けるプロドラッグ（この場合、前記酵素は前記解毒された中間体を毒性形態に再変換することができ、従って、標的部位において前記薬物の毒性を増大させることができる）、または
４）前記二重特異性の抗体または抗体フラグメントの前記少なくとも１つの他のアームによって認識され得るエピトープを少なくとも１つ含むか、またはそのようなエピトープを少なくとも１つ有するキャリア部分と、プロドラッグとを含む第２のターゲッティング可能なコンジュゲート体（この場合、前記酵素は標的部位において前記プロドラッグを薬物に変換することができる）
をさらに投与するステップと
を含む。
【００４３】
本発明はさらに、少なくとも２つのＨＳＧハプテンを含むターゲッティング可能なコンジュゲート体を提供する。
【００４４】
本明細書中ではまた、哺乳動物においてＣＳＡｐを発現している腫瘍を検出または処置するための方法が考えられる。この場合、この方法は、
（Ａ）標的組織と特異的に結合する少なくとも１つのアームと、ターゲッティング可能なコンジュゲート体と特異的に結合する少なくとも１つの他のアームとを含み、標的組織と特異的に結合する１つのアームがＭｕ−９抗体またはそのフラグメントである二重特異性の抗体または抗体フラグメントの有効量を投与するステップと、
（Ｂ）下記のコンジュゲート体：
（ｉ）ＤＯＴＡ−Ｐｈｅ−Ｌｙｓ（ＨＳＧ）−Ｄ−Ｔｙｒ−Ｌｙｓ（ＨＳＧ）−ＮＨ2；
（ｉｉ）ＤＯＴＡ−Ｐｈｅ−Ｌｙｓ（ＨＳＧ）−Ｔｙｒ−Ｌｙｓ（ＨＳＧ）−ＮＨ2；
（ｉｉｉ）Ａｃ−Ｌｙｓ（ＨＳＧ）Ｄ−Ｔｙｒ−Ｌｙｓ（ＨＳＧ）−Ｌｙｓ（Ｔｓｃｇ−Ｃｙｓ）−ＮＨ2；
【化１】
2005503768.tif 000002
および
【化２】
2005503768.tif 000003
からなる群から選択されるターゲッティング可能なコンジュゲート体を投与するステップとを含む。
【００４５】
この方法は、任意選択的に、クリアリング用組成物を被験体に投与し、そして組成物により、局在化していない抗体または抗体フラグメントを循環からクリアリングすることを含む。
【００４６】
さらに、本発明は、被験体における疾患組織を処置または同定するために有用なキットを提供する。この場合、このキットは、
（Ａ）標的組織と特異的に結合する少なくとも１つのアームと、ターゲッティング可能なコンジュゲート体と特異的に結合する少なくとも１つの他のアームとを有し、標的組織と特異的に結合する前記１つのアームがＭｕ−９抗体またはそのフラグメントである二重特異性の抗体または抗体フラグメントと、
（Ｂ）前記二重特異性の抗体または抗体フラグメントの前記少なくとも１つの他のアームによって認識され得るエピトープを少なくとも１つ含むか、またはそのようなエピトープを少なくとも１つ有するキャリア部分と、１つ以上のコンジュゲート化された治療剤または診断剤とを含む第１のターゲッティング可能なコンジュゲート体と、
（Ｃ）任意選択的に、局在化しなかった抗体および抗体フラグメントを循環からクリアリングするために有用なクリアリング用組成物と、
（Ｄ）任意選択的に、前記第１のターゲッティング可能なコンジュゲート体にコンジュゲート化されている前記治療剤が酵素であるときには、
（１）プロドラッグ（この場合、前記酵素は標的部位において前記プロドラッグを薬物に変換することができる）、
（２）前記被験体において解毒されて、毒性がより低い中間体を形成し得る薬物（この場合、前記酵素は前記解毒された中間体を毒性形態に再変換することができ、従って、標的部位において前記薬物の毒性を増大させることができる）、
（３）天然のプロセスによって前記被験体において活性化され、そして毒性がより低い中間体への変換による解毒を受けるプロドラッグ（この場合、前記酵素は前記解毒された中間体を毒性形態に再変換することができ、従って、標的部位において前記薬物の毒性を増大させることができる）、または
（４）前記二重特異性の抗体または抗体フラグメントの前記少なくとも１つの他のアームによって認識され得るエピトープを少なくとも１つ含むか、またはそのようなエピトープを少なくとも１つ有するキャリア部分と、プロドラッグとを含む第２のターゲッティング可能なコンジュゲート体（この場合、前記酵素は標的部位において前記プロドラッグを薬物に変換することができる）
を含む。
【００４７】
本明細書中に記載されるように、ターゲッティング可能なコンジュゲート体は、
（ｉ）ＤＯＴＡ−Ｐｈｅ−Ｌｙｓ（ＨＳＧ）−Ｄ−Ｔｙｒ−Ｌｙｓ（ＨＳＧ）−ＮＨ2；
（ｉｉ）ＤＯＴＡ−Ｐｈｅ−Ｌｙｓ（ＨＳＧ）−Ｔｙｒ−Ｌｙｓ（ＨＳＧ）−ＮＨ2；
（ｉｉｉ）Ａｃ−Ｌｙｓ（ＨＳＧ）Ｄ−Ｔｙｒ−Ｌｙｓ（ＨＳＧ）−Ｌｙｓ（Ｔｓｃｇ−Ｃｙｓ）−ＮＨ2；
【化３】
2005503768.tif 000004
および
【化４】
2005503768.tif 000005
からなるものでよい。
【００４８】
本発明はまた、ターゲッティング可能なコンジュゲート体についてスクリーニングする方法に関する。この場合、この方法は、
（Ａ）前記ターゲッティング可能な構築物を、標的組織と特異的に結合する少なくとも１つのアーム、および前記ターゲッティング可能なコンジュゲート体と特異的に結合する少なくとも１つの他のアームを有し、標的組織と特異的に結合する前記１つのアームがＭｕ−９抗体またはそのフラグメントである二重特異性の抗体または抗体フラグメントと接触させて、混合物を得るステップと、
（Ｂ）任意選択的に、前記混合物をインキュベーションするステップと、
（Ｃ）前記混合物を分析するステップと
を含む。
【００４９】
本発明はさらに、ＣＳＡｐを発現している哺乳動物内の悪性の組織または細胞を画像化するための方法を提供する。この場合、この方法は、
（Ａ）標的組織と特異的に結合する少なくとも１つのアームと、ターゲッティング可能なコンジュゲート体と特異的に結合する少なくとも１つの他のアームとを含み、標的組織と特異的に結合する前記１つのアームがＭｕ−９抗体またはそのフラグメントである二重特異性の抗体または抗体フラグメントの有効量を投与するステップと、
（Ｂ）下記のコンジュゲート体：
（ｉ）ＤＯＴＡ−Ｐｈｅ−Ｌｙｓ（ＨＳＧ）−Ｄ−Ｔｙｒ−Ｌｙｓ（ＨＳＧ）−ＮＨ2；
（ｉｉ）ＤＯＴＡ−Ｐｈｅ−Ｌｙｓ（ＨＳＧ）−Ｔｙｒ−Ｌｙｓ（ＨＳＧ）−ＮＨ2；
（ｉｉｉ）Ａｃ−Ｌｙｓ（ＨＳＧ）Ｄ−Ｔｙｒ−Ｌｙｓ（ＨＳＧ）−Ｌｙｓ（Ｔｓｃｇ−Ｃｙｓ）−ＮＨ2；
【化５】
2005503768.tif 000006
および
【化６】
2005503768.tif 000007
からなる群から選択されるターゲッティング可能なコンジュゲート体を投与するステップと
を含む。
【００５０】
本発明はまた、被験体においてＣＳＡｐを発現している疾患組織を手術中および内視鏡的および血管内で同定／明示する方法を提供する。この場合、この方法は、検出可能な量のＣＳＡｐ標識抗体（好ましくは、フラグメントまたはサブフラグメント）を投与し、それにより、ターゲッティングされなかった標識抗体またはフラグメントに対するクリアリング剤を必要とすることなく前記標識ＣＳＡｐ抗体／フラグメントの投与４８時間以内に、好適なプローブまたは小型カメラによって標識が検出されることを含む。
【００５１】
関連において、本発明は、被験体においてＣＳＡｐを発現している疾患組織を手術中に同定／明示する方法を提供する。この場合、この方法は、
（Ａ）ＣＳＡｐを発現している標的組織と特異的に結合する少なくとも１つのアームと、ターゲッティング可能なコンジュゲート体と特異的に結合する少なくとも１つの他のアームとを含み、標的組織と特異的に結合する前記１つのアームがＭｕ−９抗体またはそのフラグメントである二重特異性の抗体または抗体フラグメントの有効量を投与するステップと、
（Ｂ）下記のコンジュゲート体：
（ｉ）ＤＯＴＡ−Ｐｈｅ−Ｌｙｓ（ＨＳＧ）−Ｄ−Ｔｙｒ−Ｌｙｓ（ＨＳＧ）−ＮＨ2；
（ｉｉ）ＤＯＴＡ−Ｐｈｅ−Ｌｙｓ（ＨＳＧ）−Ｔｙｒ−Ｌｙｓ（ＨＳＧ）−ＮＨ2；
（ｉｉｉ）Ａｃ−Ｌｙｓ（ＨＳＧ）Ｄ−Ｔｙｒ−Ｌｙｓ（ＨＳＧ）−Ｌｙｓ（Ｔｓｃｇ−Ｃｙｓ）−ＮＨ2；
【化７】
2005503768.tif 000008
および
【化８】
2005503768.tif 000009
からなる群から選択されるターゲッティング可能なコンジュゲート体を投与するステップと
を含む。
【００５２】
本発明はさらに、被験体においてＣＳＡｐを発現している疾患組織を内視鏡により同定するための方法に関する。この場合、この方法は、
（Ａ）ＣＳＡｐを発現している標的組織と特異的に結合する少なくとも１つのアームと、ターゲッティング可能なコンジュゲート体と特異的に結合する少なくとも１つの他のアームとを含み、標的組織と特異的に結合する前記１つのアームがＭｕ−９抗体またはそのフラグメントである二重特異性の抗体または抗体フラグメントの有効量を投与するステップと、
（Ｂ）下記のコンジュゲート体：
（ｉ）ＤＯＴＡ−Ｐｈｅ−Ｌｙｓ（ＨＳＧ）−Ｄ−Ｔｙｒ−Ｌｙｓ（ＨＳＧ）−ＮＨ2；
（ｉｉ）ＤＯＴＡ−Ｐｈｅ−Ｌｙｓ（ＨＳＧ）−Ｔｙｒ−Ｌｙｓ（ＨＳＧ）−ＮＨ2；
（ｉｉｉ）Ａｃ−Ｌｙｓ（ＨＳＧ）Ｄ−Ｔｙｒ−Ｌｙｓ（ＨＳＧ）−Ｌｙｓ（Ｔｓｃｇ−Ｃｙｓ）−ＮＨ2；
【化９】
2005503768.tif 000010
および
【化１０】
2005503768.tif 000011
からなる群から選択されるターゲッティング可能なコンジュゲート体を投与するステップと
を含む。
【００５３】
本明細書中にはまた、被験体においてＣＳＡｐを発現している疾患組織を血管内で同定するための方法が提供される。この場合、この方法は、
（Ａ）ＣＳＡｐを発現している標的組織と特異的に結合する少なくとも１つのアームと、ターゲッティング可能なコンジュゲート体と特異的に結合する少なくとも１つの他のアームとを含み、標的組織と特異的に結合する前記１つのアームがＭｕ−９抗体またはそのフラグメントである二重特異性の抗体または抗体フラグメントの有効量を投与すること；そして
（Ｂ）下記のコンジュゲート体：
（ｉ）ＤＯＴＡ−Ｐｈｅ−Ｌｙｓ（ＨＳＧ）−Ｄ−Ｔｙｒ−Ｌｙｓ（ＨＳＧ）−ＮＨ2；
（ｉｉ）ＤＯＴＡ−Ｐｈｅ−Ｌｙｓ（ＨＳＧ）−Ｔｙｒ−Ｌｙｓ（ＨＳＧ）−ＮＨ2；
（ｉｉｉ）Ａｃ−Ｌｙｓ（ＨＳＧ）Ｄ−Ｔｙｒ−Ｌｙｓ（ＨＳＧ）−Ｌｙｓ（Ｔｓｃｇ−Ｃｙｓ）−ＮＨ2；
【化１１】
2005503768.tif 000012
および
【化１２】
2005503768.tif 000013
からなる群から選択されるターゲッティング可能なコンジュゲート体を投与するステップと
を含む。
【００５４】
本発明はまた、内視鏡手法、腹腔鏡手法、血管内カテーテル手法または手術手法のときに病巣部を検出する方法に関する。この場合、この方法は、
（Ａ）ＣＳＡｐ抗原に特異的に結合する第１の抗体結合部位と、ハプテンに特異的に結合する第２の抗体結合部位とを有する二重特異性の抗体またはＦ（ａｂ）2フラグメントまたはＦ（ａｂ’）2フラグメントを、そのような手法を受けることになっている被験体に注射して、抗体フラグメントを標的部位において蓄積させるステップと、
（Ｂ）任意選択的に、二重特異性フラグメントの大部分が注射後約２４時間以内に循環からクリアリングされないならば、ガラクトシル化された抗イディオタイプクリアリング剤を使用して、ターゲッティングされなかった抗体フラグメントをクリアリングし、そして標的部位において迅速に局在化し、かつ腎臓を介してクリアリングされる二価の標識されたハプテンを注射するステップと、
（Ｃ）最初の注射の４８時間以内に、検出手段を用いて、標的部位における蓄積した標識の上昇したレベルを近接範囲検出することによってハプテンの存在を検出し、そして前記手法を行うステップと（この場合、前記検出は、造影剤または消去剤が使用されることなく行われる）
を含む。
【００５５】
好ましい実施形態において、ハプテンは診断用放射性同位体またはＭＲＩ画像増強剤または蛍光標識で標識される。
【００５６】
本発明はさらに、手術手法、血管内手法、腹腔鏡手法または内視鏡手法のときに病巣部を近接範囲検出するための方法に関する。この場合、この方法は、
（ａ）そのような手法に対する被験体に、Ｍｕ−９免疫コンジュゲート体またはそのフラグメントの有効量を非経口的に注射するステップと、
（ｂ）注射の４８時間以内に手法を行うステップと、
（ｃ）前記標識された抗体またはそのフラグメントの存在を検出するための検出手段を用いて近接範囲で被験体の到達内部を走査するステップと、
（ｄ）該検出手段を用いて、そのような部位における前記標識された抗体またはそのフラグメントの上昇したレベルを検出することによって、前記標識された抗体またはそのフラグメントの蓄積部位の位置を明らかにするステップと
を含む。
【００５７】
手術中使用および内視鏡使用および血管内使用の上記例において、診断化合物に結合している標識は、前記標識検出のために作製された、小型カメラを含む好適な装置またはプローブによって検出することができる（例えば、γ線放出同位体が診断／検出用コンジュゲート体であるときにはγ線検出プローブ）（Ｇｏｌｄｅｎｂｅｒｇ、米国特許第５，７１６，５９５号、同第６，０９６，２８９号および米国特許出願第０９／３４８，８１８号を参照のこと、これらはその全体を参照することにより、本明細書中に組み込むものとする）。
【００５８】
本発明はまた、なかでも、標的組織と特異的に結合する少なくとも１つのアームと、広範囲の診断的適用および治療的適用における使用のために修飾され得るターゲッティング可能なコンジュゲート体と特異的に結合する少なくとも１つの他のアームとを有する二重特異性の抗体または抗体フラグメントを提供しようとするものである。
【００５９】
さらに、本発明は、二重特異性抗体と、下記のターゲッティング可能なコンジュゲート体：
（ａ）ＤＯＴＡ−Ｐｈｅ−Ｌｙｓ（ＨＳＧ）−Ｄ−Ｔｙｒ−Ｌｙｓ（ＨＳＧ）−ＮＨ2；
（ｂ）ＤＯＴＡ−Ｐｈｅ−Ｌｙｓ（ＨＳＧ）−Ｔｙｒ−Ｌｙｓ（ＨＳＧ）−ＮＨ2；
（ｃ）Ａｃ−Ｌｙｓ（ＨＳＧ）Ｄ−Ｔｙｒ−Ｌｙｓ（ＨＳＧ）−Ｌｙｓ（Ｔｓｃｇ−Ｃｙｓ）−ＮＨ2；
【化１３】
2005503768.tif 000014
および
【化１４】
2005503768.tif 000015
との組合せを使用する、診断および治療のプレターゲッティング方法、ならびに二重特異性抗体の作成方法、およびそのような方法において使用されるキットを提供する。
【００６０】
本発明者らは、１つ以上の診断剤または治療剤を運ぶことができるターゲッティング可能なコンジュゲート体に対するｂｓＡｂを惹起させることは好都合であることを発見した。この技術を用いることによって、キレーター、金属キレート錯体、治療剤または診断剤の特性を、異なる様々な適用に、それぞれの新しい適用のために新しいｂｓＡｂを惹起させることなく合わせるために変化させることができる。さらに、この方法を使用することによって、２つ以上の異なるキレーターまたは金属キレート錯体または治療剤を本発明のｂｓＡｂとともに使用することができる。
【００６１】
本発明は、被験体における疾患組織を処置または同定する方法に関する。この場合、この方法は、
（Ａ）標的組織と特異的に結合する少なくとも１つのアームと、少なくとも２つのＨＳＧハプテンを含むターゲッティング可能なコンジュゲート体と特異的に結合する少なくとも１つの他のアームとを有する二重特異性の抗体または抗体フラグメントを前記被験体に投与するステップと、
（Ｂ）任意選択的に、前記被験体にクリアリング用組成物を投与し、そして前記組成物により、局在化しなかった抗体または抗体フラグメントを循環からクリアリングするステップと、
（Ｃ）少なくとも２つのＨＳＧハプテンを含むか、または少なくとも２つのＨＳＧハプテンを有するキャリア部分を含み、かつ診断用カチオンもしくは治療用カチオン、および／または１つ以上のキレート化もしくは化学結合した治療剤もしくは診断剤もしくは酵素を含んでもよいターゲッティング可能なコンジュゲート体を前記被験体に投与するステップと、
（Ｄ）前記ターゲッティング可能なコンジュゲート体が酵素を含むときには、前記被験体に、
（１）プロドラッグ（この場合、前記酵素は標的部位において前記プロドラッグを薬物に変換することができる）、
（２）前記被験体において解毒されて、毒性がより低い中間体を形成し得る薬物（この場合、前記酵素は前記解毒された中間体を毒性形態に再変換することができ、従って、標的部位において前記薬物の毒性を増大させることができる）、または
（３）天然のプロセスによって前記被験体において活性化され、そして毒性がより低い中間体への変換による解毒を受けるプロドラッグ（この場合、前記酵素は前記解毒された中間体を毒性形態に再変換することができ、従って、標的部位において前記薬物の毒性を増大させることができる）
をさらに投与するステップと
を含む。
【００６２】
本発明はさらに、哺乳動物における標的細胞または標的組織または標的病原体を検出または処置するための方法に関する。この場合、この方法は、
標的組織と特異的に結合する少なくとも１つのアームと、ターゲッティング可能なコンジュゲート体と特異的に結合する少なくとも１つの他のアームとを含む二重特異性の抗体または抗体フラグメントの有効量を投与するステップと、
ここで、前記少なくとも１つのアームが、標的細胞または標的組織または標的病原体における相補的な結合性成分に、あるいは標的細胞または標的組織または標的病原体によって産生される分子またはそれらに関連する分子における相補的な結合性成分に結合することができ、
下記のコンジュゲート体：
（ａ）ＤＯＴＡ−Ｐｈｅ−Ｌｙｓ（ＨＳＧ）−Ｄ−Ｔｙｒ−Ｌｙｓ（ＨＳＧ）−ＮＨ2；
（ｂ）ＤＯＴＡ−Ｐｈｅ−Ｌｙｓ（ＨＳＧ）−Ｔｙｒ−Ｌｙｓ（ＨＳＧ）−ＮＨ2；
（ｃ）Ａｃ−Ｌｙｓ（ＨＳＧ）Ｄ−Ｔｙｒ−Ｌｙｓ（ＨＳＧ）−Ｌｙｓ（Ｔｓｃｇ−Ｃｙｓ）−ＮＨ2；
【化１５】
2005503768.tif 000016
および
【化１６】
2005503768.tif 000017
からなる群から選択されるターゲッティング可能なコンジュゲート体を投与するステップと
を含む。
【００６３】
本発明はさらに、被験体における疾患組織を処置または同定する方法に関する。この場合、この方法は、
標的組織と特異的に結合する少なくとも１つのアームと、ターゲッティング可能なコンジュゲート体と特異的に結合する少なくとも１つの他のアームとを有する二重特異性の抗体または抗体フラグメントを前記被験体に投与するステップと、
任意選択的に、前記被験体にクリアリング用組成物を投与し、そして前記組成物により、局在化しなかった抗体または抗体フラグメントを循環からクリアリングするステップと、
下記のコンジュゲート体：
（ａ）ＤＯＴＡ−Ｐｈｅ−Ｌｙｓ（ＨＳＧ）−Ｄ−Ｔｙｒ−Ｌｙｓ（ＨＳＧ）−ＮＨ2；
（ｂ）ＤＯＴＡ−Ｐｈｅ−Ｌｙｓ（ＨＳＧ）−Ｔｙｒ−Ｌｙｓ（ＨＳＧ）−ＮＨ2；
（ｃ）Ａｃ−Ｌｙｓ（ＨＳＧ）Ｄ−Ｔｙｒ−Ｌｙｓ（ＨＳＧ）−Ｌｙｓ（Ｔｓｃｇ−Ｃｙｓ）−ＮＨ2；
【化１７】
2005503768.tif 000018
および
【化１８】
2005503768.tif 000019
からなる群から選択されるターゲッティング可能なコンジュゲート体を投与するステップと
を含む。
【００６４】
本発明はさらに、被験体における疾患組織を処置または同定するために有用なキットに関する。この場合、このキットは、
（Ａ）標的組織と特異的に結合する少なくとも１つのアームと、ターゲッティング可能なコンジュゲート体と特異的に結合する少なくとも１つの他のアームとを有する二重特異性の抗体または抗体フラグメントで、前記コンジュゲート体が、下記のコンジュゲート体：
（ａ）ＤＯＴＡ−Ｐｈｅ−Ｌｙｓ（ＨＳＧ）−Ｄ−Ｔｙｒ−Ｌｙｓ（ＨＳＧ）−ＮＨ2；
（ｂ）ＤＯＴＡ−Ｐｈｅ−Ｌｙｓ（ＨＳＧ）−Ｔｙｒ−Ｌｙｓ（ＨＳＧ）−ＮＨ2；
（ｃ）Ａｃ−Ｌｙｓ（ＨＳＧ）Ｄ−Ｔｙｒ−Ｌｙｓ（ＨＳＧ）−Ｌｙｓ（Ｔｓｃｇ−Ｃｙｓ）−ＮＨ2；
【化１９】
2005503768.tif 000020
および
【化２０】
2005503768.tif 000021
からなる群から選択される、二重特異性の抗体または抗体フラグメントと、
（Ｂ）前記二重特異性の抗体または抗体フラグメントの前記少なくとも１つの他のアームによって認識され得るエピトープを少なくとも１つ含むか、またはそのようなエピトープを少なくとも１つ有するキャリア部分と、１つ以上のコンジュゲート化された治療剤または診断剤または酵素とを含むターゲッティング可能なコンジュゲート体と、
（Ｃ）任意選択的に、局在化しなかった抗体または抗体フラグメントを循環からクリアリングするために有用なクリアリング用組成物と、
（Ｄ）任意選択的に、前記第１のターゲッティング可能なコンジュゲート体が酵素であるときには、
（１）プロドラッグ（この場合、前記酵素は標的部位において前記プロドラッグを薬物に変換することができる）、
（２）前記被験体において解毒されて、毒性がより低い中間体を形成し得る薬物（この場合、前記酵素は前記解毒された中間体を毒性形態に再変換することができ、従って、標的部位において前記薬物の毒性を増大させることができる）、または
（３）天然のプロセスによって前記被験体において活性化され、そして毒性がより低い中間体への変換による解毒を受けるプロドラッグ（この場合、前記酵素は前記解毒された中間体を毒性形態に再変換することができ、従って、標的部位において前記薬物の毒性を増大させることができる）と
を含む。
【００６５】
本発明はさらに、
（ａ）ＤＯＴＡ−Ｐｈｅ−Ｌｙｓ（ＨＳＧ）−Ｄ−Ｔｙｒ−Ｌｙｓ（ＨＳＧ）−ＮＨ2；
（ｂ）ＤＯＴＡ−Ｐｈｅ−Ｌｙｓ（ＨＳＧ）−Ｔｙｒ−Ｌｙｓ（ＨＳＧ）−ＮＨ2；
（ｃ）Ａｃ−Ｌｙｓ（ＨＳＧ）Ｄ−Ｔｙｒ−Ｌｙｓ（ＨＳＧ）−Ｌｙｓ（Ｔｓｃｇ−Ｃｙｓ）−ＮＨ2；
【化２１】
2005503768.tif 000022
および
【化２２】
2005503768.tif 000023
からなる群から選択されるターゲッティング可能なコンジュゲート体に関する。
【００６６】
本発明はさらに、ターゲッティング可能なコンジュゲート体についてスクリーニングする方法に関する。この場合、この方法は、
前記ターゲッティング可能な構築物を、標的組織と特異的に結合する少なくとも１つのアーム、および前記ターゲッティング可能なコンジュゲート体と特異的に結合する少なくとも１つの他のアームを有する二重特異性の抗体または抗体フラグメントと接触させて、混合物を得ること；
この場合、前記少なくとも１つのアームが、標的細胞または標的組織または標的病原体における相補的な結合性成分に、あるいは標的細胞または標的組織または標的病原体によって産生される分子またはそれらに関連する分子における相補的な結合性成分に結合することができる；および
任意選択的に、前記混合物をインキュベーションすること；そして
前記混合物を分析すること
を含む。
【００６７】
本発明はさらに、哺乳動物において正常な組織を画像化するための方法に関する。この場合、この方法は、
標的組織と特異的に結合する少なくとも１つのアームと、ターゲッティング可能なコンジュゲート体と特異的に結合する少なくとも１つの他のアームとを含む二重特異性の抗体または抗体フラグメントの有効量を投与するステップと、
ここで、前記少なくとも１つのアームが、標的細胞または標的組織または標的病原体における相補的な結合性成分に、あるいは標的細胞または標的組織または標的病原体によって産生される分子またはそれらに関連する分子における相補的な結合性成分に結合することができ、
下記のコンジュゲート体：
（ａ）ＤＯＴＡ−Ｐｈｅ−Ｌｙｓ（ＨＳＧ）−Ｄ−Ｔｙｒ−Ｌｙｓ（ＨＳＧ）−ＮＨ2；
（ｂ）ＤＯＴＡ−Ｐｈｅ−Ｌｙｓ（ＨＳＧ）−Ｔｙｒ−Ｌｙｓ（ＨＳＧ）−ＮＨ2；
（ｃ）Ａｃ−Ｌｙｓ（ＨＳＧ）Ｄ−Ｔｙｒ−Ｌｙｓ（ＨＳＧ）−Ｌｙｓ（Ｔｓｃｇ−Ｃｙｓ）−ＮＨ2；
【化２３】
2005503768.tif 000024
および
【化２４】
2005503768.tif 000025
からなる群から選択されるターゲッティング可能なコンジュゲート体を投与するステップと
を含む。
【００６８】
本発明はさらに、被験体における疾患組織を手術中に同定する方法に関する。この場合、この方法は、
標的組織と特異的に結合する少なくとも１つのアームと、ターゲッティング可能なコンジュゲート体と特異的に結合する少なくとも１つの他のアームとを含む二重特異性の抗体または抗体フラグメントの有効量を投与するステップと、
ここで、前記少なくとも１つのアームが、標的細胞または標的組織または標的病原体における相補的な結合性成分に、あるいは標的細胞または標的組織または標的病原体によって産生される分子またはそれらに関連する分子における相補的な結合性成分に結合することができ、
下記のコンジュゲート体：
（ａ）ＤＯＴＡ−Ｐｈｅ−Ｌｙｓ（ＨＳＧ）−Ｄ−Ｔｙｒ−Ｌｙｓ（ＨＳＧ）−ＮＨ2；
（ｂ）ＤＯＴＡ−Ｐｈｅ−Ｌｙｓ（ＨＳＧ）−Ｔｙｒ−Ｌｙｓ（ＨＳＧ）−ＮＨ2；
（ｃ）Ａｃ−Ｌｙｓ（ＨＳＧ）Ｄ−Ｔｙｒ−Ｌｙｓ（ＨＳＧ）−Ｌｙｓ（Ｔｓｃｇ−Ｃｙｓ）−ＮＨ2；
【化２５】
2005503768.tif 000026
および
【化２６】
2005503768.tif 000027
からなる群から選択されるターゲッティング可能なコンジュゲート体を投与するステップと
を含む。
【００６９】
本発明はさらに、被験体における疾患組織を内視鏡により同定する方法に関する。この場合、この方法は、
標的組織と特異的に結合する少なくとも１つのアームと、ターゲッティング可能なコンジュゲート体と特異的に結合する少なくとも１つの他のアームとを含む二重特異性の抗体または抗体フラグメントの有効量を投与するステップと、
ここで、前記少なくとも１つのアームが、標的細胞または標的組織または標的病原体における相補的な結合性成分に、あるいは標的細胞または標的組織または標的病原体によって産生される分子またはそれらに関連する分子における相補的な結合性成分に結合することができ、
下記のコンジュゲート体：
（ａ）ＤＯＴＡ−Ｐｈｅ−Ｌｙｓ（ＨＳＧ）−Ｄ−Ｔｙｒ−Ｌｙｓ（ＨＳＧ）−ＮＨ2；
（ｂ）ＤＯＴＡ−Ｐｈｅ−Ｌｙｓ（ＨＳＧ）−Ｔｙｒ−Ｌｙｓ（ＨＳＧ）−ＮＨ2；
（ｃ）Ａｃ−Ｌｙｓ（ＨＳＧ）Ｄ−Ｔｙｒ−Ｌｙｓ（ＨＳＧ）−Ｌｙｓ（Ｔｓｃｇ−Ｃｙｓ）−ＮＨ2；
【化２７】
2005503768.tif 000028
および
【化２８】
2005503768.tif 000029
からなる群から選択されるターゲッティング可能なコンジュゲート体を投与するステップと
を含む。
【００７０】
本発明はさらに、被験体における疾患組織を血管内で同定する方法に関する。この場合、この方法は、
標的組織と特異的に結合する少なくとも１つのアームと、ターゲッティング可能なコンジュゲート体と特異的に結合する少なくとも１つの他のアームとを含む二重特異性の抗体または抗体フラグメントの有効量を投与するステップと、
ここで、前記少なくとも１つのアームが、標的細胞または標的組織または標的病原体における相補的な結合性成分に、あるいは標的細胞または標的組織または標的病原体によって産生される分子またはそれらに関連する分子における相補的な結合性成分に結合することができ、
下記のコンジュゲート体：
（ａ）ＤＯＴＡ−Ｐｈｅ−Ｌｙｓ（ＨＳＧ）−Ｄ−Ｔｙｒ−Ｌｙｓ（ＨＳＧ）−ＮＨ2；
（ｂ）ＤＯＴＡ−Ｐｈｅ−Ｌｙｓ（ＨＳＧ）−Ｔｙｒ−Ｌｙｓ（ＨＳＧ）−ＮＨ2；
（ｃ）Ａｃ−Ｌｙｓ（ＨＳＧ）Ｄ−Ｔｙｒ−Ｌｙｓ（ＨＳＧ）−Ｌｙｓ（Ｔｓｃｇ−Ｃｙｓ）−ＮＨ2；
【化２９】
2005503768.tif 000030
および
【化３０】
2005503768.tif 000031
からなる群から選択されるターゲッティング可能なコンジュゲート体を投与するステップと
を含む。
【００７１】
本発明のこれらの態様および実施形態ならびに他の態様および実施形態は、下記の説明および添付された請求項を参照することによって明らかになる。
【発明を実施するための最良の形態】
【００７２】
Ｉ．概略
本発明は抗体および抗体フラグメントを包含する。抗体フラグメントは、抗体の抗原結合部分であり、例えば、Ｆ（ａｂ’）2、Ｆ（ａｂ）2、Ｆａｂ’、Ｆａｂなどである。抗体フラグメントは、完全な抗体によって認識される同じ抗原に結合する。例えば、抗ＣＤ２２モノクローナル抗体フラグメントまたは抗ＣＳＡｐモノクローナル抗体フラグメントは、それぞれ、ＣＤ２２またはＣＳＡｐのエピトープに結合する。
【００７３】
用語「抗体フラグメント」にはまた、特定の抗原に結合して、複合体を形成することによって抗体のように作用する任意の合成タンパク質または遺伝子操作タンパク質も含まれる。例えば、抗体フラグメントには、単離されたフラグメント、重鎖および軽鎖の可変領域からなる「Ｆｖ」フラグメント、軽鎖可変領域および重鎖可変領域がペプチドリンカーによってつながれている組換え単鎖ポリペプチド分子（「ｓＦｖタンパク質」）、そして「超可変領域」を模倣するアミノ酸残基からなる最小認識ユニットが含まれる。これらのいわゆる「超可変領域」または「相補性決定領域」（ＣＤＲ）の３つが軽鎖または重鎖の各可変領域において見出されている。それぞれのＣＤＲは、比較的保存されたフレームワーク領域（ＦＲ）によって挟まれている。ＦＲは、可変領域の構造的一体性を維持すると考えられている。軽鎖のＣＤＲおよび対応する重鎖のＣＤＲにより、抗原結合部位が形成される。ＣＤＲの「超可変性」により、抗体の特異性の多様性が説明される。
【００７４】
本発明でまた、ヒト抗ＣＳＡｐ抗体、キメラ抗ＣＳＡｐ抗体、ヒト化抗ＣＳＡｐ抗体およびそれらのフラグメントが考えられる。本発明の完全なヒト抗ＣＳＡｐ抗体は、好ましくは、Ｍｕ−９抗原に対するものである。ヒト抗体は、例えば、抗原性の刺激負荷に応答して特定のヒト抗体を産生するように「操作」されている遺伝子組換えマウスから得られる抗体である。この技術では、ヒトの重鎖遺伝子座および軽鎖遺伝子座の様々なエレメントが、内因性の重鎖遺伝子座および軽鎖遺伝子座のターゲッティングされた様々な破壊を含有する胚幹細胞株に由来するマウス系統に導入される。遺伝子組換えマウスは、ヒト抗原に対して特異的なヒト抗体を合成することができ、従って、ヒト抗体を分泌するハイブリドーマを製造するために使用することができる。遺伝子組換えマウスからヒト抗体を得るための様々な方法が、Ｇｒｅｅｎら、Ｎａｔｕｒｅ  Ｇｅｎｅｔ．７：１３（１９９４）；Ｌｏｎｂｅｒｇら、Ｎａｔｕｒｅ、３６８：８５６（１９９４）；およびＴａｙｌｏｒら、Ｉｎｔ．Ｉｍｍｕｎ．６：５７９（１９９４）によって記載される。完全なヒト抗体はまた、遺伝子トランスフェクション法または染色体トランスフェクション法、ならびにファージディスプレー技術によって構築することができ、これらはすべて当分野では知られている。例えば、非免疫化ドナーに由来する免疫グロブリンの可変ドメイン遺伝子レパートリーからヒト抗体またはそのフラグメントをインビボで製造することについては、ＭｃＣａｆｆｅｒｔｙら、Ｎａｔｕｒｅ、３４８：５５２〜５５３（１９９０）を参照のこと。この技術では、抗体可変ドメインの遺伝子が、繊維状バクテリオファージの主コートタンパク質遺伝子または微量コートタンパク質遺伝子のいずれかに読み枠を合わせてクローニングされ、ファージ粒子の表面に機能的な抗体フラグメントとして呈示される。繊維状粒子はファージゲノムの一本鎖ＤＮＡコピーを含有するので、抗体の機能的性質に基づく選択によりまた、そのような性質を示す抗体をコードする遺伝子の選択がもたらされる。このようにして、ファージはＢ細胞の性質のいくつかを模倣する。ファージディスプレーは様々な形式で行うことができ、それらの総説については、例えば、ＪｏｈｎｓｏｎおよびＣｈｒｉｓｗｅｌｌ、Ｃｕｒｒｅｎｔ  Ｏｐｉｎｉｏｎ  ｉｎ  Ｓｔｒｕｃｔｕｒａｌ  Ｂｉｏｌｏｇｙ、３：５５６４〜５７１（１９９３）を参照のこと。
【００７５】
ヒト抗体はまた、インビトロで活性化されたＢ細胞によって作製することができる。米国特許第５，５６７，６１０号および同第５，２２９，２７５号（これらはその全体を参照することによって本明細書に組み込むものとする）を参照のこと。
【００７６】
本発明はまた、キメラな抗ＣＳＡｐモノクローナル抗体またはそのフラグメントを提供する。キメラな抗ＣＳＡｐ抗体またはそのフラグメントは非ヒト抗ＣＳＡｐ抗体の軽鎖可変領域および重鎖可変領域を含有しており、これらはヒト抗体の軽鎖定常領域および重鎖定常領域に連結されている。好ましくは、軽鎖可変領域および重鎖可変領域はネズミ抗ＣＳＡｐ抗体に由来する。好ましい実施形態において、抗ＣＳＡｐ抗体はＣＳＡｐ抗原表面のＭｕ−９エピトープと結合する。従って、Ｍｕ−９抗体は、Ｍｕ−９エピトープに結合する抗ＣＳＡｐ抗体である。
【００７７】
ｃＭｕ−９の作製方法が下記に詳しく記載される。簡単に記載すると、Ｍｕ−９ｍＡｂのＶκ領域およびＶH領域をコードするｃＤＮＡが単離され、そしてヒトκ軽鎖定常領域配列およびヒトγ１鎖配列の遺伝子をそれぞれ含む哺乳動物発現ベクターに別々に組換え的にサブクローニングされた。哺乳動物細胞をこれらの２つの組換えＤＮＡで同時トランスフェクションすることにより、元のＭｕ−９ｍＡｂのように、ＣＳＡｐ抗原に強く結合するｃＭｕ−９ｍＡｂの発現がもたらされた。
【００７８】
好ましい実施形態において、ｃＭｕ−９抗体の軽鎖可変領域は配列番号  のアミノ酸（図２Ｂ）を含み、またはｃＭｕ−９抗体の重鎖可変領域は配列番号  のアミノ酸（図２Ａ）を含む。さらに好ましくは、ｃＭｕ−９抗体の軽鎖可変領域は配列番号  のアミノ酸（図２Ｂ）を含み、ｃＭｕ−９抗体の重鎖可変領域は配列番号  のアミノ酸（図２Ａ）を含む。
【００７９】
本発明はさらに、ヒト化Ｍｕ−９（ｈＭｕ−９）モノクローナル抗体（ｍＡｂ）またはそのフラグメントを提供する。ｈＭｕ−９抗体またはフラグメントは非ヒトＭｕ−９抗体の軽鎖可変領域および重鎖可変領域の相補性決定領域（ＣＤＲ）を含有しており、これらはヒト抗体の軽鎖可変領域および重鎖可変領域のフレームワーク（ＦＲ）領域に連結され、フレームワーク（ＦＲ）領域は続いてヒト抗体の軽鎖定常領域および重鎖定常領域に連結されている。このヒト化抗体またはフラグメントは、元のＭｕ−９抗体のＣＳＡｐ抗原特異性を保持しているが、ヒト被験体における免疫原性が小さくなっている。
【００８０】
ｈＭｕ−９の作製方法が下記に詳しく記載される。しかし、簡単に記載すると、ｈＭｕ−９を作製するために、ＶκＤＮＡおよびＶHＤＮＡのＣＤＲが、上記に記載されるようにｈＭｕ−９を哺乳動物細胞において発現するように、ヒトのＶκ領域およびＶH領域のフレームワーク（ＦＲ）配列にそれぞれ組換え的に連結され、続いて、ヒトのκ定常領域およびγ１定常領域にそれぞれ連結される。
【００８１】
本発明の別の実施形態において、ｈＭｕ−９、すなわち、軽鎖可変領域のＣＤＲは、配列番号  のアミノ酸２４〜３４を含むＣＤＲ１（図２Ｂ）と、配列番号  のアミノ酸５０〜５６を含むＣＤＲ２（図２Ｂ）と、配列番号  のアミノ酸８９〜９７を含むＣＤＲ３（図２Ｂ）とを含み、そして重鎖可変領域のＣＤＲは、配列番号  のアミノ酸３１〜３５を含むＣＤＲ１（図２Ａ）と、配列番号  のアミノ酸５０〜６４を含むＣＤＲ２（図２Ａ）と、配列番号  のアミノ酸９５〜９７を含むＣＤＲ３（図２Ａ）とを含む。
【００８２】
本発明の他の好ましい実施形態には、配列番号  の軽鎖可変領域（図４Ｂ）および／または配列番号  の重鎖可変領域（図４Ａ）を含む抗ＣＳＡｐ抗体フラグメントが含まれる。
【００８３】
本明細書において、表現「ｃＭｕ−９」または表現「ｃＭｕ−９ｍＡｂ」は、非ヒトＶｋ領域および非ヒトＶＨ領域をヒトの定常的な軽鎖および重鎖にそれぞれ連結またはサブクローニングすることによって構築されるキメラなモノクローナル抗体を示すことが意図される。表現「ｈＭｕ−９」または表現「ｈＭｕ−９ｍＡｂ」は、ｃＭｕ−９内の非ヒトＦＲ配列をヒトフレームワーク領域の配列で置換することによる、キメラなモノクローナル抗体のヒト化を示すことが意図される。好ましくは、本発明の抗ＣＳＡｐヒト化抗体およびそのフラグメントは、対応する非ヒト軽鎖フレームワ−ク領域または非ヒト重鎖フレームワーク領域の少なくとも１つのアミノ酸が保持されているフレームワーク領域配列を含む。好ましくは、ネズミ抗体のＦＲに由来するアミノ酸が、対応するヒト化抗体の同じ位置において保持されている。
【００８４】
キメラ抗体は、１つの種に由来する抗体（好ましくは、齧歯類抗体）の相補性決定基（ＣＤＲ）を含む可変ドメインを含有する組換えタンパク質であり、その一方で、抗体分子の定常ドメインはヒト抗体の定常ドメインに由来する。獣医学的適用のためには、キメラ抗体の定常ドメインは、ネコまたはイヌなどの他の種の定常ドメインに由来し得る。
【００８５】
ヒト化抗体は、１つの種に由来する抗体（例えば、齧歯類抗体）に由来するＣＤＲが、齧歯類抗体の重鎖可変鎖および軽鎖可変鎖からヒトの重鎖可変ドメインおよび軽鎖可変ドメインに移されている組換えタンパク質である。抗体分子の定常ドメインはヒト抗体の定常ドメインに由来する。
【００８６】
本発明ではまた、抗ＣＳＡｐ抗体フラグメントが考えられる。抗体フラグメントは、抗体の抗原結合部分であり、例えば、Ｆ（ａｂ’）2、Ｆ（ａｂ）2、Ｆａｂ’、Ｆａｂなどである。抗体フラグメントは、完全な抗体のＣＤＲを１つ以上含有しており、完全な抗体によって認識される同じ抗原に結合する。例えば、抗結腸特異的抗原−ｐ（ａｎｔｉ−ｃｏｌｏｎ−ｓｐｅｃｉｆｉｃ  ａｎｔｉｇｅｎ−ｐ；ＣＳＡｐ）モノクローナル抗体フラグメントは結腸特異的抗原−ｐのエピトープに結合する。
【００８７】
また、本発明は、標的組織に対して反応し得る少なくとも１つのアームと、ターゲッティング可能な構築物に対して反応し得る少なくとも１つの他のアームとを有する二重特異性の抗体または抗体フラグメントを提供する。ターゲッティング可能な構築物は、キャリア部分と、少なくとも２ユニットの認識可能なハプテンとから構成される。認識可能なハプテンの例には、ヒスタミンスクシニルグリシン（ＨＳＧ）およびフルオレセインイソチオシアナートが含まれるが、これらに限定されない。ターゲッティング可能な構築物は、疾患組織を処置または同定するために有用な様々な薬剤にコンジュゲートすることができる。コンジュゲートされた薬剤の例には、キレーター、金属キレート錯体、薬物、毒素（例えば、リシン、アブリン、リボヌクレアーゼ、ＤＮａｓｅＩ、ブドウ球菌のエンドトキシンＡ、アメリカヤマゴボウの抗ウイルス性タンパク質、ゲロニン、ジフテリアトキシン、シュードモナスのエキソトキシン、シュードモナスのエンドトキシン）および他のエフェクター分子が含まれるが、これらに限定されない。さらに、プロドラッグを活性化させるために有用な酵素、または薬物の標的特異的な毒性を増大させるために有用な酵素をターゲッティング可能な構築物にコンジュゲートすることができる。従って、ターゲッティング可能な構築物に対して反応し得るｂｓＡｂの使用により、様々な治療的適用および診断／検出的適用が、それぞれの適用について新しいｂｓＡｂを惹起させることなく可能になる。
【００８８】
さらに、本発明には、哺乳動物における標的細胞または標的組織または標的病原体を検出または処置するための方法が含まれる。この場合、この方法は、標的組織と特異的に結合する少なくとも１つのアームと、ターゲッティング可能なコンジュゲート体と特異的に結合する少なくとも１つの他のアームとを含む二重特異性の抗体または抗体フラグメントの有効量を投与することを含む。本明細書中で使用される用語「病原体」には、菌類、ウイルス（例えば、ヒト免疫不全症ウイルス（ＨＩＶ）、ヘルペスウイルス、サイトメガロウイルス、狂犬病ウイルス、インフルエンザウイルス、Ｂ型肝炎ウイルス、センダイウイルス、ネコ白血病ウイルス、レオウイルス、ポリオウイルス、ヒト血清パルボ様ウイルス、シミアンウイルス４０、呼吸器合胞体ウイルス、マウス乳腫瘍ウイルス、水痘帯状疱疹ウイルス、デングウイルス、風疹ウイルス、麻疹ウイルス、アデノウイルス、ヒトＴ細胞白血病ウイルス、エプスタイン−バールウイルス、マウス白血病ウイルス、ムンプスウイルス、水疱性口内炎ウイルス、シンドビスウイルス、リンパ球性脈絡髄膜炎ウイルス、イボウイルスおよびブルータングウイルス）、寄生虫、および細菌（例えば、ストレプトコッカス・アガラクチアエ（Ｓｔｒｅｐｔｏｃｏｃｃｕｓ  ａｇａｌａｃｔｉａｅ）、レジオネラ・ニューモフィリア（Ｌｅｇｉｏｎｅｌｌａ  ｐｎｅｕｍｏｐｈｉｌｉａ）、化膿連鎖球菌、大腸菌、淋菌、髄膜炎菌、肺炎球菌、Ｂ型インフルエンザ菌、梅毒トレポネーマ、ライム病スピロヘータ、緑膿菌、らい菌、ウシ流産菌、結核菌および破傷風毒素）が含まれるが、これらに限定されない。米国特許第５，３３２，５６７号を参照のこと。
【００８９】
ＣＳＡｐ抗原をターゲッティングしない抗体を本発明において使用することができる。例えば、がん腫に関連する抗原に対する抗体、特に胃腸系のがん腫（結腸、直腸、膵臓の腫瘍）および卵巣がんに関連する他の抗原に対する抗体を、ＣＳＡｐ抗体と組み合わせることができ、そしてＣＳＡｐ抗体との融合パートナーとしてもまた使用することができる。壊死、血管形成因子、免疫応答因子（例えば、ＣＤ４０）、ならびにがん遺伝子の産物に関連する細胞内抗原および他の抗原に対する抗体もまた、ＣＳＡｐ抗体と組み合わせて使用することができ、そしてＣＳＡｐ抗体に対する融合パートナーとして使用することができる。抗壊死抗体が、Ｅｐｓｔｅｉｎらの米国特許第６，０７１，４９１号、同第６，０１７，５１４号、同第５，０１９，３６８号および同第５，８８２，６２６号に記載され、参照することにより本明細書に組み込まれる。
【００９０】
キメラ抗ＣＳＡｐ抗体およびヒト化抗ＣＳＡｐ抗体およびヒト抗ＣＳＡｐ抗体またはそれらのフラグメントと診断試薬または治療試薬との間の免疫コンジュゲート体を、薬学的に受容可能なビヒクル（例えば、Ｒｅｍｉｎｇｔｏｎ’ｓ  Ｐｈａｒｍａｃｅｕｔｉｃａｌ  Ｓｃｉｅｎｃｅｓ（第１８版）、Ｍａｃｋ  Ｐｕｂｌｉｓｈｉｎｇ  Ｃｏ．、Ｅａｓｔｏｎ、Ｐａ．、１９９０を参照のこと）に配合して、調製することができる。免疫コンジュゲート体は、抗体成分と治療剤または診断剤とのコンジュゲート体である。ランダム（非特異的）なコンジュゲート化は、結合活性が低下した生成物をもたらすことが多いので、例えば、炭水化物部分を介して、例えば、酸化された炭水化物誘導体などを介して試薬が抗体に部位特異的に結合しているコンジュゲート体を使用することが好ましい。炭水化物部分は、免疫反応性を変化させることなく、部位特異的な変異誘発によって抗体に導入することができる。そのようなコンジュゲート体の製造方法ならびに診断剤および治療剤におけるそれらの使用が、例えば、Ｓｈｉｈらの米国特許第５，０５７，３１３号；Ｓｈｉｈら、Ｉｎｔ．Ｊ．Ｃａｎｃｅｒ、４１：８３２（１９８８）；およびＨａｎｓｅｎらの米国特許第５，４４３，９５３号に示される（これらの内容は参照することによって本明細書中に組み込まれる）。ポリマーキャリアを使用しない、酸化された炭水化物に対する試薬の直接的な結合が、ＭｃＫｅａｒｎらの米国特許第５，１５６，８４０号に記載される（これもまた参照することにより組み込まれる）。
【００９１】
広範囲の診断／検出試薬および治療試薬を本発明の抗体に都合よくコンジュゲートすることができる。これらには、種々の種類の化学治療剤、例えば、アントラサイクリン類、抗生物質、アルキル化剤、抗細胞分裂阻止剤、抗血管形成剤、植物アルカロイド、ＣＯＸ阻害剤、代謝拮抗剤など、例えば、ドキソルビシン、ＣＰＴ−１１、オキサリプラチン、メトトレキサート、タキソールおよび他のタキサン類など；蛍光性分子などの検出可能な標識、または重金属もしくは放射性核種などの細胞傷害性薬剤が複合体化され得るキレーター、例えば、ＤＴＰＡなど；シュードモナスのエキソトキシンなどの毒素、ＲＮＡｓｅ、ゲロニンなどが含まれるが、これらに限定されない。
【００９２】
治療剤は、抗体成分とは別個に、もしくは抗体成分と同時に、もしくは抗体成分と連続して投与されるか、または抗体成分（すなわち、抗体もしくは抗体フラグメント）もしくはサブフラグメントにコンジュゲート化される、疾患の処置において有用な分子または原子である。治療剤の例には、抗体、抗体フラグメント、薬物、毒素、酵素、酵素阻害剤、ヌクレアーゼ、ホルモン、ホルモンアンタゴニスト、免疫調節因子、キレーター、ホウ素化合物、ウラン原子、光活性な薬剤または色素、および放射性核種が含まれる。β粒子放出によって実質的に崩壊する、治療剤における放射性核種には、Ｐ−３２、Ｐ−３３、Ｓｃ−４７、Ｆｅ−５９、Ｃｕ−６４、Ｃｕ−６７、Ｓｅ−７５、Ａｓ−７７、Ｓｒ−８９、Ｙ−９０、Ｍｏ−９９、Ｒｈ−１０５、Ｐｄ−１０９、Ａｇ−１１１、Ｉ−１２５、Ｉ−１３１、Ｐｒ−１４２、Ｐｒ−１４３、Ｐｍ−１４９、Ｓｍ−１５３、Ｔｂ−１６１、Ｈｏ−１６６、Ｅｒ−１６９、Ｌｕ−１７７、Ｒｅ−１８６、Ｒｅ−１８８、Ｒｅ−１８９、Ｉｒ−１９４、Ａｕ−１９８、Ａｕ−１９９、Ｐｂ−２１１、Ｐｂ−２１２およびＢｉ−２１３が含まれるが、これらに限定されない。有用なβ粒子放出核種の最大崩壊エネルギーは、好ましくは２０ｋｅＶ〜５，０００ｋｅＶであり、より好ましくは１００ｋｅＶ〜４，０００ｋｅＶであり、最も好ましくは５００ｋｅＶ〜２，５００ｋｅＶである。オージェ放出粒子を伴って実質的に崩壊する放射性核種もまた好ましい。例えば、Ｃｏ−５８、Ｇａ−６７、Ｂｒ−８０ｍ、Ｔｃ−９９ｍ、Ｒｈ−１０３ｍ、Ｐｔ−１０９、Ｉｎ−１１１、Ｓｂ−１１９、Ｉ−１２５、Ｈｏ−１６１、Ｏｓ−１８９ｍおよびＩｒ−１９２。有用なオージェ粒子放出核種の崩壊エネルギーは、好ましくは１，０００ｋｅＶ未満であり、より好ましくは１００ｋｅＶ未満であり、最も好ましくは７０ｋｅＶ未満である。α粒子の生成を伴って実質的に崩壊する放射性核種もまた好ましい。そのような放射性核種には、Ｄｙ−１５２、Ａｔ−２１１、Ｂｉ−２１２、Ｒａ−２２３、Ｒｎ−２１９、Ｐｏ−２１５、Ｂｉ−２１１、Ａｃ−２２５、Ｆｒ−２２１、Ａｔ−２１７、Ｂｉ−２１３、Ｆｍ−２５５が含まれるが、これらに限定されない。有用なα粒子放出放射性核種の崩壊エネルギーは、好ましくは２，０００ｋｅＶ〜１０，０００ｋｅＶであり、より好ましくは３，０００ｋｅＶ〜８，０００ｋｅＶであり、最も好ましくは４，０００ｋｅＶ〜７，０００ｋｅＶである。
【００９３】
酵素もまた有用な治療剤である。例えば、ホスファート含有プロドラッグと組み合わせて使用されるアルカリホスファターゼ（米国特許第４，９７５，２７８号）；スルファート含有プロドラッグと組み合わせて使用されるアリールスルファターゼ（米国特許第５，２７０，１９６号）；ペプチドに基づくプロドラッグと組み合わせて使用されるペプチダーゼおよびプロテアーゼ、例えば、セラチアプロテアーゼ、サーモリシン、ズブチリシン、カルボキシペプチダーゼ（米国特許第５，６６０，８２９号、同第５，５８７，１６１号、同第５，４０５，９９０号）およびカテプシン類（カテプシンＢおよびＬを含む）；Ｄ−アミノ酸修飾プロドラッグと組み合わせて使用されるＤ−アラニルカルボキシペプチダーゼ；グリコシル化プロドラッグと組み合わせて使用されるβ−ガラクトシダーゼおよびノイラミニダーゼなどの炭水化物切断酵素（米国特許第５，５６１，１１９号、同第５，６４６，２９８号）；β−ラクタム含有プロドラッグと組み合わせて使用されるβ−ラクタマーゼ；フェノキシアセトアミド基またはフェニルアセトアミド基によりそのアミノ窒素が誘導体化された薬物と組み合わせて使用されるペニシリンアミダーゼ、例えば、ペニシリンＶアミダーゼ（米国特許第４，９７５，２７８号）またはペニシリンＧアミダーゼなど；および５−フルオロシトシンに基づくプロドラッグ（米国特許第４，９７５，２７８号）と組み合わせて使用されるシトシンデアミナーゼ（米国特許第５，３３８，６７８号、同第５，５４５，５４８号）が、本発明のための好適な治療剤である。
【００９４】
混合療法における使用または抗体に対するコンジュゲート体形成のために好適な抗血管形成剤（または血管形成阻害剤）には、アンギオスタチン、エンドスタチン、バスクロスタチン、カンスタチンおよびマスピンが含まれる。
【００９５】
他の有用な治療剤には、金属（光力学的治療の一部としての金属など）および核種（中性子捕獲法に基づく治療において有益な核種など）が含まれる。具体的には、亜鉛、アルミニウム、ガリウム、ルテチウムおよびパラジウムが光力学的治療のために有用であり、Ｂ−１０、Ｇｄ−１５７およびＵ−２３５が中性子捕獲治療のために有用である。
【００９６】
診断／検出剤は、抗体成分（すなわち、抗体または抗体フラグメント）またはサブフラグメントにコンジュゲートされて投与され、そして疾患関連抗原を含む細胞を突き止めることによって疾患を診断／検出することにおいて有用である分子または原子である。有用な診断／検出剤には、放射性同位体、色素（ビオチン−ストレプアビジン複合体に関する場合など）、放射線不透過性物質（例えば、ヨウ素化合物、バリウム化合物、ガリウム化合物およびタリウム化合物など）、造影剤、蛍光性の化合物または分子、および磁気共鳴画像化（ＭＲＩ）用の増強剤（例えば、常磁性イオン）が含まれるが、これらに限定されない。米国特許第６，３３１，１７５号には、ＭＲＩ技術およびＭＲＩ増強剤にコンジュゲート化された抗体の調製が記載されており、この文献はその開示内容全体を参照することにより本明細書に組み込まれる。好ましくは、診断剤は、核画像化、手術中検出および内視鏡検出のための放射性同位体、磁気共鳴画像化または超音波検査において使用される増強剤、Ｘ線写真およびコンピューター断層撮影法のための放射線不透過性薬剤および造影剤、透視検査法（内視鏡透視検査法を含む）のための蛍光性化合物からなる群から選択される。抗体にコンジュゲート化されるか、または二重特異性のプレターゲッティング方法において使用される蛍光性薬剤および放射性薬剤は、Ｇｏｌｄｅｎｂｅｒｇの米国特許第５，７１６，５９５号、同第６，０９６，２８９号および米国特許出願第０９／３４８，８１８号（これらの文献はその開示内容全体が参照することにより本明細書中に組み込まれる）に開示されるように、特に、γ線放射体、β線放射体および陽電子放射体を用いて、疾患に冒された組織または細胞塊（悪性腫瘍など）に関連するターゲッティングされた抗原を、内視鏡により、または手術中に、または血管内で検出するために特に有用である。陽電子放射断層撮影法に有用な放射性核種には、Ｆ−１８、Ｍｎ−５１、Ｍｎ−５２ｍ、Ｆｅ−５２、Ｃｏ−５５、Ｃｕ−６２、Ｃｕ−６４、Ｇａ−６８、Ａｓ−７２、Ｂｒ−７５、Ｂｒ−７６、Ｒｂ−８２ｍ、Ｓｒ−８３、Ｙ−８６、Ｚｒ−８９、Ｔｃ−９４ｍ、Ｉｎ−１１０、Ｉ−１２０およびＩ−１２４が含まれるが、これらに限定されない。有用な陽電子放出放射性核種の総崩壊エネルギーは、好ましくは２，０００ｋｅＶ未満であり、より好ましくは１，０００ｋｅＶ未満であり、最も好ましくは７００ｋｅＶ未満である。γ線検出を利用する診断剤として有用な放射性核種には、Ｃｒ−５１、Ｃｏ−５７、Ｃｏ−５８、Ｆｅ−５９、Ｃｕ−６７、Ｇａ−６７、Ｓｅ−７５、Ｒｕ−９７、Ｔｃ−９９ｍ、Ｉｎ−１１１、Ｉｎ−１１４ｍ、Ｉ−１２３、Ｉ−１２５、Ｉ−１３１、Ｙｂ−１６９、Ｈｇ−１９７およびＴｌ−２０１が含まれるが、これらに限定されない。有用なγ線放出放射性核種の崩壊エネルギーは、好ましくは２０ｋｅＶ〜２０００ｋｅＶであり、より好ましくは６０ｋｅＶ〜６００ｋｅＶであり、最も好ましくは１００ｋｅＶ〜３００ｋｅＶである。
【００９７】
本発明のために好適な常磁性イオンには、クロム（ＩＩＩ）、マンガン（ＩＩ）、鉄（ＩＩＩ）、鉄（ＩＩ）、コバルト（ＩＩ）、ニッケル（ＩＩ）、銅（ＩＩ）、ネオジム（ＩＩＩ）、サマリウム（ＩＩＩ）、イッテルビウム（ＩＩＩ）、ガドリニウム（ＩＩＩ）、バナジウム（ＩＩ）、テルビウム（ＩＩＩ）、ジスプロシウム（ＩＩＩ）、ホルミウム（ＩＩＩ）およびエルビウム（ＩＩＩ）が含まれ、ガドリニウムが特に好ましい。
Ｘ線画像化などの他の関連で有用なイオンには、ランタン（ＩＩＩ）、金（ＩＩＩ）、鉛（ＩＩ）および特にビスマス（ＩＩＩ）が含まれるが、これらに限定されない。蛍光標識には、ローダミン、フルオレセインおよびレノグラフィンが含まれる。ローダミンおよびフルオレセインは、多くの場合、イソチオシアナート中間体を介して連結される。
【００９８】
金属は診断剤においてもまた有用であり、これには、磁気共鳴画像化技術のための金属が含まれる。これらの金属には、ガドリニウム、マンガン、鉄、クロム、銅、コバルト、ニッケル、ジスプロシウム、レニウム、ユーロピウム、テルビウム、ホルミウムおよびネオジムが含まれるが、これらに限定されない。抗体成分を放射性金属または常磁性イオンとともに負荷するためには、抗体を、そのようなイオンと結合するための多数のキレート化基が結合している長いテールを有する試薬と反応させることが必要となることがある。そのようなテールは、キレート化基（例えば、エチレンジアミン四酢酸（ＥＤＴＡ）、ジエチレントリアミン五酢酸（ＤＴＰＡ）、ポルフィリン類、ポリアミン、クラウンエーテル、ビスチオセミカルバゾン、ポリオキシム、およびこの目的のために有用であることが知られている同様な基など）が結合し得るペンダント基を有するポリリシンまたは多糖類または他の誘導体化鎖もしくは誘導化可能な鎖などのポリマーであり得る。様々なキレートが、標準的な化学反応を使用してペプチド抗原にカップリングさせられる。キレートは、通常、免疫反応性の最小限の喪失ならびに最小限の凝集および／または内部架橋で分子に対する結合の形成を可能にする基によって抗体に連結される。キレートを抗体にコンジュゲート化するための、より珍しい他の方法および試薬が、米国特許第４，８２４，６５９号（Ｈａｗｔｈｏｒｎｅ）（発明の名称：「Ａｎｔｉｂｏｄｙ  Ｃｏｎｊｕｇａｔｅｓ」、１９８９年４月２５日発行）に開示される（その開示はその全体を参照することにより本明細書中に組み込むものとする）。特に有用な金属−キレートの組合せには、２０ｋｅＶ〜２，０００ｋｅＶの一般的なエネルギー範囲にある診断用同位体とともに使用される２−ベンジル−ＤＴＰＡならびにそのモノメチルアナログおよびシクロヘキシルアナログが含まれる。マンガン、鉄およびガドリニウムなどの非放射性の金属と錯体形成するとき、同じようなキレートは、本発明の抗体と一緒に使用されたときにはＭＲＩのために有用である。大環状キレート、例えば、ＮＯＴＡ、ＤＯＴＡおよびＴＥＴＡなどは、様々な金属および放射性金属に関して有用であり、最も詳細には、ガリウム、イットリウムおよび銅の放射性核種に関してそれぞれ有用である。そのような金属−キレート錯体は、目的とする金属に対して環サイズを調節することによって非常に安定にすることができる。他の環型キレート、例えば、ＲＡＩＴ用の223Ｒａなどの安定に結合する核種に関して注目されている大環状ポリエーテルなども本発明によって包含される。
【００９９】
放射線不透過性物質および造影物質は、Ｘ線写真およびコンピューター断層撮影法を増強するために使用され、これには、ヨウ素化合物、バリウム化合物、ガリウム化合物、タリウム化合物などが含まれる。具体的な化合物には、バリウム、ジアトリゾアート、エチルヨウ化油、クエン酸ガリウム、イオカルム酸、ヨーセタム酸、ヨーダミド、ヨージパミド、ヨードキサム酸、イオグラミド、イオヘキソール、イオパミドール、イオパノ酸、イオプロセム酸、イオセファム酸、イオセル酸、イオスラミドメグルミン、イオセメト酸、イオタスル、イオテトル酸、イオタラム酸、イオトロクス酸、イオキサグル酸、イオクソトリゾ酸、イポダート、メグルミン、メトリザミド、メトリゾアート、プロピリオドンおよび塩化タリウムが含まれる。
【０１００】
本明細書中で使用される用語「被験体」は任意の動物（すなわち、脊椎動物および無脊椎動物）を示し、これには、ヒトおよび他の霊長類、齧歯類（例えば、マウス、ラットおよびモルモット）、ウサギ目（例えば、ウサギ）、ウシ類（例えば、ウシ）、ヒツジ類（例えば、ヒツジ）、ヤギ類（例えば、ヤギ）、ブタ類（例えば、ブタ）、ウマ類（例えば、ウマ）、イヌ類（例えば、イヌ）、ネコ類（例えば、ネコ）、家禽（例えば、ニワトリ、七面鳥、アヒル、ガチョウ、他のキジ目鳥類など）、ならびに野生動物または非飼育動物（有蹄類（例えば、シカ）、クマ、魚類、ウサギ目、齧歯類、鳥類などのような動物を含むが、これらに限定されない）が含まれるが、これらに限定されない。この用語は特定の年齢または性に限定されることが意図されない。従って、成体および新生児の被験体ならびに胎児が、雄性または雌性のいずれでもあっても、この用語によって包含される。
【０１０１】
ＩＩ．抗体の調製
モノクローナル抗体（ＭＡｂ）は特定の抗原に対する抗体の均質な集団であり、抗体は１種類の抗原結合部位のみを含んでおり、抗原性決定基における１つのエピトープのみに結合する。特定の抗原に対する齧歯類モノクローナル抗体を、当業者に知られている様々な方法によって得ることができる。例えば、ＫｏｈｌｅｒおよびＭｉｌｓｔｅｉｎ、Ｎａｔｕｒｅ、２５６：４９５（１９７５）；およびＣｏｌｉｇａｎら（編）、ＣＵＲＲＥＮＴ  ＰＲＯＴＯＣＯＬＳ  ＩＮ  ＩＭＭＵＮＯＬＯＧＹ、第１巻、２．５．１頁〜２．６．７頁（Ｊｏｈｎ  Ｗｉｌｅｙ＆Ｓｏｎｓ、１９９１）［以下、「Ｃｏｌｉｇａｎ」］を参照のこと。簡単に記載すると、モノクローナル抗体は、抗原を含む組成物をマウスに注射し、血清サンプルを採取することにより抗体産生の存在を確認し、Ｂリンパ球を得るために脾臓を取り出し、ハイブリドーマを産生するためにＢリンパ球をミエローマ細胞と融合し、ハイブリドーマをクローニングし、抗原に対する抗体を産生する陽性クローンを選択し、抗原に対する抗体を産生するクローンを培養し、その後、ハイブリドーマ培養物から抗体を単離することによって得ることができる。
【０１０２】
ＭＡｂは、様々な十分に確立された技術によってハイブリドーマ培養物から単離および精製することができる。そのような単離技術には、プロテインＡセファロースを用いたアフィニティークロマトグラフィー、サイズ排除クロマトグラフィー、およびイオン交換クロマトグラフィーが含まれる。例えば、Ｃｏｌｉｇａｎ、２．７．１頁〜２．７．１２頁および２．９．１頁〜２．９．３頁を参照のこと。また、Ｂａｉｎｅｓら、「Ｐｕｌｉｆｉｃａｔｉｏｎ  ｏｆ  Ｉｍｍｕｎｏｇｌｏｂｕｌｉｎ  Ｇ（ＩｇＧ）」、ＭＥＴＨＯＤＳ  ＩＮ  ＭＯＬＥＣＵＬＡＲ  ＢＩＯＬＯＧＹ、第１０巻、７９頁〜１０４頁（Ｔｈｅ  Ｈｕｍａｎａ  Ｐｒｅｓｓ，Ｉｎｃ．、１９９２）も参照のこと。
【０１０３】
ペプチド骨格に対するＡｂが、Ａｂ製造について広く知られている方法によって作製される。例えば、（ペプチド）n−ＫＬＨ（この場合、ＫＬＨはキーホールリンペットヘモシアニンであり、およびｎ＝１〜３０である）などの免疫原の完全フロイントアジュバントにおける注射、続く、不完全フロイントアジュバントに懸濁された同じ免疫原の免疫適格動物に対する２回続けた注射が行われた後、脾臓細胞が、抗原のｉ．ｖ．追加免疫の３日後に集められる。その後、集められた脾臓細胞をＳｐ２／０−Ａｇ１４ミエローマ細胞と融合し、そして得られたクローンの培養上清が、直接結合ＥＬＩＳＡを使用して抗ペプチド反応性について分析される。作製されたＡｂの細かい特異性を、元の免疫原のペプチドフラグメントを使用することによって分析することができる。これらのフラグメントは、自動化されたペプチド合成機を使用して容易に調製することができる。Ａｂ製造のために、酵素欠損ハイブリドーマが、融合細胞株の選択を可能にするために単離される。この技術もまた、リンカーを含むキレートの１つまたは複数（例えば、Ｉｎ（ＩＩＩ）−ＤＴＰＡキレート）に対する抗体を惹起させるために使用することができる。Ｉｎ（ＩＩＩ）−ジＤＴＰＡに対するモノクローナルマウス抗体が知られている（Ｂａｒｂｅｔ、上掲の’３９５号特許）。
【０１０４】
本発明において使用される抗体は、マーカー物質としての細胞表面または細胞内の様々な腫瘍関連抗原に対して特異的である。これらのマーカーは、細胞質、核または様々なオルガネラもしくは細胞より小さい構造体においてであっても、あるいは腫瘍に栄養を与える血管または腫瘍血管系によって作られた血管の内皮の一部としてさえも、腫瘍によって産生される物質であり得るか、あるいは腫瘍部位または腫瘍細胞表面または腫瘍細胞内に蓄積する物質であり得る。そのような腫瘍関連マーカーの中には、Ｈｅｒｂｅｒｍａｎ、「がんの免疫診断」、Ｆｌｅｉｓｈｅｒ編、「Ｔｈｅ  Ｃｌｉｎｉｃａｌ  Ｂｉｏｃｈｅｍｉｓｔｒｙ  ｏｆ  Ｃａｎｃｅｒ」、３４７頁（Ａｍｅｒｉｃａｎ  Ａｓｓｏｃｉａｔｉｏｎ  ｏｆ  Ｃｌｉｎｉｃａｌ  Ｃｈｅｍｉｓｔｓ、１９７９）；および米国特許第４，１５０，１４９号、同第４，３６１，５４４号および同第４，４４４，７４４号に開示されるマーカーが含まれる。
【０１０５】
腫瘍関連マーカーは、腫瘍胎児性抗原、胎盤抗原、がんウイルス関連抗原または腫瘍ウイルス関連抗原、組織関連抗原、器官関連抗原、異所性ホルモンおよび正常な抗原またはその変化体を含む多数のカテゴリーに、Ｈｅｒｂｅｒｍａｎ（上掲）によって分類されている。場合により、腫瘍関連マーカーのサブユニット（例えば、ヒト絨毛性ゴナドトロピン（ＨＣＧ）のβ−サブユニットまたはがん胎児性抗原（ＣＥＡ）のγ領域）が、より大きい腫瘍特異性を有する抗体を惹起させるために都合よく使用され、これらは、米国特許第４，３６１，６４４号および同第４，４４４，７４４号に開示されるように、非腫瘍物質に対する交差反応性が非常に低下した抗体の産生を刺激する。
【０１０６】
注目される別のマーカーは膜貫通活性化因子またはＣＡＭＬ相互作用因子（ＴＡＣＩ）である。Ｙｕら、Ｎａｔ．Ｉｍｍｕｎｏｌ．、１：２５２〜２５６（２０００）を参照のこと。簡単に記載すると、ＴＡＣＩは、Ｂ細胞の悪性腫瘍（例えば、リンパ腫）に対するマーカーである。さらに、ＴＡＣＩおよびＢ細胞成熟化抗原（ＢＣＭＡ）が、腫瘍壊死因子ホモログ、増殖誘導リガンド（ＡＰＲＩＬ）によって結合することが知られている。ＡＰＲＩＬは一次Ｂ細胞および一次Ｔ細胞のインビトロでの増殖を刺激し、そしてＢ細胞をインビボで蓄積させることにより脾臓重量を増大させる。ＡＰＲＩＬはまた、受容体結合についてＴＡＬＬ−Ｉ（これもまたＢＬｙＳまたはＢＡＦＦと呼ばれる）と競合する。可溶性のＢＣＭＡおよびＴＡＣＩは、ＡＰＲＩＬの結合を特異的に妨げ、一次Ｂ細胞のＡＰＲＩＬ刺激された増殖を阻止する。ＢＣＭＡ−Ｆｃはまた、マウスにおいてキーホールリンペットヘモシアニンおよびニューモバクスに対する抗体の産生を阻害する。このことは、ＢＣＭＡおよび／またはＴＡＣＩを介したＡＰＲＩＬおよび／またはＴＡＬＬ−Ｉのシグナル伝達が、体液性免疫を生じさせるためには必要であることを示している。従って、ＡＰＲＩＬ−ＴＡＬＬ−ＩおよびＢＣＭＡ−ＴＡＣＩにより、Ｂ細胞機能およびＴ細胞機能の刺激に関与する２リガンド−２受容体経路が形成される。
【０１０７】
免疫原に対する抗体を最初に惹起させた後、抗体を配列決定し、続いて、組換え技術によって調製することができる。ネズミ抗体および抗体フラグメントのヒト化およびキメラ化は当業者に広く知られている。例えば、ヒト化モノクローナル抗体が、マウス免疫グロブリンの重鎖可変部および軽鎖可変部に由来するマウス相補性決定領域をヒト可変ドメインに移し、その後、ネズミ対応体のフレームワーク領域においてヒト残基に置換することによって製造される。好ましい実施形態において、ヒト化抗ＣＳＡｐ抗体またはそのフラグメントのフレームワーク領域におけるいくつかのヒト残基がそのネズミ対応体によって置換される。２つの異なるヒト抗体に由来するフレームワーク配列の組合せがＶHのために使用されることもまた好ましい。さらに好ましくは、そのような２つのヒト抗体はＥＵおよびＮＥＷＭである。抗体分子の定常ドメインはヒト抗体の定常ドメインに由来する。ヒト化モノクローナル抗体に由来する抗体成分の使用により、ネズミ定常領域の免疫原性に関連する潜在的な問題が回避される。
【０１０８】
ヒト抗体は、ヒト免疫グロブリン遺伝子座を有する遺伝子組換えマウスから回収することができる。マウスの体液性免疫系は、内因性の免疫グロブリン遺伝子を不活性化し、ヒト免疫グロブリン遺伝子座を導入することによってヒト化される。ヒト免疫グロブリン遺伝子座は非常に複雑であり、そしてまとめた場合にはヒトゲノムのほぼ０．２％を占める非常に多数の異なるセグメントを含む。遺伝子組換えマウスにより、十分な抗体レパートリーが産生され得ることを確実にするためには、ヒトの重鎖遺伝子座および軽鎖遺伝子座の大きな割合をマウスのゲノムに導入しなければならない。これは、ヒトの重鎖免疫グロブリン遺伝子座または軽鎖免疫グロブリン遺伝子座のいずれかを生殖系列配置で含有する酵母人工染色体（ＹＡＣ）の形成によって始まる段階的プロセスにおいて達成される。それぞれの挿入物はサイズが約１Ｍｂであるので、ＹＡＣ構築物は、免疫グロブリン遺伝子座の重複フラグメントの相同的組換えを必要とする。２つのＹＡＣ（重鎖遺伝子座を含有するＹＡＣおよび軽鎖遺伝子座を含有するＹＡＣ）が、ＹＡＣ含有酵母のスフェロブラストをマウス胚幹細胞と融合することによってマウスに別々に導入される。その後、胚幹細胞クローンはマウスの胚盤胞に顕微注入される。得られるキメラなオスを、その生殖系列によってＹＡＣを伝えるその能力についてスクリーニングして、ネズミ抗体の産生ができないマウスと交配させる。これらの２つの遺伝子組換え系統、すなわち、ヒト重鎖遺伝子座を含有する一方と、ヒト軽鎖遺伝子座を含有するもう一方とを交配することにより、免疫化に応答してヒト抗体を産生する子孫が得られる。
【０１０９】
再配置されていないヒト免疫グロブリン遺伝子はまた、ミクロセル媒介染色体移入（ＭＭＣＴ）によってマウス胚幹細胞に導入することができる。Ｔｏｍｉｚｕｋａら、Ｎａｔｕｒｅ  Ｇｅｎｅｔｉｃｓ、１６：１３３（１９９７）を参照のこと。この方法論では、ヒト染色体を含有するミクロセルがマウス胚幹細胞と融合させられる。移入された染色体は安定に保持され、そして成体キメラ体は正しい組織特異的発現を示す。
【０１１０】
代わりとして、本発明の抗体または抗体フラグメントは、コンビナトリアル免疫グロブリンライブラリーから単離されたヒト抗体フラグメントに由来し得る。例えば、Ｂａｒｂａｓら、ＭＥＴＨＯＤＳ：Ａ  Ｃｏｍｐａｎｉｏｎ  ｔｏ  Ｍｅｔｈｏｄｓ  ｉｎ  Ｅｎｚｙｍｏｌｏｇｙ、２：１１９（１９９１）；およびＷｉｎｔｅｒら、Ａｎｎ．Ｒｅｖ．Ｉｍｍｕｎｏｌ．１２：４３３（１９９４）を参照のこと（これらは参照することにより本明細書に組み込まれる）。Ｂ細胞の不死化によってモノクローナル抗体を作製することに関連する困難の多くは、ファージディスプレーを使用して大腸菌において抗体フラグメントを操作および発現することよって克服することができる。高親和性のモノクローナル抗体の回収を確実にするために、コンビナトリアル免疫グロブリンライブラリーは大きいレパートリーサイズを含有しなければならない。典型的な方法では、逆転写酵素を使用してｃＤＮＡを合成するために、免疫化されたマウスのリンパ球または脾臓細胞から得られたｍＲＮＡが使用される。重鎖遺伝子および軽鎖遺伝子がＰＣＲによって別々に増幅され、ファージクローニングベクターに連結される。２つの異なるライブラリーが作製される。すなわち、１つが重鎖遺伝子を含有し、１つが軽鎖遺伝子を含有する。ファージＤＮＡをそれぞれのライブラリーから単離し、そして重鎖配列および軽鎖配列を一緒に連結し、パッケージングして、コンビナトリアルライブラリーが得られる。それぞれのファージが重鎖ｃＤＮＡおよび軽鎖ｃＤＮＡのランダムな対を含有しており、大腸菌に感染したとき、感染細胞において抗体鎖の発現を行わせる。目的とする抗原を認識する抗体を確認するために、ファージライブラリーは平板に播種され、そしてプラークに存在する抗体分子がフィルターに転写される。フィルターは、放射標識された抗原とインキュベーションされ、その後、過剰な非結合リガンドを除くために洗浄される。オートラジオグラムにおける放射能スポットにより、その抗原と結合する抗体を含有するプラークが同定される。ヒト免疫グロブリンのファージライブラリーを作製するために有用なクローニングベクターおよび発現ベクターは、例えば、ＳＴＲＡＴＡＧＥＮＥ  Ｃｌｏｎｉｎｇ  Ｓｙｓｔｅｍｓ（Ｌａ  Ｊｏｌｌａ、ＣＡ）から得ることができる。
【０１１１】
ネズミ免疫グロブリン可変ドメインをクローニングするための一般的な技術が、例えば、Ｏｒｌａｎｄｉら、Ｐｒｏｃ．Ｎａｔ’ｌ．Ａｃａｄ．Ｓｃｉ．ＵＳＡ、８６：３８３３（１９８９）の刊行物によって記載される（この文献はその開示内容全体を参照することにより本明細書に組み込まれる）。キメラ抗体を構築するための様々な技術が当業者には広く知られている。一例として、Ｌｅｕｎｇら、Ｈｙｂｒｉｄｏｍａ、１３：４６９（１９９４）には、ＬＬ２モノクローナル抗体（抗ＣＤ２２抗体）のＶκドメインおよびＶHドメインをコードするＤＮＡ配列を、それぞれ、ヒトのκ定常領域ドメインおよびＩｇＧ1定常領域ドメインと組み合わせることによってＬＬ２キメラを製造する方法が記載される。この刊行物にはまた、ＬＬ２の軽鎖可変領域および重鎖可変領域（それぞれ、ＶκおよびＶH）のヌクレオチド配列が示されている。ヒト化ＭＡｂを製造するための技術が、例えば、Ｊｏｎｅｓら、Ｎａｔｕｒｅ、３２１：５２２（１９８６）；Ｒｉｅｃｈｍａｎｎら、Ｎａｔｕｒｅ、３３２：３２３（１９８８）；Ｖｅｒｈｏｅｙｅｎら、Ｓｃｉｅｎｃｅ、２３９：１５３４（１９８８）；Ｃａｒｔｅｒら、Ｐｒｏｃ．Ｎａｔ’ｌ．Ａｃａｄ．Ｓｃｉ．ＵＳＡ、８９：４２８５（１９９２）；Ｓａｎｄｈｕ、Ｃｒｉｔ．Ｒｅｖ．Ｂｉｏｔｅｃｈ．、１２：４３７（１９９２）；およびＳｉｎｇｅｒら、Ｊ．Ｉｍｍｕｎ．、１５０：２８４４（１９９３）によって記載される（これらの文献はそれぞれが本明細書に参照することにより組み込まれる）。
【０１１２】
キメラ抗体は、齧歯類抗体などの１つの動物種に由来するＣＤＲを含む可変ドメインを含有する組換えタンパク質であり、その一方で、抗体分子の残り、すなわち、定常ドメインはヒト抗体に由来する。従って、キメラなモノクローナル抗体はまた、キメラＭＡｂの可変領域におけるネズミＦＲの配列を１つ以上の異なるヒトＦＲで置換することによってヒト化することができる。具体的には、マウスのＣＤＲが、マウス免疫グロブリンの重鎖可変領域および軽鎖可変領域からヒト抗体の対応する可変ドメインの中に移される。マウスのＣＤＲをヒトＦＲ内に単に移すことは抗体親和性の低下またはその喪失さえも生じさせることが多いので、さらなる改変が、ネズミ抗体の元の親和性を回復するためには必要であると考えられる。これは、そのエピトープに対する良好な結合親和性を有する抗体を得るためにＦＲ領域内の１つ以上のヒト残基をそのネズミ対応体で置換することによって達成することができる。例えば、Ｔｅｍｐｅｓｔら、Ｂｉｏｔｅｃｈｎｏｌｏｇｙ、９：２６６（１９９１）；およびＶｅｒｈｏｅｙｅｎら、Ｓｃｉｅｎｃｅ、２３９：１５３４（１９８８）を参照のこと。さらに、特定のエピトープに対するヒト化ＭＡｂおよびキメラＭＡｂおよびヒトＭＡｂの親和性はＣＤＲの変異誘発によって増大させることができ、その結果、より少ない量の抗体が、変異誘発前のより低い親和性のＭＡｂのより大きい量と同じくらいの効果を有するようにすることができる。例えば、国際公開ＷＯ００２９５８４Ａ１を参照のこと。
【０１１３】
本発明の抗体を製造するための別の方法は、遺伝子組換え家畜の乳汁中に産生させることによるものである。例えば、Ｃｏｌｍａｎ，Ａ．、Ｂｉｏｃｈｅｍ．Ｓｏｃ．Ｓｙｍｐ．、６３：１４１〜１４７（１９９８）；米国特許第５，８２７，６９０号を参照のこと（これらの文献はともにその開示内容全体が参照することにより本明細書に組み込まれる）。対になった免疫グロブリン重鎖および免疫グロブリン軽鎖をコードするＤＮＡセグメントをそれぞれ含有する２つのＤＮＡ構築物が調製される。これらのＤＮＡセグメントは、乳腺上皮細胞において優先的に発現するプロモーター配列を含有する発現ベクターにクローニングされる。例には、ウサギ、ウシおよびヒツジのカゼイン遺伝子、ウシα−ラクトグロブリン遺伝子、ヒツジβ−ラクトグロブリン遺伝子ならびにマウス乳漿酸性タンパク質遺伝子に由来するプロモーターが含まれるが、これらに限定されない。好ましくは、挿入されたフラグメントは、乳腺特異的遺伝子に由来する同族のゲノム配列がその３’側で接する。これにより、ポリアデニル化部位および転写物安定化配列が提供される。これらの発現カセットは哺乳動物受精卵の前核に同時注入され、その後、受精卵を、移植されるメスの子宮に着床させ、妊娠させる。出生後、子孫は、サザン分析によって両方の導入遺伝子の存在についてスクリーニングされる。抗体が存在するためには、重鎖遺伝子および軽鎖遺伝子の両方が、同じ細胞において同時に発現しなければならない。遺伝子組換え体のメスから得られた乳汁が、当分野で知られている標準的な免疫学的方法を使用して抗体または抗体フラグメントの存在および機能性について分析される。抗体は、当分野で知られている標準的な方法を使用して乳汁から精製することができる。
【０１１４】
キメラ抗ＣＳＡｐ抗体、ヒト化抗ＣＳＡｐ抗体およびヒト抗ＣＳＡｐ抗体の調製
本発明ではまた、結腸直腸がんおよび卵巣がんによって発現されるがん腫関連抗体を含む様々ながん腫関連抗体などの他のヒト抗体または再操作（例えば、キメラ化、ヒト化）された抗体と組み合わせて使用されるヒト抗ＣＳＡｐモノクローナル抗体およびヒト化抗ＣＳＡｐモノクローナル抗体およびキメラ抗ＣＳＡｐモノクローナル抗体が考えられる。好ましい実施形態において、ＣＥＡ、ＭＵＣ１、ＭＵＣ２、ＭＵＣ３、ＭＵＣ４、ＰＡＭ−４、ＫＣ４、ＢｒＥ３、Ｌｅ−Ｙ（例えば、Ｂ３抗体）、ＥＧＦＲ、ＥＧＰ−１、ＲＳ５（ＧＡ７３３抗原標的、例えば、ＥＧＰ−２、１７−１Ａ、ＫＳ１−４およびＥｐ−ＣＡＭの抗体などについて）、ＴＡＧ−７２、Ａ３３抗体決定基、ＫＳ−１、Ａ３およびＨＥＲ２／ｎｅｕに対する抗体が、ヒト化抗ＣＳＡｐ抗体またはキメラ抗ＣＳＡｐ抗体またはヒト抗ＣＳＡｐ抗体との混合療法のために使用される。例えば、Ｍｅｎｄｅｚら、Ｎａｔｕｒｅ  Ｇｅｎｅｔｉｃｓ、１５：１４６〜１５６（１９９７）；米国特許第５，６３３，４２５号を参照のこと（これらの文献はその開示内容全体を参照することにより組み込まれる）。ＢｒＥ３抗体が、Ｃｏｕｔｏ，Ｊ．、Ｃｈｒｉｓｔｉａｎ，Ｒ．、Ｐｅｔｅｒｓｏｎ，Ｊ．およびＣｅｒｉａｎｉ，Ｒ．、Ｃａｎｃｅｒ  Ｒｅｓ．、１９９５、５５（ｓｕｐｐｌ．２３）：５９７３ｓ〜５９７７ｓに記載される。ＥＧＰ−１抗体が米国仮特許出願第６０／３６０，２２９号に記載され、ＥＧＰ−２抗体のいくつかが、本明細書の最後で言及される参考文献におけるＢｉｒｂｅｎｅｔらおよびＳｔａｉｂらおよびＳｃｈｗａｒｔｚｂｅｒｇらにおいて言及されている。ＫＳ−１抗体がＫｏｄａらにおいて言及され、Ａ３３抗体がＲｉｔｔｅｒらにおいて言及され、Ｌｅ（ｙ）抗体Ｂ３がＤｉ  Ｃａｒｌｏらに記載され、Ａ３抗体がＴｏｒｄｓｓｏｎらに記載される（これらはすべて、本明細書の最後で言及される参考文献に列記されている）。好ましくは、胃腸がんおよび卵巣がんのマーカー抗原または受容体に対する抗体は、ＣＳＡｐ抗体と組合せた使用に、特にＭｕ−９抗体と組合せた使用に十分に適している。好ましい実施形態において、胃腸がんは結腸直腸がんである。
【０１１５】
マーカーまたはがん遺伝子の産物に対する抗体、あるいはＶＥＧＦなどの血管形成因子に対する抗体もまた有用である。ＶＥＧＦ抗体が、Ｔｈｏｒｐｅら、米国特許第６，３４２，２２１号、同第５，９６５，１３２号および同第６，００４，５５４号に記載される（これらの文献は、参照することによりその開示内容全体を本明細書に組み込まれる）。ある種の免疫応答調節因子に対する抗体（ＣＤ４０に対する抗体など）が、本明細書の最後で言及される参考文献に列記されるＴｏｄｒｙｋらおよびＴｕｒｎｅｒらに記載される。混合療法のために好適な他の抗体には、Ｅｐｓｔｅｉｎら（下記）に記載されるような抗壊死抗体が含まれる。
【０１１６】
本発明において使用される細胞株および培養培地には、Ｍｕ−９ハイブリドーマ細胞およびＳｐ２／０−Ａｇ１４ミエローマ細胞（ＡＴＣＣ、Ｒｏｃｋｖｉｌｌｅ、ＭＤ）が含まれる。Ｍｕ−９を産生するモノクローナルハイブリドーマは、結腸特異的抗原−ｐ（ＣＳＡｐ）で免疫化されたマウスから得られた脾臓をＳＰ２／０Ａｇ１４と融合することによって得られた。これらの細胞は、１０％ウシ胎児血清（ＦＢＳ）（Ｈｙｃｌｏｎｅ  Ｌａｂｏｒａｔｏｒｉｅｓ、Ｌｏｇａｎ、ＵＴ）および抗生物質が補充されたハイブリドーマ無血清培地（ＨＳＦＭ）（ｌｉｆｅ  Ｔｅｃｈｎｏｌｏｇｉｅｓ、Ｇｒａｎｄ  Ｉｓｌａｎｄ、ＮＹ）（完全培地）において培養することができる。あるいは、細胞は、１０％ＦＣＳおよび７５ｇ／ｍｌのゲンタマイシンを含有する１０％ＦＣＳ（Ｇｉｂｃｏ／ＢＲＬ、Ｇａｉｔｈｅｒｓｂｕｒｇ、Ｍａｓｓ．）補充のダルベッコ改変イーグル培地（ＤＭＥＭ）（完全ＨＳＦＭ）において、または示された場合には、抗生物質のみを含有するＨＳＦＭにおいて培養することができる。形質転換体の選択を、５００ユニット／ｍｌのヒグロマイシン（Ｃａｌｂｉｏｃｈｅｍ、Ｓａｎ  Ｄｉｅｇｏ、ＣＡ）を含有する完全ＨＳＦＭにおいて行うことができる。すべての細胞株は、好ましくは、５％ＣＯ2において３７℃で維持される。
【０１１７】
Ｖκ遺伝子セグメントおよびＶH遺伝子セグメントの取得
Ｖκ遺伝子セグメントおよびＶH遺伝子セグメントの単離を、当分野で広く知られているいくつかの手段によって達成することができる。２つのそのような手段には、ＰＣＲクローニングおよびｃＤＮＡライブラリースクリーニングが含まれるが、これらに限定されない。
【０１１８】
様々なＰＣＲクローニング技術が当分野では広く知られている。しかし、簡単に記載すると、Ｖκ遺伝子フラグメントおよびＶH遺伝子フラグメントのＰＣＲクローニングは下記のように達成することができる。ポリＡ  ｍＲＮＡを、Ｆａｓｔ  Ｔｒａｃｋ  ｍＲＮＡ単離キット（Ｉｎｖｉｔｒｏｇｅｎ、Ｓａｎ  Ｄｉｅｇｏ、ＣＡ）などの市販のキットを使用してＭｕ−９ハイブリドーマ細胞株から単離することができる。その後、第１鎖ｃＤＮＡを、ｃＤＮＡサイクルキット（Ｉｎｖｉｔｒｏｇｅｎ）を使用してポリＡ  ｍＲＮＡから逆転写することができる。このプロセスにおいて、ポリＡ  ｍＲＮＡはネズミＩｇＧ  ＣＨ１特異的プライマーまたはネズミＣｋ特異的プライマーにアニーリングされる。そのようなプライマーの例には、それぞれ、ＣＨ１Ｂ（５’−ＡＣＡＧＴＣＡＣＴＧＡＧＣＴＧＧ−３’）およびＣｋ３−ＢＨ１（５’−ＧＣＣＧＧＡＴＣＣＴＧＡＣＴＧＧＡＴＧＧＴＧＧＧＡＡＧＡＴＧＧＡＴＡＣＡ−３’）が含まれる。第１鎖ｃＤＮＡは、Ｏｒｌａｎｄｉらにより記載されるように、ＰＣＲによってＶH配列およびＶκ配列を増幅するためのテンプレートとして使用することができる。Ｖκ領域については、ＶＫ１Ｂａｃｋ（５’−ＧＡＣＡＴＴＣＡＧＣＴＧＡＣＣＣＡＧＴＣＴＣＣＡ−３’）およびＩｇＧＫＣ３’（５’−ＣＴＣＡＣＴＧＧＡＴＧＧＴＧＧＧＡＡＧＡＴＧＧＡＴＡＣＡＧＴＴＧＧ−３’）などのプライマー対を使用することができる。ＶH領域については、ＶＨ１Ｂａｃｋ（５’−ＡＧＧＴ（Ｃ／Ｇ）（Ａ／Ｃ）Ａ（Ａ／Ｇ）ＣＴＧＣＡＧ（Ｃ／Ｇ）ＡＧＴＣ（Ａ／Ｔ）ＧＧ−３’）およびＣＨ１Ｂなどのプライマー対を使用することができる。増幅後、ＶκフラグメントおよびＶHフラグメントをゲル精製して、ジデオキシターミネーション法による配列分析のためのＴＡクローニングベクター（Ｉｎｖｉｔｒｏｇｅｎ）などのクローニングベクターにクローニングすることができる。免疫グロブリン起源であることが確認された配列は、その後、Ｌｅｕｎｇらによって記載される方法を使用してキメラな発現ベクターを構築するために使用することができる。
【０１１９】
ＰＣＲクローニングによってＶκ遺伝子セグメントおよびＶH遺伝子セグメントを単離することに対する好ましい代わりの方法として、ｃＤＮＡライブラリースクリーニングを利用することができる。ｃＤＮＡスクリーニング法もまた当分野では広く知られている。しかし、簡単に記載すると、ｃＤＮＡライブラリーを、ｐＳＰＯＲＴベクター（Ｌｉｆｅ  Ｔｅｃｈｎｏｌｏｇｉｅｓ）において、ネズミＭｕ−９ハイブリドーマ細胞から抽出されたｍＲＮＡから構築することができる。第１鎖ｃＤＮＡを、Ｍｕ−９ハイブリドーマから得られたポリＡ  ＲＮＡをオリゴｄＴプライマー−ＮｏｔＩアダプター（Ｌｉｆｅ  Ｔｅｃｈｎｏｌｏｇｉｅｓ）で伸長させることによって合成することができる。第２鎖の合成およびＳａｌＩアダプターの結合を行った後、ｃＤＮＡプールをｃＤＮＡサイズ分画カラムによってサイズ分画することができる。分画されたｃＤＮＡは、その後、ｐＳＰＯＲＴベクターに連結され、続いて大腸菌ＤＨ５に形質転換することができる。その後、ライブラリーを平板に播種して、フィルターに転写し、増幅することができる。
【０１２０】
ｃＤＮＡライブラリーのスクリーニングは、重鎖および軽鎖に対して特異的な標識されたプローブとのハイブリダイゼーションによって達成することができる。例えば、重鎖に対するＭＵＣＨ−１（５’−ＡＧＡＣＴＧＣＡＧＧＡＧＡＧＣＴＧＧＧＡＡＧＧＴＧＴＧＣＡＣ−３’）および軽鎖に対するＭＵＣＫ−１（５’−ＧＡＡＧＣＡＣＡＣＧＡＣＴＧＡＧＧＣＡＣＣＴＣＣＡＧＡＴＧＴ−３’）などの［３２−Ｐ］標識プローブ。最初のスクリーニングで陽性であるクローンを二連の平板に移し、同じプローブを用いてもう一度スクリーニングすることができる。
【０１２１】
ＲＮＡ単離、ｃＤＮＡ合成および増幅を下記のように行うことができる。総細胞ＲＮＡを、Ｓａｍｂｒｏｏｋら（Ｍｏｌｅｃｕｌａｒ  Ｃｌｏｎｉｎｇ：Ａ  Ｌａｂｏｒａｔｏｒｙ  Ｍａｎｕａｌ（第２版）、Ｃｏｌｄ  Ｓｐｒｉｎｇ  Ｈａｒｂｏｒ  Ｐｒｅｓｓ、１９８９）（この文献は参照することにより本明細書に組み込まれる）に従って、合計で約１０7個の細胞を使用してＭｕ−９ハイブリドーマ細胞株から調製することができる。第１鎖ｃＤＮＡを、ＳｕｐｅｒＳｃｒｉｐｔプレ増幅システム（Ｇｉｂｃｏ／ＢＲＬ．、Ｇａｉｔｈｅｒｓｂｕｒｇ、Ｍｄ．）を使用することなどによって、従来のように総ＲＮＡから逆転写することができる。簡単に記載すると、２０μｌの反応容量において、５０ｎｇのランダムヘキサープライマーを、２μｌの１０Ｘ合成緩衝液［２００ｍＭのＴｒｉｓ−ＨＣｌ（ｐＨ８．４）、５００ｍＭのＫＣｌ、２５ｍＭのＭｇＣｌ2、１ｍｇ／ｍｌのＢＳＡ］、１μｌの１０ｍＭ  ｄＮＴＰ混合物、２μｌの０．１Ｍ  ＤＴＴおよび２００ユニットのＳｕｐｅｒＳｃｒｉｐｔ逆転写酵素の存在下で、５μｇのＲＮＡにアニーリングすることができる。伸長工程は、最初、室温で１０分間進められ、続いて４２℃で５０分間のインキュベーションが可能である。反応は、反応混合物を９０℃で５分間加熱することによって停止させることができる。
【０１２２】
スクリーニング用プローブの合成および標識化は、周知の手段によって達成することができる。用いられる検出システムに依存して、プローブの標識化は異なる。この目的のために多くのキットが市販されている。オリゴヌクレオチドを３２−Ｐで標識する１つの方法には、［−３２Ｐ］ＡＴＰ（Ａｍｅｒｓｈａｍ  Ａｒｌｉｎｇｔｏｎ  Ｈｅｉｇｈｔｓ、ＩＬ）およびＴ４ポリヌクレオチドキナーゼ（Ｎｅｗ  Ｅｎｇｌａｎｄ  Ｂｉｏｌａｂｓ、Ｂｅｖｅｒｌｙ、ＭＡ）の使用、続くカラム精製が含まれる。
【０１２３】
キメラな抗ＣＳＡｐ抗体の調製
一般に、キメラな抗ＣＳＡｐ  ＭＡｂを調製するために、ＣＳＡｐ抗体のＶH鎖およびＶκ鎖を、上記に記載される方法などの方法によって得ることができ、そしてＰＣＲによって増幅することができる。好ましい実施形態において、キメラな抗ＣＳＡｐ抗体はＭｕ−９抗体である。ＶκのＰＣＲ産物を、Ｌｅｕｎｇら（Ｈｙｂｒｉｄｏｍａ、１３：４６９〜４７６（１９９４））によって記載されるように、ｐＢＲ３２７に基づく段階化ベクター（ＶＫｐＢＲ）にサブクローニングすることができる。ＶHのＰＣＲ産物は、ｐＢｌｕｅｓｃｒｉｐｔに基づく類似する段階化ベクター（ＶＨｐＢＳ）にサブクローニングすることができる。Ｖκ配列含有フラグメントおよびＶH配列含有フラグメントを、プロモーター配列およびシグナルペプチド配列と一緒に、これらの段階化ベクターから、ＨｉｎｄＩＩＩおよびＢａｍＨＩの制限エンドヌクレアーゼを使用して切り出すことができる。Ｖκフラグメント（約６００ｂｐ）は哺乳動物発現ベクター（例えば、ｐＫｈ）に従来のようにサブクローニングすることができる。ｐＫｈは、ヒトκ定常領域のゲノム配列、Ｉｇエンハンサー、κエンハンサーおよびヒグロマイシン耐性遺伝子を含有するｐＳＶｈｙｇ型の発現ベクターである。同様に、約８００ｂｐのＶHフラグメントは、ヒトＩｇＧ１定常領域のゲノム配列、Ｉｇエンハンサーおよびキサンチン−グアニンホスホリボシルトランスフェラーゼ（ｇｐｔ）遺伝子を有するｐＳＶｇｐｔ型の発現ベクターであるｐＧ１ｇにサブクローニングすることができる。これらの２つのプラスミドは、エレクトロポレーションによってＳｐ２／０−Ａｇ１４細胞などの哺乳動物細胞に同時トランスフェクションすることができ、そしてヒグロマイシン耐性について選択することができる。選択を生き延びたクローンは拡大培養され、上清液がｃＭｕ−９ｍＡｂの産生についてＥＬＩＳＡ法によってモニターされる。約１〜１０×１０6細胞のトランスフェクション効率が望まれる。０．１０μｇ／ｍｌ〜２．５μｇ／ｍｌの抗体発現レベルをこのシステムにより期待することができる。
【０１２４】
あるいは、Ｖ発現カセットおよびＶＨ発現カセットを、改変された段階化ベクターのＶＫｐＢＲ２およびＶＨｐＢＳ２において組み立てることができ、これらの発現カセットは、Ｓｐ２／０−Ａｇ１４細胞における発現について、Ｇｉｌｌｅｓら、Ｊ．Ｉｍｍｕｎｏｌ．Ｍｅｔｈｏｄｓ、１２５：１９１（１９８９）；Ｌｏｓｍａｎら、Ｃｌｉｎ．Ｃａｎｃｅｒ  Ｒｅｓ．、５：３１０１（１９９９）；およびＬｏｓｍａｎら、Ｃａｎｃｅｒ、８０：２６６０（１９９７）に記載されるように、ＸｂａＩ／ＢａｍＨＩフラグメントおよびＸｈｏＩ／ＢａｍＨＩフラグメントとしてそれぞれ切り出され、単一の発現ベクター（ｐｄＨＬ２など）にサブクローニングすることができる。本発明において有用な別のベクターは、Ｂａｒｎｅｓら、Ｃｙｔｏｔｅｃｈｎｏｌｏｇｙ、３２：１０９〜１２３（２０００）に記載されるようなＧＳベクターであり、これは好ましくはＮＳ０細胞株およびＣＨＯ細胞において発現する。他の適切な哺乳動物発現システムが、Ｗｅｒｎｅｒら、Ａｒｚｎｅｉｍ−Ｆｏｒｓｃｈ．／Ｄｒｕｇ  Ｒｅｓ．、４８（ＩＩ）、第８号、８７０〜８８０（１９９８）に記載される。
【０１２５】
Ｖκ配列およびＶH配列は、Ｏｒｌａｎｄｉら（Ｐｒｏｃ．Ｎａｔｌ．Ａｃａｄ．Ｓｃｉ．ＵＳＡ、８６：３８３３（１９８９））（これは参照することにより本明細書に組み込まれる）により記載されるようにＰＣＲによって増幅することができる。Ｖｋ配列は、ＣＫ３ＢＨおよびＶκ５−３のプライマー（Ｌｅｕｎｇら、ＢｉｏＴｅｃｈｎｉｑｕｅｓ、１５：２８６（１９９３）、この文献は参照することにより本明細書に組み込まれる）を使用して増幅することができ、一方、ＶH配列は、ネズミＩｇＧのＣＨ１領域にアニーリングするプライマーＣＨ１Ｂと、プライマーＶＨＩＢＡＣＫ（Ｏｒｌａｎｄｉら、１９８９、上記）とを使用して増幅することができる。１０μｌの第１鎖ｃＤＮＡ産物、９μｌの１０ＸＰＣＲ緩衝液［５００ｍＭのＫＣｌ、１００ｍＭのＴｒｉｓ−ＨＣｌ（ｐＨ８．３）、１５ｍＭのＭｇＣｌ2、および０．０１％（ｗ／ｖ）のゼラチン］（Ｐｅｒｋｉｎ  Ｅｌｍｅｒ  Ｃｅｔｕｓ、Ｎｏｒｗａｌｋ、Ｃｏｎｎ．）を含有するＰＣＲ反応混合物を３０サイクルのＰＣＲに供することができる。それぞれのＰＣＲサイクルは、好ましくは、９４℃で１分間の変性、５０℃で１．５分間のアニーリング、および７２℃で１．５分間の重合化からなる。増幅されたＶｋフラグメントおよびＶＨフラグメントは２％アガロース（ＢｉｏＲａｄ、Ｒｉｃｈｍｏｎｄ、Ｃａｌｉｆ．）で精製することができる。
【０１２６】
ヒト化抗ＣＳＡｐ抗体の調製
好ましい実施形態において、ヒト化抗ＣＳＡｐ抗体はヒト化Ｍｕ−９抗体である。ｈＭｕ−９ＶκドメインおよびｈＭｕ−９ＶHドメインに対する配列が設計されると、ＣＤＲグラフト化を、テンプレートとしての長い合成ＤＮＡオリゴヌクレオチドと、プライマーとしての短いオリゴヌクレオチドとをＰＣＲ反応において使用する遺伝子合成によって達成することができる。ほとんどの場合、ＶκドメインまたはＶHドメインをコードするＤＮＡは約３５０ｂｐの長さである。コドン縮重性を利用することによって、１つしか存在しない制限部位を、コードされるアミノ酸を変化させることなく、Ｖ遺伝子ＤＮＡ配列の中央部に近い領域に容易に導入することができる。例えば、ｈＭｕ−９ＶＨドメインについてはＤＮＡヌクレオチド位１３２〜１３７（アミノ酸位４４〜４６）において、最初に設計されたアミノ酸配列を維持しながら、１つしか存在しないＸｂａＩ部位を挿入することができる（図１１Ａの配列を参照のこと）。ＸｂａＩ部位の上流側および下流側の２つの長い非重複性の一本鎖ＤＮＡオリゴヌクレオチド（約１５０ｂｐ）を、自動化されたオリゴヌクレオチド合成機（Ｃｙｃｌｏｎｅ  Ｐｌｕｓ  ＤＮＡ合成機、Ｍｉｌｌｉｇｅｎ−Ｂｉｏｓｅａｒｃｈ）によって作製することができる。全長ＤＮＡオリゴヌクレオチドの収率は低いことが予想され得るので、全長ＤＮＡオリゴヌクレオチドは、ＰＣＲ反応において２対の両端オリゴヌクレオチドによって増幅することができる。これらのプライマーは、その後の配列組み立ておよびサブクローニングを容易にするために必要な制限部位を伴って設計することができる。オリゴヌクレオチドに対するプライマーは、得られるＰＣＲ産物がＸｂａＩにおいて読み枠を合わせて連結されて、ｈＭｕ−９ＶＨドメインをコードする全長のＤＮＡ配列を得ることができるように、重複する配列をＸｂａＩ部位において含有しなければならない。ＸｂａＩ部位におけるオリゴに対するＰＣＲ産物の連結、および段階化ベクター（ＶＨｐＢＳ）のＰｓｔＩＩ／ＢｓｔＥＩＩ部位へのそれらのサブクローニングは、１回の３−フラグメント連結工程で完了させることができる。ＶＨｐＢＳへの正しい配列のサブクローニングは、制限消化分析によって最初に分析することができ、続いて、Ｓａｎｇｅｒら、Ｐｒｏｃ．Ｎａｔｌ．Ａｃａｄ．Ｓｃｉ．ＵＳＡ、７４、５４６３（１９７７）に従った配列決定反応によって確認することができる。
【０１２７】
Ｉｇプロモーター、リーダー配列およびｈＭｕ−９ＶH配列を含有するＨｉｎｄＩＩＩ／ＢａｍＨＩフラグメントを段階化ベクターから切り出して、ヒトＩｇＧ定常領域のゲノム配列、Ｉｇエンハンサーおよびｇｐｔ選択マーカーを含有するｐＳＶｇｐｔ型ベクターのｐＧ１ｇにおける対応する部位にサブクローニングし、これにより最終的な発現ベクターｈＭｕ−９ｐＧ１ｇを形成させることができる。類似する方法を、ｈＭｕ−９Ｖκ配列を構築するために用いることができる。長いオリゴヌクレオチドに対するＰＣＲ産物を連結するために選ばれた制限部位は、この場合にはＮｒｕＩであり得る。
【０１２８】
Ｉｇプロモーター、リーダー配列およびｈＭｕ−９Ｖκ配列を含有するＤＮＡ配列を、ＨｉｎｄＩＩＩ／ＢａｍＨＩを用いた処理によって段階化ベクターＶＫｐＢＲから切り出すことができ、その後、ヒトκ鎖定常領域のゲノム配列、ヒグロマイシン選択マーカー、Ｉｇエンハンサーおよびκエンハンサーを含有するｐＳＶｈｙｇ型ベクターのｐＫｈの対応する部位にサブクローニングし、これにより最終的な発現ベクターｈＭｕ−９ｐＫｈを形成させることができる。
【０１２９】
これらの２つのプラスミドは、適切な細胞に、例えば、メラノーマＳｐ２／０−Ａｇ１４に同時トランスフェクションし、コロニーをヒグロマイシン耐性について選択することができ、そして上清液を、下記に記載されるように、例えば、ＥＬＩＳＡアッセイによってｈＭｕ−９抗体の産生についてモニターすることができる。あるいは、Ｖ発現カセットおよびＶＨ発現カセットを、改変された段階化ベクターのＶＫｐＢＲ２およびＶＨｐＢＳ２において組み立てることができ、これらの発現カセットは、Ｓｐ２／０−Ａｇ１４細胞における発現について、Ｇｉｌｌｅｓら、Ｊ．Ｉｍｍｕｎｏｌ．Ｍｅｔｈｏｄｓ、１２５：１９１（１９８９）；Ｌｏｓｍａｎら、Ｃｌｉｎ．Ｃａｎｃｅｒ  Ｒｅｓ．、５：３１０１（１９９９）；およびＬｏｓｍａｎら、Ｃａｎｃｅｒ、８０：２６６０（１９９７）に記載されるように、ＸｂａＩ／ＢａｍＨＩフラグメントおよびＸｈｏＩ／ＢａｍＨＩフラグメントとしてそれぞれ切り出され、単一の発現ベクター（ｐｄＨＬ２など）にサブクローニングすることができる。本発明において有用な別のベクターは、Ｂａｒｎｅｓら、Ｃｙｔｏｔｅｃｈｎｏｌｏｇｙ、３２：１０９〜１２３（２０００）に記載されるようなＧＳベクターであり、これは好ましくはＮＳ０細胞株およびＣＨＯ細胞において発現する。他の適切な哺乳動物発現システムが、Ｗｅｒｎｅｒら、Ａｒｚｎｅｉｍ−Ｆｏｒｓｃｈ．／Ｄｒｕｇ  Ｒｅｓ．、４８（ＩＩ）、第８号、８７０〜８８０（１９９８）に記載される。
【０１３０】
トランスフェクションおよびＥＬＩＳＡによる抗体分泌クローンに対するアッセイを下記のように行うことができる。約１０μｇのｈＭｕ−９ｐＫｈ（軽鎖発現ベクター）および２０μｇのｈＭｕ−９ｐＧ１ｇ（重鎖発現ベクター）を、Ｃｏら、Ｊ．Ｉｍｍｕｎｏｌ．、１４８：１１４９（１９９２）（この文献は参照することにより本明細書に組み込まれる）に従って５×１０6個のＳＰ２／０ミエローマ細胞をエレクトロポレーション（ＢｉｏＲａｄ、Ｒｉｃｈｍｏｎｄ、Ｃａｌｉｆ．）によりトランスフェクションするために使用することができる。トランスフェクション後、細胞を完全ＨＳＦＭ培地（ＧＩＢＣＯ、Ｇａｉｔｈｅｒｓｂｕｒｇ、Ｍｄ．）において、３７℃および５％ＣＯ2で、９６ウエルマイクロタイタープレートで生育させることができる。選抜プロセスを、５００μｇ／ｍｌのヒグロマイシンの最終濃度でヒグロマイシン選択培地（Ｃａｌｂｉｏｃｈｅｍ、Ｓａｎ  Ｄｉｅｇｏ、Ｃａｌｉｆ．）を加えることによって２日後に開始することができる。コロニーが、典型的には、エレクトロポレーションの２週間後〜３週間後に出現する。その後、培養物をさらなる分析のために拡大することができる。
【０１３１】
クローンのスクリーニングおよび抗体の単離
キメラな重鎖またはヒト化された重鎖の分泌について陽性であるトランスフェクトーマコロニーをＥＬＩＳＡアッセイによって同定することができる。簡単に記載すると、トランスフェクトーマ培養物に由来する上清サンプル（１００μｌ）を、Ｆ（ａｂ’）2フラグメント特異的抗体のヤギ抗ヒト（ＧＡＨ）−ＩｇＧ（Ｊａｃｋｓｏｎ  ＩｍｍｕｎｏＲｅｓｅａｒｃｈ、Ｗｅｓｔ  Ｇｒｏｖｅ、Ｐａ．）で予備コーティングされたＥＬＩＳＡマイクロタイタープレートに三連で加える。プレートを室温で１時間インキュベーションする。非結合のタンパク質を、洗浄緩衝液（０．０５％ポリソルベート２０を含有するＰＢＳ）で３回洗浄することによって除く。Ｆｃフラグメント特異的抗体の西洋ワサビペルオキシダーゼ（ＨＲＰ）コンジュゲート化ＧＡＨ−ＩｇＧ（Ｊａｃｋｓｏｎ  ＩｍｍｕｎｏＲｅｓｅａｒｃｈ、Ｗｅｓｔ  Ｇｒｏｖｅ、Ｐａ．）をウエルに加える（１０4倍希釈された抗体ストック液の１００μｌ、これには、非コンジュゲート化抗体が１．０μｇ／ｍｌの最終濃度で補充された）。１時間のインキュベーションの後、プレートを典型的には３回洗浄する。反応溶液［１００μｌ、１６７μｇのオルトフェニレンジアミン（ＯＰＤ）（Ｓｉｇｍａ、Ｓｔ．Ｌｏｕｉｓ、Ｍｏ．）、０．０２５％過酸化水素をＰＢＳに含有する］をウエルに加える。色を暗所で３０分間発色させる。反応を、５０μｌの４Ｎ  ＨＣｌ溶液を各ウエルに添加することによって停止させ、その後、４９０ｎｍにおける吸光度を自動化ＥＬＩＳＡ読み取り装置（Ｂｉｏ−Ｔｅｋ  ｉｎｓｔｒｕｍｅｎｔｓ、Ｗｉｎｏｏｓｋｉ、Ｖｔ．）で測定する。結合したキメラ抗体が、その後、非関連のキメラ抗体標準品（Ｓｃｏｔｇｅｎ，Ｌｔｄ．（Ｅｄｉｎｂｕｒｇ、スコットランド）から入手可能）に対して求められる。
【０１３２】
抗体は下記のように培養培地から単離することができる。トランスフェクトーマの培養を無血清培地に順応させる。キメラ抗体を製造するために、細胞を、ＨＳＦＭを使用してローラーボトルにおいて５００ｍｌ培養物として生育させる。培養物を遠心分離し、上清を０．２ミクロンのメンブランでろ過する。ろ過された培地をプロテインＡカラム（１×３ｃｍ）に１ｍｌ／分の流速で通す。その後、樹脂は約１０カラム容量のＰＢＳで洗浄され、そしてプロテインＡに結合した抗体が、１０ｍＭのＥＤＴＡを含有する０．１Ｍグリシン緩衝液（ｐＨ３．５）でカラムから溶出される。１．０ｍｌの画分が、１０μｌの３Ｍ  Ｔｒｉｓ（ｐＨ８．６）を含有するチューブに集められ、タンパク質濃度が２８０／２６０ｎｍにおける吸光度から決定される。ピーク画分がまとめられ、ＰＢＳに対して透析され、そして抗体が、例えば、Ｃｅｎｔｒｉｃｏｎ３０（Ａｍｉｃｏｎ、Ｂｅｖｅｒｌｙ、Ｍａｓｓ．）を用いて濃縮される。抗体濃度が、前記のように、ＥＬＩＳＡによって測定され、その濃度が、ＰＢＳを使用して約１ｍｇ／ｍｌに調節される。アジ化ナトリウム（０．０１％（ｗ／ｖ））が、好都合には、保存剤としてサンプルに添加される。
【０１３３】
キメラ抗ＣＳＡｐ抗体またはヒト化抗ＣＳＡｐ抗体またはヒト抗ＣＳＡｐ抗体の親和性は、下記に例示されるように、直接的な結合アッセイまたは競合的結合アッセイを使用して評価することができる。
【０１３４】
組換え抗体の改変／最適化
ヒト化は抗体親和性の低下または喪失さえも生じさせることがあるので、元の親和性を回復するためには、さらなる改変が必要であると考えられる（例えば、Ｔｅｍｐｅｓｔら、Ｂｉｏ／Ｔｅｃｈｎｏｌｏｇｙ、９：２６６（１９９１）；Ｖｅｒｈｏｅｙｅｎら、Ｓｃｉｅｎｃｅ、２３９：１５３４（１９８８）を参照のこと、これらの文献は参照することにより本明細書に組み込まれる）。ｃＭｕ−９は、そのネズミ対応体の結合親和性に匹敵し得る結合親和性を示すことが知られているので、ｈＭｕ−９の最初の形態における不完全な設計体を（それらが存在する場合には）、ｃＭｕ−９の軽鎖および重鎖を混ぜ、ヒト化形態の軽鎖および重鎖に一致させることによって同定することができる。好ましくは、フレームワーク領域内のいくつかのヒト残基がそれらのネズミ対応体によって置換される。同様に好ましくは、２つの異なるヒト抗体（例えば、ＥＵおよびＮＥＷＭ）に由来するフレームワーク配列の組合せがＶHのために使用される。例えば、ＦＲ１〜３をＥＵに由来させることができ、ＦＲ４をＮＥＷＭに由来させることができる。
【０１３５】
他の改変、例えば、Ａｓｎ結合型グリコシル化部位を、オリゴヌクレオチド誘導による従来の部位特異的変異誘発によってキメラＭｕ−９抗体またはヒトＭｕ−９抗体またはヒト化Ｍｕ−９抗体に導入することができる。オリゴヌクレオチド誘導の変異誘発に関する詳細なプロトコルおよびクローニングされたＤＮＡの変異誘発に対する関連技術は広く知られている。例えば、上記のＳａｍｂｒｏｏｋらおよびＡｕｓｕｂｅｌらを参照のこと。
【０１３６】
例えば、ＡｓｎをｈＭｕ−９Ｖκの１８位（図４Ｂ）に導入するために、コドン１８をＡｒｇに対するＣＧＡからＡＡＣに変えることができる。これを達成するために、抗体軽鎖配列を含有する一本鎖ＤＮＡテンプレートが、少数のウラシルをチミジンの代わりに含有する一本鎖ＤＮＡ分子を得るために好適な大腸菌株（例えば、ｄｕｔ-、ｕｎｇ−）から調製される。そのようなＤＮＡテンプレートは、Ｍ１３クローニングによって、またはＳＰ６プロモーターを使用するインビトロ転写によって得ることができる。例えば、Ａｕｓｕｂｅｌら編、ＣＵＲＲＥＮＴ  ＰＲＯＴＯＣＯＬＳ  ＩＮ  ＭＯＬＥＣＵＬＡＲ  ＢＩＯＬＯＧＹ（Ｊｏｈｎ  Ｗｉｌｅｙ＆Ｓｏｎｓ、ＮＹ、１９８７）を参照のこと。変異配列を含有するオリゴヌクレオチドが従来のように合成され、これを一本鎖テンプレートにアニリーングし、生成物をＴ４ＤＮＡポリメラーゼおよびＴ４ＤＮＡリガーゼで処理して、二本鎖ＤＮＡ分子が得られる。野生型大腸菌（ｄｕｔ+、ｕｎｇ+）細胞をこの二本鎖ＤＮＡで形質転換することにより、変異ＤＮＡの効率的な回収がもたらされる。
【０１３７】
あるいは、Ａｓｎ結合型グリコシル化部位は、プライマーとして所望の変異を含有するオリゴヌクレオチドとＶｋ鎖に対する可変領域のＤＮＡクローンとを使用して、または目的とする抗体を産生する細胞からのＲＮＡをテンプレートとして使用することによって抗体軽鎖に導入することができる。Ｈｕｓｅ、ＡＮＴＩＢＯＤＹ  ＥＮＧＩＮＥＥＲＩＮＧ：Ａ  ＰＲＡＣＴＩＣＡＬ  ＧＵＩＤＥ（Ｂｏｅｒｒｅｂａｅｃｋ編、Ｗ．Ｈ．Ｆｒｅｅｍａｎ＆Ｃｏ．、１０３頁〜１２０頁、１９９２）もまた参照のこと。部位特異的変異誘発を、例えば、ＴＲＡＮＳＦＯＲＭＥＲ（商標）キット（Ｃｌｏｎｅｔｅｃｈ、Ｐａｌｏ  Ａｌｔｏ、Ｃａｌｉｆ．）を製造者の説明書に従って使用して行うことができる。
【０１３８】
あるいは、グリコシル化部位は、共通的にプライマー伸長するオリゴヌクレオチドを用いて抗体鎖を合成することによって導入することができる。この場合、１つのそのようなオリゴヌクレオチドが所望の変異を含有する。例えば、Ｕｈｌｍａｎｎ、Ｇｅｎｅ、７１：２９（１９８８）；Ｗｏｓｎｉｃｋら、Ｇｅｎｅ、６０：１１５（１９８８）；Ａｕｓｕｂｅｌら（上記）を参照のこと（これらの文献は参照することにより本明細書に組み込まれる）。
【０１３９】
上記の一般的な記載は、抗体の軽鎖の１８位にＡｓｎグリコシル化部位を導入することを示しているが、Ａｓｎ結合型グリコシル化部位を、軽鎖内において、または重鎖可変領域内においてさえも、そのどこにでも導入することは可能であることが当業者には理解される。
【０１４０】
抗体結合親和性の測定
そのようにして単離された、単離されたネズミＭｕ−９抗体、ヒトＭｕ−９抗体、ヒト化Ｍｕ−９抗体およびキメラＭｕ−９抗体の比較され得る結合親和性を直接的な放射免疫アッセイによって測定することができる。Ｍｕ−９は、クロラミンＴ法を使用して131Ｉまたは125Ｉで標識することができる（例えば、Ｇｒｅｅｎｗｏｏｄら、Ｂｉｏｃｈｅｍ．Ｊ．、８９：１２３（１９６３）を参照のこと、この文献は、参照することにより本明細書に組み込まれる）。ヨウ素化された抗体の比活性は、典型的には、約１０μＣｉ／μｇに調節される。非標識抗体および標識抗体は、反応培地（１％ウマ血清および１００μｇ／ｍｌのゲンタマイシンが補充されたＨＳＦＭ）を使用して適切な濃度に希釈される。標識抗体および非標識抗体の両方の適切な濃度が１００μｌの総容量で反応チューブに一緒に加えられる。ＧＷ−３９腫瘍細胞の培養物がサンプル採取され、細胞濃度が測定される。培養物を遠心分離し、集められた細胞を反応培地で１回洗浄し、その後、細胞は反応培地に約１０7細胞／ｍｌの最終濃度に再懸濁される。すべての手順は４℃の冷所で行われる。細胞懸濁物（１００μｌ）が反応チューブに加えられる。反応は、細胞を再懸濁するために反応チューブを定期的に穏やかに振とうしながら４℃で２時間行われる。反応期間後、５ｍｌの洗浄緩衝液（１％ＢＳＡを含有するＰＢＳ）が各チューブに加えられる。懸濁物を遠心分離して、細胞ペレットを別の５ｍｌの洗浄緩衝液でもう１回洗浄する。遠心分離後、細胞ペレットに残っている残留放射能の量がγカウンター（Ｍｉｎａｘ、Ｐａｃｋａｒｄ  Ｉｎｓｔｒｕｍｅｎｔｓ、Ｓｔｅｒｌｉｎｇ、Ｖａ．）で測定される。
【０１４１】
ＩＩＩ．抗体フラグメントの製造
特定のエピトープを認識する抗体フラグメントを知られている様々な技術によって作製することができる。抗体フラグメントは抗体の抗原結合部分であり、例えば、Ｆ（ａｂ’）2、Ｆａｂ’、Ｆａｂ、Ｆｖ、ｓＦｖなどである。他の抗体フラグメントには、抗体分子のペプシン消化によって生じ得るＦ（ａｂ）’2フラグメント、およびＦ（ａｂ’）2フラグメントのジスルフィド架橋を還元することによって作製され得るＦａｂ’フラグメントが含まれるが、これらに限定されない。あるいは、Ｆａｂ’発現ライブラリーを、所望する特異性を有するモノクローナルＦａｂ’フラグメントの迅速かつ容易な同定を可能にするために構築することができる（Ｈｕｓｅら、１９８９、Ｓｃｉｅｎｃｅ、２４６：１２７４〜１２８１）。本発明には、様々な抗体および抗体フラグメントが含まれる。
【０１４２】
単鎖Ｆｖ分子（ｓｃＦｖ）はＶＬドメインおよびＶＨドメインを含む。ＶＬドメインおよびＶＨドメインは会合して、標的結合部位を形成する。これらの２つのドメインはさらに、ペプチドリンカー（Ｌ）によって共有結合的に連結される。ｓｃＦｖ分子は、ＶＬドメインがｓｃＦｖ分子のＮ末端部分である場合にはＶＬ−Ｌ−ＶＨとして、またはＶＨドメインがｓｃＦｖ分子のＮ末端部分である場合にはＶＨ−Ｌ−ＶＬとして、そのいずれかで示される。ｓｃＦｖ分子の作製方法および好適なペプチドリンカーの設計方法が、米国特許第４，７０４，６９２号、米国特許第４，９４６，７７８号；Ｒ．ＲａａｇおよびＭ．Ｗｈｉｔｌｏｗ、「単鎖Ｆｖ」、ＦＡＳＥＢ、第９巻：７３〜８０（１９９５）；およびＲ．Ｅ．ＢｉｒｄおよびＢ．Ｗ．Ｗａｌｋｅｒ、「単鎖抗体可変領域」、ＴＩＢＴＥＣＨ、第９巻：１３２〜１３７（１９９１）に記載される。これらの参考文献は参照することにより本明細書中に組み込まれる。
【０１４３】
高親和性のｓｃＦｖを得るために、大きいレパートリーを有するｓｃＦｖライブラリーを、すべての知られているＶH遺伝子ファミリーおよびＶκ遺伝子ファミリーおよびＶλ遺伝子ファミリーに対応するＰＣＲプライマーを使用して非免疫化ヒトドナーからＶ遺伝子を単離することによって構築することができる。例えば、Ｖａｕｇｈｎら、Ｎａｔ．Ｂｉｏｔｅｃｈｎｏｌ．、１４：３０９〜３１４（１９９６）を参照のこと。増幅後、ＶκプールおよびＶλプールは一緒にされて、１つのプールにされる。これらのフラグメントはファージミドベクターに連結される。その後、ｓｃＦｖリンカー（Ｇｌｙ4−Ｓｅｒ）3がＶLフラグメントの上流においてファージミド内に連結される。ＶHフラグメントおよびリンカー−ＶLフラグメントが増幅され、ＪH領域で組み立てられる。得られるＶH−リンカー−ＶLフラグメントがファージミドベクター内に連結される。ファージミドライブラリーは、上記に記載されるようにフィルターを使用して、または免疫チューブ（Ｎｕｎｃ；Ｍａｘｉｓｏｒｐ）を使用してパンニングすることができる。類似する結果を、免疫化されたウサギのリンパ球または脾臓細胞からコンビナトリアル免疫グロブリンライブラリを構築することによって、そしてＰ．ｐａｓｔｏｒｉｓにおいてｓｃＦｖ構築物を発現させることによって達成することができる。例えば、Ｒｉｄｄｅｒら、Ｂｉｏｔｅｃｈｎｏｌｏｇｙ、１３：２５５〜２６０（１９９５）を参照のこと。さらには、適切なｓｃＦｖを単離した後、結合親和性がより大きく、かつ解離速度がより遅い抗体フラグメントを、ＣＤＲ３変異誘発および鎖シャッフリングなどの親和性成熟化プロセスによって得ることができる。例えば、Ｊａｃｋｓｏｎら、Ｂｒ．Ｊ．Ｃａｎｃｅｒ、７８：１８１〜１８８（１９９８）；Ｏｓｂｏｕｒｎら、Ｉｍｍｕｎｏｔｅｃｈｎｏｌｏｇｙ、２：１８１〜１９６（１９９６）を参照のこと。
【０１４４】
抗体フラグメントは、全長の抗体をタンパク質分解的に加水分解することによって、またはフラグメントをコードするＤＮＡを大腸菌もしくは別の宿主で発現させることによって調製することができる。抗体フラグメントは、全長の抗体を従来の方法によりペプシン消化またはパパイン消化することによって得ることができる。例えば、抗体フラグメントは、Ｆ（ａｂ’）2として示される５Ｓフラグメントを得るためにペプシンで抗体を酵素切断することによって製造することができる。このフラグメントはさらに、３．５ＳのＦａｂ’一価フラグメントを製造するために、チオール還元剤と、任意選択的にジスルフィド架橋の切断から生じるスルフヒドリル基に対する遮断基とを使用して切断することができる。あるいは、パパインを使用する酵素切断により、直接、２つの一価Ｆａｂフラグメントおよび１つのＦｃフラグメントが得られる。これらの方法は、例えば、Ｇｏｌｄｅｎｂｅｒｇ、米国特許第４，０３６，９４５号および同第４，３３１，６４７号ならびにそれらに含まれる参考文献に記載される（そのような特許は、参照することによりその全体を本明細書中に組み込むものとする）。また、Ｎｉｓｏｎｏｆｆら、Ａｒｃｈ．Ｂｉｏｃｈｅｍ．Ｂｉｏｐｈｙｓ．、８９：２３０（１９６０）；Ｐｏｒｔｅｒ、Ｂｉｏｃｈｅｍ．Ｊ．、７３：１１９（１９５９）；Ｅｄｅｌｍａｎら、ＭＥＴＨＯＤＳ  ＩＮ  ＥＮＺＹＭＯＬＯＧＹ、第１巻、４２２頁（Ａｃａｄｅｍｉｃ  Ｐｒｅｓｓ、１９６７）；Ｃｏｌｉｇａｎ、２．８．１頁〜２．８．１０頁および２．１０頁〜２．１０．４頁も参照のこと。
【０１４５】
抗体フラグメントの別の形態は、単一の相補性決定領域（ＣＤＲ）をコードするペプチドである。ＣＤＲは、抗体が結合するエピトープに対して構造が相補的であり、かつ可変領域の残りよりも変化が大きい、抗体の可変領域のセグメントである。従って、ＣＤＲは超可変領域と呼ばれることがある。可変領域は３つのＣＤＲを含む。ＣＤＲペプチドは、目的とする抗体のＣＤＲをコードする遺伝子を構築することによって得ることができる。そのような遺伝子は、例えば、ポリメラーゼ連鎖反応を使用して、抗体産生細胞のＲＮＡから可変領域を合成することによって調製される。例えば、Ｌａｒｒｉｃｋら、Ｍｅｔｈｏｄｓ：Ａ  Ｃｏｍｐａｎｉｏｎ  ｔｏ  Ｍｅｔｈｏｄｓ  ｉｎ  Ｅｎｚｙｍｏｌｏｇｙ、２：１０６（１９９１）；Ｃｏｕｒｔｅｎａｙ−Ｌｕｃｋ、「モノクローナル抗体の遺伝子操作」、ＭＯＮＯＣＬＯＮＡＬ  ＡＮＴＩＢＯＤＩＥＳ：ＰＲＯＤＵＣＴＩＯＮ，ＥＮＧＩＮＥＥＲＩＮＧ  ＡＮＤ  ＣＬＩＮＩＣＡＬ  ＡＰＰＬＩＣＡＴＩＯＮ（Ｒｉｔｔｅｒら（編）、１６６頁〜１７９頁、Ｃａｍｂｒｉｄｇｅ  Ｕｎｉｖｅｒｓｉｔｙ  Ｐｒｅｓｓ、１９９５）；およびＷａｒｄら、「抗体の遺伝子操作および発現」、ＭＯＮＯＣＬＯＮＡＬ  ＡＮＴＩＢＯＤＩＥＳ：ＰＲＩＮＣＩＰＬＥＳ  ＡＮＤ  ＡＰＰＬＩＣＡＴＩＯＮＳ（Ｂｉｒｃｈら（編）、１３７頁〜１８５頁、Ｗｉｌｅｙ−Ｌｉｓｓ，Ｉｎｃ．、１９９５）を参照のこと。
【０１４６】
完全な抗体によって認識される抗原にフラグメントが結合する限り、抗体を切断する他の方法、例えば、一価の軽鎖−重鎖フラグメントを形成させるための重鎖の分離、フラグメントのさらなる切断、あるいは他の酵素的または化学的または遺伝学的な技術などもまた使用することができる。
【０１４７】
二重特異性抗体の調製
様々なｂｓＡｂを当分野で知られている様々な技術によって調製することができる。例えば、抗ＣＥＡ  Ａｂまたは抗ＣＳＡｐ  Ａｂおよび抗ペプチドＡｂはともに、ペプシンでそれらのそれぞれのＦ（ａｂ’）2に個々に消化される。抗ＣＥＡ−Ａｂ−Ｆ（ａｂ’）2または抗ＣＳＡｐ−Ａｂ−Ｆ（ａｂ’）2はシステインで還元されて、Ｆａｂ’の単量体ユニットが生じ、これはさらに架橋剤ビス（マレイミド）ヘキサンと反応して、Ｆａｂ’−マレイミド体をもたらす。抗ペプチドＡｂ−Ｆ（ａｂ’）2はシステインで還元され、そして精製され、回収された抗ペプチドＦａｂ’−ＳＨは抗ＣＥＡ−Ｆａｂ’−マレイミドまたは抗ＣＳＡｐ−Ｆａｂ’−マレイミドとそれぞれ反応して、Ｆａｂ’ｘＦａｂ’の二重特異性Ａｂをもたらす。あるいは、抗ペプチドＦａｂ’−ＳＨフラグメントは、Ｆ（ａｂ’）2ｘＦａｂ’構築物を得るために抗ＣＥＡＦ（ａｂ’）2または抗ＣＳＡｐＦ（ａｂ’）2とそれぞれカップリングさせることができ、あるいはＩｇＧｘＦａｂ’の二重特異性構築物を得るために抗ＣＥＡまたはＭｕ−９ＩｇＧとカップリングさせることができる。１つの実施形態において、ＩｇＧｘＦａｂ’構築物を、過ヨウ素酸酸化され、続いて市販のヒドラジド−マレイミド架橋剤との反応によって活性化されている抗ＣＥＡまたはＭｕ−９ＩｇＧの重鎖炭水化物に抗ペプチドＦａｂ’のチオール基を結合することによって部位特異的な様式で調製することができる。使用される成分Ａｂは、知られている技術によってキメラ化またはヒト化することができる。キメラ抗体は、齧歯類抗体に由来する可変ドメインおよび相補性決定領域とを含有する組換えタンパク質であり、同時に、抗体分子の残りがヒト抗体に由来する。ヒト化抗体は、モノクローナル抗体のネズミ相補性決定領域がネズミ免疫グロブリンの重鎖可変部および軽鎖可変部からヒト可変ドメインの中に移されている組換えタンパク質である。
【０１４８】
様々な組換え法を、二重特異性の抗体および抗体フラグメントを製造するために使用することができる。例えば、二重特異性の抗体および抗体フラグメントを遺伝子組換え家畜の乳汁中に産生させることができる。例えば、Ｃｏｌｍａｎ，Ａ．、Ｂｉｏｃｈｅｍ．Ｓｏｃ．Ｓｙｍｐ．、６３：１４１〜１４７、１９９８；米国特許第５，８２７，６９０号を参照のこと。対になった免疫グロブリン重鎖および免疫グロブリン軽鎖をコードするＤＮＡセグメントをそれそれ含有する２つのＤＮＡ構築物が調製される。これらのフラグメントは、乳腺上皮細胞において優先的に発現するプロモーター配列を含有する発現ベクターにクローニングされる。例には、ウサギ、ウシおよびヒツジのカゼイン遺伝子、ウシα−ラクトグロブリン遺伝子、ヒツジβ−ラクトグロブリン遺伝子ならびにマウス乳漿酸性タンパク質遺伝子に由来するプロモーターが含まれるが、これらに限定されない。好ましくは、挿入されたフラグメントは、乳腺特異的遺伝子に由来する同族のゲノム配列がその３’側で接する。これにより、ポリアデニル化部位および転写物安定化配列が提供される。これらの発現カセットは哺乳動物受精卵の前核に同時注入され、その後、受精卵を、移植されるメスの子宮に着床させ、妊娠させる。出生後、子孫は、サザン分析によって両方の導入遺伝子の存在についてスクリーニングされる。抗体が存在するためには、重鎖遺伝子および軽鎖遺伝子の両方が、同じ細胞において同時に発現しなければならない。遺伝子組換え体のメスから得られた乳汁が、当分野で知られている標準的な免疫学的方法を使用して、抗体または抗体フラグメントの存在および機能性について分析される。抗体は、当分野で知られている標準的な方法を使用して乳汁から精製することができる。
【０１４９】
キメラＡｂは、マウスの軽鎖可変ドメインおよび重鎖可変ドメインをコードするｃＤＮＡフラグメントを、ヒト抗体に由来するＣドメインをコードするフラグメントに連結することによって構築される。Ｃドメインは抗原との結合に寄与しないので、キメラ抗体は、元のマウスＡｂと同じ抗原特異性を保持しているが、配列がヒト抗体に一層近いものになっている。しかし、キメラＡｂは一部のマウス配列を依然として含有しており、依然として免疫原性であり得る。ヒト化Ａｂは、抗原を認識するために必要なそのようなマウスアミノ酸のみを含有する。この製造物は、マウスの相補性決定領域に由来するアミノ酸をヒト抗体のフレームワーク内に組み立てることによって構築される。
【０１５０】
ｂｓＡｂを製造するための他の最近の方法では、より共通的な免疫グロブリンイソ型よりも強く架橋するようにさらなるシステイン残基を有する操作された組換えＡｂが含まれる。例えば、ＦｉｔｚＧｅｒａｌｄら、Ｐｒｏｔｅｉｎ  Ｅｎｇ．、１０（１０）：１２２１〜１２２５、１９９７を参照のこと。別の方法は、必要とされる二重の特異性を有する２つ以上の異なる単鎖抗体または抗体フラグメントのセグメントを連結している組換え融合タンパク質を操作することである。例えば、Ｃｏｌｏｍａら、Ｎａｔｕｒｅ  Ｂｉｏｔｅｃｈ．１５：１５９〜１６３、１９９７を参照のこと。様々な二重特異性の融合タンパク質を、分子操作を使用して製造することができる。１つの形態において、二重特異性の融合タンパク質は一価であり、例えば、１つの抗原に対して１つの結合部位を有するｓｃＦｖと、別の抗原に対して１つの結合部位を有するＦａｂフラグメントとからなる。別の形態では、二重特異性の融合タンパク質は二価であり、例えば、１つの抗原に対して２つの結合部位を有するＩｇＧと、別の抗原に対して２つの結合部位を有する２つのｓｃＦｖとからなる。
【０１５１】
機能的な二重特異性の単鎖抗体（ｂｓｃＡｂ）（これもまた二重特異性抗体（ｄｉａｂｏｄｙ）と呼ばれる）を、組換え法を使用して哺乳動物細胞において産生させることができる。例えば、Ｍａｃｋら、Ｐｒｏｃ．Ｎａｔｌ．Ａｃａｄ．Ｓｃｉ．、９２：７０２１〜７０２５、１９９５を参照のこと。例えば、ｂｓｃＡｂが、組換え法を使用して、グリシン−セリンリンカーを介して２つの単鎖Ｆｖフラグメントを連結することによって製造される。目的とする２つの抗体のＶ軽鎖（ＶL）ドメインおよびＶ重鎖（ＶH）ドメインが、標準的なＰＣＲ法を使用して単離される。その後、それぞれのハイブリドーマから得られたＶLｃＤＮＡおよびＶHｃＤＮＡが、単鎖フラグメントを得るために、２段階の融合ＰＣＲで連結される。最初のＰＣＲ工程により、（Ｇｌｙ4−Ｓｅｒ1）3リンカーが導入され、２番目の工程により、ＶLアンプリコンおよびＶHアンプリコンが連結される。その後、それぞれの単鎖分子が細菌発現ベクターにクローニングされる。増幅後、単鎖分子の一方が切り出され、目的とする第２の単鎖分子を含有するもう一方のベクターにサブクローニングされる。得られるｂｓｃＡｂフラグメントが真核生物発現ベクターにサブクローニングされる。機能的なタンパク質の発現を、ベクターをチャイニーズハムスター卵巣細胞にトランスフェクションすることによって得ることができる。二重特異性の融合タンパク質が類似する様式で調製される。二重特異性の単鎖抗体および二重特異性の融合タンパク質は本発明の範囲に含まれる。大腸菌および酵母において製造される、二重特異性抗体および三重特異性抗体（ｔｒｉａｂｏｄｙ）および四重特異性抗体（ｔｅｔｒａｂｏｄｙ）の二重特異性融合タンパク質が、米国仮特許出願第６０／３４５，６４１号、同第６０／３２８，８３５号および同第６０／３４２，１０３号に記載される（これらの文献は参照することにより本明細書中に組み込まれる）。
【０１５２】
２つ以上の異なる単鎖抗体または抗体フラグメントを連結している二重特異性の融合タンパク質が類似する様式で製造される。
【０１５３】
多量のｂｓｃＡｂおよび融合タンパク質を、大腸菌発現システムを使用して製造することができる。例えば、Ｚｈｅｎｐｉｎｇら、Ｂｉｏｔｅｃｈｎｏｌｏｇｙ、１４：１９２〜１９６、１９９６を参照のこと。機能的なｂｓｃＡｂを、２つの「クロスオーバー」ｓｃＦｖフラグメントを大腸菌において同時発現させることにより製造することができる。この場合、そのような２つのフラグメントに対するＶLドメインおよびＶHドメインは異なるポリペプチド鎖上に存在している。目的とする２つの抗体のＶ軽鎖（ＶL）ドメインおよびＶ重鎖（ＶH）ドメインが、標準的なＰＣＲ法を使用して単離される。その後、目的とする第１の抗体のＶLドメインのＣ末端が第２の抗体のＶHドメインのＮ末端にリンカーを介して連結されるように、これらのｃＤＮＡが細菌発現ベクターに連結される。同様に、目的とする第２の抗体のＶLドメインのＣ末端が第１の抗体のＶHドメインのＮ末端にリンカーを介して連結される。得られる二シストロン性オペロンが、強力なプロモーター（例えば、リン酸塩の飢餓により誘導可能な大腸菌アルカリホスファターゼプロモーター）の転写制御下に置かれる。あるいは、単鎖融合構築物は、ｌａｃプロモーターと、２％グリセリンおよび１％トリトンＸ−１００からなる培地とを使用して大腸菌において発現させることに成功している。例えば。Ｙａｎｇら、Ａｐｐｌ．Ｅｎｖｉｒｏｎ．Ｍｉｃｒｏｂｉｏｌ．、６４：２８６９〜２８７４、１９９８を参照のこと。大腸菌の熱安定性エンテロトキシンＩＩのシグナル配列が、ペプチドを細胞周辺腔に向かわせるために使用される。分泌後、２つのペプチド鎖は会合して、両方の抗原結合特異性を有する非共有結合によるヘテロダイマーを形成する。ｂｓｃＡｂは、当分野で知られている標準的な手法を使用して、例えば、ブドウ球菌プロテインＡクロマトグラフィーを使用して精製される。
【０１５４】
機能的なｂｓｃＡｂおよび融合タンパク質はまた、遺伝子組換え家畜の乳汁中に産生させることができる。例えば、Ｃｏｌｍａｎ，Ａ．、Ｂｉｏｃｈｅｍ．Ｓｏｃ．Ｓｙｍｐ．、６３：１４１〜１４７、１９９８；米国特許第５，８２７，６９０号を参照のこと。上記に記載されるようにして得られるｂｓｃＡｂフラグメントは、乳腺上皮細胞において優先的に発現するプロモーター配列を含有する発現ベクターにクローニングされる。例には、ウサギ、ウシおよびヒツジのカゼイン遺伝子、ウシα−ラクトグロブリン遺伝子、ヒツジβ−ラクトグロブリン遺伝子ならびにマウス乳漿酸性タンパク質遺伝子に由来するプロモーターが含まれるが、これらに限定されない。好ましくは、挿入されたｂｓｃＡｂは、乳腺特異的遺伝子に由来する同族のゲノム配列がその３’側で接する。これにより、ポリアデニル化部位および転写物安定化配列が提供される。その後、発現カセットが哺乳動物受精卵の前核に同時注入され、その後、受精卵を、移植されるメスの子宮に着床させ、妊娠させる。出生後、子孫は、導入されたＤＮＡの存在についてサザン分析によりスクリーニングされる。遺伝子組換え体のメスから得られた乳汁が、当分野で知られている標準的な免疫学的方法を使用してｂｓｃＡｂの存在および機能性について分析される。ｂｓｃＡｂは、当分野で知られている標準的な方法を使用して乳汁から精製することができる。乳汁におけるｂｓｃＡｂの遺伝子組換え製造は、多量のｂｓｃＡｂを得るための効率的な方法を提供する。
【０１５５】
機能的なｂｓｃＡｂおよび融合タンパク質はまた、遺伝子組換え植物において製造することができる。例えば、Ｆｉｅｄｌｅｒら、Ｂｉｏｔｅｃｈ．、１３：１０９０〜１０９３、１９９５；Ｆｉｅｄｌｅｒら、Ｉｍｍｕｎｏｔｅｃｈｎｏｌｏｇｙ、３：２０５〜２１６、１９９７を参照のこと。そのような製造により、低コスト、大規模生産および安定かつ長期間の貯蔵を含むいくつかの利点が提供される。上記に記載されるようにして得られたｂｓｃＡｂフラグメントは、プロモーター配列を含有し、かつ小胞体にタンパク質を向かわせるためのシグナルペプチド配列をコードする発現ベクターにクローニングされる。発現産物を植物内の特定の位置に向かわせることを可能にする様々なプロモーターを利用することができる。例えば、タバコ植物における遍在的な発現を、強力なカリフラワーモザイクウイルス３５Ｓプロモーターを使用することによって達成することができ、これに対して、器官特異的な発現が種子特異的なレグミンＢ４プロモーターによって達成される。発現カセットが、当分野で知られている標準的な方法に従って形質転換される。形質転換はサザン分析によって確認される。遺伝子組換え植物は、当分野で知られている標準的な免疫学的方法を使用してｂｓｃＡｂの存在および機能性について分析される。ｂｓｃＡｂは、当分野で知られている標準的な方法を使用して植物組織から精製することができる。
【０１５６】
さらに、遺伝子組換え植物はｂｓｃＡｂおよび融合タンパク質の長期間の貯蔵を容易にする。機能的に活性なｓｃＦｖタンパク質が、室温で１週間貯蔵された後のタバコの葉から抽出されている。同様に、室温で１年間貯蔵された遺伝子組換えタバコの種子は、ｓｃＦｖタンパク質またはその抗原結合活性の喪失を全く示していない。
【０１５７】
機能的なｂｓｃＡｂおよび融合タンパク質はまた、昆虫細胞において製造することができる。例えば、Ｍａｈｉｏｕｚら、Ｊ．Ｉｍｍｕｎｏｌ．Ｍｅｔｈｏｄｓ、２１２：１４９〜１６０（１９９８）を参照のこと。昆虫に基づく発現システムにより、多量の均一かつ正しく折り畳まれたｂｓｃＡｂを製造する手段が提供される。バキュロウイルスが、昆虫細胞のために広く使用されている発現ベクターであり、組換え抗体分子への適用に成功している。例えば、Ｍｉｌｌｅｒ，Ｌ．Ｋ．、Ａｎｎ．Ｒｅｖ．Ｍｉｃｒｏｂｉｏｌ．、４２：１７７（１９８８）；Ｂｅｉら、Ｊ．Ｉｍｍｕｎｏｌ．Ｍｅｔｈｏｄｓ、１８６：２４５（１９９５）を参照のこと。あるいは、誘導可能な発現システムを、ｂｓｃＡｂ構築物を誘導可能なプロモーターの転写制御下に含有する安定な昆虫細胞株を作製することによって利用することができる。例えば、Ｍａｈｉｏｕｚら、Ｊ．Ｉｍｍｕｎｏｌ．Ｍｅｔｈｏｄｓ、２１２：１４９〜１６０（１９９８）を参照のこと。上記に記載されるようにして得られたｂｓｃＡｂフラグメントは、ショウジョウバエ（Ｄｒｏｓｐｈｉｌａ）メタロチオネインプロモーター配列およびヒトＨＬＡ−Ａ２リーダー配列を含有する発現ベクターにクローニングされる。その後、構築物はキイロショウジョウバエ（Ｄ．ｍｅｌａｎｏｇａｓｔｅｒ）ＳＣ−２細胞にトランスフェクションされる。発現が、銅または亜鉛またはカドミウムの上昇した量に細胞を曝すことによって誘導される。ｂｓｃＡｂの存在および機能性が、当分野で知られている標準的な免疫学的方法を使用して測定される。精製されたｂｓｃＡｂが、当分野で知られている標準的な方法を使用して得られる。
【０１５８】
本発明の好ましい二重特異性抗体は、ＭＡｂ  Ｍｕ９のＦｖおよびＭＡｂ６７９のＦｖを含む抗体、またはＭＡｂ  ＭＮ１４のＦｖおよびＭＡｂ６７９のＦｖを含む抗体、ならびにそれらのヒト対応体またはキメラ化対応体またはヒト化対応体である。従って、抗ＣＳＡｐ抗体フラグメントもまた本発明では考えられる。好ましくは、抗ＣＳＡｐ抗体フラグメントはＭｕ−９抗体フラグメントである。ＭＮ１４ならびにそのキメラ化対応体およびヒト化対応体が米国特許第５，８７４，５４０号に開示される。Ｍｕ９または６７９のＣＤＲの１つ以上を含む二重特異性の抗体もまた好ましい。抗体はまた、クラスＩＩＩ抗ＣＥＡ抗体と６７９のＦｖとを含む融合タンパク質または二重特異性の抗体であり得る。様々なクラスＩＩＩ抗体（クラスＩＩＩ抗ＣＥＡを含む）が米国特許第４，８１８，７０９号で詳しく議論されている。
【０１５９】
ＩＶ．処置および診断／検出のための抗体
処置および診断／検出のためのヒト化抗ＣＳＡｐ抗体およびキメラ抗ＣＳＡｐ抗体およびヒト抗ＣＳＡｐ抗体
本発明では、ヒト化抗ＣＳＡｐ抗体、キメラ抗ＣＳＡｐ抗体、ヒト抗ＣＳＡｐ抗体およびそれらのフラグメントの治療法および診断法における使用が考えられる。好ましくは、キメラ抗ＣＳＡｐ抗体、ヒト化抗ＣＳＡｐ抗体、ヒト抗ＣＳＡｐ抗体およびそれらのフラグメントは、キメラＭｕ−９抗体、ヒト化Ｍｕ−９抗体またはヒトＭｕ−９抗体である。さらに好ましくは、本発明のキメラＭｕ−９抗体、ヒト化Ｍｕ−９抗体、ヒトＭｕ−９抗体およびそれらのフラグメントは、悪性腫瘍を処置するための方法において使用される。例えば、本発明における特に注目される悪性腫瘍は、胃腸系のがん、より好ましくは、結腸および直腸のがん、膵臓のがん、ならびに卵巣がんである。
【０１６０】
処置用の組成物は、少なくとも１つのむき出し状態のヒト化抗ＣＳＡｐ抗体またはキメラ抗ＣＳＡｐ抗体またはヒト抗ＣＳＡｐ抗体またはそれらのフラグメントを、単独で、または他の抗ＣＳＡｐ抗体もしくはその抗体フラグメント（他の抗ＣＳＡｐヒト化抗体または抗ＣＳＡｐキメラ抗体または抗ＣＳＡｐヒト抗体など）との組合せで含有する。本発明ではまた、少なくとも１つのむき出し状態のヒト化抗ＣＳＡｐ抗体またはキメラ抗ＣＳＡｐ抗体またはヒト抗ＣＳＡｐ抗体またはそれらのフラグメントを、抗ＣＳＡｐ抗体でない他の抗体またはその抗体フラグメントとの組合せで用いる処置が考えられ、それにより、これらの他の抗体を非コンジュゲート型（むき出し状態）で投与することができ、または治療化合物とのコンジュゲート型で投与することができる。例えば、混合療法のために好適な他の抗体には、がん腫関連抗体およびそのフラグメント、例えば、ＣＥＡ、ＥＧＰ−１、Ｇａ７３３抗原標的（例えば、ＥＧＰ−２、１７−１Ａ、ＫＳ１−４およびＥｐ−ＣＡＭの抗体などについて）、ＭＵＣ１〜ＭＵＣ−４、ＰＡＭ−４、ＫＣ４、ＴＡＧ−７２、ＥＧＦＲ、ＨＥＲ２／ｎｅｕ、ＢｒＥ３、Ｌｅ−Ｙ、ＫＳ−１およびＡ３に対する抗体、抗壊死抗体、およびＡ３３抗体決定基などが含まれるが、これらに限定されない。好適な抗体にはまた、がん遺伝子マーカーもしくはがん遺伝子産物に対してターゲッティングされる抗体、または腫瘍−血管系マーカー（例えば、血管形成因子、ＶＥＧＦ）に対する抗体、およびある種の免疫応答調節因子に対する抗体（ＣＤ４０に対する抗体など）を挙げることができる。さらに、処置は、少なくとも１つのヒト化抗ＣＳＡｐ免疫コンジュゲート体またはキメラ抗ＣＳＡｐ免疫コンジュゲート体またはヒト抗ＣＳＡｐ免疫コンジュゲート体またはそれらのフラグメントを、単独で、あるいは他の抗ＣＳＡｐ抗体またはその抗体フラグメント（他の抗ＣＳＡｐヒト化抗体または抗ＣＳＡｐキメラ抗体または抗ＣＳＡｐヒト抗体など）との組合せで用いて行うことができる。さらに好ましくは、処置用の組成物は、少なくとも１つのヒト化抗ＣＳＡｐ免疫コンジュゲート体またはキメラ抗ＣＳＡｐ免疫コンジュゲート体またはヒト抗ＣＳＡｐ免疫コンジュゲート体またはそれらのフラグメントを、抗ＣＳＡｐ抗体でない他の抗体または抗体フラグメントと組み合わせて含有することができ、この場合、これらはむき出し状態または治療剤に対するコンジュゲート型のいずれかである。
【０１６１】
同様に、コンジュゲート型およびむき出し状態の抗ＣＳＡｐヒト化抗体または抗ＣＳＡｐキメラ抗体または抗ＣＳＡｐヒト抗体は単独で使用することができ、あるいは本明細書中に記載される様々な診断剤または治療剤とともに、しかし非コンジュゲート型で投与することができる。また、むき出し状態の抗体、あるいは同じまたは異なるエピトープまたは抗原に対するコンジュゲート化抗体もまた、本発明の抗体の１つ以上と組み合わせることができる。
【０１６２】
従って、本発明では、ヒト化Ｍｕ−９抗体、キメラＭｕ−９抗体、ヒトＭｕ−９抗体およびそれらのフラグメントを単独またはむき出し状態の抗体として投与すること、あるいは多モード治療として投与されるそのような抗体およびそれらのフラグメントの投与が考えられる。本発明の多モード治療はさらに、むき出し状態の抗体もしくは融合タンパク質の形態で、または免疫コンジュゲート体として他の抗体を投与することにより補われる、むき出し状態のＣＳＡｐ抗体またはコンジュゲート化ＣＳＡｐ抗体を用いた免疫療法が含まれる。例えば、ヒト化Ｍｕ−９抗体、キメラＭｕ−９抗体またはヒトＭｕ−９抗体を、他のむき出し状態のヒト化Ｍｕ−９抗体、むき出し状態のキメラＭｕ−９抗体またはむき出し状態のヒトＭｕ−９抗体と、あるいはヒト化Ｍｕ−９免疫コンジュゲート体、キメラＭｕ−９免疫コンジュゲート体またはヒトＭｕ−９免疫コンジュゲート体（同位体、１つ以上の化学療法剤、サイトカイン、酵素、酵素阻害剤、ホルモンまたはホルモンアンタゴニスト、金属、毒素またはそれらの組合せに対してコンジュゲート化されたヒト化Ｍｕ−９抗体またはキメラＭｕ−９抗体またはヒトＭｕ−９抗体など）と組み合わせることができる。ヒト化Ｍｕ−９抗体またはキメラＭｕ−９抗体またはヒトＭｕ−９抗体と毒素との融合タンパク質もまた本発明において使用することができる。多くの異なる抗体組合せを、むき出し状態の抗体として、あるいは一部がむき出し状態であるので、一部が治療剤または免疫調節因子とのコンジュゲート型として、あるいは別の治療剤（細胞傷害性薬剤など）または放射線との単なる組合せで、そのいずれかで組み立てることができる。
【０１６３】
処置用の組成物は、少なくとも１つのヒト化モノクローナル抗ＣＳＡｐ抗体またはキメラモノクローナル抗ＣＳＡｐ抗体またはヒトモノクローナル抗ＣＳＡｐ抗体またはそれらのフラグメントを、単独で、または他の抗体およびそのフラグメント（他のむき出し状態もしくはコンジュゲート型のヒト化抗体、キメラ抗体、ヒト抗体、融合タンパク質など）もしくは治療剤との組合せで含有する。特に、完全なヒト抗体を用いた混合療法もまた考えられ、そして上記に示されるような方法によってもたらされる。
【０１６４】
むき出し状態の抗体、あるいは同じまたは異なるエピトープまたは抗原に対するコンジュゲート化抗体、およびそれらのフラグメントもまた、本発明の抗体またはそのフラグメントの１つ以上と組み合わせることができる。例えば、ヒト化されたむき出し状態のＭｕ−９抗体またはキメラ型のむき出し状態のＭｕ−９抗体またはヒトのむき出し状態のＭｕ−９抗体を別のむき出し状態のヒト化Ｍｕ−９抗体またはむき出し状態のキメラＭｕ−９抗体またはむき出し状態のヒトＭｕ−９抗体と組み合わせることができ、あるいはヒト化されたむき出し状態のＭｕ−９抗体またはキメラ型のむき出し状態のＭｕ−９抗体またはヒトのむき出し状態のＭｕ−９抗体をＭｕ−９免疫コンジュゲート体と組み合わせることができ、あるいはむき出し状態のＭｕ−９抗体を異なる抗体放射性コンジュゲート体と組み合わせることができ、あるいは異なるむき出し状態の抗体を、同位体にコンジュゲート化されたか、または１つ以上の化学療法剤、サイトカイン、毒素、酵素、酵素阻害剤、ホルモン、ホルモンアンタゴニストもしくはそれらの組合せにコンジュゲート化されたヒト化Ｍｕ−９抗体またはキメラＭｕ−９抗体またはヒトＭｕ−９抗体と組み合わせることができる。ヒト化Ｍｕ−９抗体またはキメラＭｕ−９抗体またはヒトＭｕ−９抗体と毒素または免疫調節因子との融合タンパク質もまた本発明において使用することができる。少なくとも２つの異なる抗原をターゲッティングする多くの異なる抗体組合せを、むき出し状態の抗体として、あるいは一部がむき出し状態で、一部が治療剤または免疫調節因子とのコンジュゲート型として、あるいは別の治療剤（細胞傷害性薬剤など）または放射線との単なる組合せで、そのいずれかで組み立てることができる。
【０１６５】
本発明の多モード治療にはさら、結腸直腸がんまたは卵巣がんによって発現される抗原に対する抗体を、むき出し状態の抗体、融合タンパク質、免疫コンジュゲート体およびそれらのフラグメントの形態で投与することにより補われる、むき出し状態のＭｕ−９抗体またはそのフラグメントを用いた免疫療法が含まれる。好ましい実施形態において、多モード治療用の抗体またはそのフラグメントには、ＣＥＡ、ＥＧＰ−１、ＥＧＰ−２、ＴＡＧ−７２、ＭＵＣ１、ＭＵＣ２、ＭＵＣ３、ＭＵＣ４、ＫＣ４、ＰＡＭ−４、ＥＧＦＲ、ＢｒＥ３、Ｌｅ−Ｙ、ＫＳ−１およびＡ３に対する抗体、Ａ３３抗体およびＨＥＲ２／ｎｅｕ抗体およびそれらのフラグメント、ならびに血管形成因子（例えば、ＶＥＧＦ）に対する抗体、またはがん遺伝子マーカーもしくはがん遺伝子産物に対する抗体、ならびに免疫調節因子（例えば、ＣＤ４０）に対する抗体が含まれるが、これらに限定されない。これらの抗体には、これらの抗原性決定基上の少なくとも１つのエピトープを認識するポリクローナル抗体、モノクローナル抗体、キメラ抗体、ヒト抗体またはヒト化抗体およびそれらのフラグメントが含まれる。
【０１６６】
多モード治療の別の形態において、被験体には、むき出し状態の抗体もしくはそのフラグメントおよび／または免疫コンジュゲート体もしくはそのフラグメントが標準的ながん化学療法と一緒に与えられる。ホリニン酸と組み合わせた５−フルオロウラシルは、それだけで、またはイリノテカン（ＣＰＴ−１１）との組合せで、結腸直腸がんを処置するために使用される治療法である。混合化学療法による他の好適な治療法が当業者に広く知られている。例えば、オキサリプラチンを、単独で、またはこれらの他の薬物との組合せで用いた混合化学療法。卵巣がんでは、さらに別の化学療法剤、例えば、タキサン類および白金剤、チオ−ＴＥＰＡおよび他のアルキル化剤（例えば、クロラムブチル）、ならびにゲムシタビンおよび他のより最近の種類の細胞傷害性薬物のいずれかの化学療法剤が好まれることがある。好ましい多モード治療において、化学療法薬物およびサイトカインの２つは、本発明による抗体または免疫コンジュゲート体または融合タンパク質と同時に投与される。サイトカイン、化学療法薬物、および抗体または免疫コンジュゲート体は、任意の順序で、または一緒に投与することができる。
【０１６７】
様々な他の化学療法剤を、混合処置のために、または免疫コンジュゲート体を作製するために使用することができる。そのような化学療法剤には、アドリアマイシン、ダクチノマイシン、マイトマイシン、カルミノマイシン、ダウノマイシン、ドキソルビシン、タモキシフェン、タキソール、タキソテレ、ビンクリスチン、ビンブラスチン、ビノレルビン、エトポシド（ＶＰ−１６）、５−フルオロウラシル（５ＦＵ）、シトシンアラビノシド、シクロホスファミド、チオテパ、メトトレキサート、カンプトテシン、アクチノマイシン−Ｄ、マイトマイシンＣ、シスプラチン（ＣＤＤＰ）、アミノプテリン、コンブレタスタチン類、ネオマイシン、ポドフィロトキシン類、ＴＮＦ−α、α2β3アンタゴニスト、カルシウムイオノホア、カルシウムフラックス誘導剤、ならびにそれらの誘導体およびプロドラッグが含まれるが、これらに限定されない。シトシンアラビノシド、アミノプテリンなどの代謝拮抗剤；アントラサイクリン類；ビンカアルカロイドおよび他のアルカロイド；抗生物質、デメコルチン；エトポシド；ミトラマイシン；および他の抗腫瘍アルキル化剤もまた、本発明の抗体との使用のために考えられる。
【０１６８】
さらに、本発明の治療用組成物は、ＣＳＡｐ分子上の異なる非遮蔽エピトープに対するむき出し状態のモノクローナルＭｕ−９抗体またはそのフラグメントの混合物またはハイブリッド分子を含有することができる。従って、本発明では、少なくとも２つのＣＳＡｐエピトープと結合するモノクローナルＭｕ−９抗体またはそのフラグメントの混合物を含む治療用組成物が考えられる。さらに、本明細書中に記載される治療用組成物は、様々なＣＤＲ配列を有するＭｕ−９抗体およびそのフラグメントの混合物を含有することができる。
【０１６９】
むき出し状態の抗体による治療
むき出し状態のキメラ抗ＣＳＡｐ抗体、むき出し状態のヒト化抗ＣＳＡｐ抗体、むき出し状態のヒト抗ＣＳＡｐ抗体またはそれらのフラグメントの治療有効量を薬学的に受容可能な賦形剤に配合することができる。むき出し状態のＭｕ−９抗体の効力はまた、むき出し状態の抗体を、１つ以上の他のむき出し状態の抗体（腫瘍関連抗原に対する抗体、または同様に免疫調節因子（ＣＤ４０抗原もしくはリガンドなど）に対するアゴニスト抗体もしくはアンタゴニスト抗体など）により、Ｍｕ−９の１つ以上の免疫コンジュゲート体により、ＣＳＡｐ以外の腫瘍関連抗原に対する抗体の免疫コンジュゲート体で、治療剤（薬物、毒素、サイトカイン、免疫調節因子、ホルモン、ホルモンアンタゴニスト、酵素、酵素阻害剤、治療用放射性核種などを含む）とコンジュゲート化された免疫コンジュゲート体の１つ以上より、１つ以上の治療剤（薬物、毒素、サイトカイン、免疫調節因子、ホルモン、酵素、酵素阻害剤、治療用放射性核種などを含む）により補うことによって高めることができ、これらは、Ｍｕ−９抗体と同時に、またはＭｕ−９抗体と連続して、または処方された投薬法に従ってＭｕ−９抗体とともに投与される。
【０１７０】
ヒト化抗ＣＳＡｐ免疫コンジュゲート体、キメラ抗ＣＳＡｐ免疫コンジュゲート体およびヒト抗ＣＳＡｐ免疫コンジュゲート体
あるいは、本発明のＭｕ−９抗体またはそのフラグメントのコンジュゲート体を投与することができる。治療のために、これらのコンジュゲート体は、好ましくは、細胞傷害性薬剤を含有する。より好ましくは、細胞傷害性薬剤は毒素である。本明細書中に記載される免疫コンジュゲート体は、抗体成分と、治療剤または診断剤とを含む分子であり、これには、診断剤または治療剤を有し得るペプチドも含まれる。免疫コンジュゲート体は抗体成分の免疫反応性を保持している。すなわち、抗体部分は、同族の抗原と結合する能力が、コンジュゲート化の後で、コンジュゲート化前とほぼ同じであるか、またはわずかに低下している。
【０１７１】
非常に様々な診断／検出試薬および治療試薬を本発明の抗体およびそのフラグメントに都合よくコンジュゲート化することができる。本明細書中に示される治療剤は、上記に記載されるようにむき出し状態の抗体とともに別個に投与するためにもまた有用であるそのような薬剤である。治療剤には、例えば、ビンカアルカロイドおよび他のアルカロイド、アントラサイクリン類、エピドフィロトキシン類、タキサン類、代謝拮抗剤、アルキル化剤、抗生物質、Ｃｏｘ−２阻害剤、細胞分裂阻止剤、抗血管形成剤およびアポトーシス剤などの化学療法薬物が含まれ、特に、ドキソルビシン、メトトレキサート、タキソール、ＣＰＴ−１１、カンプトテカン類、そしてこれらのクラスおよび他のクラスの抗がん剤に由来する化学療法薬物などが含まれる。免疫コンジュゲート体および抗体融合タンパク質を調製するための他の有用ながん化学療法薬物には、ナイトロジェンマスタード類、アルキルスルホナート、ニトロソウレア類、トリアゼン類、葉酸アナログ、ＣＯＸ−２阻害剤、ピリミジンアナログ、プリンアナログ、白金配位錯体、ホルモン、毒素（例えば、ＲＮＡｓｅ、シュードモナスのエキソトキシン）などが含まれる。様々な好適な化学療法剤が、ＲＥＭＩＮＧＴＯＮ’Ｓ  ＰＨＡＲＭＡＣＥＵＴＩＣＡＬ  ＳＣＩＥＮＣＥＳ（第１９版）（Ｍａｃｋ  Ｐｕｂｌｉｓｈｉｎｇ  Ｃｏ．、１９９５）に、そしてＧＯＯＤＭＡＮ  ＡＮＤ  ＧＩＬＭＡＮ’Ｓ  ＴＨＥ  ＰＨＡＲＭＡＣＯＬＯＧＩＣＡＬ  ＢＡＳＩＳ  ＯＦ  ＴＨＥＲＡＰＥＵＴＩＣＳ（第７版）（ＭａｃＭｉｌｌａｎ  Ｐｕｂｌｉｓｈｉｎｇ  Ｃｏ．、１９８５）に、ならびにこれらの刊行物の改訂版に記載されている。他の好適な化学療法剤（実験中の薬物など）が当業者には知られている。
【０１７２】
さらに、ＤＴＰＡ、ＤＯＴＡ、ＴＥＴＡまたはＮＯＴＡなどのキレーターあるいは好適なペプチドに対して、検出可能な標識（蛍光性分子など）または細胞傷害性薬剤（重金属もしくは放射性核種など）をコンジュゲート化することができる。例えば、治療的に有用な免疫コンジュゲート体を、光活性な薬剤または色素を抗体複合物にコンジュゲート化することによって得ることができる。蛍光性組成物（蛍光色素など）および他の色素原または色素（可視光に対する感受性を有するポルフィリン類など）を、好適な光を病変部に誘導することによって病変部を検出し、処置するために使用することができる。治療では、これは、光放射線または光線療法または光力学的治療と呼ばれている（Ｊｏｒｉら（編）、ＰＨＯＴＯＤＹＮＡＭＩＣ  ＴＨＥＲＡＰＹ  ＯＦ  ＴＵＭＯＲＳ  ＡＮＤ  ＯＴＨＥＲ  ＤＩＳＥＡＳＥＳ（Ｌｉｂｒｅｒｉａ  Ｐｒｏｇｅｔｔｏ、１９８５）；ｖａｎ  ｄｅｎ  Ｂｅｒｇｈ、Ｃｈｅｍ．Ｂｒｉｔａｉｎ、２２：４３０（１９８６））。さらに、様々なモノクローナル抗体が、光線療法を達成するために光活性化型色素とカップリングされている。Ｍｅｗら、Ｊ．Ｉｍｍｕｎｏｌ．、１３０：１４７３（１９８３）；同上、Ｃａｎｃｅｒ  Ｒｅｓ．、４５：４３８０（１９８５）；Ｏｓｅｒｏｆｆら、Ｐｒｏｃ．Ｎａｔｌ．Ａｃａｄ．Ｓｃｉ．ＵＳＡ、８３：８７４４（１９８６）；同上、Ｐｈｏｔｏｃｈｅｍ．Ｐｈｏｔｏｂｉｏｌ．、４６：８３（１９８７）；Ｈａｓａｎら、Ｐｒｏｇ．Ｃｌｉｎ．Ｂｉｏｌ．Ｒｅｓ．、２８８：４７１（１９８９）；Ｔａｔｓｕｔａら、Ｌａｓｅｒｓ  Ｓｕｒｇ．Ｍｅｄ．、９：４２２（１９８９）；Ｐｅｌｅｇｒｉｎら、Ｃａｎｃｅｒ、６７：２５２９（１９９１）。しかし、これらのより初期の研究では、内視鏡治療適用の使用、特に、抗体フラグメントまたはサブフラグメントの使用を伴う内視鏡治療適用の使用は含まれていなかった。従って、本発明では、光活性な薬剤または色素を含む免疫コンジュゲート体の治療的使用が考えられる。
【０１７３】
毒素（シュードモナスのエキソトキシンなど）もまた、免疫コンジュゲート体の治療剤部分に対して複合体化することができ、または免疫コンジュゲート体の治療剤部分にすることができる。例えば、毒素は、本発明のＭｕ−９抗体と複合体化することができ、またはＭｕ−９抗体のコンジュゲート体のむき出し状態のＭｕ−９と組み合わせて使用されるときには、本発明において使用されるそれ以外の非ＣＳＡｐ抗体に対してもまた複合体化することができる。そのようなコンジュゲート体または他の融合タンパク質を調製する際に好適に用いられる他の毒素には、リシン、アブリン、リボヌクレアーゼ（ＲＮａｓｅ）、ＤＮａｓｅＩ、ブドウ球菌のエンドトキシンＡ、アメリカヤマゴボウの抗ウイルス性タンパク質、ゲロニン、ジフテリア毒素、シュードモナスのエキソトキシン、およびシュードモナスのエンドトキシンが含まれる。例えば、Ｐａｓｔａｎら、Ｃｅｌｌ、４７：６４１（１９８６）；およびＧｏｌｄｅｎｂｅｒｇ、ＣＡ−Ａ  Ｃａｎｃｅｒ  Ｊｏｕｒｎａｌ  ｆｏｒ  Ｃｌｉｎｉｃｉａｎｓ、４４：４３（１９９４）を参照のこと。本発明における使用のために好適なさらなる毒素が当業者には知られており、米国特許第６，０７７，４９９号に開示される（この文献は、その全体を参照することにより本明細書に組み込むものとする）。これらは、例えば、動物供給源、植物供給源および微生物供給源に由来し得る。
【０１７４】
免疫調節因子（サイトカインなど）もまた、抗ＣＳＡｐ免疫コンジュゲート体の治療剤部分にコンジュゲート化することができ、または抗ＣＳＡｐ免疫コンジュゲート体の治療剤部分にすることができ、または本発明のキメラ抗ＣＳＡｐ抗体もしくはヒト化抗ＣＳＡｐ抗体もしくはヒト抗ＣＳＡｐ抗体にコンジュゲート化されずに投与することができる。本明細書中で使用される用語「免疫調節因子」には、サイトカイン、幹細胞増殖因子、リンホトキシン（腫瘍壊死因子（ＴＮＦ）など）、および造血性因子（インターロイキン類（例えば、インターロイキン−１（ＩＬ−１）、ＩＬ−２、ＩＬ−３、ＩＬ−６、ＩＬ−１０、ＩＬ−１２およびＩＬ−１８）、コロニー刺激因子（例えば、顆粒球−コロニー刺激因子（Ｇ−ＣＳＦ）および顆粒球マクロファージ−コロニー刺激因子（ＧＭ−ＣＳＦ）など）、インターフェロン類（例えば、インターフェロン−αおよびβおよびγ）、「Ｓ１因子」と称される幹細胞増殖因子、エリスロポイエチンおよびトロンボポイエチンなど）が含まれる。好適な免疫調節因子部分の例には、ＩＬ−２、ＩＬ−６、ＩＬ−１０、ＩＬ−１２、ＩＬ−１８、インターフェロン−γ、ＴＮＦ−αなどが含まれる。あるいは、被験体には、むき出し状態のＭｕ−９抗体および別個に投与されるサイトカインを与えることができ、この場合、サイトカインは、むき出し状態のＭｕ−９抗体が投与される前に、またはむき出し状態のＭｕ−９抗体の投与と同時に、またはむき出し状態のＭｕ−９抗体が投与された後に投与することができる。Ｍｕ−９抗体はまた、免疫調節因子にコンジュゲート化することができる。免疫調節因子はまた、異なる抗原に結合する１つ以上の抗体からなるハイブリッド抗体にコンジュゲート化することができる。そのような抗原もまた免疫調節因子であってもよい。例えば、ＣＤ４０または他の免疫調節因子を、抗体の組合せが投与される前に、または抗体の組合せが投与された後に、抗ＣＳＡｐまたは抗ＣＳＡｐ／非ＣＳＡｐ抗体組合せのいずれかとの組合せで一緒に投与することができる。Ｍｕ−９抗体はまた、免疫調節抗体（ＣＤ４０に対する抗体など）と組み合わせて使用することができ、または融合タンパク質として、免疫調節抗体（ＣＤ４０に対する抗体など）にコンジュゲート化することができる。
【０１７５】
さらに、本発明には、被験体における悪性腫瘍を診断または検出する方法が含まれる。診断／検出は、診断用コンジュゲート体の診断有効量を、薬学的に受容可能な賦形剤に配合して投与し、そして前記標識を検出することによって達成することができる。例えば、放射性薬剤および非放射性薬剤を診断剤として使用することができる。好適な非放射性の診断剤は、磁気共鳴画像化のために好適な造影剤、Ｘ線写真またはコンピューター断層撮影法のための放射線不透過性化合物、あるいは超音波検査のために好適な造影剤である。磁気画像化剤には、例えば、マンガン、鉄およびガドリニウムなどの非放射性の金属が含まれ、これらは、本発明の抗体と一緒に使用されたときには、２−ベンジル−ＤＴＰＡならびにそのモノメチルアナログおよびシクロヘキシルアナログを含む様々な金属−キレート組合せにより複合体化する。米国特許出願第０９／９２１，２９０号（２００１年１０月１０日出願）を参照のこと（この文献は参照することによりその全体を本明細書に組み込むものとする）。好ましい実施形態において、造影剤は超音波増強剤である。さらに好ましくは、超音波増強剤はリポソームである。放射線不透過性物質および造影剤物質は、Ｘ線写真およびコンピューター断層撮影法を強化するために使用され、これらには、ヨウ素化合物、バリウム化合物、ガリウム化合物およびタリウム化合物などが含まれる。具体的な化合物には、バリウム、ジアトリゾアート、エチルヨウ化油、クエン酸ガリウム、イオカルム酸、ヨーセタム酸、ヨーダミド、ヨージパミド、ヨードキサム酸、イオグラミド、イオヘキソール、イオパミドール、イオパノ酸、イオプロセム酸、イオセファム酸、イオセル酸、イオスラミドメグルミン、イオセメト酸、イオタスル、イオテトル酸、イオタラム酸、イオトロクス酸、イオキサグル酸、イオクソトリゾ酸、イポダート、メグルミン、メトリザミド、メトリゾアート、プロピリオドンおよび塩化タリウムが含まれる。
【０１７６】
さらに、放射標識された抗体または免疫コンジュゲート体は、診断的画像化のために有用なγ線放出放射性同位体または陽電子放出体を含むことができる。診断／検出剤の例には、様々な標識、放射性核種、キレーター、色素、造影剤、蛍光性化合物、色素原および他のマーカー成分が含まれる。陽電子放出断層撮影法のために有用な放射性核種には、Ｆ−１８、Ｍｎ−５１、Ｍｎ−５２ｍ、Ｆｅ−５２、Ｃｏ−５５、Ｃｕ−６２、Ｃｕ−６４、Ｇａ−６８、Ａｓ−７２、Ｂｒ−７５、Ｂｒ−７６、Ｒｂ−８２ｍ、Ｓｒ−８３、Ｙ−８６、Ｚｒ−８９、Ｔｃ−９４ｍ、Ｉｎ−１１０、Ｉ−１２０およびＩ−１２４が含まれるが、これらに限定されない。有用な陽電子放出放射性核種の総崩壊エネルギーは、好ましくは２，０００ｋｅＶ未満であり、より好ましくは１，０００ｋｅＶ未満であり、最も好ましくは７００ｋｅＶ未満である。γ線検出を利用する診断剤として有用な放射性核種には、Ｃｒ−５１、Ｃｏ−５７、Ｃｏ−５８、Ｆｅ−５９、Ｃｕ−６７、Ｇａ−６７、Ｓｅ−７５、Ｒｕ−９７、Ｔｃ−９９ｍ、Ｉｎ−１１１、Ｉｎ−１１４ｍ、Ｉ−１２３、Ｉ−１２５、Ｉ−１３１、Ｙｂ−１６９、Ｈｇ−１９７およびＴｌ−２０１が含まれるが、これらに限定されない。有用なγ線放出放射性核種の崩壊エネルギーは、好ましくは２０ｋｅＶ〜２０００ｋｅＶであり、より好ましくは６０ｋｅＶ〜６００ｋｅＶであり、最も好ましくは１００ｋｅＶ〜３００ｋｅＶである。
【０１７７】
さらに、疾患組織を処置するために好適な放射性核種には、Ｐ−３２、Ｐ−３３、Ｓｃ−４７、Ｆｅ−５９、Ｃｕ−６４、Ｃｕ−６７、Ｓｅ−７５、Ａｓ−７７、Ｓｒ−８９、Ｙ−９０、Ｍｏ−９９、Ｒｈ−１０５、Ｐｄ−１０９、Ａｇ−１１１、Ｉ−１２５、Ｉ−１３１、Ｐｒ−１４２、Ｐｒ−１４３、Ｐｍ−１４９、Ｓｍ−１５３、Ｔｂ−１６１、Ｈｏ−１６６、Ｅｒ−１６９、Ｌｕ−１７７、Ｒｅ−１８６、Ｒｅ−１８８、Ｒｅ−１８９、Ｉｒ−１９４、Ａｕ−１９８、Ａｕ−１９９、Ｐｂ−２１１、Ｐｂ−２１２、およびＢｉ−２１３、Ｃｏ−５８、Ｇａ−６７、Ｂｒ−８０ｍ、Ｔｃ−９９ｍ、Ｒｈ−１０３ｍ、Ｐｔ−１０９、Ｉｎ−１１１、Ｓｂ−１１９、Ｉ−１２５、Ｈｏ−１６１、Ｏｓ−１８９ｍ、Ｉｒ−１９２、Ｄｙ−１５２、Ａｔ−２１１、Ｂｉ−２１２、Ｒａ−２２３、Ｒｎ−２１９、Ｐｏ−２１５、Ｂｉ−２１１、Ａｃ−２２５、Ｆｒ−２２１、Ａｔ−２１７、Ｂｉ−２１３およびＦｍ−２５５が含まれるが、これらに限定されない。
【０１７８】
好適な診断画像化同位体は、通常、２０ｋｅＶ〜２，０００ｋｅＶの範囲であり、一方、好適な治療用放射性核種は、通常、２０ｋｅＶ〜１０，０００ｋｅＶの範囲である。例えば、「Ｌａｂｅｌｉｎｇ  Ｔａｒｇｅｔｉｎｇ  Ａｇｅｎｔｓ  ｗｉｔｈ  Ｇａｌｌｉｕｍ−６８」と題する米国特許出願（発明者：Ｇ．Ｌ．ＧｒｉｆｆｉｔｈｓおよびＷ．Ｊ．ＭｃＢｒｉｄｅ）を参照のこと（米国仮特許出願第６０／３４２，１０４号）。これは、画像化目的のために、18Ｆ、68Ｇａ、94mＴｃなどの陽電子放射体を開示しており、参照することによりその開示内容全体が組み込まれる。
【０１７９】
二重特異性抗体による治療
本発明にはまた、米国特許第６，０９６，２８９号（これは参照することにより本明細書中に組み込まれる）に記載されるように手術中および血管内および内視鏡での腫瘍および病変部の検出および生検および治療における、上記に議論されたリンカー部分により結合しているｂｓＡｂおよび治療剤の使用が包含される。
【０１８０】
本発明の抗体および抗体フラグメントは、治療目的または画像化目的のためだけではなく、インビトロでの研究を行う際の助けとしてもまた用いることができる。例えば、本発明のｂｓＡｂは、ターゲッティング可能な構築物が１つ以上のｂｓＡｂと安定な複合体を形成し得るとどうかを確認するためにインビトロで使用することができる。そのようなアッセイは、ｂｓＡｂとの安定な複合体を形成するターゲッティング可能な構築物を当業者が同定することを助ける。これにより、その後、当業者は、治療剤および／または画像化剤として優れていると考えられるターゲッティング可能な構築物を同定することができる。
【０１８１】
アッセイは、好都合には、問題としているターゲッティング可能な構築物を少なくとも２モル当量のｂｓＡｂと一緒にすることによって行われる。インキュベーション後、構築物がｂｓＡｂに結合したか否かを明らかにするために、混合物がサイズ排除ＨＰＬＣによって分析される。あるいは、アッセイは、様々なｂｓＡｂの溶液が標準的な９６ウエルプレートの置かれる標準的なコンビナトリアル法を使用して行われる。それぞれのウエルには、ターゲッティング可能な構築物（１つまたは複数）の溶液が加えられる。インキュベーションおよび分析を行った後、どの構築物（１つまたは複数）がどのｂｓＡｂ（１つまたは複数）に最もよく結合しているかを容易に決定することができる。
【０１８２】
ｂｓＡｂをターゲッティング可能な構築物に加える順序は重要でないことを理解しなければならない。すなわち、ｂｓＡｂを構築物に加えることができ、逆に、構築物をｂｓＡｂに加えることができる。同様に、ｂｓＡｂまたは構築物のどちらも溶液中に存在させる必要はない。すなわち、ｂｓＡｂまたは構築物は、どちらが最も便利であるとしても、溶液またはそのままのいずれかで加えることができる。最後に、結合に対する分析方法は、結合が確立されている限り、重要ではない。従って、サイズ排除ＨＰＬＣとともに、またはその代わりに、ＦＡＢＭＳ、高磁場ＮＭＲまたは他の適切な方法（これらに限定されない）を含む標準的な分析方法を使用して結合について分析することができる。
【０１８３】
本発明は、標的化された細胞マーカーと特異的に結合する少なくとも１つの結合領域と、ターゲッティング可能なコンジュゲート体と特異的に結合する少なくとも１つの他の結合領域とを有する二重特異性の抗体または抗体フラグメントを提供する。ターゲッティング可能なコンジュゲート体は、二重特異性の抗体または抗体フラグメントの少なくとも１つの結合領域によって認識されるエピトープを少なくとも１つ含むか、またはそのようなエピトープを少なくとも１つ有するキャリア部分を含む。
【０１８４】
例えば、本明細書中に記載される、混合療法において使用される抗ＣＳＡｐ抗体およびそのフラグメント、ならびに異なる特異性を有する他の抗体およびそのフラグメントもまた、多重特異性の抗体（これは、ＣＳＡｐエピトープまたは抗原に対する少なくとも１つの結合部位と、ＣＳＡｐにおける別のエピトープまたは別の抗原に対する少なくとも１つの結合部位とを含む）および多価の抗体（これは、同じエピトープまたは抗原に対する多数の結合部位を含む）として作製することができる。
【０１８５】
様々な組換え法を、上記に記載されるように、二重特異性の抗体および抗体フラグメントを製造するために使用することができる。
【０１８６】
好ましい実施形態において、多価抗体はＭｕ−９抗体である。Ｍｕ−９多価抗体もまた本発明では考えられる。この多価抗体は、第１のポリペプチドおよび第２のポリペプチドを結合させることによって構築される。第１のポリペプチドは、好ましくは免疫グロブリンの軽鎖可変領域ドメインである第１の免疫グロブリン様ドメインに共有結合的に連結された第１の単鎖Ｆｖ分子を含む。第２のポリペプチドは、好ましくは免疫グロブリンの重鎖可変領域ドメインである第２の免疫グロブリン様ドメインに共有結合的に連結された第２の単鎖Ｆｖ分子を含む。第１の単鎖Ｆｖ分子および第２の単鎖Ｆｖ分子のそれぞれが標的結合部位を形成し、そして第１の免疫グロブリン様ドメインおよび第２の免疫グロブリン様ドメインが会合して、第３の標的結合部位を形成する。
【０１８７】
ＶＬ−Ｌ−ＶＨ形態（この場合、Ｌはリンカーである）を有する単鎖Ｆｖ分子は、ＶＨ−Ｌ−ＶＬ形態を有する別の単鎖Ｆｖ分子と会合して、二価のダイマーを形成することができる。この場合、第１のｓｃＦｖのＶＬドメインおよび第２のｓｃＦｖ分子のＶＨドメインは会合して、１つの標的結合部位を形成し、その一方で、第１のｓｃＦｖのＶＨドメインおよび第２のｓｃＦｖのＶＬドメインは会合して、それとは異なる標的結合部位を形成する。
【０１８８】
本発明の別の実施形態は、３つの結合部位を形成させるために非共有結合的に結合させた２つの異種ポリペプチド鎖を含むＭｕ−９の二重特異性かつ三価の抗体であり、この場合、そのうちの２つが１つの標的に対して親和性を有しており、もう１つが、診断剤および／または治療剤のために作製され、かつ診断剤および／または治療剤に対するキャリアに結合され得るハプテンに対して親和性を有している。好ましくは、結合性タンパク質は２つのＣＳＡｐ結合部位と、１つの他の抗原結合部位とを有する。二重特異性かつ三価のターゲッティング剤は２つの異なるｓｃＦｖを有しており、１つのｓｃＦｖが、ある抗体に由来する２つのＶHドメインを、別の抗体のＶLドメインに短いリンカーにより連結されて含有し、そして第２のｓｃＦｖが、第１の抗体に由来する２つのＶLドメインを、それ以外の抗体のＶHドメインに短いリンカーにより連結されて含有する。多価かつ多重特異性の薬剤をＶHドメインおよびＶLドメインから作製する方法により、１つのＶH鎖を１つのＶL鎖と非共有結合的に結合させることによって多価および多重特異性の任意の薬剤が製造され得るような様式で、宿主生物においてＤＮＡプラスミドから合成された個々の鎖が完全にＶHドメインから構成され（ＶH鎖）、または完全にＶLドメインから構成される（ＶL鎖）ことが規定される。例えば、三価かつ三重特異性の薬剤を形成させる場合、ＶH鎖は、特異性が異なる抗体にそれぞれが由来する３つのＶHドメインのアミノ酸配列から、様々な長さのペプチドリンカーにより連結されて構成され、そしてＶL鎖は、ＶH鎖のために使用されるリンカーと類似するペプチドリンカーにより連結された相補的なＶLドメインから構成される。抗体のＶHドメインおよびＶLドメインは逆平行様式で会合するので、本発明における好ましい方法は、ＶH鎖内のＶHドメインとは逆の順序で配置されたＶLドメインをＶL鎖に有する。
【０１８９】
本発明の二重特異性の抗体およびそのフラグメントは、プレターゲッティング方法において有用であり、２つの治療剤または２つの診断／検出剤を被験体に送達するための好ましい方法を提供する。米国特許出願第０９／３８２，１８６号には、二重特異性の抗体を使用するプレターゲッティング方法が開示される。この場合、二重特異性の抗体は125Ｉで標識されて、被験体に送達され、その後、99mＴｃで標識された二価ペプチドが送達されている。この送達により、131Ｉおよび99mＴｃに対する優れた腫瘍／正常組織比が得られている。従って、このことは２つの診断用放射性同位体の有用性を示している。知られている治療剤または診断剤の任意の組合せを使用して、抗体および抗体融合タンパク質を標識することができる。ｍＡｂコンジュゲート体の抗体成分の結合特異性、治療剤または診断剤の効力、および抗体のＦｃ部分のエフェクター活性は、コンジュゲート体の標準的な試験によって決定することができる。
【０１９０】
ヒト化Ｍｕ−９免疫コンジュゲート体、キメラＭｕ−９免疫コンジュゲート体およびヒトＭｕ−９免疫コンジュゲート体の調製
本発明の抗ＣＳＡｐ抗体もしくはそのフラグメントまたは抗体融合タンパク質もしくはそのフラグメントはいずれも、１つ以上の治療剤または診断剤とコンジュゲート化することができる。一般に、１つの治療剤または診断剤がそれぞれの抗体または抗体フラグメントに結合させられるが、２つ以上の治療剤または診断剤を同じ抗体または抗体フラグメントに結合させることができる。本発明の抗体融合タンパク質は２つ以上の抗体またはそのフラグメントを含み、この融合タンパク質を構成する抗体のそれぞれが治療剤または診断剤を含有することができる。すなわち、抗体融合タンパク質またはそのフラグメントは、少なくとも１つの第１の抗ＣＳＡｐ  ＭＡｂまたはそのフラグメントと、抗ＣＳＡｐ  ＭＡｂでない少なくとも１つの第２のＭＡｂまたはそのフラグメントとを含むことができる。好ましくは、第２のＭＡｂはがん腫関連抗体であり、例えば、ＣＥＡ、ＥＧＰ−１、ＥＧＰ−２、ＭＵＣ１、ＭＵＣ２、ＭＵＣ３、ＭＵＣ４、ＰＡＭ−４、ＫＣ４、ＴＡＧ−７２、ＥＧＦＲ、ＨＥＲ２／ｎｅｕ、ＢｒＥ３、Ｌｅ−Ｙ、Ａ３およびＫＳ−１に対する抗体、ＶＥＧＦ抗体および他の血管形成抗体、がん遺伝子抗体、抗壊死抗体、または抗体Ａ３３などである。さらに、抗体融合タンパク質の抗体の１つ以上に２つ以上の治療剤または診断／検出剤を結合させることができる。さらに、これらの治療剤は同じである必要はなく、異なる治療剤にすることができる。例えば、薬物と放射性同位体とを同じ融合タンパク質に結合させることができる。特に、ＩｇＧを131Ｉで放射標識し、かつ薬物に結合させることができる。131ＩはＩｇＧのチロシンに取り込まれ、薬物はＩｇＧリシンのε−アミノ基に結合する。治療剤および診断剤の両方はまた、還元されたＳＨ基および炭水化物側鎖にも結合させることができる。
【０１９１】
同様に好ましくは、本発明の抗体融合タンパク質は少なくとも２つの抗ＣＳＡｐモノクローナル抗体またはそのフラグメントを含む。これらは、ＣＳＡｐ抗原の異なるエピトープに対し得るか、または異なるヒト免疫グロブリン骨格配列（もしくはＩｇＧ）の異なるエピトープに対し得る。
【０１９２】
治療剤または診断剤を、還元された抗体成分のヒンジ領域において、ジスルフィド結合の形成によって結合させることができる。代わりとして、そのようなペプチドを、Ｎ−スクシニル３−（２−ピリジルジチオ）プロピオナート（ＳＰＤＰ）などのヘテロ二官能性の架橋剤を使用して抗体成分に結合させることができる。Ｙｕら、Ｉｎｔ．Ｊ．Ｃａｎｃｅｒ、５６：２４４（１９９４）。そのようなコンジュゲート化に対する一般的な技術が当分野では広く知られている。例えば、Ｗｏｎｇ、ＣＨＥＭＩＳＴＲＹ  ＯＦ  ＰＲＯＴＥＩＮ  ＣＯＮＪＵＧＡＴＩＯＮ  ＡＮＤ  ＣＲＯＳＳ−ＬＩＮＫＩＮＧ（ＣＲＣ  Ｐｒｅｓｓ、１９９１）；Ｕｐｅｓｌａｃｉｓら、「化学的方法による抗体の修飾」、ＭＯＮＯＣＬＯＮＡＬ  ＡＮＴＩＢＯＤＩＥＳ：ＰＲＩＮＣＩＰＬＥＳ  ＡＮＤ  ＡＰＰＬＩＣＡＴＩＯＮＳ、Ｂｉｒｃｈら（編）、１８７頁〜２３０頁（Ｗｉｌｅｙ−Ｌｉｓｓ，Ｉｎｃ．、１９９５）；Ｐｒｉｃｅ、「合成ペプチドに由来する抗体の製造および特徴づけ」、ＭＯＮＯＣＬＯＮＡＬ  ＡＮＴＩＢＯＤＩＥＳ：ＰＲＯＤＵＣＴＩＯＮ，ＥＮＧＩＮＥＥＲＩＮＧ  ＡＮＤ  ＣＬＩＮＩＣＡＬ  ＡＰＰＬＩＣＡＴＩＯＮ、Ｒｉｔｔｅｒら（編）、６０頁〜８４頁（Ｃａｍｂｒｉｄｇｅ  Ｕｎｉｖｅｒｓｉｔｙ  Ｐｒｅｓｓ、１９９５）を参照のこと。あるいは、治療剤または診断剤は、抗体のＦｃ領域における炭水化物部分を介してコンジュゲート化することができる。炭水化物基は、チオール基に結合する同じペプチドの負荷量を増大させるために使用することができ、または異なるペプチドと結合させるために使用することができる。
【０１９３】
抗体の炭水化物部分を介してペプチドを抗体成分にコンジュゲート化するための様々な方法が当業者には広く知られている。例えば、Ｓｈｉｈら、Ｉｎｔ．Ｊ．Ｃａｎｃｅｒ、４１：８３２（１９８８）；Ｓｈｉｈら、Ｉｎｔ．Ｊ．Ｃａｎｃｅｒ、４６：１１０１（１９９０）；およびＳｈｉｈら、米国特許第５，０５７，３１３号を参照のこと（これらはすべて参照することによりその開示内容全体が組み込まれる）。一般的な方法は、酸化された炭水化物部分を有する抗体成分を、少なくとも１つのフリーアミン官能基を有し、かつ複数のペプチドが負荷されるキャリアポリマーと反応させることを伴う。この反応により、最初にシッフ塩基（イミン）結合が生じ、これは、最終的なコンジュゲート体を形成させるための二級アミンへの還元によって安定化させることができる。
【０１９４】
Ｆｃ領域は、免疫コンジュゲート体の抗体成分として使用される抗体が抗体フラグメントである場合には存在しない。しかしながら、炭水化物部分を全長抗体または抗体フラグメントの軽鎖可変領域に導入することは可能である。例えば、Ｌｅｕｎｇら、Ｊ．Ｉｍｍｕｎｏｌ．、１５４：５９１９（１９９５）；Ｈａｎｓｅｎら、米国特許第５，４４３，９５３号（１９９５）；Ｌｅｕｎｇら、米国特許第６，２５４，８６８号を参照のこと（これらの文献はすべてその開示内容全体が参照することにより組み込まれる）。操作された炭水化物部分は、治療剤または診断剤を結合させるために使用される。
【０１９５】
Ｖ．抗体に対してターゲッティング可能な構築物
ターゲッティング可能な構築物は多様な構造が可能であるが、ターゲッティング可能な構築物は、十分な免疫応答を誘発するための免疫を誘発させることを避けるためだけではなく、ｂｓＡｂターゲッティング方法の中で使用されたときには迅速なインビボでのクリアランスのためにも選択される。疎水性の薬剤は、強い免疫応答を誘発することにおいて最も適しており、これに対して、親水性の薬剤は迅速なインビボでのクリアランスのために好ましく、従って、疎水性と親水性とのバランスを確立する必要である。これは、部分的には、多くの有機成分の固有の疎水性を補うための親水性キレート化剤の使用によることによって達成される。また、反対の溶解特性を有するターゲッティング可能な構築物のサブユニット、例えば、様々なアミノ酸を含み、そのうちのいくつかが疎水性のアミノ酸であり、いくつかが親水性のアミノ酸であるペプチドを選択することもできる。ペプチドの他に、炭水化物を使用することができる。
【０１９６】
キレート化剤などの他の成分にもカップリングされるならば、２個も少数のアミノ酸残基を有するペプチドを使用することができ、好ましくは、２残基〜１０残基のペプチドを使用することができる。リンカーは、低分子量のコンジュゲート体であり、キレート内の金属イオンを含む分子量が、好ましくは５０，０００ダルトン未満であり、好都合には約２０，０００ダルトン未満または約１０，０００ダルトン未満または約５，０００ダルトン未満である低分子量のコンジュゲート体が望ましい。例えば、知られているペプチドＤＴＰＡ−Ｔｙｒ−Ｌｙｓ（ＤＴＰＡ）−ＯＨ（式中、ＤＴＰＡはジエチレントリアミン五酢酸である）は、この分子のインジウム−ＤＴＰＡ部分に対する抗体を製造するために使用されている。しかし、インジウム以外を含有する分子および適切なスクリーニング工程の使用によって、チロシルリシンジペプチドに対する新しいＡｂを作製することができる。より通常的には、抗原性ペプチドは４個以上の残基を有する。例えば、ペプチドＤＯＴＡ−Ｐｈｅ−Ｌｙｓ（ＨＳＧ）−Ｔｙｒ−Ｌｙｓ（ＨＳＧ）−ＮＨ2、この場合、ＤＯＴＡは１，４，７，１０−テトラアザシクロドデカン四酢酸であり、ＨＳＧは、下記の式：
【化３１】
2005503768.tif 000032
のヒスタミンスクシニルグリシル基である。
【０１９７】
非金属含有ペプチドを免疫原として使用することができ、得られるＡｂをＰｈｅ−Ｌｙｓ−Ｔｙｒ−Ｌｙｓ骨格に対する反応性についてスクリーニングすることができる。
【０１９８】
本発明ではまた、最終的なｂｓＡｂ／リンカーシステムとともに使用されたとき、リンカー成分を認識するｂｓＡｂのアームが完全に特異的であることを確実にするために、骨格構造中に非天然アミノ酸（例えば、Ｄ−アミノ酸）を組み込むことが考えられる。本発明ではさらに、他の骨格構造、例えば、非天然アミノ酸およびペプトイドから構築される骨格構造などが考えられる。
【０１９９】
免疫原として使用されるペプチドは、固相担体技術ならびに反復した直交型脱保護およびカップリングの標準的な技術を使用する自動化されたペプチド合成機で都合よく合成される。ペプチド中のフリーアミノ基は、キレートへのコンジュゲート化のために後で使用されることになるが、アセチル基などの標準的な保護基で都合よくブロッキングされる。そのような保護基は当業者に知られている。ＧｒｅｅｎｅおよびＷｕｔｓ、Ｐｒｏｔｅｃｔｉｖｅ  Ｇｒｏｕｐｓ  ｉｎ  Ｏｒｇａｎｉｃ  Ｓｙｎｔｈｅｓｉｓ、１９９９（Ｊｏｈｎ  Ｗｉｌｅｙ  ａｎｄ  Ｓｏｎｓ、Ｎ．Ｙ．）を参照のこと。ペプチドが、ｂｓＡｂシステム内において後で使用されるために調製されるとき、カルボキシペプチダーゼ活性をインビボで阻害するために、ペプチドは好都合には樹脂から切断されて、対応するＣ末端アミドが得られる。
【０２００】
免疫原の様々なハプテンには、免疫原性の認識成分、例えば、化学的ハプテンが含まれる。化学的ハプテン（好ましくは、ＨＳＧハプテン）を使用することにより、抗体に対するリンカーの高い特異性が示される。これは、ＨＳＧハプテンに対して惹起される様々な抗体が知られており、そしてそれらを適切な二重特異性抗体の中に容易に組み込むことができるからである。従って、結合しているハプテンによりリンカーを結合することは、抗体または抗体フラグメントに対して非常に特異的になると考えられる。
【０２０１】
キレート成分
リンカー成分における親水性キレート成分の存在は、迅速なインビボでのクリアランスを確実にすることに役立つ。親水性に加えて、様々なキレーターがその金属結合特性のために選ばれ、そしてそれらは思い通りに変えられる。これは、ｂｓＡｂエピトープがペプチドの一部であるリンカー、またはｂｓＡｂエピトープがキレートでない化学的ハプテンであるリンカーについては少なくとも、金属キレート錯体の認識はもはや問題でないからである。
【０２０２】
特に有用な金属キレートの組み合わせには、放射線画像化およびＲＡＩＴのために、47Ｓｃ、52Ｆｅ、55Ｃｏ、67Ｇａ、68Ｇａ、111Ｉｎ、89Ｚｒ、90Ｙ、161Ｔｂ、177Ｌｕ、212Ｂｉ、213Ｂｉおよび225Ａｃとともに使用される場合の２−ベンジル−ＤＴＰＡならびにそのモノメチルアナログおよびシクロヘキシルアナログが含まれる。Ｍｎ、ＦｅおよびＧｄなどの非放射性の金属と錯体を形成するとき、これらの同じキレーターは、本発明のｂｓＡｂとともに使用されるときにはＭＲＩのために使用することができる。ＮＯＴＡ（１，４，７−トリアザ−シクロノナン−Ｎ，Ｎ’，Ｎ”−三酢酸）、ＤＯＴＡおよびＴＥＴＡ（ｐ−ブロモアセトアミドベンジルテトラエチルアミン四酢酸）などの大環状キレーターは、様々な金属および放射性金属に関して、より具体的には、それぞれ、Ｇａ、ＹおよびＣｕの放射性核種に関して有用である。
【０２０３】
配位子が、ハード塩基とキレート化する官能基、例えば、カルボキシラート基またはアミン基などを含むＤＴＰＡ型キレーターおよびＤＯＴＡ型キレーターは、ハード酸カチオンと、特に、ＩＩａ族およびＩＩＩａ族の金属カチオンとキレート化するために最も効果的である。そのような金属−キレート錯体は、目的とする金属に合うように環サイズを調節することにより非常に安定化させることができる。大環状ポリエーテルなどの他の環型キレーターが、ＲＡＩＴのための223Ｒａなどの安定に結合する核種に対して注目されている。ポルフィリンキレーターは非常に多くの放射性金属とともに使用することができ、また、ｂｓＡｂにより導かれる免疫光線療法のためのいくつかの非放射性の金属複合体としても有用である。２種類以上のキレーターを、多数の金属イオン（例えば、非放射性のイオン）、診断用放射性核種および／または治療用放射性核種と結合させるためにキャリアにコンジュゲート化することができる。特に有用な治療用放射性核種には、32Ｐ、33Ｐ、47Ｓｃ、64Ｃｕ、67Ｃｕ、67Ｇａ、90Ｙ、111Ａｇ、111Ｉｎ、125Ｉ、131Ｉ、142Ｐｒ、153Ｓｍ、161Ｔｂ、166Ｄｙ、166Ｈｏ、177Ｌｕ、186Ｒｅ、188Ｒｅ、189Ｒｅ、212Ｐｂ、212Ｂｉ、213Ｂｉ、211Ａｔ、223Ｒａおよび225Ａｃが含まれるが、これらに限定されない。特に有用な診断用放射性核種には、18Ｆ、52Ｆｅ、62Ｃｕ、64Ｃｕ、67Ｃｕ、67Ｇａ、68Ｇａ、86Ｙ、89Ｚｒ、94mＴｃ、94Ｔｃ、99mＴｃ、111Ｉｎ、123Ｉ、124Ｉ、125Ｉ、131Ｉ、154〜158Ｇｄおよび175Ｌｕが含まれるが、これらに限定されない。
【０２０４】
米国特許第５，７５３，２０６号に開示されるキレーターなどの様々なキレーター、特に、チオセミカルバゾニルグリオキシルシステイン（Ｔｓｃｇ−Ｃｙｓ）キレーターおよびチオセミカルバジニルアセチルシステイン（Ｔｓｃａ−Ｃｙｓ）キレーターは、ソフト塩基配位子（特にイオウまたはリンを含有する配位子）に対して強固に結合する、Ｔｃ、Ｒｅ、Ｂｉおよび他の遷移金属（ランタニドおよびアクチニド）のソフト酸カチオンと結合させるために都合よく使用される。ペプチドに対して２種類以上のキレーターを連結すること、例えば、Ｉｎ（ＩＩＩ）カチオンについては、例えば、ＤＴＰＡまたは類似するキレーターを連結し、Ｔｃカチオンについては、チオール含有キレーター、例えば、Ｔｓｃｇ−Ｃｙｓ）を連結することは有用であり得る。ジＤＴＰＡハプテンに対する様々な抗体が知られており（Ｂａｒｂｅｔ、上掲の’３９５号特許）、それらは、ｂｓＡｂを得るためにターゲッティング抗体に容易にカップリングされるので、ペプチドハプテンを、放射性同位体をターゲッティングするためのプレターゲッティングプロトコルにおいて、放射性同位体と結合させるための非放射性のジＤＴＰＡキレーターおよび別のキレーターとともに使用することが可能である。そのようなペプチドの一例として、Ａｃ−Ｌｙｓ（ＤＴＰＡ）−Ｔｙｒ−Ｌｙｓ（ＤＴＰＡ）−Ｌｙｓ（Ｔｓｃｇ−Ｃｙｓ−）−ＮＨ2がある。このペプチドは、Ｉｎ（ＩＩＩ）を事前に負荷させ、その後、９９−ｍ−Ｔｃカチオンで標識化することができる。この場合、Ｉｎ（ＩＩＩ）イオンがＤＴＰＡによって優先的にキレート化され、そしてＴｃカチオンがチオール含有Ｔｓｃｇ−Ｃｙｓに優先的に結合する。ＮＯＴＡ、ＤＯＴＡ、ＴＥＴＡなどの他のハード酸キレーターはＤＴＰＡ基の代わりに使用することができ、従って、それらに対して特異的なＭａｂを、抗ジＤＴＰＡ  Ｍａｂを作製するために使用される技術に類似する技術を使用して製造することができる。
【０２０５】
カチオンの種々のサイズ、キレート環の幾何構造およびカチオンの好ましい錯体イオン構造により、２つの異なるハード酸カチオンまたはソフト酸カチオンに優先的に結合させるために、２つの異なるハード酸キレーターまたはソフト酸キレーターが、例えば、種々のキレート環サイズを有するリンカーに組み込まれ得ることが理解される。これにより、２つの異なる金属（そのうちの１つまたは両方が放射性であり得るか、あるいはＭＲＩ増強のために有用であり得る）を、事前にターゲッティングされたｂｓＡｂによって最後には捕捉されるリンカーに組み込むことが可能になる。
【０２０６】
好ましいキレーターには、ＮＯＴＡ、ＤＯＴＡおよびＴｓｃｇならびにそれらの組み合わせが含まれる。これらのキレーターは、下記の構築物において例示されるようなキレーター−ペプチドコンジュゲート体モチーフの中に組み込まれている。
（ａ）ＤＯＴＡ−Ｐｈｅ−Ｌｙｓ（ＨＳＧ）−Ｄ−Ｔｙｒ−Ｌｙｓ（ＨＳＧ）−ＮＨ2；
（ｂ）ＤＯＴＡ−Ｐｈｅ−Ｌｙｓ（ＨＳＧ）−Ｔｙｒ−Ｌｙｓ（ＨＳＧ）−ＮＨ2；
（ｃ）Ａｃ−Ｌｙｓ（ＨＳＧ）Ｄ−Ｔｙｒ−Ｌｙｓ（ＨＳＧ）−Ｌｙｓ（Ｔｓｃｇ−Ｃｙｓ）−ＮＨ2；
【化３２】
2005503768.tif 000033
および
【化３３】
2005503768.tif 000034
上記のキレーター−ペプチドコンジュゲート体（ｄ）および（ｅ）は、68Ｇａと結合することが示されており、従って、陽電子放射断層撮影法（ＰＥＴ）の適用において有用である。
【０２０７】
キレーターは、より詳しく下記の実施例で議論される標準的な化学反応を使用して、リンカー成分にカップリングされる。簡単に記載すると、ペプチドＡｃ−Ｌｙｓ（ＨＳＧ）Ｄ−Ｔｙｒ−Ｌｙｓ（ＨＳＧ）−Ｌｙｓ（Ｔｓｃｇ−Ｃｙｓ−）−ＮＨ2の合成は、ペプチド合成機において、Ｒｉｎｋアミド樹脂にＡｌｏｃ−Ｌｙｓ（Ｆｍｏｃ）−ＯＨを最初に結合させることによって達成された。本明細書中で使用される保護基の略語「Ａｌｏｃ」および「Ｆｍｏｃ」はアリルオキシカルボニル基およびフルオレニルメチルオキシカルボニル基を示す。その後、Ｆｍｏｃ−Ｃｙｓ（Ｔｒｔ）−ＯＨおよびＴｓｃＧが、標準的なＦｍｏｃ自動化合成プロトコルを使用してリシンの側鎖に付加されて、下記のペプチドが得られた。Ａｌｏｃ−Ｌｙｓ（Ｔｓｃｇ−Ｃｙｓ（Ｔｒｔ）ｒｉｎｋ樹脂。その後、Ａｌｏｃ基が除去された。その後、ペプチド合成を合成機で続けて、下記のペプチドを作製した。（Ｌｙｓ（Ａｌｏｃ）−Ｄ−Ｔｙｒ−Ｌｙｓ（Ａｌｏｃ）−Ｌｙｓ（Ｔｓｃｇ−Ｃｙｓ（Ｔｒｔ）−）ｒｉｎｋ樹脂。続いて、Ｎ末端のアシル化および側鎖Ａｌｏｃ保護基の除去が行われた。その後、カイザー試験を使用して樹脂をアミンについて試験して、陰性の試験結果が得られるまで、得られたペプチドを活性化Ｎ−トリチル−ＨＳＧ−ＯＨで処理した。Ｋａｒａｃａｙら、Ｂｉｏｃｏｎｊｕｇａｔｅ  Ｃｈｅｍ．、１１：８４２〜８５４（２０００）を参照のこと。Ａｃ−Ｌｙｓ（ＨＳＧ）Ｄ−Ｔｙｒ−Ｌｙｓ（ＨＳＧ）−Ｌｙｓ（Ｔｓｃｇ−Ｃｙｓ−）−ＮＨ2の合成ならびにＤＯＴＡ−Ｐｈｅ−Ｌｙｓ（ＨＳＧ）−Ｄ−Ｔｙｒ−Ｌｙｓ（ＨＳＧ）−ＮＨ2およびＤＯＴＡ−Ｐｈｅ−Ｌｙｓ（ＨＳＧ）−Ｔｙｒ−Ｌｙｓ（ＨＳＧ）−ＮＨ2の合成は、下記に、より詳細に記載される。
【０２０８】
金属キレートの調製
キレーター−ペプチドコンジュゲート体は固体として長期間貯蔵することができる。それらは、金属結合反応のための単位量に計量することができ、そして固体、水溶液または半水性溶液、あるいは凍結溶液または凍結乾燥調製物として、そのいずれかで単位量として貯蔵することができる。それらは、広く知られている手順によって標識することができる。典型的には、ハード酸カチオンが好都合な塩の溶液として導入され、ハード酸キレーターおよび場合によってはソフト酸キレーターによって取り込まれる。しかし、ソフト酸カチオンを後で添加することにより、ソフト酸キレーターによるその結合がもたらされ、これにより、その中でキレート化され得る任意のハード酸カチオンが置換される。例えば、過剰量の非放射性111ＩｎＣｌ3が存在するときでさえ、９９ｍ−Ｔｃ（Ｖ）グルコヘプトン酸塩を用いた標識化、または塩化第一スズおよびＮａ９９ｍ−ＴｃＯ4によるインサイチューで作製されるＴｃカチオンを用いた標識化が、ソフト酸キレーターに対して定量的に進行する。186Ｒｅ、188Ｒｅ、213Ｂｉなどの他のソフト酸のカチオン、ならびにＭｎ、Ｃｏ、Ｎｉ、Ｐｂ、Ｃｕ、Ｃｄ、Ａｕ、Ｆｅ、Ａｇ（一価）、ＺｎおよびＨｇの二価または三価のカチオン、特に64Ｃｕおよび67Ｃｕなどは、そのうちのいくつかが放射性免疫診断または放射性免疫療法のために有用であるので、類似する方法によってリンカーペプチドに負荷することができる。Ｒｅカチオンはまた、過レニウム酸塩および第一スズイオンからインサイチューで生成させることができ、あるいは事前に還元されたグルコヘプトン酸レニウムまたは他のトランスキレーターを使用することができる。過レニウム酸塩の還元には、Ｔｃを還元するために必要とされるよりも多くの第一スズイオン（典型的には、２００μｇ／ｍＬを越える最終濃度）が必要であるので、より高いレベルの第一スズイオンにより、壊れやすいジスルフィド結合、例えば、ジスルフィド環化ペプチドに存在するジスルフィド結合などが還元されないことを保証するために十分な注意を払う必要がある。レニウムを用いた放射標識化のとき、Ｔｃ−９９ｍで使用されるのと同様の手順が使用される。Ｔｓｃｇ−Ｃｙｓ−配位子のＲｅＯ金属錯体を調製するための好ましい方法は、ペプチドをＲｅＯＣｌ3（Ｐ（Ｐｈ3）2と反応させることによるものである。しかし、ＲｅＯ（エチレンジアミン）2などの他の還元された化学種を使用することもまた可能である。
【０２０９】
ＶＩ．投与方法
本明細書中下記に示される議論の多くは、疾患組織を処置することに関連して、本発明の二重特異性抗体およびターゲッティング可能な構築物の使用に集中していることに留意しなければならない。しかし、本発明では、米国特許第６，１２６，９１６号、同第６，０７７，４９９号、同第６，０１０，６８０号、同第５，７７６，０９５号、同第５，７７６，０９４号、同第５，７７６，０９３号、同第５，７７２，９８１号、同第５，７５３，２０６号、同第５，７４６，９９６号、同第５，６９７，９０２号、同第５，３２８，６７９号、同第５，１２８，１１９号、同第５，１０１，８２７号および同第４，７３５，２１０号に記載される方法を使用して正常な組織および器官を処置および／または画像化することにおいて本発明の二重特異性抗体およびターゲッティング可能な構築物を使用することが考えられる。本明細書中で使用される用語「組織」は、卵巣、胸腺、副甲状腺または脾臓に由来する組織（これらに限定されない）を含む様々な組織を示す。
【０２１０】
ｂｓＡｂ、および上記で議論されたリンカー成分と結合する治療剤の投与は、リンカー成分と結合する治療剤の投与に先立って、そのかなり前にｂｓＡｂを投与することによって行なうことができる。試薬の量および時期は、当業者によって容易に設定することができ、用いられる試薬の特有の性質に依存する。ｂｓＡｂ−Ｆ（ａｂ’）2誘導体が最初に投与される場合、リンカー成分を投与する前に２４時間〜７２時間の待機時間が適切であると考えられる。ＩｇＧ−Ｆａｂ’ｂｓＡｂコンジュゲート体が最初のターゲッティングベクターである場合、リンカー成分を投与する前に、より長い待機期間が、３日〜１０日の範囲内で指示される。
【０２１１】
本明細書中で使用される用語「治療剤」には、薬物、プロドラッグおよび／または毒素が含まれるが、これらに限定されない。用語「薬物」、用語「プロドラッグ」および用語「毒素」は、本明細書中を通して定義されている。診断剤は、より多くの場合には、存在する疾患の種類を決定するために使用され、一方、検出剤は、より多くの場合には、位置決定および診断のために使用される。しかし、本明細書中に記載されるように、診断剤の用語はまた、検出剤を示すためにも使用することができる。
【０２１２】
ｂｓＡｂを疾患組織にターゲッティングするために十分な時間が経過した後、診断／検出剤が投与される。診断／検出剤の投与に続き、画像化を行うことができる。適切な波長の光を構造部に送達し、その後、光を集めて、様々な構造部を直接的または間接的に調べることによって、腫瘍を体腔内において検出することができる。非イオン化放射線が送達され、これらの構造部から再捕獲され得る限り、任意の身体部位における病変部を調べることができる。例えば、高分解能かつ非侵襲性の画像化技術であるＰＥＴを、ヒト疾患を視覚化するために、本発明の抗体とともに使用することができる。ＰＥＴでは、陽電子消滅崩壊のときに生じる５１１ｋｅＶのγ線光子が検出される。
【０２１３】
本発明では、一般に、２５ｋｅＶ〜６００ｋｅＶのγ線粒子および／または陽電子を放出する診断剤の使用が考えられる。そのような薬剤の例には、18Ｆ、52Ｆｅ、62Ｃｕ、64Ｃｕ、67Ｃｕ、67Ｇａ、68Ｇａ、86Ｙ、89Ｚｒ、94mＴｃ、94Ｔｃ、99mＴｃ、111Ｉｎ、123Ｉ、124Ｉ、125Ｉ、131Ｉ、154〜158Ｇｄおよび175Ｌｕが含まれるが、これらに限定されない。
【０２１４】
本発明の抗体または抗体フラグメントは、米国特許第６，０９６，２８９号、同第４，３３１，６４７号、同第４，８１８，７０９号、同第４，３４８，３７６号、同第４，３６１，５４４号、同第４，４４４，７４４号および同第５，８５１，５２７号で議論されるように、光力学的療法（ＰＤＴ）の方法において使用することができる。
【０２１５】
ＰＤＴでは、光増感剤（例えば、ジヘマトポルフィリンエーテルなどのヘマトポルフィリン誘導体）が被験体に投与される。抗腫瘍活性は、光（例えば、６３０ｎｍ）の使用により開始される。様々な代わりの光増感剤を利用することができ、これには、皮膚が日光によって光感作されることが少ない、より長い波長で有用なものが含まれる。そのような光増感剤の例には、ベンゾポルフィリンモノ酸リングＡ（ＢＰＤ−ＭＡ）、スズエチオプルプリン（ＳｎＥＴ２）、スルホン化アルミニウムフタロシアニン（ＡｌＳＰｃ）およびルテチウムテキサフィリン（Ｌｕｔｅｘ）が含まれるが、これらに限定されない。
【０２１６】
さらに、ＰＤＴでは、診断剤が、例えば全身注射によって注射され、そしてレーザーにより誘導される蛍光を内視鏡によって使用して、光活性化された薬剤が蓄積しているがん部位を検出することができる。例えば、これは、初期肺腫瘍の蛍光気管支鏡検査による明示化に適用されている。Ｄｏｉｒｏｎら、Ｃｈｅｓｔ、７６：３２（１９７９）。別の例において、抗体および抗体フラグメントを単光子放射において使用することができる。例えば、Ｔｃ−９９ｍで標識された診断剤を、本発明の抗体または抗体フラグメントの投与後に被験体に投与することができる。その後、被験体は、単光子放射コンピューター断層撮影画像をもたらし、病変部位または腫瘍部位を明確に示すがんマ線カメラを用いて走査される。
【０２１７】
治療上有用な免疫コンジュゲート体は、光活性な薬剤または色素を抗体複合物にコンジュゲート化することによって得ることができる。蛍光性および他の色素原、または色素（例えば、可視光に対する感受性を有するポルフィリン類）が、好適な光を病変部に誘導することによって、病変部を検出し、かつ病変部を処置するために使用されている。治療において、これは光放射線または光線療法または光力学的治療と呼ばれている（Ｊｏｒｉら（編）、Ｐｈｏｔｏｄｙｎａｍｉｃ  Ｔｈｅｒａｐｙ  ｏｆ  Ｔｕｍｏｒｓ  ａｎｄ  Ｏｔｈｅｒ  Ｄｉｓｅａｓｅｓ（Ｌｉｂｒｅｒｉａ  Ｐｒｏｇｅｔｔｏ、１９８５）；ｖａｎ  ｄｅｎ  Ｂｅｒｇｈ、Ｃｈｅｍ．Ｂｒｉｔａｉｎ、２２：４３０（１９８６））。さらに、モノクローナル抗体が、光線療法を達成するために光活性化色素とカップリングされている。Ｍｅｗら、Ｊ．Ｉｍｍｕｎｏｌ．、１３０：１４７３（１９８３）；同上、Ｃａｎｃｅｒ  Ｒｅｓ．、４５：４３８０（１９８５）；Ｏｓｅｒｏｆｆら、Ｐｒｏｃ．Ｎａｔｌ．Ａｃａｄ．Ｓｃｉ．ＵＳＡ、８３：８７４４（１９８６）；同上、Ｐｈｏｔｏｃｈｅｍ．Ｐｈｏｔｏｂｉｏｌ．、４６：８３（１９８７）；Ｈａｓａｎら、Ｐｒｏｇ．Ｃｌｉｎ．Ｂｉｏｌ．Ｒｅｓ．、２８８：４７１（１９８９）；Ｔａｔｓｕｔａら、Ｌａｓｅｒｓ  Ｓｕｒｇ．Ｍｅｄ．９：４２２（１９８９）；Ｐｅｌｅｇｒｉｎら、Ｃａｎｃｅｒ  ６７：２５２９（１９９１）。しかし、これらのより初期の研究では、内視鏡治療適用の使用、特に、抗体フラグメントまたはサブフラグメントの使用を伴なう内視鏡治療適用の使用は含まれていなかった。従って、本発明では、光活性な薬剤または色素を含む免疫コンジュゲート体の治療的使用が考えられる。
【０２１８】
リンカー成分はまた、標的部位においてプロドラッグを活性化することができる酵素に対して、または身体の解毒化経路を制御することによって通常の治療剤の効力を改善することができる酵素に対してコンジュゲート化することができる。ｂｓＡｂの投与後、リンカー成分にコンジュゲート化されている酵素、すなわち、ｂｓＡｂの第２のアームによって認識される低分子量ハプテンが投与される。酵素が標的部位に予備的にターゲッティングされた後、標的部位において作用することが知られている細胞傷害性薬物が注射される。この薬物は、哺乳類の通常の解毒化プロセスにより解毒される薬物であり得る。例えば、薬物は、肝臓において、潜在的に毒性がより少ないグルクロニドに変換され得る。その後、解毒された中間体は、標的部位において予備的にターゲッティングされた酵素によってそのより毒性の形態に再び変換され得る。あるいは、投与されたプロドラッグは、予備的にターゲッティングされた酵素によって活性な薬物に変換され得る。予備的にターゲッティングされた酵素により、処置の効力が、解毒された薬物を再利用することによって改善される。この方法は、任意の酵素−薬物対を用いた使用のために取り入れることができる。
【０２１９】
抗がん治療のために有用ないくつかの細胞傷害性薬物は血清中で比較的不溶性である。いくつかのそのような薬物は非コンジュゲート化形態で極めて毒性であり、それらの毒性はプロドラッグへの変換によってかなり軽減される。溶解性が悪い薬物をより可溶性のコンジュゲート体（例えば、グルクロニド、親水性酸のエステルまたは親水性アミンのアミド）に変換することにより、血清の水相におけるその溶解性、ならびに静脈、動脈または毛細管の細胞壁を通過するその能力、および腫瘍が浸る間質液に到達するその能力が改善される。プロドラッグの切断により、溶解性がより低い薬物が標的部位に蓄積する。プロドラッグから薬物へのそのような変換の多数の例が、Ｈａｎｓｅｎの米国特許第５，８５１，５２７号に開示されている。
【０２２０】
芳香族または脂環式のアルコール、チオール、フェノールおよびアミンなどのある種の毒性物質が肝臓においてグルクロニドに変換されることは、それらを解毒化して、より容易に尿中に排出させるという身体の方法である。そのような基質に変換され得る抗腫瘍薬物の１つのタイプが、エピルビシン、すなわち、ドキソルビシン（アドリアマイシン）の４−エピマーであり、これはアントラサイクリングリコシドであり、ヒトβ−Ｄ−グルクロニダーゼに対する基質であることが示されている（例えば、Ａｒｃａｍｏｎｅ、Ｃａｎｃｅｒ  Ｒｅｓ．、４５：５９９５（１９８５）を参照のこと）。極性がより少ない基を含む他のアナログは、親油性がより大きいことが予想され、そのような方法に対して有望性が大きくなっている。芳香族または脂環式のアルコール基またはチオール基またはアミン基を含む他の薬物または毒素は、そのようなコンジュゲート体を形成させるための候補である。これらの薬物またはそれらの他のプロドラッグ形態は、本発明の部位特異的な増強法に対する好適な候補である。
【０２２１】
プロドラッグＣＰＴ−１１（イリノテカン）は、インビボでカルボキシルエステラーゼによって、活性な代謝産物ＳＮ−３８に変換される。従って、本発明の１つの応用は、腫瘍およびハプテン（例えば、ジＤＴＰＡ）に対してターゲッティングされたｂｓＡｂを使用し、その後、ジＤＴＰＡ−カルボキシルエステラーゼコンジュゲート体を注射することである。好適な腫瘍対バックグラウンド局在化比が一旦達成されると、ＣＰＴ−１１が投与され、そして腫瘍に局在化したカルボキシルエステラーゼは、腫瘍においてＣＰＴ−１１をＳＮ−３８に変換するために役立つ。その溶解性が悪いために、活性なＳＮ−３８は腫瘍の近くに留まり、その結果として、ターゲッティングされている抗原について陰性である近接した腫瘍細胞に対して一定の作用をもたらす。このことは、本方法のさらなる利点である。修飾形態の様々なカルボキシルエステラーゼが記載されており、それらは本発明の範囲内である。例えば、Ｐｏｔｔｅｒら、Ｃａｎｃｅｒ  Ｒｅｓ．５８：２６４６〜２６５１（１９９８）；およびＰｏｔｔｅｒら、Ｃａｎｃｅｒ  Ｒｅｓ．５８：３６２７〜３６３２（１９９８）を参照のこと。
【０２２２】
エトポシドは、そのグルクロニドが形成されることによって大部分が解毒される広く使用されているがん薬物であり、本発明の範囲内である。例えば、Ｈａｎｄｅら、Ｃａｎｃｅｒ  Ｒｅｓ．、４８：１８２９〜１８３４（１９８８）を参照のこと。様々なグルクロニドコンジュゲート体を細胞傷害性薬物から調製することができ、これらは、ｍＡｂ−グルクロニダーゼコンジュゲート体によって予備的にターゲッティングされる腫瘍に対する治療剤として注射することができる。例えば、Ｗａｎｇら、Ｃａｎｃｅｒ  Ｒｅｓ．、５２：４４８４〜４４９１（１９９２）を参照のこと。従って、そのようなコンジュゲート体はまた、本明細書中に記載されるプレターゲッティング方法とともに使用することができる。同様に、ダウノマイシンおよびドキソルビシンの誘導体に基づく設計されたプロドラッグが、カルボキシルエステラーゼおよびグルクロニダーゼとの使用について記載されている。例えば、Ｂａｋｉｎａら、Ｊ．Ｍｅｄ  Ｃｈｅｍ．、４０：４０１３〜４０１８（１９９７）を参照のこと。本発明において使用することができるプロドラッグ／酵素対の他の例には、フェノールマスタード類のヒドロキシ誘導体のグルクロニドプロドラッグおよびβ−グルクロニダーゼ；フェノールマスタード類またはＣＰＴ−１１およびカルボキシペプチダーゼ；メトトレキサートで置換されたαアミノ酸およびカルボキシペプチダーゼＡ；６−メルカプトプリンそしてドキソルビシンなどの薬物のペニシリンコンジュゲート体またはセファロスポリンコンジュゲート体およびβ−ラクタマーゼ；リン酸エトポシドおよびアルカリホスタファーゼが含まれるが、これらに限定されない。
【０２２３】
標的部位においてプロドラッグを活性化することができる酵素、または身体の解毒化経路を制御することによって通常の治療剤の効力を高めることができる酵素を、代わりに、ハプテンにコンジュゲート化することができる。酵素−ハプテンコンジュゲート体は、予備的にターゲッティングするｂｓＡｂを投与した後で被験体に投与され、酵素−ハプテンコンジュゲート体を標的部位に向かわせる。酵素が標的部位において局在化した後、標的部位において作用することが知られている細胞傷害性薬物、または予備的にターゲッティングされた酵素によってインサイチューで薬物に変換されるそのプロドラッグ形態が注射される。上記で議論されたように、薬物は、哺乳類の通常の解毒化プロセスを使用して解毒されて、毒性がより低い中間体（最も一般的には、グルクロニド）を形成する薬物である。解毒された中間体（例えば、グルクロニド）は、予備的にターゲッティングされた酵素によってそのより毒性のある形態に再変換され、従って、増強された細胞毒性を標的部位において有する。これにより、薬物の再利用がもたらされる。同様に、投与されたプロドラッグを、正常な生物学的プロセスを介して活性な薬物に変換することができる。予備的にターゲッティングされた酵素により、処置の効力が、解毒された薬物を再利用することによって改善される。この方法は、任意の酵素−薬物対を用いた使用のために取り入れることができる。
【０２２４】
本発明ではさらに、ホウ素中性子捕獲治療（ＢＮＣＴ）プロトコルに関連して、本発明のｂｓＡｂおよび診断剤の使用が考えられる。ＢＮＣＴは、腫瘍に局在化した10Ｂ原子に中性子照射することによって腫瘍細胞にイオン化放射線を送達するために設計された２元システムである。ＢＮＣＴは、安定な同位体に、すなわち、同位体濃縮された10Ｂ（１９．８％の天然存在量で存在）に熱中性子が照射されて、α粒子および7Ｌｉ原子核が生じるときに起こる核反応に基づいている。これらの粒子は、ほぼ細胞１個分の直径の行路長を有しており、これにより、比例した大きいエネルギー転移がもたらされる。この核反応で生じるほんの一握りの短い１．７ＭｅＶのα粒子のみが、細胞の核をターゲッティングし、かつ細胞の核を破壊するために十分である。がんのＢＮＣＴによる成功には、高濃度の10Ｂを腫瘍部位において局在化させ、同時に、非標的器官を本質的にはホウ素非含有状態にするための方法が必要である。ＢＮＣＴのためにプレターゲッティングｂｓＡｂを使用して被験体における腫瘍を処置するための組成物および方法が、同時係属中の米国特許出願第０９／２０５，２４３号に記載されており、本発明の目的のために容易に改変することができる。
【０２２５】
標的部位における抗原に対して特異的な少なくとも１つの結合部位と、抗体−酵素コンジュゲート体の酵素成分に対して特異的な少なくとも１つの他の結合部位とを有する二重特異性の抗体または抗体フラグメントが、本発明の方法において使用され得ることにもまた留意しなければならない。そのような抗体は注射前に酵素と結合させることができ、それにより、酵素を抗体に共有結合的にコンジュゲート化しなければならないことを回避することができる。あるいは、そのような抗体は注射され、標的部位に局在化させることができ、そして、ターゲッティングされなかった抗体が哺乳類の循環系から実質的にクリアリングされた後、局在化した抗体または抗体フラグメントのところに十分な量の酵素が到達し、それに結合して、抗体−酵素コンジュゲート体をインサイチューで形成させることを可能にする量およびそのような経路によって酵素を注射することができる。
【０２２６】
本発明ではまた、米国特許出願第０９／９１１，６１０号に記載されるように少なくとも３つの異なる標的結合部位を有する多価の標的結合タンパク質の使用が考えられることにもまた留意しなければならない。様々な多価の抗体が、化学的リンカーを介して数個のＦａｂ様フラグメントを架橋することによって作製されている。米国特許第５，２６２，５２４号、同第５，０９１，５４２号；Ｌａｎｄｓｄｏｒｐら、Ｅｕｒｏ．Ｊ．Ｉｍｍｕｎｏｌ．、１６：６７９〜８３（１９８６）を参照のこと。多価の抗体はまた、数個の単鎖Ｆｖ分子（ｓｃＦｖ）を共有結合的に連結して、単一のポリペプチドを形成することによって作製されている。米国特許第５，８９２，０２０号を参照のこと。基本的にはｓｃＦｖ分子の集合体である多価の抗体が、米国特許第６，０２５，１６５号および同第５，８３７，２４２号に開示されている。３つのｓｃＦｖ分子を含む三価の標的結合性タンパク質が、Ｋｒｏｔｔら、Ｐｒｏｔｅｉｎ  Ｅｎｇｉｎｅｅｒｉｎｇ、１０（４）：４２３〜４３３（１９９７）に記載されている。
【０２２７】
ｂｓＡｂの服用とリンカー成分の服用との間で投与されるクリアリング剤を使用することができる。本発明者らは、新しい機構による作用を有するクリアリング剤、すなわち、ｂｓＡｂの疾患ターゲッティングアームに対してターゲッティングされたグリコシル化抗イディオタイプＦａｂ’フラグメントが本発明とともに使用され得ることを発見している。抗ＣＥＡ（ＭＮ１４Ａｂ）ｘ抗ペプチドｂｓＡｂが投与され、疾患標的においてその最大限まで蓄積させられる。残留するｂｓＡｂをクリアリングするために、ＭＮ−１４に対する抗イディオタイプＡｂ（ＷＩ２と呼ばれる）が、好ましくはグリコシル化Ｆａｂ’フラグメントとして投与される。クリアリング剤は一価の様式でｂｓＡｂに結合し、同時に、結合しているグリコシル残基により、完全な複合体を肝臓に向かわせ、肝臓において迅速な代謝が行われる。その後、リンカー成分と結合する治療剤が被験体に投与される。ｂｓＡｂのＭＮ−１４アームに対するＷＩ２Ａｂは高い親和性を有しており、そのクリアランス機構は他の開示された機構とは異なる（Ｇｏｏｄｗｉｎら（同上）を参照のこと）。これは、ＷＩ２−Ｆａｂ’が一価の成分であるため、架橋を含まないからである。あるいは、抗ＣＳＡｐ（Ｍｕ−９抗体）ｘ抗ペプチドｂｓＡｂが投与され、疾患標的においてその最大限まで蓄積させられる。
【０２２８】
ＶＩＩ．薬学的に好適な賦形剤
被験体に送達されるヒト化抗ＣＳＡｐ抗体またはキメラ抗ＣＳＡｐ抗体またはヒト抗ＣＳＡｐ抗体およびそれらのフラグメントは、抗体単独、免疫コンジュゲート体、融合タンパク質から構成され得るか、あるいは１つ以上の薬学的に好適な賦形剤、１つ以上のさらなる成分、またはこれらのいくつかの組み合わせを含むことができる。好ましくは、抗ＣＳＡｐ抗体はＭｕ−９抗体である。
【０２２９】
本発明のＭｕ−９免疫結合物、むき出し状態の抗体、融合タンパク質およびそれらのフラグメントは、薬学的に有用な組成物を調製するための知られている様々な方法に従って配合することができ、それにより、免疫コンジュゲート体またはむき出し状態の抗体が薬学的に好適な賦形剤との混合物において一緒にされる。滅菌されたリン酸塩緩衝化生理的食塩水は、薬学的に好適な賦形剤の一例である。他の好適な賦形剤が当業者に広く知られている。例えば、Ａｎｓｅｌら、ＰＨＡＲＭＡＣＥＵＴＩＣＡＬ  ＤＯＳＡＧＥ  ＦＯＲＭＳ  ＡＮＤ  ＤＲＵＧ  ＤＥＬＩＶＥＲＹ  ＳＹＳＴＥＭＳ（第５版）（Ｌｅａ＆Ｆｅｂｉｇｅｒ、１９９０）；およびＧｅｎｎａｒｏ（編）、ＲＥＭＩＮＧＴＯＮ’Ｓ  ＰＨＡＲＭＡＣＥＵＴＩＣＡＬ  ＳＣＩＥＮＣＥＳ（第１８版）（Ｍａｃｋ  Ｐｕｂｌｉｓｈｉｎｇ  Ｃｏｍｐａｎｙ、１９９０）；およびそれらの改訂版を参照のこと。
【０２３０】
本発明の免疫コンジュゲート体、むき出し状態の抗体、融合タンパク質およびそれらのフラグメントは、例えば、ボーラス注射または連続注入による静脈内投与のために配合することができる。注入用の配合物は、保存剤が添加されている単位投薬形態で（例えば、アンプルまたは多回用量容器において）提供することができる。組成物は、油性ビヒクルまたは水性ビヒクルにおける懸濁物または溶液またはエマルションのような形態を取ることができ、そして懸濁剤、安定化剤および／または分散剤などの配合剤を含有することができる。あるいは、有効成分は、好適なビヒクル、例えば、滅菌されたパイロジェン非含有水を用いて使用前に構成される粉末形態にすることができる。
【０２３１】
さらなる薬学的方法を、治療用または診断用のコンジュゲート体またはむき出し状態の抗体の作用の持続期間を制御するために用いることができる。制御放出調製物を、免疫コンジュゲート体またはむき出し状態の抗体を複合体化または吸着するためのポリマーの使用によっって調製することができる。例えば、生体適合性ポリマーには、ポリ（エチレン−ｃｏ−ビニル酢酸）のマトリクス、およびステアリン酸二量体とセバシン酸とのポリ無水物コポリマーのマトリクスが含まれる。Ｓｈｅｒｗｏｏｄら、Ｂｉｏ／Ｔｅｃｈｎｏｌｏｇｙ、１０：１４４６（１９９２）。そのようなマトリクスからの免疫コンジュゲート体または抗体の放出速度は、免疫コンジュゲート体または抗体の分子量、マトリクス内の免疫コンジュゲート体または抗体の量、そして分散粒子のサイズに依存する。Ｓａｌｔｚｍａｎら、Ｂｉｏｐｈｙｓ．Ｊ．、５５：１６３（１９８９）；Ｓｈｅｒｗｏｏｄら、同上。他の固体投薬形態が、Ａｎｓｅｌら、ＰＨＡＲＭＡＣＥＵＴＩＣＡＬ  ＤＯＳＡＧＥ  ＦＯＲＭＳ  ＡＮＤ  ＤＲＵＧ  ＤＥＬＩＶＥＲＹ  ＳＹＳＴＥＭＳ（第５版）（Ｌｅａ＆Ｆｅｂｉｇｅｒ、１９９０）；およびＧｅｎｎａｒｏ（編）、ＲＥＭＩＮＧＴＯＮ’Ｓ  ＰＨＡＲＭＡＣＥＵＴＩＣＡＬ  ＳＣＩＥＮＣＥＳ（第１８版）（Ｍａｃｋ  Ｐｕｂｌｉｓｈｉｎｇ  Ｃｏｍｐａｎｙ、１９９０）；およびそれらの改訂版に記載されている
【０２３２】
免疫コンジュゲート体、抗体融合タンパク質またはネイクド抗体はまた、哺乳類の皮下に投与することができ、または他の非経口経路によってさえも投与することができる。さらに、投与は、連続的な注入によって、あるいは単回または多数回のボーラスによって行うことができる。一般に、ヒトに対する投与された免疫コンジュゲート体または融合タンパク質またはむき出し状態の抗体の投薬量は、患者の年齢、体重、身長、性別、全身の医学的状態および過去の病歴のような要因に依存して変化する。典型的には、単回の静脈内注入として約１ｍｇ／ｋｇ〜２０ｍｇ／ｋｇの範囲の免疫コンジュゲート体または抗体融合タンパク質またはむき出し状態の抗体の投薬量が被投与体に与えられることが望ましいが、より低い投薬量またはより高い投薬量もまた、状況に応じて投与することができる。この投薬は、必要とされる場合には、例えば、１週間に１回で４週間〜１０週間にわたって、好ましくは１週間に１回で８週間にわたって、より好ましくは１週間に１回で４週間にわたって繰り返すことができる。投薬はまた、より少ない頻度で、例えば、１週間毎に数ヶ月間にわたって行うことができる。投薬は、様々な非経口経路により、用量およびスケジュールを適切に調節して行うことができる。
【０２３３】
治療目的のために、免疫コンジュゲート体または融合タンパク質またはむき出し状態の抗体およびそれらのフラグメントは治療有効量で被験体に投与される。本発明に対する好適な被験体は哺乳類であり、好ましくはヒトであるが、イヌ、ネコまたはウマなどの非ヒト哺乳類もまた考えられる。抗体調製物は、投与される量が生理学的に意味を有する場合、「治療有効量」で投与されると言われる。薬剤は、薬剤が存在することにより、投与を受けた哺乳類の生理機能において検出可能な変化がもたらされる場合、生理学的に意味を有する。
【０２３４】
診断目的のために、免疫コンジュゲート体または融合タンパク質またはむき出し状態の抗体およびそれらのフラグメントは診断有効量で被験体に投与される。抗体調製物は、投与される量が、通常の場合には宿主に対する薬理学的作用を何ら伴うことなく、被験体における健康状態、悪性腫瘍、疾患または障害を診断または検出するために一般には十分である場合、「診断有効量」で投与されると言われる。
【０２３５】
ＶＩＩＩ．発現ベクター
本発明にはまた、キメラ抗ＣＳＡｐ抗体またはヒト化抗ＣＳＡｐ抗体またはヒト抗ＣＳＡｐ抗体および融合タンパク質およびそれらのフラグメントをコードする核酸が包含される。そのような核酸を含む発現ベクターもまた本発明に含まれる。ヒト化Ｍｕ−９抗体またはキメラＭｕ−９抗体またはヒトＭｕ−９抗体をコードするＤＮＡ配列を組換え操作して、核酸の複製をもたらす様々な知られている宿主ベクターに入れることができる。これらのベクターは、送達される細胞における核酸の転写または翻訳またはその両方を行わせるために必要なエレメントを含有させるために、知られている方法を使用して設計することができる。知られている方法論を、適切な転写／翻訳制御シグナルとともに機能的に連結されているタンパク質コード配列を有する発現構築物を作製するために使用することができる。これらの方法には、インビトロでの組換えＤＮＡ技術および合成技術が含まれる。例えば、Ｓａｍｂｒｏｏｋら、１９８９、ＭＯＬＥＣＵＬＡＲ  ＣＬＯＮＩＮＧ：Ａ  ＬＡＢＯＲＡＴＯＲＹ  ＭＡＮＵＡＬ、Ｃｏｌｄ  Ｓｐｒｉｎｇ  Ｈａｒｂｏｒ  Ｌａｂｏｒａｔｏｒｙ（Ｎｅｗ  Ｙｏｒｋ）；Ａｕｓｕｂｅｌら、１９９７、ＣＵＲＲＥＮＴ  ＰＲＯＴＯＣＯＬＳ  ＩＮ  ＭＯＬＥＣＵＬＡＲ  ＢＩＯＬＯＧＹ、Ｊｏｈｎ  Ｗｉｌｅｙ＆Ｓｏｎｓ（Ｎｅｗ  Ｙｏｒｋ）を参照のこと。また、本発明では、ベクターに関連しないポリヌクレオチドの送達も提供される。
【０２３６】
本発明における使用のために好適なベクターはウイルス性または非ウイルス性であり得る。ウイルスベクターの具体的な例には、アデノウイルスベクター、ＡＡＶベクター、単純ヘルペスウイルスベクター、レンチウイルスベクターおよびレトロウイルスベクターが含まれる。非ウイルス性ベクターの例には、プラスミドがある。好ましい実施形態において、ベクターはプラスミドである。
【０２３７】
本明細書中に記載されるように、発現ベクターは、宿主細胞において発現される遺伝子を含むポリヌクレオチドである。典型的には、遺伝子発現は、構成的プロモーターまたは誘導的プロモーターを含むいくつかの調節エレメント、組織特異的調節エレメントおよびエンハンサーの制御下に置かれる。そのような遺伝子は、調節エレメントに「機能的に連結されている」と言われる。
【０２３８】
好ましくは、本発明の発現ベクターは、重鎖および軽鎖の可変領域および定常領域の両方を含むヒト化Ｍｕ−９抗体またはキメラＭｕ−９抗体またはヒトＭｕ−９抗体をコードするＤＮＡ配列を含む。しかし、２つの発現ベクターを使用することもでき、この場合、一方の発現ベクターが重鎖の可変領域および定常領域を含み、もう一方の発現ベクターが軽鎖の可変領域および定常領域を含む。さらに好ましくは、発現ベクターはさらに、プロモーター、分泌シグナルペプチドをコードするＤＮＡ配列、ヒトＩｇＧ１重鎖定常領域をコードするゲノム配列、Ｉｇエンハンサーエレメント、および選択マーカーをコードする少なくとも１つのＤＮＡ配列を含む。
【０２３９】
下記に記載される代表的な実施形態は、単に本発明を例示するために使用されるだけである。当業者は、本発明の物質の様々な変化が、請求される発明の広範な包括的範囲に含まれることを理解する。本明細書中で言及されるすべての参考文献の内容は、参照することにより組み込まれる。
ＩＸ．実施例
【実施例１】
【０２４０】
Ａｃ−Ｌｙｓ（ＨＳＧ）−Ｄ−Ｔｙｒ−Ｌｙｓ（ＨＳＧ）−Ｌｙｓ（Ｔｓｃｇ−Ｃｙｓ−）−ＮＨ2（ＩＭＰ２４３）の合成
このペプチドは、Ｄ−チロシンがＬ−チロシンの代わりに使用されたこと、およびＮ−トリチル−ＨＳＧ−ＯＨがＤＴＰＡの代わりに使用されたことを除いて、Ｋａｒａｃａｙら、Ｂｉｏｃｏｎｊｕｇａｔｅ  Ｃｈｅｍ．、１１：８４２〜８５４（２０００）により記載されるように合成された。Ｎ−トリチル−ＨＳＧ−ＯＨの最終的なカップリングは、樹脂上のペプチドに対して１０倍過剰量のＮ−トリチル−ＨＳＧ−ＯＨを使用して行なわれた。Ｎ−トリチル−ＨＳＧ−ＯＨ（ＮＭＰにおいて０．２８Ｍ）は、（ＨＳＧに対して）１当量のＮ−ヒドロキシベンゾトリアゾール、１当量のベンゾトリアゾール−１−イル−オキシ−トリス−（ジメチルアミノ）ホスホニウム・ヘキサフルオロホスファート（ＢＯＰ）、および２当量のジイソプロピルエチルアミンを使用して活性化された。活性化された基質を樹脂と室温で１５時間混合した。
【実施例２】
【０２４１】
ＩＭＰ２４３を含むＴｃ−９９ｍキット配合物
２２．０９３ｇのヒドロキシプロピル−β−シクロデキストリン、０．４５ｇの２，４−ジヒドロキシ安息香酸、０．２５７ｇの酢酸ナトリウム塩、および１０．８８９ｇのα−Ｄ−グルコヘプトン酸ナトリウム塩を、１７０ｍＬの窒素脱気された水に溶解させて含有する配合緩衝液を調製した。溶液を、数滴の１Ｍ  ＮａＯＨでｐＨ５．３に調節し、その後、２２０ｍＬの総容量にさらに希釈した。第一スズ緩衝溶液を、０．２ｍＬのＳｎＣｌ2（２００ｍｇ／ｍＬ）を３．８ｍＬの配合緩衝液で希釈することによって調製した。ペプチドＡｃ−Ｌｙｓ（ＨＳＧ）−Ｄ−Ｔｙｒ−Ｌｙｓ（ＨＳＧ）−Ｌｙｓ（Ｔｓｃｇ−Ｃｙｓ−）−ＮＨ2（０．００２６ｇ）を７８ｍＬの緩衝溶液に溶解し、０．５２ｍＬの第一スズ緩衝液と混合した。その後、ペプチド溶液を０．２２ｍのＭｉｌｌｅｘ  ＧＶフィルターでろ過し、１．５ｍＬずつ小分けして３ｍＬの凍結乾燥バイアルに入れた。満たされたバイアルを直ちに凍結し、凍結乾燥して、真空下にて縁ひだキャップで密閉した。
【０２４２】
１．５ｍＬの生理的食塩水における過テクネチウム酸塩溶液（２７ｍＣｉ）をキットに加えた。キットを室温で１０分間インキュベーションし、沸騰水浴で２５分間加熱した。キットは使用前に室温に冷却された。
【実施例３】
【０２４３】
二重特異性抗体の腫瘍プレターゲッティングによって治療／画像化用放射性同位体を腫瘍に運ぶためのペプチド
ＤＯＴＡ−Ｐｈｅ−Ｌｙｓ（ＨＳＧ）−Ｔｙｒ−Ｌｙｓ（ＨＳＧ）−ＮＨ2（ＩＭＰ２３７）を、二重特異性抗体の腫瘍プレターゲッティングによって腫瘍に90Ｙまたは177Ｌｕなどの治療用放射性同位体を送達するために合成した。この二重特異性抗体は、腫瘍表面の抗原に結合する部分が１つと、ＨＳＧペプチドに結合する別の部分の１つとから構成される。ＨＳＧペプチドと結合する抗体は６７９である。このシステムはまた、111Ｉｎ−１１１などの画像化用同位体を送達するためにも使用することができる。
【０２４４】
ＩＭＰ２３７の合成
ＩＭＰ２３７は、下記の保護アミノ酸をその順に用いてペプチド骨格を組み立てるために、Ｆｍｏｃに基づく標準的な固相ペプチド合成を使用してＳｉｅｂｅｒアミド樹脂（Ｎｏｖａ−Ｂｉｏｃｈｅｍ）上で合成された。Ｆｍｏｃ−Ｌｙｓ（Ａｌｏｃ）−ＯＨ、Ｆｍｏｃ−Ｔｙｒ（Ｂｕｔ）−ＯＨ、Ｆｍｏｃ−Ｌｙｓ（Ａｌｏｃ）−ＯＨ、Ｆｍｏｃ−Ｐｈｅ−ＯＨ（これらの試薬はＡｄｖａｎｃｅｄ  Ｃｈｅｍｔｅｃｈから得られた）、トリ−ｔ−ブチルＤＯＴＡ（Ｍａｃｒｏｃｙｃｌｉｃｓ）。その後、側面リシンの側鎖を、Ｄａｎｇｌｅｓら、Ｊ．Ｏｒｇ．Ｃｈｅｍ．、５２：４９８４〜４９９３（１９８７）の方法によってＰｄ［Ｐ（Ｐｈ）3］4で脱保護した。その後、ＨＳＧ配位子を、アミノ酸を結合させるために使用されたＢＯＰ／ＨＢＴＵ二重カップリング手法を使用してトリチルＨＳＧ（合成は下記に記載される）として加えた。ペプチドを樹脂から切断して、保護基をＴＦＡでの処理によって除去した。ペプチドをＨＰＬＣによって精製して、０．６０７９ｇのペプチドが１．８２３ｇのＦｍｏｃ−Ｌｙｓ（Ａｌｏｃ）−Ｔｙｒ（Ｂｕｔ）−Ｌｙｓ（Ａｌｏｃ）−ＮＨ−Ｓｉｅｂｅｒアミド樹脂から得られた。
【０２４５】
Ｎ−トリチル−ＨＳＧ−ＯＨの合成
グリシンｔ−ブチルエステル塩酸塩（１５．２６３ｇ、９．１×１０-2モル）および１９．７６０ｇのＮａ2ＣＯ3を混合して、５０ｍＬのＨ2Ｏに懸濁し、氷浴で冷却した。その後、無水コハク酸（９．１４２ｇ、９．１４×１０-2モル）を反応液に添え、反応液を室温にゆっくり加温して、１８時間撹拌した。クエン酸（３９．９１１ｇ）を５０ｍＬのＨ2Ｏに溶解して、反応溶液にゆっくり加え、その後、１５０ｍＬのＥｔＯＡｃで２回抽出した。有機抽出液をＮａ2ＳＯ4で乾燥し、ろ過し、濃縮して、２５．７０９ｇの白色固体が得られた。
【０２４６】
粗生成物（２５．７０９ｇ）を１２５ｍＬのジオキサンに溶解し、室温の水浴で冷却して、１１．２４４ｇのＮ−ヒドロキシスクシンイミドと混合した。ジイソプロピルカルボジイミド（１５．０ｍＬ）を反応液に加え、１時間撹拌した。その後、ヒスタミン二塩酸塩（１８．４０２ｇ、１．００×１０-1モル）を１００ｍＬのＤＭＦおよび３５ｍＬのジイソプロピルエチルアミンに溶解した。このヒスタミン混合液を反応液に加え、室温で２１時間撹拌した。反応を１００ｍＬの水で停止させ、ろ過して沈澱物を除いた。溶媒を高真空下においてロータリーエバポレーターで除去した。粗生成物を３００ｍＬのジクロロメタンに溶解して、１００ｍＬの飽和ＮａＨＣＯ3で抽出した。有機層をＮａ2ＳＯ4で乾燥し、濃縮して、３４．１９ｇの粗生成物が黄色オイルとして得られた。
【０２４７】
粗生成物（３４．１９ｇ）を５０ｍＬのクロロホルムに溶解し、３１ｍＬのジイソプロピルエチルアミンと混合した。トリフェニルメチルクロリド（２５．４１５ｇ）を５０ｍｌのクロロホルムに溶解し、氷浴で冷却された反応液に撹拌しながら滴下して加えた。反応液を４５分間撹拌し、その後、１００ｍＬのＨ2Ｏで停止させた。層を分離し、有機溶液をＮａ2ＳＯ4で乾燥し、濃縮して、緑色のゴムが得られた。このゴムを１００ｍＬのＥｔ2Ｏとともに粉砕して、黄色の沈澱物を形成させ、これを５０ｍＬのＥｔ2Ｏで３回洗浄した。固体を真空乾燥して、３０．６４１ｇ（５９．５％の総収率）のＮ−トリチル−ＨＳＧ−ｔ−ブチルエステルが得られた。
【０２４８】
Ｎ−トリチル−ＨＳＧ−ｔ−ブチルエステル（２０．６２０ｇ、３．６４×１０-2モル）を３０ｍＬのクロロホルムおよび３５ｍＬの氷酢酸からなる溶液に溶解した。反応液を氷浴で冷却し、１５ｍＬのＢＦ3・Ｅｔ2Ｏを反応液にゆっくり加えた。反応液を室温にゆっくり加温し、５時間混合した。反応を、２００ｍＬの１Ｍ  ＮａＯＨに注ぐことによって停止させ、生成物を２００ｍＬのクロロホルムで抽出した。有機層をＮａ2ＳＯ4で乾燥し、濃縮して、不純物を含むゴムを得た。これを１００ｍＬのＥｔ2Ｏとともに粉砕し、沈澱物を形成させた。不純物を含む沈澱物を４００ｍＬの０．５Ｍリン酸緩衝液（ｐＨ７．５）に注ぎ、２００ｍＬのＥｔＯＡｃで２回抽出した。水層を１Ｍ  ＨＣｌでｐＨ３．５に酸性化して、２００ｍＬのクロロホルムで２回抽出した。沈澱物が得られ、これをろ過によって集めた（８．５８ｇ）。沈澱物は、以前のサンプルとのＨＰＬＣでの比較により、所望の生成物であった（ＥＳＭＳ  ＭＨ＋５１１）。
【０２４９】
放射標識
90Ｙキット調製物
ＤＯＴＡ−Ｐｈｅ−Ｌｙｓ（ＨＳＧ）−Ｔｙｒ−Ｌｙｓ（ＨＳＧ）−ＮＨ2を、９μｇ／ｍＬ、１８μｇ／ｍＬ、３５μｇ／ｍＬ、７０μｇ／ｍＬおよび１４０μｇ／ｍＬの濃度で、０．２５Ｍ  ＮＨ4ＯＡｃ／１０％ＨＰＣＤ緩衝液に溶解した。溶液を０．２２μｍのＭｉｌｌｅｘ  ＧＶフィルターで滅菌ろ過して、酸洗浄された凍結乾燥バイアルに１ｍＬずつ小分けして入れた。満たされたバイアルを充填時に直ちに凍結して、凍結乾燥した。凍結乾燥サイクルが完了したとき、バイアルを真空下で密封し、凍結乾燥機から取り出すときに縁ひだキャップで密封された。
【０２５０】
90Ｙ（約４００μＣｉ／キット）を脱イオン水で１ｍＬに希釈して、凍結乾燥されたキットに加えた。キットを沸騰水浴で１５分間加熱して、バイアルを室温に冷却し、標識されたペプチドを逆相ＨＰＬＣによって評価した（ＨＰＬＣ条件：Ｗａｔｅｒｓ  Ｎｏｖａ−ＰａｋＣ−１８、８×１００ｍｍＲＣＭカラム、１００％（０．１％ＴＦＡ／Ｈ2Ｏ）から１００％（９０％ＣＨ3ＣＮ、０．１％ＴＦＡ、１０％Ｈ2Ｏ）までの直線勾配を用いて３ｍＬ／分で溶出）。ＨＰＬＣ分析により、この配合物を用いた完全な標識化のために必要とされるペプチドの最低濃度は３５μｇ／ｍＬであることが明らかにされた。逆相ＨＰＬＣ図により、90Ｙ標識ペプチドの鋭いピークが示された。標識ペプチドは、サイズ排除ＨＰＬＣにより、過剰量の６７９ＩｇＧと混合されたとき、完全に結合した。
【０２５１】
111Ｉｎを用いた標識
111Ｉｎ（約３００μＣｉ／キット）を脱イオン水で０．５ｍＬに希釈して、凍結乾燥されたキットに添加した。キットを沸騰水浴で１５分間加熱して、バイアルを冷却し、０．５Ｍ酢酸緩衝液における２．５６×１０-5Ｍ  Ｉｎの０．５ｍＬを加え、キットを再び沸騰水浴で１５分間加熱した。標識されたペプチドのバイアルを室温に冷却して、逆相ＨＰＬＣによって評価した（ＨＰＬＣ条件：Ｗａｔｅｒｓ  Ｎｏｖａ−ＰａｋＣ−１８、８×１００ｍｍＲＣＭカラム、１００％（０．１％ＴＦＡ／Ｈ2Ｏ）から１００％（９０％ＣＨ3ＣＮ、０．１％ＴＦＡ、１０％Ｈ2Ｏ）までの直線勾配を用いて３ｍＬ／分で溶出）。ＨＰＬＣ分析により、この配合物を用いた標識化（４．７％の遊離111Ｉｎ）のために必要とされるペプチドの最低濃度は３５μｇ／ｍＬであることが明らかになった。逆相ＨＰＬＣ図により、111Ｉｎ標識ペプチドの鋭いピークが示された。標識ペプチドは、サイズ排除ＨＰＬＣにより、過剰量の６７９ＩｇＧと混合されたとき、完全に結合した。
【０２５２】
インビボ研究
ＧＷ−３９ヒト結腸異種移植片腫瘍（１００ｍｇ〜５００ｍｇ）を有するヌードマウスに二重特異性抗体ｈＭＮ−１４×ｍ６７９（１．５×１０-10モル）を注射した。抗体は、111Ｉｎ標識ペプチド（８．８μＣｉ、１．５×１０-11モル）が注射される２４時間前からクリアリングされた。動物は、注射の３時間後、２４時間後、４８時間後に屠殺された。
【０２５３】
ｈＭＮ−１４×ｍ６７９で予備的にターゲッティングされたマウスにおけるペプチドの生体分布研究の結果が表１に示される。このプレターゲッティング研究におけるペプチドの腫瘍対非腫瘍比が表２に示される。
【０２５４】
【表１】
2005503768.tif 000035
【０２５５】
【表２】
2005503768.tif 000036
【０２５６】
ペプチドの標識およびＨＰＬＣ分析
ＩＭＰ２３７およびＩＭＰ２４１のペプチドを、Ｋａｒａｃａｙら、Ｂｉｏｃｏｎｊｕｇａｔｅ  Ｃｈｅｍ．、１１：８４２〜８５４（２０００）によって記載される手順に従って標識した。ペプチドＩＭＰ２４１（０．００１９ｇ）を５８７μｌの０．５Ｍ  ＮＨ4Ｃｌ（ｐＨ５．５）に溶解した。１．７μＬ量のペプチド溶液を１６５μｌの０．５Ｍ  ＮＨ4Ｃｌ（ｐＨ５．５）で希釈した。１０μＬの111Ｉｎ（１．８ｍＣｉ）をペプチド溶液に加えて、混合物を沸騰水浴で３０分間加熱した。
【０２５７】
標識ペプチドを、Ｗａｔｅｒｓ８ｘ１００ｍｍラジアルパック、ｎｏｖａ−ｐａｋＣ１８ＲＣＭカートリッジカラムを使用してＨＰＬＣによって分析した。カラムは、０．１％ＴＦＡ／水の１００％で開始し、９０％アセトニトリルおよび１０％水における０．１％ＴＦＡの１００％に向かう１０分間の直線勾配を用いて３ｍＬ／分で溶出された。この標識化では、約６％の遊離111Ｉｎが存在し、これはカラムの空隙容量（１．６分）において現れた。また、いくつかの111Ｉｎ標識ピークが５分および６．６分〜８分で認められた。111Ｉｎ標識ペプチドは単一ピークとして８．８分に溶出された。111Ｉｎ−ＩＭＰ２３７のＨＰＬＣプロフィルは、111Ｉｎ−ＩＭＰ２４１とほぼ同一であった。
【０２５８】
血清安定性
111Ｉｎ−ＩＭＰ２４１の一部（３０μＬ）を３００μＬの新鮮なマウス血清に入れ、３７℃のインキュベーターの中に置いた。ペプチドを、ＨＰＬＣによって上記に記載されるようにモニターした。111Ｉｎ−ＩＭＰ２３７の一部（２４μＬ）を２３０μＬの新鮮なマウス血清に入れ、３７℃のインキュベーターの中に置いた。ペプチドを、ＨＰＬＣによって上記に記載されるようにモニターした。分析により、111Ｉｎ−ＩＭＰ２４１は、マウス血清中において３７℃で２２時間加熱された後ではわずかに（約５％）分解し得ることが示された。111Ｉｎ−ＩＭＰ２３７は、３７℃で２２時間のインキュベーションの後では約７０％が保持時間のより短いピークに変換された。
【０２５９】
結論
ＩＭＰ２４１ペプチド中のＤ−チロシンは、ＩＭＰ２３７と比較した場合、マウス血清中におけるペプチドの分解を遅らせる。
【０２６０】
ＩＭＰ２３７とＩＭＰ２４１とのインビボ安定性の比較
111Ｉｎ−ＩＭＰ２３７および111Ｉｎ−ＩＭＰ２４１のインビボでの安定性を、３０分および６０分においてマウスから得られた尿サンプルを（ＨＰＬＣにより）試験することによって比較した。ＩＭＰ２４１およびＩＭＰ２３７のペプチドは、上記に記載されたように111Ｉｎ−１１１で標識された。
【０２６１】
標識ペプチドをＢａｌｂ／ｃマウスに注射し、ペプチド注射の３０分後および６０分後にマウスを屠殺した（１時点あたり１匹のマウスを使用した）。添付されたＨＰＬＣ図により、111Ｉｎ−ＩＭＰ２４１はそのままの形で排出され、一方、111Ｉｎ−ＩＭＰ２３７は新しい111Ｉｎ標識ペプチドにほぼ完全に代謝されたことが示される。
【０２６２】
結論
ペプチド骨格内のＴｙｒをＤ−Ｔｙｒで置換することにより、インビボにおけるペプチドの代謝が最小限に抑えられた。
【０２６３】
さらなるインビボ研究
ＧＷ−３９ヒト結腸異種移植片腫瘍（１００ｍｇ〜５００ｍｇ）を有するヌードマウスに二重特異性抗体ｍＭｕ９×ｍ６７９（１．５×１０-10モル）を注射した。抗体は、111Ｉｎ標識ペプチド（８．８μＣｉ、１．５×１０-11モル）が注射される４８時間前からクリアリングされた。動物は、注入の３時間後、２４時間後、４８時間後に屠殺された。
【０２６４】
ｍＭＵ９×ｍ６７９を用いて予備的にターゲッティングされたマウスにおけるペプチドの生体分布研究の結果が表３に示される。このプレターゲッティング研究におけるペプチドの腫瘍対非腫瘍比が表４に示される。表５のデータは、二重特異性抗体で前処理されなかったマウスにおけるペプチドの生体分布を示している。
【０２６５】
【表３】
2005503768.tif 000037
【０２６６】
【表４】
2005503768.tif 000038
【０２６７】
【表５】
2005503768.tif 000039
【実施例４】
【０２６８】
Ｍｕ−９可変領域のＰＣＲクローニング
ポリＡ  ｍＲＮＡを、Ｆａｓｔ  Ｔｒａｃｋ  ｍＲＮＡ単離キット（Ｉｎｖｉｔｒｏｇｅｎ、Ｓａｎ  Ｄｉｅｇｏ、ＣＡ）を使用してＭｕ−９ハイブリドーマ細胞株（３×１０7細胞）から単離した。第１鎖ｃＤＮＡを、ｃＤＮＡサイクルキット（Ｉｎｖｉｔｒｏｇｅｎ）を使用してポリＡ  ｍＲＮＡから逆転写した。簡単に記載すると、１ｇのポリＡ  ｍＲＮＡを、ネズミＩｇＧ  ＣＨ１特異的プライマーのＣＨ１Ｂ（５’ＡＣＡＧＴＣＡＣＴＧＡＧＣＴＧＧ３’）またはネズミＣｋ特異的プライマーのＣｋ３−ＢＨ１（５’ＧＣＣＧＧＡＴＣＣＴＣＡＣＴＧＧＡＴＧＧＴＧＧＧＡＡＧＡＴＧＧＡＴＡＣＡ３’）に対して、１Ｍの最終濃度において、４２℃で６０分間、１ｌのＲＮＡｓｅ阻害剤（１０Ｕ／ｌ）、４．０ｌの５×逆転写酵素緩衝液（５００ｍＭのＴｒｉｓ−ＨＣＬ（ｐＨ８．２）、２００ｍＭのＫＣｌ、５０ｍＭのＭｇＣｌ2および２．５ｍＭのスペルミジン）、１ｌの１００ｍＭ  ｄＮＴＰ、１ｌの８０ｍＭピロリン酸ナトリウム、および５ＵのＡＭＶ逆転写酵素の存在下でアニーリングした。その後、ＲＮＡ−ｃＤＮＡのハイブリッドを９５℃で２分間変性した。その後、第１鎖ｃＤＮＡをテンプレートとして使用して、Ｏｒｌａｎｄｉら、Ｐｒｏｃ．Ｎａｔｌ．Ａｃａｄ．Ｓｃｉ．ＵＳＡ、１９８９、８６：３８３３により記載されるようにＰＣＲによってＶＨ配列およびＶκ配列を増幅した。Ｖκ領域は、ＶＫ１ＢＡＣＫ（５’−ＧＡＣＡＴＴＣＡＧＣＴＧＡＣＣＣＡＧＴＣＴＣＣＡ３’）およびＩｇＫＣ３’（５’−ＣＴＣＡＣＴＧＧＡＴＧＧＴＧＧＧＡＡＧＡＴＧＧＡＴＡＣＡＧＴＴＧＧ３’）のプライマーを使用して増幅された。ＶＨ領域は、ＶＨ１ＢＡＣＫ（５’ＡＧＧＴ（Ｃ／Ｇ）（Ａ／Ｃ）Ａ（Ａ／Ｇ）ＣＴＧＣＡＧ（Ｃ／Ｇ）ＡＧＴＣ（Ａ／Ｔ）ＧＧ３’）およびＣＨ１Ｂのプライマーを使用して増幅された。好ましい実施形態において、ＶＨ領域は、図８に矢下線によって示されるプライマーを使用して増幅される。１０ｌの第１鎖ｃＤＮＡ産物、１０ｌの１０×ＰＣＲ緩衝液（１５ｍＭのＭｇＣｌ2、５００ｍＭのＫＣｌ、１００ｍＭのＴｒｉｓ−ＨＣｌ（ｐＨ８．３）および０．０１％（ｗ／ｖ）のゼラチン）、１Ｍの各プライマー、１６ｌのｄＮＴＰ混合物、および５ＵのＡｍｐｌｉＴａｑ  ＤＮＡポリメラーゼ（Ｐｅｒｋｉｎ−Ｅｌｍｅｒ、Ａｐｐｌｉｅｄ  Ｂｉｏｓｙｓｔｅｍｓ  Ｄｉｖｉｓｉｏｎ、Ｆｏｓｔｅｒ  Ｃｉｔｙ、ＣＡ）を含有するＰＣＲ反応混合物を３０サイクルのＰＣＲに付した（９４℃で１分間の変性、４５℃で１分間のアニーリングおよび７２℃で１分間の重合の５サイクルと、９４℃で１分間の変性、５５℃で１分間のアニーリングおよび７２℃で１分間の重合の２５サイクルとの組合せ）。増幅されたＶｋフラグメントおよびＶＨフラグメントをゲル精製して、ジデオキシターミネーション法による配列分析のためにＴＡクローニングベクター（Ｉｎｖｉｔｒｏｇｅｎ）にクローニングした。その後、免疫グロブリン起源であることが確認された配列を、Ｌｅｕｎｇら、Ｈｙｂｒｉｄｏｍａ、１９９４、１３：４６９により記載された方法を使用してキメラな発現ベクターを構築するために使用した。
【０２６９】
多数のクローンのヌクレオチド配列を決定することにより、１つのＶκ（ＭＵ９Ｖκ１）配列および１つのＶH（Ｍｕ９ＶH）配列が単離されたことが確認された（図８）。このＲＴ−ＰＣＲ法によってクローニングされたＶHおよびＶκ１から構築されたキメラＭｕ−９（ｃＭｕ−９−１）は、ＣＳＡｐ抗原に対する結合を何ら示さなかった。このことは、ＲＴ−ＰＣＲクローニング手法によって見逃されたかもしれない他の「機能的な」Ｖ領域配列が存在する可能性を示唆していた。
【実施例５】
【０２７０】
ｃＤＮＡライブラリースクリーニングによるＭｕ−９可変領域のクローニング
ｃＤＮＡライブラリーをｐＳＰＯＲＴベクター（Ｌｉｆｅ  Ｔｅｃｈｎｏｌｏｇｉｅｓ）においてネズミＭｕ−９ハイブリドーマから構築した。第１鎖ｃＤＮＡを、マウスＭｕ−９ハイブリドーマ由来のポリＡ  ｍＲＮＡをオリゴｄＴプライマー−ＮｏｔＩアダプター（Ｌｉｆｅ  Ｔｅｃｈｎｏｌｏｇｉｅｓ）と対形成させることによって合成した。第２鎖の合成およびＳａｌＩアダプターの結合を行った後、ｃＤＮＡプールをｃＤＮＡサイズ分画カラムによりサイズ分画した。分画されたｃＤＮＡをｐＳＰＯＲＴベクターに連結し、その後、大腸菌ＤＨ５に形質転換した。ライブラリーをＬＢ−ａｍｐ（１００ｇ／ｍｌ）平板に置床し、コロニーをＮｙｔｒａｎフィルター（Ｓｃｈｌｅｉｃｈｅｒ  ａｎｄ  Ｓｃｈｕｅｌｌ、Ｋｅｅｎｅ、ＮＨ）に転写して、ＬＢ−クロラムフェニコール平板において増幅した。増幅されたコロニーを、０．５Ｎ  ＮａＯＨ／１．５Ｍ  ＮａＣｌで５分間、１Ｍ  Ｔｒｉｓ−ＨＣｌ（ｐＨ８．０）で５分間、０．１Ｍ  Ｔｒｉｓ−ＨＣｌ（ｐＨ７．５）／２×ＳＳＣで５分間、そして最後に２×ＳＳＣで５分間〜１０分間、連続して処理した。ＤＮＡを、８０℃で３０分間のベーキング処理によってフィルターに固定化した。フィルターを、６×ＳＳＣ、５Ｘデンハルト（０．１％フィコール、０．１％ポリビニルピロリドンおよび０．１％ウシ血清アルブミン）、０．５％ＳＤＳ、０．０５％ピロリン酸ナトリウム、および１００ｇ／ｍｌニシン精子ＤＮＡ（Ｌｉｆｅ  Ｔｅｃｈｎｏｌｏｇｉｅｓ）を含有するプレハイブリダイゼーション緩衝液において５０℃で２時間インキュベーションした。32Ｐで標識されたプローブ（マウス重鎖に対して特異的なＭＵＣＨ−１（５’−ＡＧＡＣＴＧＣＡＧＧＡＧＡＧＣＴＧＧＧＡＡＧＧＴＧＴＧＣＡＣ３’）およびマウス軽鎖に対して特異的なＭＵＣｋ−１（５’−ＧＡＡＧＣＡＣＡＣＧＡＣＴＧＡＧＧＣＡＣＣＴＣＣＡＧＡＴＧＴ３’））との１０6ｃｐｍ／ｍｌでのハイブリダイゼーションを、１０％（ｗ／ｖ）デキストラン硫酸（Ｐｈａｒｍａｃｉａ  Ｂｉｏｔｅｃｈ、Ｐｉｓｃａｔａｗａｙ、ＮＪ）が補充されたプレハイブリダイゼーション溶液においてそれぞれのその融解温度（Ｔｍ）で一晩行なった。フィルター上の放射能が、ガイガーカウンターで測定したときに一定になるまで、フィルターは、０．２×ＳＳＣ、０．１％ＳＤＳにおいて、３７℃で１０分間の４回の洗浄、４２℃で１５分間の２回の洗浄、そして５０℃で１５分間の１回の洗浄が行われた。２×ＳＳＣにおける最後の洗浄の後、湿ったフィルターをＫｏｄａｋ  ＸＡＲ−５フィルム（Ｒｏｃｈｅｓｔｅｒ、ＮＹ）に７０℃で感光させた。最初のスクリーニングで陽性であったクローンを二連のＬＢ−ａｍｐ平板に移した。二連のＮｙｔｒａｎフィルターを、上記に記載されたのと同じプローブにハイブリダイゼーションさせた。両方のフィルターにおいて明確にハイブリダイゼーションするクローンのみを、さらなるスクリーニングのために選び出した。３次スクリーニングのために、ＭＵＣＨ−１陽性コロニーを、ＶＨＣＤＲ３Ｍｕ９（実施例４においてＲＴ−ＰＣＲによってクローニングされたＶH配列に対して特異的）を用いて二連でスクリーニングし、そしてＭＵＣｋ−１陽性���ロニーを、ＶＫＣＤＲ１Ｍｕ９およびＶＫＣＤＲ３Ｍｕ９（実施例４におけるＲＴ−ＰＣＲによってクローニングされたＶκ−１のＣＤＲ１コード配列およびＣＤＲ３コード配列に対して特異的）を用いてスクリーニングした。
【０２７１】
ＭＵＣＨ−１に関して陽性であることが確認された全クローン（２５個）はまた、ＶＨＣＤＲ３Ｍｕ９に関しても陽性であった。このことは、１つのタイプの重鎖配列のみがこれらのハイブリドーマでは発現していたことを示している。ＶＨＣＤＲ３Ｍｕ９と明確にハイブリダイゼーションした１０個のクローンを配列決定して、これらが、ＲＴ−ＰＣＲによってクローニングされたＭｕ９ＶＨと同一であることが見出された。その配列が図１Ａに開示される。
【０２７２】
一次および二次の両方のスクリーニングでＭＵＣｋ−１に対して陽性であった３４個のクローンのうち、１４個のみが、Ｍｕ９Ｖｋ１特異的プローブのＶＫＣＤＲ１Ｍｕ９およびＶＫＣＤＲ３Ｍｕ９にハイブリダイゼーションした。配列分析により、これらのクローンはＭｕ９Ｖｋ１と同一であることが明らかにされた。Ｍｕ９Ｖｋ１特異的プローブに対して陰性であった残る２０個のクローンのうち、８個がＤＮＡ配列決定に付された。これらのクローンのうちの７個が、Ｍｕ−９Ｖκ１とは異なり、Ｍｕ−９Ｖκ２（その配列が図１Ｂに開示される）と呼ばれるＶｋドメインを有するκ軽鎖配列をコードしていた。ＶＨおよびＶｋ２から構築され、Ｓｐ２／０細胞において発現されたキメラＭｕ−９（ｃＭｕ−９−２）は、マウスＭｕ−９の結合親和性に匹敵する結合親和性をＣＳＡｐ抗原に対して示した（詳細については、実施例８〜９を参照のこと）。
【実施例６】
【０２７３】
ｃＤＮＡライブラリースクリーニングのためのプローブの標識
様々なオリゴヌクレオチドを自動化された３９２ＤＮＡ／ＲＮＡ合成機（Ａｐｐｌｉｅｄ  Ｂｉｏｓｙｓｔｅｍｓ）で合成し、次いでＰＤ１０カラム（Ｐｈａｒｍａｃｉａ  Ｂｉｏｔｅｃｈ）で精製した。精製されたオリゴヌクレオチドを、Ｔ４ポリヌクレオチドキナーゼ（Ｎｅｗ  Ｅｎｇｌａｎｄ  Ｂｉｏｌａｂｓ、Ｂｅｖｅｒｌｙ、ＭＡ）を使用して［−32Ｐ］ＡＴＰ（Ａｍｅｒｓｈａｍ、Ａｒｌｉｎｇｔｏｎ  Ｈｅｉｇｈｔｓ、ＩＬ）で標識した。２０ｌの最終容量に含まれる典型的な反応混合物は下記の通りであった。５０ｐｍｏｌのオリゴヌクレオチド、６０Ｃｉの［−32Ｐ］ＡＴＰ（６０００Ｃｉ／ｍｍｏｌ）、および２ｌの１０×キナーゼ緩衝液（Ｎｅｗ  Ｅｎｇｌａｎｄ  Ｂｉｏｌａｂｓ）。反応混合物を３７℃で１時間インキュベーションして、反応を２０ｌの０．１Ｍ  ＥＤＴＡで停止させた。取り込まれなかった［−32Ｐ］ＡＴＰをＴＥ−１０Ｃｈｒｏｍａｓｐｉｎカラム（Ｃｌｏｎｅｔｅｃｈ、Ｐａｌｏ  Ａｌｔｏ、ＣＡ）で標識オリゴヌクレオチドから分離した。標識されたプローブは、ハイブリダイゼーションのために１０6ｃｐｍ／ｍで使用された。
【実施例７】
【０２７４】
ＳＰ２／０細胞のトランスフェクション
Ｍｕ−９について推定されるＶκ配列およびＶＨ配列を、Ｌｅｕｎｇら（上掲）によって記載されるように、それぞれ軽鎖発現ベクター（ｐＫｈまたはｐＫｈ*）および重鎖発現ベクター（ｐＧ１ｇ）にサブクローニングした。ｐＫｈ*は、ＸｈｏＩ／ＰａｃＩリンカーがｐＫｈのＢｓｔＸＩ部位に導入されていることを除いて、本質的にはｐＫｈと同一である。ｃＤＮＡスクリーニングによって得られたＭｕ−９Ｖκ２は、内部にＢｓｔＸＩ部位を含んでいたので、ｐＫｈ*にサブクローニングされ、これは、その後、トランスフェクションのためにＸｈｏＩまたはＰａｃＩのいずれかで線状化することができる。
約１０ｇおよび約３０ｇの線状化された軽鎖発現ベクター（Ｍｕ−９−１ｐＫｈまたはＭｕ−９−２ｐＫｈ*）および重鎖発現ベクター（Ｍｕ−９ｐＧ１ｇ）をエレクトロポレーションによってＳＰ２／０細胞に同時トランスフェクションした。トランスフェクションされた細胞を９６ウェル細胞培養プレートで完全培地において２日間増殖させ、その後、５００Ｕ／ｍｌの最終濃度でヒグロマイシンを添加することによって選択した。典型的には、コロニーがエレクトロポレーションの２週間後〜３週間後に現れ始め、コロニーは酵素結合免疫吸着アッセイ（ＥＬＩＳＡ）によって抗体分泌についてアッセイされた。キメラ抗体をプロテインＡ−セファロース４Ｂカラムでのアフィニティークロマトグラフィーによって培養上清から精製した。精製された抗体（５μｇ）を、還元条件のもとで４％〜２０％の勾配ゲルでのＳＤＳ−ＰＡＧＥによって分析した。
【実施例８】
【０２７５】
Ｍｕ−９の直接的な結合アッセイ
ＥＬＩＳＡマイクロタイタープレートを、セファロース４Ｂ−ＣＬカラムから溶出されたＧＷ−３９腫瘍抽出物（これはＣＳＡｐ抗原を含有する）の空隙容量画分でコーティングし、４℃で一晩放置した。翌日、非特異的な結合を、１％ＢＳＡおよび０．０５％ツィ−ン２０を含有するリン酸塩緩衝化生理的食塩水（ＰＢＳ）でブロッキングした。キメラ抗体上清（１００μｌ）または精製された抗体（０〜１μｇ／ｍｌ）を加えて、室温で１時間インキュベーションした。結合していないタンパク質を、洗浄緩衝液（０．０５％ツィ−ン２０を含有するＰＢＳ）で６回洗浄することによって除去した。精製されたネズミＭｕ−９タンパク質を標準品として使用した。結合した抗体を、Ｆｃフラグメントに特異的な抗体であるペルオキシダーゼコンジュゲート化ヤギ抗ヒトＩｇＧ（Ｊａｃｋｓｏｎ  ＩｍｍｕｎｏＲｅｓｅａｒｃｈ、Ｗｅｓｔ  Ｇｒｏｖｅ  ＰＡ）と、そしてＦｃフラグメントに特異的な抗体であるペルオキシダーゼコンジュゲート化ヤギ抗マウスＩｇＧ（Ｊａｃｋｓｏｎ  ＩｍｍｕｎｏＲｅｓｅａｒｃｈ）と反応させた。プレートを洗浄緩衝液で６回洗浄した後、１００μｌのＯＰＤ基質溶液（１０ｍｇのオルトフェニレンジアミン二塩酸塩（Ｓｉｇｍａ、Ｓｔ．Ｌｏｕｉｓ、ＭＯ）を含む２５ｍｌの０．３２×ＰＢＳおよび０．１２％Ｈ2Ｏ2）を各ウェルに加えた。色を暗所で１時間発色させ、反応を５０μｌの４Ｎ  Ｈ2ＳＯ4で停止させ、そして４９０ｎｍにおける吸光度をＤｙｎａｔｅｃｈプレート読み取り装置（Ｄｙｎａｔｅｃｈ  Ｌａｂｓ、Ｓｕｓｓｅｘ、英国）で測定した。
【０２７６】
図５（ａ）に示されるように、ＣＳＡｐ抗原に対するｃＭｕ−９（ｃＭｕ−９−２）の直接的な結合が生じた。ｃＭｕ−９−２の結合プロフィルは、事実上、ネズミＭｕ−９の結合プロフィルに重ね合わせることが可能であった。これらのデータにより、ｃＭｕ−９−２の免疫反応性はマウスＭｕ−９の免疫反応性に匹敵することが明らかにされた。ｃＭｕ−９の機能的なＶκおよびＶＨのＤＮＡ配列およびアミノ酸配列がそれぞれ図２Ａおよび２Ｂに示される。
【実施例９】
【０２７７】
競合的結合アッセイ
ネズミＭｕ−９ＩｇＧを西洋ワサビペルオキシダーゼ（ＨＲＰ）（Ｓｉｇｍａ）とコンジュゲート化した。ペルオキシダーゼコンジュゲート化Ｍｕ−９を、最初に、ＣＳＡｐ抗原でコーティングされたマイクロウェル表面における結合について試験して、最適濃度が０．２μｇ／ｍｌであることを決定した。ペルオキシダーゼコンジュゲート化Ｍｕ−９を様々な濃度のネズミＭｕ−９またはキメラＭｕ−９のいずれか（０〜５０μｇ／ｍｌ）と混合し、その後、抗原コーティングされたウェルに加えた。競合する抗体の存在下における抗原に対するペルオキシダーゼコンジュゲート化Ｍｕ−９の結合を、上記に記載されたように、基質を加えた後、４９０ｎｍで測定した。
【０２７８】
図５（ｂ）には、競合的結合アッセイの結果が示される。ネズミＭｕ−９およびｃＭｕ−９−２は、同程度によく、ＣＳＡｐ抗原に対するＨＲＰコンジュゲート化Ｍｕ−９の結合と競合した。これらのデータにより、ｃＭｕ−９−２の免疫反応性がマウスＭｕ−９の免疫反応性に匹敵することが明らかにされた。
【実施例１０】
【０２７９】
Ｍｕ９モノクローナル抗体をヒト化するためのヒトのフレームワークおよび配列設計の選択
Ｍｕ９の可変（Ｖ）領域フレームワーク（ＦＲ）配列をＫａｂａｔデータベースにおけるヒト抗体の配列と比較することによって、Ｍｕ−９のＶＨおよびＶκのＦＲが、それぞれ、ヒト抗体ＥＵのＶＨおよびヒト抗体ＷＯＬのＶのＦＲに対して最も大きい配列相同性を示すことが見出された。図３Ａおよび図３Ｂでは、Ｍｕ９のＶＨおよびＶκのアミノ酸配列がアラインメントされ、対応するヒト配列と比較される。従って、ＥＵ  ＶＨおよびＷＯＬ  ＶのＦＲが、Ｍｕ−９のＶＨおよびＶに対するＣＤＲがグラフト化されるヒトのフレームワークとしてそれぞれ選択された。しかし、ＥＵのＦＲ４配列ではなく、ＮＥＷＭのＦＲ４配列がＭｕ９重鎖のヒト化のために使用された（図３Ａ）。推定されるＣＤＲに近いＭｕ９のＦＲにおけるいくつかのアミノ酸残基が、以前に記載された指針（Ｑｕら、Ｃｌｉｎ．Ｃａｎｃｅｒ  Ｒｅｃ．、５：３０９５ｓ〜３１００ｓ（１９９９））に基づいて、ｈＭｕ９において維持された。これらの残基は、ＶのＬ３７、Ｖ５８およびＱ１００（図３Ｂ）、ならびにＶＨのＹ２７、Ｔ３０、Ｋ３８、Ｒ４０、Ｉ４８、Ｋ６６、Ａ６７、Ｋ７４、Ｔ９３、Ｒ９４およびＧ１０３（図３Ａ）である。その後、ｈＭｕ−９のＶＨおよびＶの遺伝子配列を設計した。それらの遺伝子配列が、それぞれ、図４Ａおよび図４Ｂにアミノ酸配列とともに示される。
【実施例１１】
【０２８０】
ヒト化Ｖ遺伝子のＰＣＲ／遺伝子合成
Ｌｅｕｎｇら（Ｌｅｕｎｇら、１９９４）によって記載されるような方法が、長いオリゴヌクレオチド合成およびＰＣＲの組合わせを使用して、設計されたｈＭｕ−９のＶκ遺伝子およびＶＨ遺伝子を構築するために使用された。それぞれの可変鎖は、５’側半分および３’側半分（それぞれ、「Ａ」および「Ｂ」として表される）の２つ部分に分けて構築された。各半分は、Ｔａｑポリメラーゼを使用して、一本鎖の合成オリゴヌクレオチドテンプレートを２つの短い両端プライマーによりＰＣＲ増幅することによって得られた。増幅されたフラグメントを、Ｉｎｖｉｔｒｏｇｅｎ（Ｃａｒｌｓｂａｄ、ＣＡ）から得られたｐＣＲ４  ＴＡクローニングベクターに最初にクローニングし、そしてＤＮＡ配列決定に付した。テンプレートおよびプライマー対を下記に示す。
テンプレート    プライマー                ＰＣＲ産物
オリゴＧ        オリゴ１４／オリゴ１５    ｈＭｕ９ＶＨＡ
オリゴＨ        オリゴ１６／オリゴ１７    ｈＭｕ９ＶＨＢ
オリゴＪ        オリゴ１８／オリゴ１９    ｈＭｕ９ＶｋＡ
オリゴＫ        オリゴ２０／オリゴ２１    ｈＭｕ９ＶｋＢ
【０２８１】
重鎖
ｈＭｕ９ＶＨ配列の全長ＤＮＡを構築するために、オリゴＧ（１０２ｍｅｒ）およびオリゴＨ（１７９ｍｅｒ）を自動化されたＲＮＡ／ＤＮＡ合成機（Ａｐｐｌｉｅｄ  Ｂｉｏｓｙｓｔｅｍｓ）で合成した。オリゴＧの配列は、ｎｔ１９〜ｎｔ１２０に対して相補的なｈＭｕ９ＶＨドメインのマイナス鎖に対応する。
５’−ＡＧＧＴＣＴＣＴＧＴＴＴＴＡＣＣＣＡＧＧＴＡＡＴＡＡＣＡＴＡＣＴＣＡＧＴＧＡＡＧＧＴＧＴＡＴＣＣＡＧＡＡＧＣＣＴＴＧＣＡＧＧＡＧＡＣＣＴＴＣＡＣＴＧＡＧＣＴＣＣＣＡＧＧＣＴＴＴＴＴＣＡＣＣＴＣＡＧＣＴＣＣ−３’。
【０２８２】
オリゴＨの配列はｈＭｕ９ＶＨドメインのｎｔ１４７〜ｎｔ３２５に対応する。
５’−ＧＡＴＴＴＡＴＣＣＴＧＧＡＡＧＴＧＧＴＡＧＴＡＣＴＴＣＣＴＡＣＡＡＴＧＡＡＡＡＧＴＴＣＡＡＧＧＧＣＡＡＧＧＣＣＡＣＡＡＴＣＡＣＴＧＣＴＧＡＣＡＡＡＴＣＣＡＣＴＡＡＣＡＣＡＧＣＣＴＡＣＡＴＧＧＡＧＣＴＣＡＧＣＡＧＣＣＴＧＡＧＡＴＣＴＧＡＧＧＡＣＡＣＴＧＣＧＴＴＣＴＡＴＴＴＣＴＧＴＡＣＡＡＧＡＧＡＧＧＡＴＣＴＴＧＧＧＧＧＣＣＡＡＧＧＧＴＣＴＣＴＧＧＴＣＡＣＣＧ−３’。
【０２８３】
オリゴＧおよびオリゴＨを担体から切断し、濃水酸化アンモニウムでの処理によって脱保護した。サンプルを真空乾燥して、１００ｌの水に再懸濁した後、不完全なオリゴマー（１００ｍｅｒ未満）を、ＣｈｏｒｍａＳｐｉｎ−１００カラム（Ｃｌｏｎｔｅｃｈ、Ｐａｌｏ  Ａｌｔｏ、ＣＡ）に通した遠心分離によって除去した。合成副産物を除去するためにＣｈｒｏｍａＳｐｉｎ−３０カラムを使用したことを除いて、すべての両端プライマーを同様に調製した。１ｌのＣｈｒｏｍａＳｐｉｎカラム精製されたオリゴＧを、１０ｌの１０×ＰＣＲ緩衝液［５００ｍＭのＫＣｌ、１００ｍＭのＴｒｉｓ−ＨＣｌ（ｐＨ８．３）、１５ｍＭのＭｇＣｌ2、および０．０１％（ｗ／ｖ）のゼラチン］（Ｐｅｒｋｉｎ  Ｅｌｍｅｒ  Ｃｅｔｕｓ、Ｎｏｒｗａｌｋ、ＣＴ）、２５０Ｍの各ｄＮＴＰ、２００ｎＭのオリゴ１４（５’−ＧＴＧＣＡＧＣＴＧＣＡＧＣＡＧＴＣＡＧＧＡＧＣＴＧＡＧＧＴＧ−３’）およびオリゴ１５（５’−ＡＣＴＣＴＡＧＡＣＣＣＴＧＴＣＣＡＧＧＴＣＴＣＴＧＴＴＴＴＡＣＣＣＡＧＧＴＡＡＴＡＡＣＡＴＡ−３’）、ならびに５ユニットのＴａｑＤＮＡポリメラーゼ（Ｐｅｒｋｉｎ  Ｅｌｍｅｒ  Ｃｅｔｕｓ）を含有する１００ｌの反応容量でＰＣＲ増幅した。この反応混合物を、９４℃で１分間の変性、５０℃で１．５分間のアニーリングおよび７２℃で１．５分間の重合からなる３０サイクルのＰＣＲ反応に付した。オリゴＨを、オリゴ１６（５’−ＧＧＴＣＴＡＧＡＧＴＧＧＡＴＴＧＧＡＧＡＧＡＴＴＴＡＴＣＣＴＧＧＡＡＧＴＧＧＴＡＧＴＡＣＴＴ−３’）およびオリゴ１７（５’−ＴＧＡＡＧＡＧＡＣＧＧＴＧＡＣＣＡＧＡＧＡＣＣＣＴＴＧＧＣＣＣＣＣＡＡＧＡＴＣＣＴＣＴＣＴＴＧＴＡＣＡＧＡＡＡＴＡＧＡＡＣＧＣ−３’）のプライマー対によって同様の条件のもとでＰＣＲ増幅した。得られたＰＣＲフラグメントのＶＨＡおよびＶＨＢを２％アガロース（ＢｉｏＲａｄ、Ｒｉｃｈｍｏｎｄ、ＣＡ）で精製した。１つしか存在しない制限部位が、ＤＮＡ連結による結合を容易にするために各フラグメントの両端において設計された。増幅されたＶＨＡフラグメントは、ＰｓｔＩ制限部位（ＣＴＧＣＡＧ）をその５’末端に、そしてＸｂａＩ制限部位（ＴＣＴＡＧＡ）をその３’末端に含有していた。増幅されたＶＨＢフラグメントは、ＸｂａＩ制限部位をその５’末端に、そしてＢｓｔＥＩＩ制限部位（ＧＧＴＣＡＣＣ）をその３’末端に含有していた。全長ＶＨ鎖の組み立てを、適切な５’酵素および３’酵素での各フラグメントの制限酵素消化、そしてＰｓｔＩおよびＢｓｔＥＩＩで事前に消化されたＶＨｐＢＳベクター（Ｌｅｕｎｇら、Ｈｙｂｒｉｄｏｍａ、１３：４６９（１９９４））への連結によって達成した。得られた連結産物は、ＡフラグメントをＰｓｔＩ部位に連結されて、ＢフラグメントをＢｓｔＥＩＩ部位に連結され、そしてＡフラグメントおよびＢフラグメントがＸｂａＩ部位において結合して含有している（図４Ａ）。正しいオープンリーディングフレームがＤＮＡ配列決定によって確認されたとき、プロモーターおよび分泌シグナルペプチドをコードする配列とともに完全なＶＨ遺伝子配列をＨｉｎｄＩＩＩ〜ＢａｍＨＩフラグメントとしてＶＨｐＢＳから取り出し、Ｖ��ｐＧ１ｇ発現ベクター（Ｌｅｕｎｇら、Ｈｙｂｒｉｄｏｍａ、１３：４６９（１９９４））に連結して、ｈＭｕ９ＶＨｐＧ１ｇが得られた。
【０２８４】
軽鎖
Ｖを構築する場合、合成された長いオリゴヌクレオチドテンプレートは、ｎｔ２１〜ｎｔ１５０に対して相補的なｈＭｕ９Ｖドメインのマイナス鎖に対応するオリゴＪ（１３０ｍｅｒ）：
５’−ＣＣＴＴＧＧＡＧＣＣＴＧＧＣＣＴＧＧＴＴＴＣＴＧＣＡＧＧＴＡＣＣＡＴＴＣＴＡＡＡＴＡＧＧＴＧＴＴＧＣＣＡＴＴＡＣＴＡＴＧＣＡＣＡＡＴＧＣＴＣＴＧＡＣＴＡＧＡＣＣＴＧＣＡＡＧＡＣＡＧＡＧＴＧＧＣＴＣＧＣＴＣＴＣＣＡＧＧＡＣＴＧＡＧＧＧＡＣＡＧＧＧＴＧＣＣＴＧＧＧ−３’
と、ｈＭｕ９Ｖドメインのｎｔ１５１〜ｎｔ３００に対応するオリゴＫ（１５０ｍｅｒ）：
５’−ＣＴＣＣＴＧＡＴＣＴＡＣＡＡＡＧＴＴＴＣＣＡＡＣＣＧＡＴＴＴＴＣＣＧＧＡＧＴＣＣＣＡＧＡＣＡＧＧＴＴＣＡＧＴＧＧＣＴＣＴＧＧＡＴＣＡＧＧＧＡＣＡＧＡＴＴＴＣＡＣＡＣＴＴＡＣＴＡＴＣＡＧＣＡＧＡＣＴＧＧＡＧＣＣＴＧＡＧＧＡＴＴＴＴＧＣＴＧＴＧＴＡＴＴＡＣＴＧＣＴＴＴＣＡＡＧＧＴＴＣＡＣＧＴＧＴＴＣＣＧ−３’
とであった。
【０２８５】
これらのオリゴを、下記に示されるようなそれぞれのそのプライマー対によってＰＣＲ増幅した。
オリゴ１８  ５’−ＧＡＴＡＴＣＣＡＧＣＴＧＡＣＣＣＡＡＴＣＣＣＣＡＧＧＣＡＣＣＣＴＧＴＣＣＣＴＣＡＧＴＣＣＴＧＧＡＧ−３’
オリゴ１９  ５’−ＡＧＡＴＣＡＧＧＡＧＣＣＴＴＧＧＡＧＣＣＴＧＧＣＣＴＧＧＴＴＴＣＴＧＣＡ−３’
オリゴ２０  ５’−ＴＡＣＣＴＧＣＡＧＡＡＡＣＣＡＧＧＣＣＡＧＧＣＴＣＣＡＡＧＧＣＴＣＣＴＧＡＴＣＴＡＣＡＡＡＧＴＴＴＣＣＡＡＣＣＧ−３’
オリゴ２１  ５’−ＴＴＡＡＴＣＴＣＣＡＣＣＴＴＧＧＴＣＣＣＣＣＣＴＣＣＧＡＡＣＧＴＧＴＡＣＧＧＡＡＣＡＣＧＴＧＡＡＣＣＴＴＧＡＡＡＧＣＡＧＴＡＡＴＡＣＡ−３’
【０２８６】
ＶＨに対して行なわれた方法と同じ構築方法がＶに対して行われたが、下記の改変を伴った。Ａフラグメントの５’末端制限部位がＰｖｕＩＩ（ＣＡＧＣＴＧ）であり、Ｂフラグメントの３’末端制限部位がＢｇｌＩＩ（ＡＧＡＴＣＴ）であった。これらのフラグメントは、ＶＫｐＢＲベクターに連結されたとき、共通するＰｓｔＩ部位（ＣＴＧＣＡＧ）において結合して、全長Ｖ配列（図４Ｂ）をもたらし、そしてＤＮＡ配列決定によって確認された。組み立てられたＶ遺伝子はＨｉｎｄＩＩＩ〜ＢａｍＨＩ制限フラグメントとして軽鎖発現ベクターにサブクローニングされて、ｈＭｕ９ＶＫｐＫｈが得られた。
【実施例１２】
【０２８７】
ｈＭｕ９に関するトランスフェクション、発現および結合活性アッセイ
ｈＭｕ９に関する発現方法および結合活性アッセイ方法は、ｃＭｕ９について記載された方法と同じであった。約１０ｇおよび約３０ｇの線状化されたｈＭｕ９ＶｋｐＫｈおよびｈＭｕ９ＶＨｐＧ１ｇをエレクトロポレーションによってＳＰ２／０細胞に同時トランスフェクションした。トランスフェクションされた細胞を９６ウェル細胞培養プレートで完全培地において２日間増殖させ、その後、５００Ｕ／ｍｌの最終濃度でヒグロマイシンを添加することによって選択した。典型的には、コロニーがエレクトロポレーションの２週間後〜３週間後に現れ始め、コロニーを酵素結合免疫吸着アッセイ（ＥＬＩＳＡ）によって抗体分泌についてアッセイした。キメラ抗体をプロテインＡ−セファロース４Ｂカラムでのアフィニティークロマトグラフィーによって培養上清から精製した。精製された抗体（５μｇ）を、還元条件のもとで４％〜２０％の勾配ゲルでのＳＤＳ−ＰＡＧＥによって分析した。
【０２８８】
直接的な結合アッセイにより、精製されたｈＭｕ−９がＣＳＡｐ抗原に結合することが明らかにされた。ｈＭｕ−９の結合親和性を、実施例６に記載されたような競合的結合アッセイにおいて比較した。図１３には、競合的結合アッセイの結果が示される。ｈＭｕ−９またはマウスＭｕ−９は、同程度によく、ＣＳＡｐ抗原に対するＨＲＰコンジュゲート化Ｍｕ−９の結合と競合した。これらのデータにより、ｈＭｕ−９の免疫反応性がマウスＭｕ−９の免疫反応性に匹敵することが明らかにされた。
【実施例１３】
【０２８９】
90Ｙ標識されたヒト化Ｍｕ−９抗体による患者の治療
３年前に切除され、そのときに放射線治療が施され、その後、５−フルオロウラシル／ホニリン酸の化学療法が施されたデュークＣ直腸がんの病歴を有する６２歳の男性が、６ヶ月前からその血漿ＣＥＡ価の上昇を示し始め、３０ｎｇ／ｍＬのレベルに達した。この患者は、腫瘍学者の診察を年に２回受けているので、この結果を聞いて知り、再発の疑いがあるために様々な診断手法を受けた。コンピューター断層撮影法により、２つの転移が肝臓に存在することが見出された。１つは直径が３ｃｍで、右葉に存在し、もう１つは少し小さく、左葉内で、葉間間膜の近くに存在した。患者は、化学療法を受けないことを選択したので、その後、患者には、２５ｍＣｉのヒト化Ｍｕ−９抗体コンジュゲート化90Ｙが、２時間にわたる静脈内点滴によって５０ｍｇのタンパク質量で投与されて投薬された。その後、この治療は１ヶ月後に繰り返された。患者は、最後の治療点滴が行われた２週間後〜４週間後に測定されたとき、白血球および血小板の低下が認められたが、治療後８週間目の評価では回復していた。治療後３ヶ月でのコンピューター断層撮影法の知見により、右肝葉の大きな腫瘍転移は４０％の縮小が明らかにされ、そして左葉の腫瘍では、それよりも小さい減少が明らかにされた。この時点で、患者の血中ＣＥＡは１５ｎｇ／ｍＬに低下していた。６ヶ月間の経過観察で、患者の腫瘍病変部は、２倍（ｔｗｏ−ｄｉａｍｅｔｅｒ）ＣＴ測定では約７０％減少しており、患者の血漿ＣＥＡは８ｎｇ／ｍＬであり、そして患者の全身状態は良好で、治療に関連する明らかな毒性または有害な事象は全くなかった。患者は、現在、治療後９ヶ月であり、肝臓転移物の大きさには変化が全くなく、血清ＣＥＡ価は約５〜８ｎｇ／ｍＬで安定している。患者は、３ヶ月毎に経過観察されており、その結果、疾患が増大し始めた場合には、この放射免疫療法の別クールを受け、続いてむき出し状態のＭｕ−９抗体の１クールを、６週間にわたって毎週１回、３００ｍｇ／ｍ2の１週間用量で、イリノテカン（ＣＰＴ−１１）の治療クールと同時に受けることが予定されている。
【０２９０】
Ｘ．参考文献
引用されたすべての参考文献、ならびに本明細書中に引用された参考文献により引用される参考文献は、参照することにより本明細書にその開示内容全体が組み込まれる。
注目されるさらなる参考文献ならびにそれに引用される参考文献には下記が含まれ、それらは参照することによりその開示内容全体が本明細書中に組み込まれる。
【０２９１】
【表６Ａ】
2005503768.tif 000040
【０２９２】
【表６Ｂ】
2005503768.tif 000041
【０２９３】
【表６Ｃ】
2005503768.tif 000042
【０２９４】
【表６Ｄ】
2005503768.tif 000043
【図面の簡単な説明】
【０２９５】
【図１】５’−ＲＡＣＥによって得られ、ＤＮＡ配列決定によって決定されたネズミ６７９ＶkのＤＮＡ配列およびアミノ酸配列を示す。対応するＤＮＡ配列によってコードされるアミノ酸配列がヌクレオチド配列の下に一文字記号として示される。ヌクレオチド残基およびアミノ酸残基には連続して番号が付けられ、右側に示される。ＣＤＲ領域におけるアミノ酸残基は太字で示され、下線が付けられている。
【図２】ＲＴ−ＰＣＲによって得られ、ＤＮＡ配列決定によって決定されたネズミ６７９ＶHのＤＮＡ配列およびアミノ酸配列を示す。対応するＤＮＡ配列によってコードされるアミノ酸配列がヌクレオチド配列の下に一文字記号として示される。ヌクレオチド残基およびアミノ酸残基には連続して番号が付けられ、右側に示される。ＣＤＲ領域におけるアミノ酸残基は太字で示され、下線が付けられている。
【図３】ＭＡｂ６７９の単鎖Ｆｖフラグメント（ｓｃＦｖ）のＤＮＡ配列およびアミノ酸配列を示す。対応するＤＮＡ配列によってコードされるアミノ酸配列がヌクレオチド配列の下に一文字記号として示される。ヌクレオチド残基およびアミノ酸残基には連続して番号が付けられ、右側に示される。ＣＤＲ領域におけるアミノ酸残基は太字で示され、下線が付けられている。ＶとＶＨとの間の連結として作用するアミノ酸残基もまた下線が付けられ、示されている。
【図４】ｃＤＮＡスクリーニングによって得られた機能的なＭｕ−９ＶのＤＮＡ配列およびアミノ酸配列を示す。対応するＤＮＡ配列によってコードされるアミノ酸残基がヌクレオチド配列の下に一文字記号として示される。ヌクレオチド残基およびアミノ酸残基の両方には連続して番号が付けられ、右側に示される。ＣＤＲ領域におけるアミノ酸残基は太字で示され、下線が付けられている。
【図５】ＲＴ−ＰＣＲによって得られたＭｕ−９ＶＨのＤＮＡ配列およびアミノ酸コード配列を示す。ＶＨコード配列のみが示される。対応するＤＮＡ配列によってコードされるアミノ酸配列がヌクレオチド配列の下に一文字記号として示される。ヌクレオチド残基およびアミノ酸残基の両方には連続して番号が付けられ、右側に示される。ＣＤＲ領域におけるアミノ酸残基は太字で示され、下線が付けられている。
【図６】実施例１１に記載されるように長いオリゴヌクレオチド合成およびＰＣＲの組合せによって作製されるようなヒト化Ｍｕ−９（ｈＭｕ−９）軽鎖可変領域をコードするＤＮＡ配列を示す。このＤＮＡによってコードされるアミノ酸残基が一文字記号として示され、対応するコドンの下に示される。ＣＤＲ領域におけるアミノ酸残基は太字で示され、下線が付けられている。
【図７】実施例１１に記載されるように長いオリゴヌクレオチド合成およびＰＣＲの組合せによって作製されるようなｈＭｕ−９重鎖可変領域のＤＮＡ配列およびアミノ酸配列を示す。このＤＮＡによってコードされるアミノ酸残基が一文字記号として示され、対応するコドンの下に示される。ＣＤＲ領域におけるアミノ酸残基は太字で示され、下線が付けられている。
【図８】ＲＴ−ＰＣＲによって得られたＭｕ−９ＶＨのＤＮＡ配列およびアミノ酸配列を示す。矢下線が付けられた配列は５’末端側のＰＣＲプライマー配列を表す。ＶＨ領域は、ＶＨ１ＢＡＣＫ（５’ＡＧＧＴ（Ｃ／Ｇ）（Ａ／Ｃ）Ａ（Ａ／Ｇ）ＣＴＧＣＡＧ（Ｃ／Ｇ）ＡＧＴＣ（Ａ／Ｔ）ＧＧ３’）およびＣＨ１Ｂのプライマーを使用して増幅された。対応するＤＮＡ配列によってコードされるアミノ酸配列がヌクレオチド配列の下に一文字記号として示される。ヌクレオチド配列の番号付けが右側に示される。ＣＤＲ領域におけるアミノ酸残基は太字で示され、下線が付けられている。ＫａｂａｔのＩｇ分子番号付けが、アミノ酸残基の上の番号付けにより示されるようにアミノ酸残基に対して使用される。文字のみにより番号付けされた残基は、Ｋａｂａｔの番号付けスキームによって規定される挿入残基であり、前の数字と同じ先行する数字を有する。例えば、図８における残基８２、残基８２Ａ、残基８２Ｂおよび残基８２Ｃは、それぞれ、８２、Ａ、ＢおよびＣとして示される。
【図９】Ｓｐ２／０細胞において発現させたキメラＭｕ−９（ｃＭｕ−９）の重鎖可変領域および軽鎖可変領域のＤＮＡ配列およびアミノ酸配列を示す。図９Ａには、ｃＭｕ−９ＶＨのＤＮＡ配列およびアミノ酸配列が示される。図９Ｂには、ｃＭｕ−９Ｖの二本鎖ＤＮＡ配列およびアミノ酸配列が示される。対応するＤＮＡ配列によってコードされるアミノ酸配列が一文字記号として示される。ＣＤＲ領域におけるアミノ酸残基は太字で示され、下線が付けられている。ヌクレオチド配列の番号付けが右側に示される。アミノ酸残基の番号付けは、図８における番号付けと同じである。ｃＭｕ９を構築するために使用された制限部位は下線が付けられ、示されている。
【図１０】ヒト抗体ならびにＭｕ−９およびｈＭｕ−９の重鎖可変領域および軽鎖可変領域のアミノ酸配列のアラインメントを示す。図１０Ａには、ヒト抗体のＥＵ（ＦＲ１〜３）およびＮＥＷＭ（ＦＲ４）とＭｕ−９およびｈＭｕ−９とのＶＨアミノ酸配列アラインメントが示され、図１０Ｂには、ヒト抗体ＷＯＬとＭｕ−９およびｈＭｕ−９とのＶアミノ酸配列アラインメントが示される。ドットは、Ｍｕ−９内の残基がこれらのヒト抗体における対応する残基と同一であることを示す。四角で囲まれた領域はＣＤＲ領域を表す。ｈＭｕ−９のＮ末端残基およびＣ末端残基の両方（下線部）は、使用された設定ベクトルによって固定され、ヒト抗体と比較されていない。ＫａｂａｔのＩｇ分子番号スキームが、図８の場合のように残基に番号を付けるために使用される。
【図１１】Ｓｐ２／０細胞において発現させたｈＭｕ−９の重鎖可変領域および軽鎖可変領域のＤＮＡ配列およびアミノ酸配列を示す。図１１Ａには、ｈＭｕ−９ＶＨのＤＮＡ配列およびアミノ酸配列が示される。図１１Ｂには、ｈＭｕ−９ＶκのＤＮＡ配列およびアミノ酸配列が示される。ヌクレオチド配列の番号付けが右側に示される。対応するＤＮＡ配列によってコードされるアミノ酸配列が一文字記号として示される。ＣＤＲ領域におけるアミノ酸残基は太字で示され、下線が付けられている。ＫａｂａｔのＩｇ分子番号付けスキームが、図８の場合のようにアミノ酸残基に対して使用される。
【図１２】競合的結合アッセイにおけるｍＭｕ−９およびｈＭｕ−９の比較を示す。様々な濃度の競合Ａｂを、抗原被覆ウエルに対する一定量のＨＲＰ−ｍＭｕ−９の結合と競合させるために使用した。ｈＭｕ−９は、ｍＭｕ−９の阻止活性と匹敵し得る阻止活性を示した。ｍＭｕ−９およびｃＭｕ−９の比較はＫｒｉｓｈｎａｎら（Ｃａｎｃｅｒ、８０：２６６７〜２６７４（１９９７））に見出すことができる。
【図３】
2005503768.tif 000072
【図１２】
2005503768.tif 000073
【国際公開パンフレット】
2005503768.tif 000074
2005503768.tif 000075
2005503768.tif 000076
2005503768.tif 000077
2005503768.tif 000078
2005503768.tif 000079
2005503768.tif 000080
2005503768.tif 000081
2005503768.tif 000082
2005503768.tif 000083
2005503768.tif 000084
2005503768.tif 000085
2005503768.tif 000086
2005503768.tif 000087
2005503768.tif 000088
2005503768.tif 000089
2005503768.tif 000090
2005503768.tif 000091
2005503768.tif 000092
2005503768.tif 000093
2005503768.tif 000094
2005503768.tif 000095
2005503768.tif 000096
2005503768.tif 000097
2005503768.tif 000098
2005503768.tif 000099
2005503768.tif 000100
2005503768.tif 000101
2005503768.tif 000102
2005503768.tif 000103
2005503768.tif 000104
2005503768.tif 000105
2005503768.tif 000106
2005503768.tif 000107
2005503768.tif 000108
2005503768.tif 000109
2005503768.tif 000110
2005503768.tif 000111
2005503768.tif 000112
2005503768.tif 000113
2005503768.tif 000114
2005503768.tif 000115
2005503768.tif 000116
2005503768.tif 000117
2005503768.tif 000118
2005503768.tif 000119
2005503768.tif 000120
2005503768.tif 000121
2005503768.tif 000122
2005503768.tif 000123
2005503768.tif 000124
2005503768.tif 000125
2005503768.tif 000126
2005503768.tif 000127
2005503768.tif 000128
2005503768.tif 000129
2005503768.tif 000130
2005503768.tif 000131
2005503768.tif 000132
2005503768.tif 000133
2005503768.tif 000134
2005503768.tif 000135
2005503768.tif 000136
2005503768.tif 000137
2005503768.tif 000138
2005503768.tif 000139
2005503768.tif 000140
2005503768.tif 000141
2005503768.tif 000142
2005503768.tif 000143
2005503768.tif 000144
2005503768.tif 000145
2005503768.tif 000146
2005503768.tif 000147
2005503768.tif 000148
2005503768.tif 000149
2005503768.tif 000150
2005503768.tif 000151
2005503768.tif 000152
2005503768.tif 000153
2005503768.tif 000154
2005503768.tif 000155
2005503768.tif 000156
2005503768.tif 000157
2005503768.tif 000158
2005503768.tif 000159
2005503768.tif 000160
2005503768.tif 000161
2005503768.tif 000162
2005503768.tif 000163
2005503768.tif 000164
2005503768.tif 000165
2005503768.tif 000166
2005503768.tif 000167
2005503768.tif 000168
2005503768.tif 000169
2005503768.tif 000170
2005503768.tif 000171
2005503768.tif 000172
2005503768.tif 000173
2005503768.tif 000174
2005503768.tif 000175
2005503768.tif 000176
2005503768.tif 000177
2005503768.tif 000178
2005503768.tif 000179
2005503768.tif 000180
2005503768.tif 000181
2005503768.tif 000182
2005503768.tif 000183
2005503768.tif 000184
2005503768.tif 000185
2005503768.tif 000186
2005503768.tif 000187
2005503768.tif 000188
2005503768.tif 000189
2005503768.tif 000190
2005503768.tif 000191
2005503768.tif 000192
2005503768.tif 000193
2005503768.tif 000194
2005503768.tif 000195
2005503768.tif 000196
2005503768.tif 000197
2005503768.tif 000198
2005503768.tif 000199
2005503768.tif 000200
2005503768.tif 000201
2005503768.tif 000202
2005503768.tif 000203
2005503768.tif 000204
2005503768.tif 000205
2005503768.tif 000206
2005503768.tif 000207
2005503768.tif 000208
2005503768.tif 000209
2005503768.tif 000210
2005503768.tif 000211
2005503768.tif 000212
2005503768.tif 000213
2005503768.tif 000214
2005503768.tif 000215
2005503768.tif 000216
2005503768.tif 000217
2005503768.tif 000218
2005503768.tif 000219
2005503768.tif 000220
2005503768.tif 000221
2005503768.tif 000222
2005503768.tif 000223
2005503768.tif 000224
2005503768.tif 000225
2005503768.tif 000226
2005503768.tif 000227
2005503768.tif 000228
2005503768.tif 000229
2005503768.tif 000230
2005503768.tif 000231
2005503768.tif 000232
2005503768.tif 000233
2005503768.tif 000234
2005503768.tif 000235
2005503768.tif 000236
2005503768.tif 000237
2005503768.tif 000238
2005503768.tif 000239
2005503768.tif 000240
2005503768.tif 000241
2005503768.tif 000242
2005503768.tif 000243
2005503768.tif 000244
2005503768.tif 000245
2005503768.tif 000246
2005503768.tif 000247
2005503768.tif 000248
2005503768.tif 000249
2005503768.tif 000250
2005503768.tif 000251
2005503768.tif 000252
2005503768.tif 000253
2005503768.tif 000254
2005503768.tif 000255
2005503768.tif 000256
2005503768.tif 000257
2005503768.tif 000258
2005503768.tif 000259
2005503768.tif 000260
2005503768.tif 000261
2005503768.tif 000262
2005503768.tif 000263
2005503768.tif 000264
2005503768.tif 000265
2005503768.tif 000266
2005503768.tif 000267
2005503768.tif 000268
2005503768.tif 000269
2005503768.tif 000270
2005503768.tif 000271
2005503768.tif 000272
2005503768.tif 000273
2005503768.tif 000274
2005503768.tif 000275
【国際公開パンフレット（コレクトバージョン）】
2005503768.tif 000276
【国際調査報告】
2005503768.tif 000277
2005503768.tif 000278